(57)【要約】【課題】既存ガソリン機関は基礎研究皆無の容積利用で熱量を全く利用不可、小学校理科の速度×質量＝仕事能力を１／６００仮説出力等に低減して、公害増大及び大損失です。【解決手段】縮径主燃焼室兼熱交換器で限り無く高圧燃焼熱交換長時間冷却燃焼により、燃焼ガス熱量＋燃焼ガス質量に分離して過熱蒸気爆発力＋燃焼ガス爆発力に変換し、燃焼ガス排気温度を−２７３℃に近付け、過熱蒸気噴射ノズルの過熱蒸気爆発力と霧吹きの原理＋燃焼ガス噴射ノズルの燃焼ガス爆発力と霧吹きの原理で、夫々１以上の水を混合噴射加速して、夫々仕事能力を５００００倍＋１００００倍に近付けて、夫々はずみ車蒸気タービン及びはずみ車ガスタービンに噴射し、同一燃料量既存ガスタービンの６００倍仮説発電量等とし、供給熱量全部を１００℃以下の水道水温熱として、燃焼ガス質量全部を０℃以上の水道水冷熱で夫々需要家に供給し、ＣＯ２等の燃焼ガス排気を水に溶解０等に。【選択図】図１
2005146851.tif 000002
【特許請求の範囲】
【請求項１】
はずみ車蒸気タービン（８ｂ）の回転によりクランク軸（１６）を回転させることが特徴のＡ型エネルギ保存サイクル合体機関。
【請求項２】
はずみ車蒸気タービン（８ｂ）の回転によりクランク軸（１６）を回転させることが特徴のエネルギ保存サイクル合体機関。
【請求項３】
はずみ車蒸気タービン（８ｂ）の回転によりクランク軸（１６）を回転させて拡径ピストン（２１）を往復させることが特徴のＡ型エネルギ保存サイクル合体機関。
【請求項４】
はずみ車蒸気タービン（８ｂ）の回転によりクランク軸（１６）を回転させて拡径ピストン（２１）を往復させることが特徴のエネルギ保存サイクル合体機関。
【請求項５】
はずみ車蒸気タービン（８ｂ）の回転によりクランク軸（１６）を回転させて拡径ピストン（２１）を往復させ、吸気弁（２８）より空気（２８ａ）を吸入することが特徴のＡ型エネルギ保存サイクル合体機関。
【請求項６】
はずみ車蒸気タービン（８ｂ）の回転によりクランク軸（１６）を回転させて拡径ピストン（２１）を往復させ、吸気弁（２８）より空気（２８ａ）を吸入することが特徴のエネルギ保存サイクル合体機関。
【請求項７】
はずみ車蒸気タービン（８ｂ）の回転によりクランク軸（１６）を回転させて拡径ピストン（２１）を往復させ、吸気弁（２８）より空気（２８ａ）を吸入して圧縮することが特徴のＡ型エネルギ保存サイクル合体機関。
【請求項８】
はずみ車蒸気タービン（８ｂ）の回転によりクランク軸（１６）を回転させて拡径ピストン（２１）を往復させ、吸気弁（２８）より空気（２８ａ）を吸入して圧縮することが特徴のエネルギ保存サイクル合体機関。
【請求項９】
はずみ車蒸気タービン（８ｂ）の回転によりクランク軸（１６）を回転させて拡径ピストン（２１）を往復させ、吸気弁（２８）より空気（２８ａ）を吸入して圧縮し、燃焼室を廃止することが特徴のＡ型エネルギ保存サイクル合体機関。
【請求項１０】
はずみ車蒸気タービン（８ｂ）の回転によりクランク軸（１６）を回転させて拡径ピストン（２１）を往復させ、吸気弁（２８）より空気（２８ａ）を吸入して圧縮し、燃焼室を廃止することが特徴のエネルギ保存サイクル合体機関。
【請求項１１】
はずみ車蒸気タービン（８ｂ）の回転によりクランク軸（１６）を回転させて拡径ピストン（２１）を往復させ、吸気弁（２８）より空気（２８ａ）を吸入して圧縮し、燃焼室を廃止して全部に近い空気を送気することが特徴のＡ型エネルギ保存サイクル合体機関。
【請求項１２】
はずみ車蒸気タービン（８ｂ）の回転によりクランク軸（１６）を回転させて拡径ピストン（２１）を往復させ、吸気弁（２８）より空気（２８ａ）を吸入して圧縮し、燃焼室を廃止して全部に近い空気を送気することが特徴のエネルギ保存サイクル合体機関。
【請求項１３】
はずみ車蒸気タービン（８ｂ）の回転によりクランク軸（１６）を回転させて拡径ピストン（２１）を往復させ、吸気弁（２８）より空気（２８ａ）を吸入して圧縮し、燃焼室を廃止して全部に近い空気を送気する拡径圧縮室（１０ａ）にすることが特徴のＡ型エネルギ保存サイクル合体機関。
【請求項１４】
はずみ車蒸気タービン（８ｂ）の回転によりクランク軸（１６）を回転させて拡径ピストン（２１）を往復させ、吸気弁（２８）より空気（２８ａ）を吸入して圧縮し、燃焼室を廃止して全部に近い空気を送気する拡径圧縮室（１０ａ）にすることが特徴のエネルギ保存サイクル合体機関。
【請求項１５】
はずみ車蒸気タービン（８ｂ）の回転により全部に近い圧縮空気を送気する拡径圧縮室（１０ａ）にすることが特徴のＡ型エネルギ保存サイクル合体機関。
【請求項１６】
はずみ車蒸気タービン（８ｂ）の回転により全部に近い圧縮空気を送気する拡径圧縮室（１０ａ）にすることが特徴のエネルギ保存サイクル合体機関。
【請求項１７】
はずみ車蒸気タービン（８ｂ）の回転により全部に近い圧縮空気を送気する拡径圧縮室（１０ａ）より逆止弁（９７）を具備した一方向空気流路（９）に送気することが特徴のＡ型エネルギ保存サイクル合体機関。
【請求項１８】
はずみ車蒸気タービン（８ｂ）の回転により全部に近い圧縮空気を送気する拡径圧縮室（１０ａ）より逆止弁（９７）を具備した一方向空気流路（９）に送気することが特徴のエネルギ保存サイクル合体機関。
【請求項１９】
はずみ車蒸気タービン（８ｂ）の回転により全部に近い圧縮空気を送気する拡径圧縮室（１０ａ）より１以上の逆止弁（９７）を具備した一方向空気流路（９）に送気することが特徴のＡ型エネルギ保存サイクル合体機関。
【請求項２０】
はずみ車蒸気タービン（８ｂ）の回転により全部に近い圧縮空気を送気する拡径圧縮室（１０ａ）より１以上の逆止弁（９７）を具備した一方向空気流路（９）に送気することが特徴のエネルギ保存サイクル合体機関。
【請求項２１】
はずみ車蒸気タービン（８ｂ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合することが特徴のＡ型エネルギ保存サイクル合体機関。
【請求項２２】
はずみ車蒸気タービン（８ｂ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合することが特徴のエネルギ保存サイクル合体機関。
【請求項２３】
はずみ車蒸気タービン（８ｂ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合することが特徴のＡ型エネルギ保存サイクル合体機関。
【請求項２４】
はずみ車蒸気タービン（８ｂ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合することが特徴のエネルギ保存サイクル合体機関。
【請求項２５】
はずみ車蒸気タービン（８ｂ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼することが特徴のＡ型エネルギ保存サイクル合体機関。
【請求項２６】
はずみ車蒸気タービン（８ｂ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼することが特徴のエネルギ保存サイクル合体機関。
【請求項２７】
はずみ車蒸気タービン（８ｂ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼することが特徴のＡ型エネルギ保存サイクル合体機関。
【請求項２８】
はずみ車蒸気タービン（８ｂ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼することが特徴のエネルギ保存サイクル合体機関。
【請求項２９】
はずみ車蒸気タービン（８ｂ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼することが特徴のＡ型エネルギ保存サイクル合体機関。
【請求項３０】
はずみ車蒸気タービン（８ｂ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼することが特徴のエネルギ保存サイクル合体機関。
【請求項３１】
はずみ車蒸気タービン（８ｂ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼することが特徴のＡ型エネルギ保存サイクル合体機関。
【請求項３２】
はずみ車蒸気タービン（８ｂ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼することが特徴のエネルギ保存サイクル合体機関。
【請求項３３】
はずみ車蒸気タービン（８ｂ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼することが特徴のＡ型エネルギ保存サイクル合体機関。
【請求項３４】
はずみ車蒸気タービン（８ｂ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼することが特徴のエネルギ保存サイクル合体機関。
【請求項３５】
はずみ車蒸気タービン（８ｂ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼することが特徴のＡ型エネルギ保存サイクル合体機関。
【請求項３６】
はずみ車蒸気タービン（８ｂ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼することが特徴のエネルギ保存サイクル合体機関。
【請求項３７】
はずみ車蒸気タービン（８ｂ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低にすることが特徴のＡ型エネルギ保存サイクル合体機関。
【請求項３８】
はずみ車蒸気タービン（８ｂ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低にすることが特徴のエネルギ保存サイクル合体機関。
【請求項３９】
はずみ車蒸気タービン（８ｂ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低にすることが特徴のＡ型エネルギ保存サイクル合体機関。
【請求項４０】
はずみ車蒸気タービン（８ｂ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低にすることが特徴のエネルギ保存サイクル合体機関。
【請求項４１】
はずみ車蒸気タービン（８ｂ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低の圧縮爆発圧力を最大にすることが特徴のＡ型エネルギ保存サイクル合体機関。
【請求項４２】
はずみ車蒸気タービン（８ｂ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低の圧縮爆発圧力を最大にすることが特徴のエネルギ保存サイクル合体機関。
【請求項４３】
はずみ車蒸気タービン（８ｂ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低の圧縮爆発圧力を最大にすることが特徴のＡ型エネルギ保存サイクル合体機関。
【請求項４４】
はずみ車蒸気タービン（８ｂ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低の圧縮爆発圧力を最大にすることが特徴のエネルギ保存サイクル合体機関。
【請求項４５】
はずみ車蒸気タービン（８ｂ）と縮径主燃焼室兼熱交換器（１）により熱交換冷却燃焼して燃焼温度と容積の障害を最低の圧縮爆発圧力を最大にすることが特徴のＡ型エネルギ保存サイクル合体機関。
【請求項４６】
はずみ車蒸気タービン（８ｂ）と縮径主燃焼室兼熱交換器（１）により熱交換冷却燃焼して燃焼温度と容積の障害を最低の圧縮爆発圧力を最大にすることが特徴のエネルギ保存サイクル合体機関。
【請求項４７】
はずみ車蒸気タービン（８ｂ）と縮径主燃焼室兼熱交換器（１）により熱交換冷却燃焼して燃焼温度と容積の障害を最低の圧縮爆発圧力を最大の爆発速度×単位容積質量最大にすることが特徴のＡ型エネルギ保存サイクル合体機関。
【請求項４８】
はずみ車蒸気タービン（８ｂ）と縮径主燃焼室兼熱交換器（１）により熱交換冷却燃焼して燃焼温度と容積の障害を最低の圧縮爆発圧力を最大の爆発速度×単位容積質量最大にすることが特徴のエネルギ保存サイクル合体機関。
【請求項４９】
はずみ車蒸気タービン（８ｂ）と縮径主燃焼室兼熱交換器（１）により熱交換冷却燃焼して燃焼温度と容積の障害を最低の圧縮爆発圧力を最大の爆発速度×単位容積質量最大にしてはずみ車ガスタービン（８ａ）に噴射することが特徴のＡ型エネルギ保存サイクル合体機関。
【請求項５０】
はずみ車蒸気タービン（８ｂ）と縮径主燃焼室兼熱交換器（１）により熱交換冷却燃焼して燃焼温度と容積の障害を最低の圧縮爆発圧力を最大の爆発速度×単位容積質量最大にしてはずみ車ガスタービン（８ａ）に噴射することが特徴のエネルギ保存サイクル合体機関。
【請求項５１】
はずみ車蒸気タービン（８ｂ）と縮径主燃焼室兼熱交換器（１）により熱交換冷却燃焼して燃焼温度と容積の障害を最低の圧縮爆発圧力を最大の爆発速度×単位容積質量最大にしてはずみ車ガスタービン（８ａ）に燃焼ガス噴射ノズル（６Ｃ）より噴射することが特徴のＡ型エネルギ保存サイクル合体機関。
【請求項５２】
はずみ車蒸気タービン（８ｂ）と縮径主燃焼室兼熱交換器（１）により熱交換冷却燃焼して燃焼温度と容積の障害を最低の圧縮爆発圧力を最大の爆発速度×単位容積質量最大にしてはずみ車ガスタービン（８ａ）に燃焼ガス噴射ノズル（６Ｃ）より噴射することが特徴のエネルギ保存サイクル合体機関。
【請求項５３】
はずみ車蒸気タービン（８ｂ）と縮径主燃焼室兼熱交換器（１）により熱交換冷却燃焼して燃焼温度と容積の障害を最低の圧縮爆発圧力を最大の爆発速度×単位容積質量最大にしてはずみ車ガスタービン（８ａ）に燃焼ガス噴射ノズル（６Ｄ）より噴射することが特徴のＡ型エネルギ保存サイクル合体機関。
【請求項５４】
はずみ車蒸気タービン（８ｂ）と縮径主燃焼室兼熱交換器（１）により熱交換冷却燃焼して燃焼温度と容積の障害を最低の圧縮爆発圧力を最大の爆発速度×単位容積質量最大にしてはずみ車ガスタービン（８ａ）に燃焼ガス噴射ノズル（６Ｄ）より噴射することが特徴のエネルギ保存サイクル合体機関。
【請求項５５】
はずみ車蒸気タービン（８ｂ）と縮径主燃焼室兼熱交換器（１）により熱交換冷却燃焼時間を限り無く増大することが特徴のＡ型エネルギ保存サイクル合体機関。
【請求項５６】
はずみ車蒸気タービン（８ｂ）と縮径主燃焼室兼熱交換器（１）により熱交換冷却燃焼時間を限り無く増大することが特徴のエネルギ保存サイクル合体機関。
【請求項５７】
はずみ車蒸気タービン（８ｂ）と縮径主燃焼室兼熱交換器（１）により熱交換冷却燃焼時間を限り無く増大して燃焼ガス（４９）温度を最低にすることが特徴のＡ型エネルギ保存サイクル合体機関。
【請求項５８】
はずみ車蒸気タービン（８ｂ）と縮径主燃焼室兼熱交換器（１）により熱交換冷却燃焼時間を限り無く増大して燃焼ガス（４９）温度を最低にすることが特徴のエネルギ保存サイクル合体機関。
【請求項５９】
はずみ車蒸気タービン（８ｂ）と縮径主燃焼室兼熱交換器（１）により熱交換冷却燃焼時間を限り無く増大して燃焼ガス（４９）温度を最低にして回収熱量を既存ボイラの２倍前後にすることが特徴のＡ型エネルギ保存サイクル合体機関。
【請求項６０】
はずみ車蒸気タービン（８ｂ）と縮径主燃焼室兼熱交換器（１）により熱交換冷却燃焼時間を限り無く増大して燃焼ガス（４９）温度を最低にして回収熱量を既存ボイラの２倍前後にすることが特徴のエネルギ保存サイクル合体機関。
【請求項６１】
はずみ車蒸気タービン（８ｂ）と縮径主燃焼室兼熱交換器（１）により熱交換冷却燃焼時間を限り無く増大して燃焼ガス（４９）温度を最低にして回収熱量を最大にすることが特徴のＡ型エネルギ保存サイクル合体機関。
【請求項６２】
はずみ車蒸気タービン（８ｂ）と縮径主燃焼室兼熱交換器（１）により熱交換冷却燃焼時間を限り無く増大して燃焼ガス（４９）温度を最低にして回収熱量を最大にすることが特徴のエネルギ保存サイクル合体機関。
【請求項６３】
はずみ車蒸気タービン（８ｂ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換することが特徴のＡ型エネルギ保存サイクル合体機関。
【請求項６４】
はずみ車蒸気タービン（８ｂ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換することが特徴のエネルギ保存サイクル合体機関。
【請求項６５】
はずみ車蒸気タービン（８ｂ）と縮径主燃焼室兼熱交換器（１）により熱交換冷却燃焼時間を限り無く増大して燃焼ガス（４９）温度を最低にして回収熱量を最大に増大して過熱蒸気爆発力に変換することが特徴のＡ型エネルギ保存サイクル合体機関。
【請求項６６】
はずみ車蒸気タービン（８ｂ）と縮径主燃焼室兼熱交換器（１）により熱交換冷却燃焼時間を限り無く増大して燃焼ガス（４９）温度を最低にして回収熱量を最大に増大して過熱蒸気爆発力に変換することが特徴のエネルギ保存サイクル合体機関。
【請求項６７】
はずみ車蒸気タービン（８ｂ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ａ）より噴射することが特徴のＡ型エネルギ保存サイクル合体機関。
【請求項６８】
はずみ車蒸気タービン（８ｂ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ａ）より噴射することが特徴のエネルギ保存サイクル合体機関。
【請求項６９】
はずみ車蒸気タービン（８ｂ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ａ）より噴射することが特徴のＡ型エネルギ保存サイクル合体機関。
【請求項７０】
はずみ車蒸気タービン（８ｂ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ａ）より噴射することが特徴のエネルギ保存サイクル合体機関。
【請求項７１】
はずみ車蒸気タービン（８ｂ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ｂ）より噴射することが特徴のＡ型エネルギ保存サイクル合体機関。
【請求項７２】
はずみ車蒸気タービン（８ｂ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ｂ）より噴射することが特徴のエネルギ保存サイクル合体機関。
【請求項７３】
はずみ車蒸気タービン（８ｂ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ｂ）より噴射することが特徴のＡ型エネルギ保存サイクル合体機関。
【請求項７４】
はずみ車蒸気タービン（８ｂ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ｂ）より噴射することが特徴のエネルギ保存サイクル合体機関。
【請求項７５】
はずみ車蒸気タービン（８ｂ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ａ）よりはずみ車蒸気タービン（８ｂ）に噴射することが特徴のＡ型エネルギ保存サイクル合体機関。
【請求項７６】
はずみ車蒸気タービン（８ｂ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ａ）よりはずみ車蒸気タービン（８ｂ）に噴射することが特徴のエネルギ保存サイクル合体機関。
【請求項７７】
はずみ車蒸気タービン（８ｂ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ａ）よりはずみ車蒸気タービン（８ｂ）に噴射することが特徴のＡ型エネルギ保存サイクル合体機関。
【請求項７８】
はずみ車蒸気タービン（８ｂ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ａ）よりはずみ車蒸気タービン（８ｂ）に噴射することが特徴のエネルギ保存サイクル合体機関。
【請求項７９】
はずみ車蒸気タービン（８ｂ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ｂ）よりはずみ車蒸気タービン（８ｂ）に噴射することが特徴のＡ型エネルギ保存サイクル合体機関。
【請求項８０】
はずみ車蒸気タービン（８ｂ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ｂ）よりはずみ車蒸気タービン（８ｂ）に噴射することが特徴のエネルギ保存サイクル合体機関。
【請求項８１】
はずみ車蒸気タービン（８ｂ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ｂ）よりはずみ車蒸気タービン（８ｂ）に噴射することが特徴のＡ型エネルギ保存サイクル合体機関。
【請求項８２】
はずみ車蒸気タービン（８ｂ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ｂ）よりはずみ車蒸気タービン（８ｂ）に噴射することが特徴のエネルギ保存サイクル合体機関。
【請求項８３】
はずみ車ガスタービン（８ａ）の回転によりクランク軸（１６）を回転させることが特徴のＡ型エネルギ保存サイクル合体機関。
【請求項８４】
はずみ車ガスタービン（８ａ）の回転によりクランク軸（１６）を回転させることが特徴のエネルギ保存サイクル合体機関。
【請求項８５】
はずみ車ガスタービン（８ａ）の回転によりクランク軸（１６）を回転させて拡径ピストン（２１）を往復させることが特徴のＡ型エネルギ保存サイクル合体機関。
【請求項８６】
はずみ車ガスタービン（８ａ）の回転によりクランク軸（１６）を回転させて拡径ピストン（２１）を往復させることが特徴のエネルギ保存サイクル合体機関。
【請求項８７】
はずみ車ガスタービン（８ａ）の回転によりクランク軸（１６）を回転させて拡径ピストン（２１）を往復させ、吸気弁（２８）より空気（２８ａ）を吸入することが特徴のＡ型エネルギ保存サイクル合体機関。
【請求項８８】
はずみ車ガスタービン（８ａ）の回転によりクランク軸（１６）を回転させて拡径ピストン（２１）を往復させ、吸気弁（２８）より空気（２８ａ）を吸入することが特徴のエネルギ保存サイクル合体機関。
【請求項８９】
はずみ車ガスタービン（８ａ）の回転によりクランク軸（１６）を回転させて拡径ピストン（２１）を往復させ、吸気弁（２８）より空気（２８ａ）を吸入して圧縮することが特徴のＡ型エネルギ保存サイクル合体機関。
【請求項９０】
はずみ車ガスタービン（８ａ）の回転によりクランク軸（１６）を回転させて拡径ピストン（２１）を往復させ、吸気弁（２８）より空気（２８ａ）を吸入して圧縮することが特徴のエネルギ保存サイクル合体機関。
【請求項９１】
はずみ車ガスタービン（８ａ）の回転によりクランク軸（１６）を回転させて拡径ピストン（２１）を往復させ、吸気弁（２８）より空気（２８ａ）を吸入して圧縮し、燃焼室を廃止することが特徴のＡ型エネルギ保存サイクル合体機関。
【請求項９２】
はずみ車ガスタービン（８ａ）の回転によりクランク軸（１６）を回転させて拡径ピストン（２１）を往復させ、吸気弁（２８）より空気（２８ａ）を吸入して圧縮し、燃焼室を廃止することが特徴のエネルギ保存サイクル合体機関。
【請求項９３】
はずみ車ガスタービン（８ａ）の回転によりクランク軸（１６）を回転させて拡径ピストン（２１）を往復させ、吸気弁（２８）より空気（２８ａ）を吸入して圧縮し、燃焼室を廃止して全部に近い空気を送気することが特徴のＡ型エネルギ保存サイクル合体機関。
【請求項９４】
はずみ車ガスタービン（８ａ）の回転によりクランク軸（１６）を回転させて拡径ピストン（２１）を往復させ、吸気弁（２８）より空気（２８ａ）を吸入して圧縮し、燃焼室を廃止して全部に近い空気を送気することが特徴のエネルギ保存サイクル合体機関。
【請求項９５】
はずみ車ガスタービン（８ａ）の回転によりクランク軸（１６）を回転させて拡径ピストン（２１）を往復させ、吸気弁（２８）より空気（２８ａ）を吸入して圧縮し、燃焼室を廃止して全部に近い空気を送気する拡径圧縮室（１０ａ）にすることが特徴のＡ型エネルギ保存サイクル合体機関。
【請求項９６】
はずみ車ガスタービン（８ａ）の回転によりクランク軸（１６）を回転させて拡径ピストン（２１）を往復させ、吸気弁（２８）より空気（２８ａ）を吸入して圧縮し、燃焼室を廃止して全部に近い空気を送気する拡径圧縮室（１０ａ）にすることが特徴のエネルギ保存サイクル合体機関。
【請求項９７】
はずみ車ガスタービン（８ａ）の回転により全部に近い圧縮空気を送気する拡径圧縮室（１０ａ）にすることが特徴のＡ型エネルギ保存サイクル合体機関。
【請求項９８】
はずみ車ガスタービン（８ａ）の回転により全部に近い圧縮空気を送気する拡径圧縮室（１０ａ）にすることが特徴のエネルギ保存サイクル合体機関。
【請求項９９】
はずみ車ガスタービン（８ａ）の回転により全部に近い圧縮空気を送気する拡径圧縮室（１０ａ）より逆止弁（９７）を具備した一方向空気流路（９）に送気することが特徴のＡ型エネルギ保存サイクル合体機関。
【請求項１００】
はずみ車ガスタービン（８ａ）の回転により全部に近い圧縮空気を送気する拡径圧縮室（１０ａ）より逆止弁（９７）を具備した一方向空気流路（９）に送気することが特徴のエネルギ保存サイクル合体機関。
【請求項１０１】
はずみ車ガスタービン（８ａ）の回転により全部に近い圧縮空気を送気する拡径圧縮室（１０ａ）より１以上の逆止弁（９７）を具備した一方向空気流路（９）に送気することが特徴のＡ型エネルギ保存サイクル合体機関。
【請求項１０２】
はずみ車ガスタービン（８ａ）の回転により全部に近い圧縮空気を送気する拡径圧縮室（１０ａ）より１以上の逆止弁（９７）を具備した一方向空気流路（９）に送気することが特徴のエネルギ保存サイクル合体機関。
【請求項１０３】
はずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合することが特徴のＡ型エネルギ保存サイクル合体機関。
【請求項１０４】
はずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合することが特徴のエネルギ保存サイクル合体機関。
【請求項１０５】
はずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合することが特徴のＡ型エネルギ保存サイクル合体機関。
【請求項１０６】
はずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合することが特徴のエネルギ保存サイクル合体機関。
【請求項１０７】
はずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼することが特徴のＡ型エネルギ保存サイクル合体機関。
【請求項１０８】
はずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼することが特徴のエネルギ保存サイクル合体機関。
【請求項１０９】
はずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼することが特徴のＡ型エネルギ保存サイクル合体機関。
【請求項１１０】
はずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼することが特徴のエネルギ保存サイクル合体機関。
【請求項１１１】
はずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼することが特徴のＡ型エネルギ保存サイクル合体機関。
【請求項１１２】
はずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼することが特徴のエネルギ保存サイクル合体機関。
【請求項１１３】
はずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼することが特徴のＡ型エネルギ保存サイクル合体機関。
【請求項１１４】
はずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼することが特徴のエネルギ保存サイクル合体機関。
【請求項１１５】
はずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼することが特徴のＡ型エネルギ保存サイクル合体機関。
【請求項１１６】
はずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼することが特徴のエネルギ保存サイクル合体機関。
【請求項１１７】
はずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼することが特徴のＡ型エネルギ保存サイクル合体機関。
【請求項１１８】
はずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼することが特徴のエネルギ保存サイクル合体機関。
【請求項１１９】
はずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低にすることが特徴のＡ型エネルギ保存サイクル合体機関。
【請求項１２０】
はずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低にすることが特徴のエネルギ保存サイクル合体機関。
【請求項１２１】
はずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低にすることが特徴のＡ型エネルギ保存サイクル合体機関。
【請求項１２２】
はずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低にすることが特徴のエネルギ保存サイクル合体機関。
【請求項１２３】
はずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低の圧縮爆発圧力を最大にすることが特徴のＡ型エネルギ保存サイクル合体機関。
【請求項１２４】
はずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低の圧縮爆発圧力を最大にすることが特徴のエネルギ保存サイクル合体機関。
【請求項１２５】
はずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低の圧縮爆発圧力を最大にすることが特徴のＡ型エネルギ保存サイクル合体機関。
【請求項１２６】
はずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低の圧縮爆発圧力を最大にすることが特徴のエネルギ保存サイクル合体機関。
【請求項１２７】
はずみ車ガスタービン（８ａ）と縮径主燃焼室兼熱交換器（１）により熱交換冷却燃焼して燃焼温度と容積の障害を最低の圧縮爆発圧力を最大にすることが特徴のＡ型エネルギ保存サイクル合体機関。
【請求項１２８】
はずみ車ガスタービン（８ａ）と縮径主燃焼室兼熱交換器（１）により熱交換冷却燃焼して燃焼温度と容積の障害を最低の圧縮爆発圧力を最大にすることが特徴のエネルギ保存サイクル合体機関。
【請求項１２９】
はずみ車ガスタービン（８ａ）と縮径主燃焼室兼熱交換器（１）により熱交換冷却燃焼して燃焼温度と容積の障害を最低の圧縮爆発圧力を最大の爆発速度×単位容積質量最大にすることが特徴のＡ型エネルギ保存サイクル合体機関。
【請求項１３０】
はずみ車ガスタービン（８ａ）と縮径主燃焼室兼熱交換器（１）により熱交換冷却燃焼して燃焼温度と容積の障害を最低の圧縮爆発圧力を最大の爆発速度×単位容積質量最大にすることが特徴のエネルギ保存サイクル合体機関。
【請求項１３１】
はずみ車ガスタービン（８ａ）と縮径主燃焼室兼熱交換器（１）により熱交換冷却燃焼して燃焼温度と容積の障害を最低の圧縮爆発圧力を最大の爆発速度×単位容積質量最大にしてはずみ車ガスタービン（８ａ）に噴射することが特徴のＡ型エネルギ保存サイクル合体機関。
【請求項１３２】
はずみ車ガスタービン（８ａ）と縮径主燃焼室兼熱交換器（１）により熱交換冷却燃焼して燃焼温度と容積の障害を最低の圧縮爆発圧力を最大の爆発速度×単位容積質量最大にしてはずみ車ガスタービン（８ａ）に噴射することが特徴のエネルギ保存サイクル合体機関。
【請求項１３３】
はずみ車ガスタービン（８ａ）と縮径主燃焼室兼熱交換器（１）により熱交換冷却燃焼して燃焼温度と容積の障害を最低の圧縮爆発圧力を最大の爆発速度×単位容積質量最大にしてはずみ車ガスタービン（８ａ）に燃焼ガス噴射ノズル（６Ｃ）より噴射することが特徴のＡ型エネルギ保存サイクル合体機関。
【請求項１３４】
はずみ車ガスタービン（８ａ）と縮径主燃焼室兼熱交換器（１）により熱交換冷却燃焼して燃焼温度と容積の障害を最低の圧縮爆発圧力を最大の爆発速度×単位容積質量最大にしてはずみ車ガスタービン（８ａ）に燃焼ガス噴射ノズル（６Ｃ）より噴射することが特徴のエネルギ保存サイクル合体機関。
【請求項１３５】
はずみ車ガスタービン（８ａ）と縮径主燃焼室兼熱交換器（１）により熱交換冷却燃焼して燃焼温度と容積の障害を最低の圧縮爆発圧力を最大の爆発速度×単位容積質量最大にしてはずみ車ガスタービン（８ａ）に燃焼ガス噴射ノズル（６Ｄ）より噴射することが特徴のＡ型エネルギ保存サイクル合体機関。
【請求項１３６】
はずみ車ガスタービン（８ａ）と縮径主燃焼室兼熱交換器（１）により熱交換冷却燃焼して燃焼温度と容積の障害を最低の圧縮爆発圧力を最大の爆発速度×単位容積質量最大にしてはずみ車ガスタービン（８ａ）に燃焼ガス噴射ノズル（６Ｄ）より噴射することが特徴のエネルギ保存サイクル合体機関。
【請求項１３７】
はずみ車ガスタービン（８ａ）と縮径主燃焼室兼熱交換器（１）により熱交換冷却燃焼時間を限り無く増大することが特徴のＡ型エネルギ保存サイクル合体機関。
【請求項１３８】
はずみ車ガスタービン（８ａ）と縮径主燃焼室兼熱交換器（１）により熱交換冷却燃焼時間を限り無く増大することが特徴のエネルギ保存サイクル合体機関。
【請求項１３９】
はずみ車ガスタービン（８ａ）と縮径主燃焼室兼熱交換器（１）により熱交換冷却燃焼時間を限り無く増大して燃焼ガス（４９）温度を最低にすることが特徴のＡ型エネルギ保存サイクル合体機関。
【請求項１４０】
はずみ車ガスタービン（８ａ）と縮径主燃焼室兼熱交換器（１）により熱交換冷却燃焼時間を限り無く増大して燃焼ガス（４９）温度を最低にすることが特徴のエネルギ保存サイクル合体機関。
【請求項１４１】
はずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後にすることが特徴のＡ型エネルギ保存サイクル合体機関。
【請求項１４２】
はずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後にすることが特徴のエネルギ保存サイクル合体機関。
【請求項１４３】
はずみ車ガスタービン（８ａ）と縮径主燃焼室兼熱交換器（１）により熱交換冷却燃焼時間を限り無く増大して燃焼ガス（４９）温度を最低にして回収熱量を最大にすることが特徴のＡ型エネルギ保存サイクル合体機関。
【請求項１４４】
はずみ車ガスタービン（８ａ）と縮径主燃焼室兼熱交換器（１）により熱交換冷却燃焼時間を限り無く増大して燃焼ガス（４９）温度を最低にして回収熱量を最大にすることが特徴のエネルギ保存サイクル合体機関。
【請求項１４５】
はずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換することが特徴のＡ型エネルギ保存サイクル合体機関。
【請求項１４６】
はずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換することが特徴のエネルギ保存サイクル合体機関。
【請求項１４７】
はずみ車ガスタービン（８ａ）と縮径主燃焼室兼熱交換器（１）により熱交換冷却燃焼時間を限り無く増大して燃焼ガス（４９）温度を最低にして回収熱量を最大に増大して過熱蒸気爆発力に変換することが特徴のＡ型エネルギ保存サイクル合体機関。
【請求項１４８】
はずみ車ガスタービン（８ａ）と縮径主燃焼室兼熱交換器（１）により熱交換冷却燃焼時間を限り無く増大して燃焼ガス（４９）温度を最低にして回収熱量を最大に増大して過熱蒸気爆発力に変換することが特徴のエネルギ保存サイクル合体機関。
【請求項１４９】
はずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ａ）より噴射することが特徴のＡ型エネルギ保存サイクル合体機関。
【請求項１５０】
はずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ａ）より噴射することが特徴のエネルギ保存サイクル合体機関。
【請求項１５１】
はずみ車ガスタービン（８ａ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ａ）より噴射することが特徴のＡ型エネルギ保存サイクル合体機関。
【請求項１５２】
はずみ車ガスタービン（８ａ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ａ）より噴射することが特徴のエネルギ保存サイクル合体機関。
【請求項１５３】
はずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ｂ）より噴射することが特徴のＡ型エネルギ保存サイクル合体機関。
【請求項１５４】
はずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ｂ）より噴射することが特徴のエネルギ保存サイクル合体機関。
【請求項１５５】
はずみ車ガスタービン（８ａ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ｂ）より噴射することが特徴のＡ型エネルギ保存サイクル合体機関。
【請求項１５６】
はずみ車ガスタービン（８ａ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ｂ）より噴射することが特徴のエネルギ保存サイクル合体機関。
【請求項１５７】
はずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ａ）よりはずみ車蒸気タービン（８ｂ）に噴射することが特徴のＡ型エネルギ保存サイクル合体機関。
【請求項１５８】
はずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ａ）よりはずみ車蒸気タービン（８ｂ）に噴射することが特徴のエネルギ保存サイクル合体機関。
【請求項１５９】
はずみ車ガスタービン（８ａ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ａ）よりはずみ車蒸気タービン（８ｂ）に噴射することが特徴のＡ型エネルギ保存サイクル合体機関。
【請求項１６０】
はずみ車ガスタービン（８ａ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ａ）よりはずみ車蒸気タービン（８ｂ）に噴射することが特徴のエネルギ保存サイクル合体機関。
【請求項１６１】
はずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ｂ）よりはずみ車蒸気タービン（８ｂ）に噴射することが特徴のＡ型エネルギ保存サイクル合体機関。
【請求項１６２】
はずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ｂ）よりはずみ車蒸気タービン（８ｂ）に噴射することが特徴のエネルギ保存サイクル合体機関。
【請求項１６３】
はずみ車ガスタービン（８ａ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ｂ）よりはずみ車蒸気タービン（８ｂ）に噴射することが特徴のＡ型エネルギ保存サイクル合体機関。
【請求項１６４】
はずみ車ガスタービン（８ａ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ｂ）よりはずみ車蒸気タービン（８ｂ）に噴射することが特徴のエネルギ保存サイクル合体機関。
【請求項１６５】
はずみ車蒸気タービン（８ｂ）とはずみ車ガスタービン（８ａ）の回転によりクランク軸（１６）を回転させることが特徴のＡ型エネルギ保存サイクル合体機関。
【請求項１６６】
はずみ車蒸気タービン（８ｂ）とはずみ車ガスタービン（８ａ）の回転によりクランク軸（１６）を回転させることが特徴のエネルギ保存サイクル合体機関。
【請求項１６７】
はずみ車蒸気タービン（８ｂ）とはずみ車ガスタービン（８ａ）の回転によりクランク軸（１６）を回転させて拡径ピストン（２１）を往復させることが特徴のＡ型エネルギ保存サイクル合体機関。
【請求項１６８】
はずみ車蒸気タービン（８ｂ）とはずみ車ガスタービン（８ａ）の回転によりクランク軸（１６）を回転させて拡径ピストン（２１）を往復させることが特徴のエネルギ保存サイクル合体機関。
【請求項１６９】
はずみ車蒸気タービン（８ｂ）とはずみ車ガスタービン（８ａ）の回転によりクランク軸（１６）を回転させて拡径ピストン（２１）を往復させ、吸気弁（２８）より空気（２８ａ）を吸入することが特徴のＡ型エネルギ保存サイクル合体機関。
【請求項１７０】
はずみ車蒸気タービン（８ｂ）とはずみ車ガスタービン（８ａ）の回転によりクランク軸（１６）を回転させて拡径ピストン（２１）を往復させ、吸気弁（２８）より空気（２８ａ）を吸入することが特徴のエネルギ保存サイクル合体機関。
【請求項１７１】
はずみ車蒸気タービン（８ｂ）とはずみ車ガスタービン（８ａ）の回転によりクランク軸（１６）を回転させて拡径ピストン（２１）を往復させ、吸気弁（２８）より空気（２８ａ）を吸入して圧縮することが特徴のＡ型エネルギ保存サイクル合体機関。
【請求項１７２】
はずみ車蒸気タービン（８ｂ）とはずみ車ガスタービン（８ａ）の回転によりクランク軸（１６）を回転させて拡径ピストン（２１）を往復させ、吸気弁（２８）より空気（２８ａ）を吸入して圧縮することが特徴のエネルギ保存サイクル合体機関。
【請求項１７３】
はずみ車蒸気タービン（８ｂ）とはずみ車ガスタービン（８ａ）の回転によりクランク軸（１６）を回転させて拡径ピストン（２１）を往復させ、吸気弁（２８）より空気（２８ａ）を吸入して圧縮し、燃焼室を廃止することが特徴のＡ型エネルギ保存サイクル合体機関。
【請求項１７４】
はずみ車蒸気タービン（８ｂ）とはずみ車ガスタービン（８ａ）の回転によりクランク軸（１６）を回転させて拡径ピストン（２１）を往復させ、吸気弁（２８）より空気（２８ａ）を吸入して圧縮し、燃焼室を廃止することが特徴のエネルギ保存サイクル合体機関。
【請求項１７５】
はずみ車蒸気タービン（８ｂ）とはずみ車ガスタービン（８ａ）の回転によりクランク軸（１６）を回転させて拡径ピストン（２１）を往復させ、吸気弁（２８）より空気（２８ａ）を吸入して圧縮し、燃焼室を廃止して全部に近い空気を送気することが特徴のＡ型エネルギ保存サイクル合体機関。
【請求項１７６】
はずみ車蒸気タービン（８ｂ）とはずみ車ガスタービン（８ａ）の回転によりクランク軸（１６）を回転させて拡径ピストン（２１）を往復させ、吸気弁（２８）より空気（２８ａ）を吸入して圧縮し、燃焼室を廃止して全部に近い空気を送気することが特徴のエネルギ保存サイクル合体機関。
【請求項１７７】
はずみ車蒸気タービン（８ｂ）とはずみ車ガスタービン（８ａ）の回転によりクランク軸（１６）を回転させて拡径ピストン（２１）を往復させ、吸気弁（２８）より空気（２８ａ）を吸入して圧縮し、燃焼室を廃止して全部に近い空気を送気する拡径圧縮室（１０ａ）にすることが特徴のＡ型エネルギ保存サイクル合体機関。
【請求項１７８】
はずみ車蒸気タービン（８ｂ）とはずみ車ガスタービン（８ａ）の回転によりクランク軸（１６）を回転させて拡径ピストン（２１）を往復させ、吸気弁（２８）より空気（２８ａ）を吸入して圧縮し、燃焼室を廃止して全部に近い空気を送気する拡径圧縮室（１０ａ）にすることが特徴のエネルギ保存サイクル合体機関。
【請求項１７９】
はずみ車蒸気タービン（８ｂ）とはずみ車ガスタービン（８ａ）の回転により全部に近い圧縮空気を送気する拡径圧縮室（１０ａ）にすることが特徴のＡ型エネルギ保存サイクル合体機関。
【請求項１８０】
はずみ車蒸気タービン（８ｂ）とはずみ車ガスタービン（８ａ）の回転により全部に近い圧縮空気を送気する拡径圧縮室（１０ａ）にすることが特徴のエネルギ保存サイクル合体機関。
【請求項１８１】
はずみ車蒸気タービン（８ｂ）とはずみ車ガスタービン（８ａ）の回転により全部に近い圧縮空気を送気する拡径圧縮室（１０ａ）より逆止弁（９７）を具備した一方向空気流路（９）に送気することが特徴のＡ型エネルギ保存サイクル合体機関。
【請求項１８２】
はずみ車蒸気タービン（８ｂ）とはずみ車ガスタービン（８ａ）の回転により全部に近い圧縮空気を送気する拡径圧縮室（１０ａ）より逆止弁（９７）を具備した一方向空気流路（９）に送気することが特徴のエネルギ保存サイクル合体機関。
【請求項１８３】
はずみ車蒸気タービン（８ｂ）とはずみ車ガスタービン（８ａ）の回転により全部に近い圧縮空気を送気する拡径圧縮室（１０ａ）より１以上の逆止弁（９７）を具備した一方向空気流路（９）に送気することが特徴のＡ型エネルギ保存サイクル合体機関。
【請求項１８４】
はずみ車蒸気タービン（８ｂ）とはずみ車ガスタービン（８ａ）の回転により全部に近い圧縮空気を送気する拡径圧縮室（１０ａ）より１以上の逆止弁（９７）を具備した一方向空気流路（９）に送気することが特徴のエネルギ保存サイクル合体機関。
【請求項１８５】
はずみ車蒸気タービン（８ｂ）とはずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合することが特徴のＡ型エネルギ保存サイクル合体機関。
【請求項１８６】
はずみ車蒸気タービン（８ｂ）とはずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合することが特徴のエネルギ保存サイクル合体機関。
【請求項１８７】
はずみ車蒸気タービン（８ｂ）とはずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合することが特徴のＡ型エネルギ保存サイクル合体機関。
【請求項１８８】
はずみ車蒸気タービン（８ｂ）とはずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合することが特徴のエネルギ保存サイクル合体機関。
【請求項１８９】
はずみ車蒸気タービン（８ｂ）とはずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼することが特徴のＡ型エネルギ保存サイクル合体機関。
【請求項１９０】
はずみ車蒸気タービン（８ｂ）とはずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼することが特徴のエネルギ保存サイクル合体機関。
【請求項１９１】
はずみ車蒸気タービン（８ｂ）とはずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼することが特徴のＡ型エネルギ保存サイクル合体機関。
【請求項１９２】
はずみ車蒸気タービン（８ｂ）とはずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼することが特徴のエネルギ保存サイクル合体機関。
【請求項１９３】
はずみ車蒸気タービン（８ｂ）とはずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼することが特徴のＡ型エネルギ保存サイクル合体機関。
【請求項１９４】
はずみ車蒸気タービン（８ｂ）とはずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼することが特徴のエネルギ保存サイクル合体機関。
【請求項１９５】
はずみ車蒸気タービン（８ｂ）とはずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼することが特徴のＡ型エネルギ保存サイクル合体機関。
【請求項１９６】
はずみ車蒸気タービン（８ｂ）とはずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼することが特徴のエネルギ保存サイクル合体機関。
【請求項１９７】
はずみ車蒸気タービン（８ｂ）とはずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼することが特徴のＡ型エネルギ保存サイクル合体機関。
【請求項１９８】
はずみ車蒸気タービン（８ｂ）とはずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼することが特徴のエネルギ保存サイクル合体機関。
【請求項１９９】
はずみ車蒸気タービン（８ｂ）とはずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼することが特徴のＡ型エネルギ保存サイクル合体機関。
【請求項２００】
はずみ車蒸気タービン（８ｂ）とはずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼することが特徴のエネルギ保存サイクル合体機関。
【請求項２０１】
はずみ車蒸気タービン（８ｂ）とはずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低にすることが特徴のＡ型エネルギ保存サイクル合体機関。
【請求項２０２】
はずみ車蒸気タービン（８ｂ）とはずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低にすることが特徴のエネルギ保存サイクル合体機関。
【請求項２０３】
はずみ車蒸気タービン（８ｂ）とはずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低にすることが特徴のＡ型エネルギ保存サイクル合体機関。
【請求項２０４】
はずみ車蒸気タービン（８ｂ）とはずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低にすることが特徴のエネルギ保存サイクル合体機関。
【請求項２０５】
はずみ車蒸気タービン（８ｂ）とはずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低の圧縮爆発圧力を最大にすることが特徴のＡ型エネルギ保存サイクル合体機関。
【請求項２０６】
はずみ車蒸気タービン（８ｂ）とはずみ車ガスタービン（８ａ）の回転により全部に近い圧縮空気を送気する拡径圧縮室（１０ａ）より逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低の圧縮爆発圧力を最大にすることが特徴のエネルギ保存サイクル合体機関。
【請求項２０７】
はずみ車蒸気タービン（８ｂ）とはずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低の圧縮爆発圧力を最大にすることが特徴のＡ型エネルギ保存サイクル合体機関。
【請求項２０８】
はずみ車蒸気タービン（８ｂ）とはずみ車ガスタービン（８ａ）の回転により全部に近い圧縮空気を送気する拡径圧縮室（１０ａ）より１以上の逆止弁（９７）を具備した一方向空気流路（９）に送気し縮径主燃焼室兼熱交換器（１）で燃料と混合して着火燃焼して燃焼ガス攪拌板（４９ａ）で攪拌燃焼し、熱交換冷却燃焼して燃焼温度と容積の障害を最低の圧縮爆発圧力を最大にすることが特徴のエネルギ保存サイクル合体機関。
【請求項２０９】
はずみ車蒸気タービン（８ｂ）とはずみ車ガスタービン（８ａ）と縮径主燃焼室兼熱交換器（１）により熱交換冷却燃焼して燃焼温度と容積の障害を最低の圧縮爆発圧力を最大にすることが特徴のＡ型エネルギ保存サイクル合体機関。
【請求項２１０】
はずみ車蒸気タービン（８ｂ）とはずみ車ガスタービン（８ａ）と縮径主燃焼室兼熱交換器（１）により熱交換冷却燃焼して燃焼温度と容積の障害を最低の圧縮爆発圧力を最大にすることが特徴のエネルギ保存サイクル合体機関。
【請求項２１１】
はずみ車蒸気タービン（８ｂ）とはずみ車ガスタービン（８ａ）と縮径主燃焼室兼熱交換器（１）により熱交換冷却燃焼して燃焼温度と容積の障害を最低の圧縮爆発圧力を最大の爆発速度×単位容積質量最大にすることが特徴のＡ型エネルギ保存サイクル合体機関。
【請求項２１２】
はずみ車蒸気タービン（８ｂ）とはずみ車ガスタービン（８ａ）と縮径主燃焼室兼熱交換器（１）により熱交換冷却燃焼して燃焼温度と容積の障害を最低の圧縮爆発圧力を最大の爆発速度×単位容積質量最大にすることが特徴のエネルギ保存サイクル合体機関。
【請求項２１３】
はずみ車蒸気タービン（８ｂ）とはずみ車ガスタービン（８ａ）と縮径主燃焼室兼熱交換器（１）により熱交換冷却燃焼して燃焼温度と容積の障害を最低の圧縮爆発圧力を最大の爆発速度×単位容積質量最大にしてはずみ車ガスタービン（８ａ）に噴射することが特徴のＡ型エネルギ保存サイクル合体機関。
【請求項２１４】
はずみ車蒸気タービン（８ｂ）とはずみ車ガスタービン（８ａ）と縮径主燃焼室兼熱交換器（１）により熱交換冷却燃焼して燃焼温度と容積の障害を最低の圧縮爆発圧力を最大の爆発速度×単位容積質量最大にしてはずみ車ガスタービン（８ａ）に噴射することが特徴のエネルギ保存サイクル合体機関。
【請求項２１５】
はずみ車蒸気タービン（８ｂ）とはずみ車ガスタービン（８ａ）と縮径主燃焼室兼熱交換器（１）により熱交換冷却燃焼して燃焼温度と容積の障害を最低の圧縮爆発圧力を最大の爆発速度×単位容積質量最大にしてはずみ車ガスタービン（８ａ）に燃焼ガス噴射ノズル（６Ｃ）より噴射することが特徴のＡ型エネルギ保存サイクル合体機関。
【請求項２１６】
はずみ車蒸気タービン（８ｂ）とはずみ車ガスタービン（８ａ）と縮径主燃焼室兼熱交換器（１）により熱交換冷却燃焼して燃焼温度と容積の障害を最低の圧縮爆発圧力を最大の爆発速度×単位容積質量最大にしてはずみ車ガスタービン（８ａ）に燃焼ガス噴射ノズル（６Ｃ）より噴射することが特徴のエネルギ保存サイクル合体機関。
【請求項２１７】
はずみ車蒸気タービン（８ｂ）とはずみ車ガスタービン（８ａ）と縮径主燃焼室兼熱交換器（１）により熱交換冷却燃焼して燃焼温度と容積の障害を最低の圧縮爆発圧力を最大の爆発速度×単位容積質量最大にしてはずみ車ガスタービン（８ａ）に燃焼ガス噴射ノズル（６Ｄ）より噴射することが特徴のＡ型エネルギ保存サイクル合体機関。
【請求項２１８】
はずみ車蒸気タービン（８ｂ）とはずみ車ガスタービン（８ａ）と縮径主燃焼室兼熱交換器（１）により熱交換冷却燃焼して燃焼温度と容積の障害を最低の圧縮爆発圧力を最大の爆発速度×単位容積質量最大にしてはずみ車ガスタービン（８ａ）に燃焼ガス噴射ノズル（６Ｄ）より噴射することが特徴のエネルギ保存サイクル合体機関。
【請求項２１９】
はずみ車蒸気タービン（８ｂ）とはずみ車ガスタービン（８ａ）と縮径主燃焼室兼熱交換器（１）により熱交換冷却燃焼時間を限り無く増大することが特徴のＡ型エネルギ保存サイクル合体機関。
【請求項２２０】
はずみ車蒸気タービン（８ｂ）とはずみ車ガスタービン（８ａ）と縮径主燃焼室兼熱交換器（１）により熱交換冷却燃焼時間を限り無く増大することが特徴のエネルギ保存サイクル合体機関。
【請求項２２１】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にすることが特徴のＡ型エネルギ保存サイクル合体機関。
【請求項２２２】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にすることが特徴のエネルギ保存サイクル合体機関。
【請求項２２３】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後にすることが特徴のＡ型エネルギ保存サイクル合体機関。
【請求項２２４】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後にすることが特徴のエネルギ保存サイクル合体機関。
【請求項２２５】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を最大にすることが特徴のＡ型エネルギ保存サイクル合体機関。
【請求項２２６】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を最大にすることが特徴のエネルギ保存サイクル合体機関。
【請求項２２７】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換することが特徴のＡ型エネルギ保存サイクル合体機関。
【請求項２２８】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換することが特徴のエネルギ保存サイクル合体機関。
【請求項２２９】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を最大に増大して過熱蒸気爆発力に変換することが特徴のＡ型エネルギ保存サイクル合体機関。
【請求項２３０】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を最大に増大して過熱蒸気爆発力に変換することが特徴のエネルギ保存サイクル合体機関。
【請求項２３１】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ａ）より噴射することが特徴のＡ型エネルギ保存サイクル合体機関。
【請求項２３２】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ａ）より噴射することが特徴のエネルギ保存サイクル合体機関。
【請求項２３３】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ａ）より噴射することが特徴のＡ型エネルギ保存サイクル合体機関。
【請求項２３４】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ａ）より噴射することが特徴のエネルギ保存サイクル合体機関。
【請求項２３５】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ｂ）より噴射することが特徴のＡ型エネルギ保存サイクル合体機関。
【請求項２３６】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ｂ）より噴射することが特徴のエネルギ保存サイクル合体機関。
【請求項２３７】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ｂ）より噴射することが特徴のＡ型エネルギ保存サイクル合体機関。
【請求項２３８】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ｂ）より噴射することが特徴のエネルギ保存サイクル合体機関。
【請求項２３９】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ａ）よりはずみ車蒸気タービン（８ｂ）に噴射することが特徴のＡ型エネルギ保存サイクル合体機関。
【請求項２４０】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ａ）よりはずみ車蒸気タービン（８ｂ）に噴射することが特徴のエネルギ保存サイクル合体機関。
【請求項２４１】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ａ）よりはずみ車蒸気タービン（８ｂ）に噴射することが特徴のＡ型エネルギ保存サイクル合体機関。
【請求項２４２】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ａ）よりはずみ車蒸気タービン（８ｂ）に噴射することが特徴のエネルギ保存サイクル合体機関。
【請求項２４３】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ｂ）よりはずみ車蒸気タービン（８ｂ）に噴射することが特徴のＡ型エネルギ保存サイクル合体機関。
【請求項２４４】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を既存ボイラの２倍前後に増大して過熱蒸気爆発力に変換して過熱蒸気噴射ノズル（６Ｂ）よりはずみ車蒸気タービン（８ｂ）に噴射することが特徴のエネルギ保存サイクル合体機関。
【請求項２４５】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ｂ）よりはずみ車蒸気タービン（８ｂ）に噴射することが特徴のＡ型エネルギ保存サイクル合体機関。
【請求項２４６】
はずみ車蒸気タービン（８ｂ）とはずみ車ガスタービン（８ａ）と縮径主燃焼室兼熱交換器（１）により熱交換冷却燃焼時間を限り無く増大して燃焼ガス（４９）温度を最低にして回収熱量を最大に増大して過熱蒸気爆発力に変換して過熱蒸気噴射ノズル（６Ｂ）よりはずみ車蒸気タービン（８ｂ）に噴射することが特徴のエネルギ保存サイクル合体機関。
【請求項２４７】
過熱蒸気爆発力と霧吹きの原理により水（５２ａ）を混合噴射加速して大気圧重力仕事能力を水蒸気の１７００倍に近付けることが特徴のＡ型エネルギ保存サイクル合体機関。
【請求項２４８】
過熱蒸気爆発力と霧吹きの原理により水（５２ａ）を混合噴射加速して大気圧重力仕事能力を水蒸気の１７００倍に近付けることが特徴のエネルギ保存サイクル合体機関。
【請求項２４９】
過熱蒸気爆発力と霧吹きの原理により水（５２ａ）を混合噴射加速して大気圧重力仕事能力を水蒸気の１７００倍に近付けてはずみ車蒸気タービン（８ｂ）に噴射することが特徴のＡ型エネルギ保存サイクル合体機関。
【請求項２５０】
過熱蒸気爆発力と霧吹きの原理により水（５２ａ）を混合噴射加速して大気圧重力仕事能力を水蒸気の１７００倍に近付けてはずみ車蒸気タービン（８ｂ）に噴射することが特徴のエネルギ保存サイクル合体機関。
【請求項２５１】
過熱蒸気爆発力と霧吹きの原理により水（５２ａ）を混合噴射加速して大気圧重力仕事能力を水蒸気の１７００倍に近付けてはずみ車蒸気タービン（８ｂ）に噴射して回転出力を発生することが特徴のＡ型エネルギ保存サイクル合体機関。
【請求項２５２】
過熱蒸気爆発力と霧吹きの原理により水（５２ａ）を混合噴射加速して大気圧重力仕事能力を水蒸気の１７００倍に近付けてはずみ車蒸気タービン（８ｂ）に噴射して回転出力を発生することが特徴のエネルギ保存サイクル合体機関。
【請求項２５３】
過熱蒸気爆発力と霧吹きの原理により水（５２ａ）を混合噴射加速して大気圧重力仕事能力を燃焼ガスの１０００倍に近付けることが特徴のＡ型エネルギ保存サイクル合体機関。
【請求項２５４】
過熱蒸気爆発力と霧吹きの原理により水（５２ａ）を混合噴射加速して大気圧重力仕事能力を燃焼ガスの１０００倍に近付けることが特徴のエネルギ保存サイクル合体機関。
【請求項２５５】
過熱蒸気爆発力と霧吹きの原理により水（５２ａ）を混合噴射加速して大気圧重力仕事能力を燃焼ガスの１０００倍に近付けてはずみ車蒸気タービン（８ｂ）に噴射することが特徴のＡ型エネルギ保存サイクル合体機関。
【請求項２５６】
過熱蒸気爆発力と霧吹きの原理により水（５２ａ）を混合噴射加速して大気圧重力仕事能力を燃焼ガスの１０００倍に近付けてはずみ車蒸気タービン（８ｂ）に噴射することが特徴のエネルギ保存サイクル合体機関。
【請求項２５７】
過熱蒸気爆発力と霧吹きの原理により水（５２ａ）を混合噴射加速して大気圧重力仕事能力を燃焼ガスの１０００倍に近付けてはずみ車蒸気タービン（８ｂ）に噴射して回転出力を発生することが特徴のＡ型エネルギ保存サイクル合体機関。
【請求項２５８】
過熱蒸気爆発力と霧吹きの原理により水（５２ａ）を混合噴射加速して大気圧重力仕事能力を燃焼ガスの１０００倍に近付けてはずみ車蒸気タービン（８ｂ）に噴射して回転出力を発生することが特徴のエネルギ保存サイクル合体機関。
【請求項２５９】
過熱蒸気噴射ノズル（６Ａ）の過熱蒸気爆発力と霧吹きの原理により水（５２ａ）を混合噴射加速して大気圧重力仕事能力を燃焼ガスの１０００倍に近付けることが特徴のＡ型エネルギ保存サイクル合体機関。
【請求項２６０】
過熱蒸気噴射ノズル（６Ａ）の過熱蒸気爆発力と霧吹きの原理により水（５２ａ）を混合噴射加速して大気圧重力仕事能力を燃焼ガスの１０００倍に近付けることが特徴のエネルギ保存サイクル合体機関。
【請求項２６１】
過熱蒸気噴射ノズル（６Ａ）の過熱蒸気爆発力と霧吹きの原理により水（５２ａ）を混合噴射加速して大気圧重力仕事能力を燃焼ガスの１０００倍に近付けてはずみ車蒸気タービン（８ｂ）に噴射することが特徴のＡ型エネルギ保存サイクル合体機関。
【請求項２６２】
過熱蒸気噴射ノズル（６Ａ）の過熱蒸気爆発力と霧吹きの原理により水（５２ａ）を混合噴射加速して大気圧重力仕事能力を燃焼ガスの１０００倍に近付けてはずみ車蒸気タービン（８ｂ）に噴射することが特徴のエネルギ保存サイクル合体機関。
【請求項２６３】
過熱蒸気噴射ノズル（６Ａ）の過熱蒸気爆発力と霧吹きの原理により水（５２ａ）を混合噴射加速して大気圧重力仕事能力を燃焼ガスの１０００倍に近付けてはずみ車蒸気タービン（８ｂ）に噴射して回転出力を発生することが特徴のＡ型エネルギ保存サイクル合体機関。
【請求項２６４】
過熱蒸気噴射ノズル（６Ａ）の過熱蒸気爆発力と霧吹きの原理により水（５２ａ）を混合噴射加速して大気圧重力仕事能力を燃焼ガスの１０００倍に近付けてはずみ車蒸気タービン（８ｂ）に噴射して回転出力を発生することが特徴のエネルギ保存サイクル合体機関。
【請求項２６５】
過熱蒸気噴射ノズル（６Ｂ）の過熱蒸気爆発力と霧吹きの原理により水（５２ａ）を混合噴射加速して大気圧重力仕事能力を燃焼ガスの１０００倍に近付けることが特徴のＡ型エネルギ保存サイクル合体機関。
【請求項２６６】
過熱蒸気噴射ノズル（６Ｂ）の過熱蒸気爆発力と霧吹きの原理により水（５２ａ）を混合噴射加速して大気圧重力仕事能力を燃焼ガスの１０００倍に近付けることが特徴のエネルギ保存サイクル合体機関。
【請求項２６７】
過熱蒸気噴射ノズル（６Ｂ）の過熱蒸気爆発力と霧吹きの原理により水（５２ａ）を混合噴射加速して大気圧重力仕事能力を燃焼ガスの１０００倍に近付けてはずみ車蒸気タービン（８ｂ）に噴射することが特徴のＡ型エネルギ保存サイクル合体機関。
【請求項２６８】
過熱蒸気噴射ノズル（６Ｂ）の過熱蒸気爆発力と霧吹きの原理により水（５２ａ）を混合噴射加速して大気圧重力仕事能力を燃焼ガスの１０００倍に近付けてはずみ車蒸気タービン（８ｂ）に噴射することが特徴のエネルギ保存サイクル合体機関。
【請求項２６９】
過熱蒸気噴射ノズル（６Ｂ）の過熱蒸気爆発力と霧吹きの原理により水（５２ａ）を混合噴射加速して大気圧重力仕事能力を燃焼ガスの１０００倍に近付けてはずみ車蒸気タービン（８ｂ）に噴射して回転出力を発生することが特徴のＡ型エネルギ保存サイクル合体機関。
【請求項２７０】
過熱蒸気噴射ノズル（６Ｂ）の過熱蒸気爆発力と霧吹きの原理により水（５２ａ）を混合噴射加速して大気圧重力仕事能力を燃焼ガスの１０００倍に近付けてはずみ車蒸気タービン（８ｂ）に噴射して回転出力を発生することが特徴のエネルギ保存サイクル合体機関。
【請求項２７１】
過熱蒸気噴射ノズル（６Ａ）の過熱蒸気爆発力と霧吹きの原理により水（５２ａ）を混合噴射加速して大気圧重力仕事能力を燃焼ガスの１０００倍に近付けて霧吹きの原理（１１１ａ）に噴射して空気吸引噴射推進出力を発生することが特徴のＡ型エネルギ保存サイクル合体機関。
【請求項２７２】
過熱蒸気噴射ノズル（６Ａ）の過熱蒸気爆発力と霧吹きの原理により水（５２ａ）を混合噴射加速して大気圧重力仕事能力を燃焼ガスの１０００倍に近付けて霧吹きの原理（１１１ａ）に噴射して空気吸引噴射推進出力を発生することが特徴のエネルギ保存サイクル合体機関。
【請求項２７３】
過熱蒸気噴射ノズル（６Ｂ）の過熱蒸気爆発力と霧吹きの原理により水（５２ａ）を混合噴射加速して大気圧重力仕事能力を燃焼ガスの１０００倍に近付けて霧吹きの原理（１１１ｅ）に噴射して空気吸引噴射推進出力を発生することが特徴のＡ型エネルギ保存サイクル合体機関。
【請求項２７４】
過熱蒸気噴射ノズル（６Ｂ）の過熱蒸気爆発力と霧吹きの原理により水（５２ａ）を混合噴射加速して大気圧重力仕事能力を燃焼ガスの１０００倍に近付けて霧吹きの原理（１１１ｅ）に噴射して空気吸引噴射推進出力を発生することが特徴のエネルギ保存サイクル合体機関。
【請求項２７５】
過熱蒸気噴射ノズル（６Ａ）の過熱蒸気爆発力と霧吹きの原理により水（５２ａ）を混合噴射加速して大気圧重力仕事能力を燃焼ガスの１０００倍に近付けて霧吹きの原理（１１１ｃ）に噴射して水吸引噴射推進出力を発生することが特徴のＡ型エネルギ保存サイクル合体機関。
【請求項２７６】
過熱蒸気噴射ノズル（６Ａ）の過熱蒸気爆発力と霧吹きの原理により水（５２ａ）を混合噴射加速して大気圧重力仕事能力を燃焼ガスの１０００倍に近付けて霧吹きの原理（１１１ｃ）に噴射して水吸引噴射推進出力を発生することが特徴のエネルギ保存サイクル合体機関。
【請求項２７７】
過熱蒸気噴射ノズル（６Ｂ）の過熱蒸気爆発力と霧吹きの原理により水（５２ａ）を混合噴射加速して大気圧重力仕事能力を燃焼ガスの１０００倍に近付けて霧吹きの原理（１１１ｇ）に噴射して水吸引噴射推進出力を発生することが特徴のＡ型エネルギ保存サイクル合体機関。
【請求項２７８】
過熱蒸気噴射ノズル（６Ｂ）の過熱蒸気爆発力と霧吹きの原理により水（５２ａ）を混合噴射加速して大気圧重力仕事能力を燃焼ガスの１０００倍に近付けて霧吹きの原理（１１１ｇ）に噴射して水吸引噴射推進出力を発生することが特徴のエネルギ保存サイクル合体機関。
【請求項２７９】
過熱蒸気噴射ノズル（６Ａ）の過熱蒸気爆発力と霧吹きの原理により水（５２ａ）を混合噴射加速して大気圧重力仕事能力を燃焼ガスの１０００倍×５０倍容積水質量に近付けることが特徴のＡ型エネルギ保存サイクル合体機関。
【請求項２８０】
過熱蒸気噴射ノズル（６Ａ）の過熱蒸気爆発力と霧吹きの原理により水（５２ａ）を混合噴射加速して大気圧重力仕事能力を燃焼ガスの１０００倍×５０倍容積水質量に近付けることが特徴のエネルギ保存サイクル合体機関。
【請求項２８１】
過熱蒸気噴射ノズル（６Ａ）の過熱蒸気爆発力と霧吹きの原理により水（５２ａ）を混合噴射加速して大気圧重力仕事能力を燃焼ガスの１０００倍×５０倍容積水質量に近付けてはずみ車蒸気タービン（８ｂ）に噴射することが特徴のＡ型エネルギ保存サイクル合体機関。
【請求項２８２】
過熱蒸気噴射ノズル（６Ａ）の過熱蒸気爆発力と霧吹きの原理により水（５２ａ）を混合噴射加速して大気圧重力仕事能力を燃焼ガスの１０００倍×５０倍容積水質量に近付けてはずみ車蒸気タービン（８ｂ）に噴射することが特徴のエネルギ保存サイクル合体機関。
【請求項２８３】
過熱蒸気噴射ノズル（６Ａ）の過熱蒸気爆発力と霧吹きの原理により水（５２ａ）を混合噴射加速して大気圧重力仕事能力を燃焼ガスの１０００倍×５０倍容積水質量に近付けてはずみ車蒸気タービン（８ｂ）に噴射して回転出力を発生することが特徴のＡ型エネルギ保存サイクル合体機関。
【請求項２８４】
過熱蒸気噴射ノズル（６Ａ）の過熱蒸気爆発力と霧吹きの原理により水（５２ａ）を混合噴射加速して大気圧重力仕事能力を燃焼ガスの１０００倍×５０倍容積水質量に近付けてはずみ車蒸気タービン（８ｂ）に噴射して回転出力を発生することが特徴のエネルギ保存サイクル合体機関。
【請求項２８５】
過熱蒸気噴射ノズル（６Ｂ）の過熱蒸気爆発力と霧吹きの原理により水（５２ａ）を混合噴射加速して大気圧重力仕事能力を燃焼ガスの１０００倍×５０倍容積水質量に近付けることが特徴のＡ型エネルギ保存サイクル合体機関。
【請求項２８６】
過熱蒸気噴射ノズル（６Ｂ）の過熱蒸気爆発力と霧吹きの原理により水（５２ａ）を混合噴射加速して大気圧重力仕事能力を燃焼ガスの１０００倍×５０倍容積水質量に近付けることが特徴のエネルギ保存サイクル合体機関。
【請求項２８７】
過熱蒸気噴射ノズル（６Ｂ）の過熱蒸気爆発力と霧吹きの原理により水（５２ａ）を混合噴射加速して大気圧重力仕事能力を燃焼ガスの１０００倍×５０倍容積水質量に近付けてはずみ車蒸気タービン（８ｂ）に噴射することが特徴のＡ型エネルギ保存サイクル合体機関。
【請求項２８８】
過熱蒸気噴射ノズル（６Ｂ）の過熱蒸気爆発力と霧吹きの原理により水（５２ａ）を混合噴射加速して大気圧重力仕事能力を燃焼ガスの１０００倍×５０倍容積水質量に近付けてはずみ車蒸気タービン（８ｂ）に噴射することが特徴のエネルギ保存サイクル合体機関。
【請求項２８９】
過熱蒸気噴射ノズル（６Ｂ）の過熱蒸気爆発力と霧吹きの原理により水（５２ａ）を混合噴射加速して大気圧重力仕事能力を燃焼ガスの１０００倍×５０倍容積水質量に近付けてはずみ車蒸気タービン（８ｂ）に噴射して回転出力を発生することが特徴のＡ型エネルギ保存サイクル合体機関。
【請求項２９０】
過熱蒸気噴射ノズル（６Ｂ）の過熱蒸気爆発力と霧吹きの原理により水（５２ａ）を混合噴射加速して大気圧重力仕事能力を燃焼ガスの１０００倍×５０倍容積水質量に近付けてはずみ車蒸気タービン（８ｂ）に噴射して回転出力を発生することが特徴のエネルギ保存サイクル合体機関。
【請求項２９１】
過熱蒸気噴射ノズル（６Ａ）の過熱蒸気爆発力と霧吹きの原理により水（５２ａ）を混合噴射加速して大気圧重力仕事能力を燃焼ガスの１０００倍×５０倍容積水質量に近付けて霧吹きの原理（１１１ａ）に噴射して空気吸引噴射推進出力を発生することが特徴のＡ型エネルギ保存サイクル合体機関。
【請求項２９２】
過熱蒸気噴射ノズル（６Ａ）の過熱蒸気爆発力と霧吹きの原理により水（５２ａ）を混合噴射加速して大気圧重力仕事能力を燃焼ガスの１０００倍×５０倍容積水質量に近付けて霧吹きの原理（１１１ａ）に噴射して空気吸引噴射推進出力を発生することが特徴のエネルギ保存サイクル合体機関。
【請求項２９３】
過熱蒸気噴射ノズル（６Ｂ）の過熱蒸気爆発力と霧吹きの原理により水（５２ａ）を混合噴射加速して大気圧重力仕事能力を燃焼ガスの１０００倍×５０倍容積水質量に近付けて霧吹きの原理（１１１ｅ）に噴射して空気吸引噴射推進出力を発生することが特徴のＡ型エネルギ保存サイクル合体機関。
【請求項２９４】
過熱蒸気噴射ノズル（６Ｂ）の過熱蒸気爆発力と霧吹きの原理により水（５２ａ）を混合噴射加速して大気圧重力仕事能力を燃焼ガスの１０００倍×５０倍容積水質量に近付けて霧吹きの原理（１１１ｅ）に噴射して空気吸引噴射推進出力を発生することが特徴のエネルギ保存サイクル合体機関。
【請求項２９５】
過熱蒸気噴射ノズル（６Ａ）の過熱蒸気爆発力と霧吹きの原理により水（５２ａ）を混合噴射加速して大気圧重力仕事能力を燃焼ガスの１０００倍×５０倍容積水質量に近付けて霧吹きの原理（１１１ｃ）に噴射して水吸引噴射推進出力を発生することが特徴のＡ型エネルギ保存サイクル合体機関。
【請求項２９６】
過熱蒸気噴射ノズル（６Ａ）の過熱蒸気爆発力と霧吹きの原理により水（５２ａ）を混合噴射加速して大気圧重力仕事能力を燃焼ガスの１０００倍×５０倍容積水質量に近付けて霧吹きの原理（１１１ｃ）に噴射して水吸引噴射推進出力を発生することが特徴のエネルギ保存サイクル合体機関。
【請求項２９７】
過熱蒸気噴射ノズル（６Ｂ）の過熱蒸気爆発力と霧吹きの原理により水（５２ａ）を混合噴射加速して大気圧重力仕事能力を燃焼ガスの１０００倍×５０倍容積水質量に近付けて霧吹きの原理（１１１ｇ）に噴射して水吸引噴射推進出力を発生することが特徴のＡ型エネルギ保存サイクル合体機関。
【請求項２９８】
過熱蒸気噴射ノズル（６Ｂ）の過熱蒸気爆発力と霧吹きの原理により水（５２ａ）を混合噴射加速して大気圧重力仕事能力を燃焼ガスの１０００倍×５０倍容積水質量に近付けて霧吹きの原理（１１１ｇ）に噴射して水吸引噴射推進出力を発生することが特徴のエネルギ保存サイクル合体機関。
【請求項２９９】
過熱蒸気噴射ノズル（６Ａ）の過熱蒸気爆発力と霧吹きの原理により水（５２ａ）を混合噴射加速して大気圧重力仕事能力を燃焼ガスの１０００倍×１００倍容積水質量に近付けることが特徴のＡ型エネルギ保存サイクル合体機関。
【請求項３００】
過熱蒸気噴射ノズル（６Ａ）の過熱蒸気爆発力と霧吹きの原理により水（５２ａ）を混合噴射加速して大気圧重力仕事能力を燃焼ガスの１０００倍×１００倍容積水質量に近付けることが特徴のエネルギ保存サイクル合体機関。
【請求項３０１】
過熱蒸気噴射ノズル（６Ａ）の過熱蒸気爆発力と霧吹きの原理により水（５２ａ）を混合噴射加速して大気圧重力仕事能力を燃焼ガスの１０００倍×１００倍容積水質量に近付けてはずみ車蒸気タービン（８ｂ）に噴射することが特徴のＡ型エネルギ保存サイクル合体機関。
【請求項３０２】
過熱蒸気噴射ノズル（６Ａ）の過熱蒸気爆発力と霧吹きの原理により水（５２ａ）を混合噴射加速して大気圧重力仕事能力を燃焼ガスの１０００倍×１００倍容積水質量に近付けてはずみ車蒸気タービン（８ｂ）に噴射することが特徴のエネルギ保存サイクル合体機関。
【請求項３０３】
過熱蒸気噴射ノズル（６Ａ）の過熱蒸気爆発力と霧吹きの原理により水（５２ａ）を混合噴射加速して大気圧重力仕事能力を燃焼ガスの１０００倍×１００倍容積水質量に近付けてはずみ車蒸気タービン（８ｂ）に噴射して回転出力を発生することが特徴のＡ型エネルギ保存サイクル合体機関。
【請求項３０４】
過熱蒸気噴射ノズル（６Ａ）の過熱蒸気爆発力と霧吹きの原理により水（５２ａ）を混合噴射加速して大気圧重力仕事能力を燃焼ガスの１０００倍×１００倍容積水質量に近付けてはずみ車蒸気タービン（８ｂ）に噴射して回転出力を発生することが特徴のエネルギ保存サイクル合体機関。
【請求項３０５】
過熱蒸気噴射ノズル（６Ｂ）の過熱蒸気爆発力と霧吹きの原理により水（５２ａ）を混合噴射加速して大気圧重力仕事能力を燃焼ガスの１０００倍×１００倍容積水質量に近付けることが特徴のＡ型エネルギ保存サイクル合体機関。
【請求項３０６】
過熱蒸気噴射ノズル（６Ｂ）の過熱蒸気爆発力と霧吹きの原理により水（５２ａ）を混合噴射加速して大気圧重力仕事能力を燃焼ガスの１０００倍×１００倍容積水質量に近付けることが特徴のエネルギ保存サイクル合体機関。
【請求項３０７】
過熱蒸気噴射ノズル（６Ｂ）の過熱蒸気爆発力と霧吹きの原理により水（５２ａ）を混合噴射加速して大気圧重力仕事能力を燃焼ガスの１０００倍×１００倍容積水質量に近付けてはずみ車蒸気タービン（８ｂ）に噴射することが特徴のＡ型エネルギ保存サイクル合体機関。
【請求項３０８】
過熱蒸気噴射ノズル（６Ｂ）の過熱蒸気爆発力と霧吹きの原理により水（５２ａ）を混合噴射加速して大気圧重力仕事能力を燃焼ガスの１０００倍×１００倍容積水質量に近付けてはずみ車蒸気タービン（８ｂ）に噴射することが特徴のエネルギ保存サイクル合体機関。
【請求項３０９】
過熱蒸気噴射ノズル（６Ｂ）の過熱蒸気爆発力と霧吹きの原理により水（５２ａ）を混合噴射加速して大気圧重力仕事能力を燃焼ガスの１０００倍×１００倍容積水質量に近付けてはずみ車蒸気タービン（８ｂ）に噴射して回転出力を発生することが特徴のＡ型エネルギ保存サイクル合体機関。
【請求項３１０】
過熱蒸気噴射ノズル（６Ｂ）の過熱蒸気爆発力と霧吹きの原理により水（５２ａ）を混合噴射加速して大気圧重力仕事能力を燃焼ガスの１０００倍×１００倍容積水質量に近付けてはずみ車蒸気タービン（８ｂ）に噴射して回転出力を発生することが特徴のエネルギ保存サイクル合体機関。
【請求項３１１】
過熱蒸気噴射ノズル（６Ａ）の過熱蒸気爆発力と霧吹きの原理により水（５２ａ）を混合噴射加速して大気圧重力仕事能力を燃焼ガスの１０００倍×１００倍容積水質量に近付けて霧吹きの原理（１１１ａ）に噴射して空気吸引噴射推進出力を発生することが特徴のＡ型エネルギ保存サイクル合体機関。
【請求項３１２】
過熱蒸気噴射ノズル（６Ａ）の過熱蒸気爆発力と霧吹きの原理により水（５２ａ）を混合噴射加速して大気圧重力仕事能力を燃焼ガスの１０００倍×１００倍容積水質量に近付けて霧吹きの原理（１１１ａ）に噴射して空気吸引噴射推進出力を発生することが特徴のエネルギ保存サイクル合体機関。
【請求項３１３】
過熱蒸気噴射ノズル（６Ｂ）の過熱蒸気爆発力と霧吹きの原理により水（５２ａ）を混合噴射加速して大気圧重力仕事能力を燃焼ガスの１０００倍×１００倍容積水質量に近付けて霧吹きの原理（１１１ｅ）に噴射して空気吸引噴射推進出力を発生することが特徴のＡ型エネルギ保存サイクル合体機関。
【請求項３１４】
過熱蒸気噴射ノズル（６Ｂ）の過熱蒸気爆発力と霧吹きの原理により水（５２ａ）を混合噴射加速して大気圧重力仕事能力を燃焼ガスの１０００倍×１００倍容積水質量に近付けて霧吹きの原理（１１１ｅ）に噴射して空気吸引噴射推進出力を発生することが特徴のエネルギ保存サイクル合体機関。
【請求項３１５】
過熱蒸気噴射ノズル（６Ａ）の過熱蒸気爆発力と霧吹きの原理により水（５２ａ）を混合噴射加速して大気圧重力仕事能力を燃焼ガスの１０００倍×１００倍容積水質量に近付けて霧吹きの原理（１１１ｃ）に噴射して水吸引噴射推進出力を発生することが特徴のＡ型エネルギ保存サイクル合体機関。
【請求項３１６】
過熱蒸気噴射ノズル（６Ａ）の過熱蒸気爆発力と霧吹きの原理により水（５２ａ）を混合噴射加速して大気圧重力仕事能力を燃焼ガスの１０００倍×１００倍容積水質量に近付けて霧吹きの原理（１１１ｃ）に噴射して水吸引噴射推進出力を発生することが特徴のエネルギ保存サイクル合体機関。
【請求項３１７】
過熱蒸気噴射ノズル（６Ｂ）の過熱蒸気爆発力と霧吹きの原理により水（５２ａ）を混合噴射加速して大気圧重力仕事能力を燃焼ガスの１０００倍×１００倍容積水質量に近付けて霧吹きの原理（１１１ｇ）に噴射して水吸引噴射推進出力を発生することが特徴のＡ型エネルギ保存サイクル合体機関。
【請求項３１８】
過熱蒸気噴射ノズル（６Ｂ）の過熱蒸気爆発力と霧吹きの原理により水（５２ａ）を混合噴射加速して大気圧重力仕事能力を燃焼ガスの１０００倍×１００倍容積水質量に近付けて霧吹きの原理（１１１ｇ）に噴射して水吸引噴射推進出力を発生することが特徴のエネルギ保存サイクル合体機関。
【請求項３１９】
燃焼ガス爆発力と霧吹きの原理により水（５２ａ）を混合噴射加速して大気圧重力仕事能力を水蒸気の１７００倍に近付けることが特徴のＡ型エネルギ保存サイクル合体機関。
【請求項３２０】
燃焼ガス爆発力と霧吹きの原理により水（５２ａ）を混合噴射加速して大気圧重力仕事能力を水蒸気の１７００倍に近付けることが特徴のエネルギ保存サイクル合体機関。
【請求項３２１】
燃焼ガス爆発力と霧吹きの原理により水（５２ａ）を混合噴射加速して大気圧重力仕事能力を水蒸気の１７００倍に近付けてはずみ車ガスタービン（８ａ）に噴射することが特徴のＡ型エネルギ保存サイクル合体機関。
【請求項３２２】
燃焼ガス爆発力と霧吹きの原理により水（５２ａ）を混合噴射加速して大気圧重力仕事能力を水蒸気の１７００倍に近付けてはずみ車ガスタービン（８ａ）に噴射することが特徴のエネルギ保存サイクル合体機関。
【請求項３２３】
燃焼ガス爆発力と霧吹きの原理により水（５２ａ）を混合噴射加速して大気圧重力仕事能力を水蒸気の１７００倍に近付けてはずみ車ガスタービン（８ａ）に噴射して回転出力を発生することが特徴のＡ型エネルギ保存サイクル合体機関。
【請求項３２４】
燃焼ガス爆発力と霧吹きの原理により水（５２ａ）を混合噴射加速して大気圧重力仕事能力を水蒸気の１７００倍に近付けてはずみ車ガスタービン（８ａ）に噴射して回転出力を発生することが特徴のエネルギ保存サイクル合体機関。
【請求項３２５】
燃焼ガス爆発力と霧吹きの原理により水（５２ａ）を混合噴射加速して大気圧重力仕事能力を燃焼ガスの１０００倍に近付けることが特徴のＡ型エネルギ保存サイクル合体機関。
【請求項３２６】
燃焼ガス爆発力と霧吹きの原理により水（５２ａ）を混合噴射加速して大気圧重力仕事能力を燃焼ガスの１０００倍に近付けることが特徴のエネルギ保存サイクル合体機関。
【請求項３２７】
燃焼ガス爆発力と霧吹きの原理により水（５２ａ）を混合噴射加速して大気圧重力仕事能力を燃焼ガスの１０００倍に近付けてはずみ車ガスタービン（８ａ）に噴射することが特徴のＡ型エネルギ保存サイクル合体機関。
【請求項３２８】
燃焼ガス爆発力と霧吹きの原理により水（５２ａ）を混合噴射加速して大気圧重力仕事能力を燃焼ガスの１０００倍に近付けてはずみ車ガスタービン（８ａ）に噴射することが特徴のエネルギ保存サイクル合体機関。
【請求項３２９】
燃焼ガス爆発力と霧吹きの原理により水（５２ａ）を混合噴射加速して大気圧重力仕事能力を燃焼ガスの１０００倍に近付けてはずみ車ガスタービン（８ａ）に噴射して回転出力を発生することが特徴のＡ型エネルギ保存サイクル合体機関。
【請求項３３０】
燃焼ガス爆発力と霧吹きの原理により水（５２ａ）を混合噴射加速して大気圧重力仕事能力を燃焼ガスの１０００倍に近付けてはずみ車ガスタービン（８ａ）に噴射して回転出力を発生することが特徴のエネルギ保存サイクル合体機関。
【請求項３３１】
燃焼ガス噴射ノズル（６Ｃ）の燃焼ガス爆発力と霧吹きの原理により水（５２ａ）を混合噴射加速して大気圧重力仕事能力を燃焼ガスの１０００倍に近付けることが特徴のＡ型エネルギ保存サイクル合体機関。
【請求項３３２】
燃焼ガス噴射ノズル（６Ｃ）の燃焼ガス爆発力と霧吹きの原理により水（５２ａ）を混合噴射加速して大気圧重力仕事能力を燃焼ガスの１０００倍に近付けることが特徴のエネルギ保存サイクル合体機関。
【請求項３３３】
燃焼ガス噴射ノズル（６Ｃ）の燃焼ガス爆発力と霧吹きの原理により水（５２ａ）を混合噴射加速して大気圧重力仕事能力を燃焼ガスの１０００倍に近付けてはずみ車ガスタービン（８ａ）に噴射することが特徴のＡ型エネルギ保存サイクル合体機関。
【請求項３３４】
燃焼ガス噴射ノズル（６Ｃ）の燃焼ガス爆発力と霧吹きの原理により水（５２ａ）を混合噴射加速して大気圧重力仕事能力を燃焼ガスの１０００倍に近付けてはずみ車ガスタービン（８ａ）に噴射することが特徴のエネルギ保存サイクル合体機関。
【請求項３３５】
燃焼ガス噴射ノズル（６Ｃ）の燃焼ガス爆発力と霧吹きの原理により水（５２ａ）を混合噴射加速して大気圧重力仕事能力を燃焼ガスの１０００倍に近付けてはずみ車ガスタービン（８ａ）に噴射して回転出力を発生することが特徴のＡ型エネルギ保存サイクル合体機関。
【請求項３３６】
燃焼ガス噴射ノズル（６Ｃ）の燃焼ガス爆発力と霧吹きの原理により水（５２ａ）を混合噴射加速して大気圧重力仕事能力を燃焼ガスの１０００倍に近付けてはずみ車ガスタービン（８ａ）に噴射して回転出力を発生することが特徴のエネルギ保存サイクル合体機関。
【請求項３３７】
燃焼ガス噴射ノズル（６Ｄ）の燃焼ガス爆発力と霧吹きの原理により水（５２ａ）を混合噴射加速して大気圧重力仕事能力を燃焼ガスの１０００倍に近付けることが特徴のＡ型エネルギ保存サイクル合体機関。
【請求項３３８】
燃焼ガス噴射ノズル（６Ｄ）の燃焼ガス爆発力と霧吹きの原理により水（５２ａ）を混合噴射加速して大気圧重力仕事能力を燃焼ガスの１０００倍に近付けることが特徴のエネルギ保存サイクル合体機関。
【請求項３３９】
燃焼ガス噴射ノズル（６Ｄ）の燃焼ガス爆発力と霧吹きの原理により水（５２ａ）を混合噴射加速して大気圧重力仕事能力を燃焼ガスの１０００倍に近付けてはずみ車ガスタービン（８ａ）に噴射することが特徴のＡ型エネルギ保存サイクル合体機関。
【請求項３４０】
燃焼ガス噴射ノズル（６Ｄ）の燃焼ガス爆発力と霧吹きの原理により水（５２ａ）を混合噴射加速して大気圧重力仕事能力を燃焼ガスの１０００倍に近付けてはずみ車ガスタービン（８ａ）に噴射することが特徴のエネルギ保存サイクル合体機関。
【請求項３４１】
燃焼ガス噴射ノズル（６Ｄ）の燃焼ガス爆発力と霧吹きの原理により水（５２ａ）を混合噴射加速して大気圧重力仕事能力を燃焼ガスの１０００倍に近付けてはずみ車ガスタービン（８ａ）に噴射して回転出力を発生することが特徴のＡ型エネルギ保存サイクル合体機関。
【請求項３４２】
燃焼ガス噴射ノズル（６Ｄ）の燃焼ガス爆発力と霧吹きの原理により水（５２ａ）を混合噴射加速して大気圧重力仕事能力を燃焼ガスの１０００倍に近付けてはずみ車ガスタービン（８ａ）に噴射して回転出力を発生することが特徴のエネルギ保存サイクル合体機関。
【請求項３４３】
燃焼ガス噴射ノズル（６Ｃ）の燃焼ガス爆発力と霧吹きの原理により水（５２ａ）を混合噴射加速して大気圧重力仕事能力を燃焼ガスの１０００倍に近付けて霧吹きの原理（１１１ｂ）に噴射して空気吸引噴射推進出力を発生することが特徴のＡ型エネルギ保存サイクル合体機関。
【請求項３４４】
燃焼ガス噴射ノズル（６Ｃ）の燃焼ガス爆発力と霧吹きの原理により水（５２ａ）を混合噴射加速して大気圧重力仕事能力を燃焼ガスの１０００倍に近付けて霧吹きの原理（１１１ｂ）に噴射して空気吸引噴射推進出力を発生することが特徴のエネルギ保存サイクル合体機関。
【請求項３４５】
燃焼ガス噴射ノズル（６Ｄ）の燃焼ガス爆発力と霧吹きの原理により水（５２ａ）を混合噴射加速して大気圧重力仕事能力を燃焼ガスの１０００倍に近付けて霧吹きの原理（１１１ｆ）に噴射して空気吸引噴射推進出力を発生することが特徴のＡ型エネルギ保存サイクル合体機関。
【請求項３４６】
燃焼ガス噴射ノズル（６Ｄ）の燃焼ガス爆発力と霧吹きの原理により水（５２ａ）を混合噴射加速して大気圧重力仕事能力を燃焼ガスの１０００倍に近付けて霧吹きの原理（１１１ｆ）に噴射して空気吸引噴射推進出力を発生することが特徴のエネルギ保存サイクル合体機関。
【請求項３４７】
燃焼ガス噴射ノズル（６Ｃ）の燃焼ガス爆発力と霧吹きの原理により水（５２ａ）を混合噴射加速して大気圧重力仕事能力を燃焼ガスの１０００倍に近付けて霧吹きの原理（１１１ｄ）に噴射して水吸引噴射推進出力を発生することが特徴のＡ型エネルギ保存サイクル合体機関。
【請求項３４８】
燃焼ガス噴射ノズル（６Ｃ）の燃焼ガス爆発力と霧吹きの原理により水（５２ａ）を混合噴射加速して大気圧重力仕事能力を燃焼ガスの１０００倍に近付けて霧吹きの原理（１１１ｄ）に噴射して水吸引噴射推進出力を発生することが特徴のエネルギ保存サイクル合体機関。
【請求項３４９】
燃焼ガス噴射ノズル（６Ｄ）の燃焼ガス爆発力と霧吹きの原理により水（５２ａ）を混合噴射加速して大気圧重力仕事能力を燃焼ガスの１０００倍に近付けて霧吹きの原理（１１１ｈ）に噴射して水吸引噴射推進出力を発生することが特徴のＡ型エネルギ保存サイクル合体機関。
【請求項３５０】
燃焼ガス噴射ノズル（６Ｄ）の燃焼ガス爆発力と霧吹きの原理により水（５２ａ）を混合噴射加速して大気圧重力仕事能力を燃焼ガスの１０００倍に近付けて霧吹きの原理（１１１ｈ）に噴射して水吸引噴射推進出力を発生することが特徴のエネルギ保存サイクル合体機関。
【請求項３５１】
燃焼ガス噴射ノズル（６Ｃ）の燃焼ガス爆発力と霧吹きの原理により水（５２ａ）を混合噴射加速して大気圧重力仕事能力を燃焼ガスの１０００倍×１０倍容積水質量に近付けることが特徴のＡ型エネルギ保存サイクル合体機関。
【請求項３５２】
燃焼ガス噴射ノズル（６Ｃ）の燃焼ガス爆発力と霧吹きの原理により水（５２ａ）を混合噴射加速して大気圧重力仕事能力を燃焼ガスの１０００倍×５０倍容積水質量に近付けることが特徴のエネルギ保存サイクル合体機関。
【請求項３５３】
燃焼ガス噴射ノズル（６Ｃ）の燃焼ガス爆発力と霧吹きの原理により水（５２ａ）を混合噴射加速して大気圧重力仕事能力を燃焼ガスの１０００倍×１０倍容積水質量に近付けてはずみ車ガスタービン（８ａ）に噴射することが特徴のＡ型エネルギ保存サイクル合体機関。
【請求項３５４】
燃焼ガス噴射ノズル（６Ｃ）の燃焼ガス爆発力と霧吹きの原理により水（５２ａ）を混合噴射加速して大気圧重力仕事能力を燃焼ガスの１０００倍×１０倍容積水質量に近付けてはずみ車ガスタービン（８ａ）に噴射することが特徴のエネルギ保存サイクル合体機関。
【請求項３５５】
燃焼ガス噴射ノズル（６Ｃ）の燃焼ガス爆発力と霧吹きの原理により水（５２ａ）を混合噴射加速して大気圧重力仕事能力を燃焼ガスの１０００倍×１０倍容積水質量に近付けてはずみ車ガスタービン（８ａ）に噴射して回転出力を発生することが特徴のＡ型エネルギ保存サイクル合体機関。
【請求項３５６】
燃焼ガス噴射ノズル（６Ｃ）の燃焼ガス爆発力と霧吹きの原理により水（５２ａ）を混合噴射加速して大気圧重力仕事能力を燃焼ガスの１０００倍×１０倍容積水質量に近付けてはずみ車ガスタービン（８ａ）に噴射して回転出力を発生することが特徴のエネルギ保存サイクル合体機関。
【請求項３５７】
燃焼ガス噴射ノズル（６Ｄ）の燃焼ガス爆発力と霧吹きの原理により水（５２ａ）を混合噴射加速して大気圧重力仕事能力を燃焼ガスの１０００倍×１０倍容積水質量に近付けることが特徴のＡ型エネルギ保存サイクル合体機関。
【請求項３５８】
燃焼ガス噴射ノズル（６Ｄ）の燃焼ガス爆発力と霧吹きの原理により水（５２ａ）を混合噴射加速して大気圧重力仕事能力を燃焼ガスの１０００倍×１０倍容積水質量に近付けることが特徴のエネルギ保存サイクル合体機関。
【請求項３５９】
燃焼ガス噴射ノズル（６Ｄ）の燃焼ガス爆発力と霧吹きの原理により水（５２ａ）を混合噴射加速して大気圧重力仕事能力を燃焼ガスの１０００倍×１０倍容積水質量に近付けてはずみ車ガスタービン（８ａ）に噴射することが特徴のＡ型エネルギ保存サイクル合体機関。
【請求項３６０】
燃焼ガス噴射ノズル（６Ｄ）の燃焼ガス爆発力と霧吹きの原理により水（５２ａ）を混合噴射加速して大気圧重力仕事能力を燃焼ガスの１０００倍×１０倍容積水質量に近付けてはずみ車ガスタービン（８ａ）に噴射することが特徴のエネルギ保存サイクル合体機関。
【請求項３６１】
燃焼ガス噴射ノズル（６Ｄ）の燃焼ガス爆発力と霧吹きの原理により水（５２ａ）を混合噴射加速して大気圧重力仕事能力を燃焼ガスの１０００倍×１０倍容積水質量に近付けてはずみ車ガスタービン（８ａ）に噴射して回転出力を発生することが特徴のＡ型エネルギ保存サイクル合体機関。
【請求項３６２】
燃焼ガス噴射ノズル（６Ｄ）の燃焼ガス爆発力と霧吹きの原理により水（５２ａ）を混合噴射加速して大気圧重力仕事能力を燃焼ガスの１０００倍×１０倍容積水質量に近付けてはずみ車ガスタービン（８ａ）に噴射して回転出力を発生することが特徴のエネルギ保存サイクル合体機関。
【請求項３６３】
燃焼ガス噴射ノズル（６Ｃ）の燃焼ガス爆発力と霧吹きの原理により水（５２ａ）を混合噴射加速して大気圧重力仕事能力を燃焼ガスの１０００倍×１０倍容積水質量に近付けて霧吹きの原理（１１１ｂ）に噴射して空気吸引噴射推進出力を発生することが特徴のＡ型エネルギ保存サイクル合体機関。
【請求項３６４】
燃焼ガス噴射ノズル（６Ｃ）の燃焼ガス爆発力と霧吹きの原理により水（５２ａ）を混合噴射加速して大気圧重力仕事能力を燃焼ガスの１０００倍×１０倍容積水質量に近付けて霧吹きの原理（１１１ｂ）に噴射して空気吸引噴射推進出力を発生することが特徴のエネルギ保存サイクル合体機関。
【請求項３６５】
燃焼ガス噴射ノズル（６Ｄ）の燃焼ガス爆発力と霧吹きの原理により水（５２ａ）を混合噴射加速して大気圧重力仕事能力を燃焼ガスの１０００倍×１０倍容積水質量に近付けて霧吹きの原理（１１１ｆ）に噴射して空気吸引噴射推進出力を発生することが特徴のＡ型エネルギ保存サイクル合体機関。
【請求項３６６】
燃焼ガス噴射ノズル（６Ｄ）の燃焼ガス爆発力と霧吹きの原理により水（５２ａ）を混合噴射加速して大気圧重力仕事能力を燃焼ガスの１０００倍×１０倍容積水質量に近付けて霧吹きの原理（１１１ｆ）に噴射して空気吸引噴射推進出力を発生することが特徴のエネルギ保存サイクル合体機関。
【請求項３６７】
燃焼ガス噴射ノズル（６Ｃ）の燃焼ガス爆発力と霧吹きの原理により水（５２ａ）を混合噴射加速して大気圧重力仕事能力を燃焼ガスの１０００倍×１０倍容積水質量に近付けて霧吹きの原理（１１１ｄ）に噴射して水吸引噴射推進出力を発生することが特徴のＡ型エネルギ保存サイクル合体機関。
【請求項３６８】
燃焼ガス噴射ノズル（６Ｃ）の燃焼ガス爆発力と霧吹きの原理により水（５２ａ）を混合噴射加速して大気圧重力仕事能力を燃焼ガスの１０００倍×１０倍容積水質量に近付けて霧吹きの原理（１１１ｄ）に噴射して水吸引噴射推進出力を発生することが特徴のエネルギ保存サイクル合体機関。
【請求項３６９】
燃焼ガス噴射ノズル（６Ｄ）の燃焼ガス爆発力と霧吹きの原理により水（５２ａ）を混合噴射加速して大気圧重力仕事能力を燃焼ガスの１０００倍×１０倍容積水質量に近付けて霧吹きの原理（１１１ｈ）に噴射して水吸引噴射推進出力を発生することが特徴のＡ型エネルギ保存サイクル合体機関。
【請求項３７０】
燃焼ガス噴射ノズル（６Ｄ）の燃焼ガス爆発力と霧吹きの原理により水（５２ａ）を混合噴射加速して大気圧重力仕事能力を燃焼ガスの１０００倍×１０倍容積水質量に近付けて霧吹きの原理（１１１ｈ）に噴射して水吸引噴射推進出力を発生することが特徴のエネルギ保存サイクル合体機関。
【請求項３７１】
燃焼ガス噴射ノズル（６Ｃ）の燃焼ガス爆発力と霧吹きの原理により水（５２ａ）を混合噴射加速して大気圧重力仕事能力を燃焼ガスの１０００倍×２０倍容積水質量に近付けることが特徴のＡ型エネルギ保存サイクル合体機関。
【請求項３７２】
燃焼ガス噴射ノズル（６Ｃ）の燃焼ガス爆発力と霧吹きの原理により水（５２ａ）を混合噴射加速して大気圧重力仕事能力を燃焼ガスの１０００倍×２０倍容積水質量に近付けることが特徴のエネルギ保存サイクル合体機関。
【請求項３７３】
燃焼ガス噴射ノズル（６Ｃ）の燃焼ガス爆発力と霧吹きの原理により水（５２ａ）を混合噴射加速して大気圧重力仕事能力を燃焼ガスの１０００倍×２０倍容積水質量に近付けてはずみ車ガスタービン（８ａ）に噴射することが特徴のＡ型エネルギ保存サイクル合体機関。
【請求項３７４】
燃焼ガス噴射ノズル（６Ｃ）の燃焼ガス爆発力と霧吹きの原理により水（５２ａ）を混合噴射加速して大気圧重力仕事能力を燃焼ガスの１０００倍×２０倍容積水質量に近付けてはずみ車ガスタービン（８ａ）に噴射することが特徴のエネルギ保存サイクル合体機関。
【請求項３７５】
燃焼ガス噴射ノズル（６Ｃ）の燃焼ガス爆発力と霧吹きの原理により水（５２ａ）を混合噴射加速して大気圧重力仕事能力を燃焼ガスの１０００倍×２０倍容積水質量に近付けてはずみ車ガスタービン（８ａ）に噴射して回転出力を発生することが特徴のＡ型エネルギ保存サイクル合体機関。
【請求項３７６】
燃焼ガス噴射ノズル（６Ｃ）の燃焼ガス爆発力と霧吹きの原理により水（５２ａ）を混合噴射加速して大気圧重力仕事能力を燃焼ガスの１０００倍×２０倍容積水質量に近付けてはずみ車ガスタービン（８ａ）に噴射して回転出力を発生することが特徴のエネルギ保存サイクル合体機関。
【請求項３７７】
燃焼ガス噴射ノズル（６Ｄ）の燃焼ガス爆発力と霧吹きの原理により水（５２ａ）を混合噴射加速して大気圧重力仕事能力を燃焼ガスの１０００倍×２０倍容積水質量に近付けることが特徴のＡ型エネルギ保存サイクル合体機関。
【請求項３７８】
燃焼ガス噴射ノズル（６Ｄ）の燃焼ガス爆発力と霧吹きの原理により水（５２ａ）を混合噴射加速して大気圧重力仕事能力を燃焼ガスの１０００倍×２０倍容積水質量に近付けることが特徴のエネルギ保存サイクル合体機関。
【請求項３７９】
燃焼ガス噴射ノズル（６Ｄ）の燃焼ガス爆発力と霧吹きの原理により水（５２ａ）を混合噴射加速して大気圧重力仕事能力を燃焼ガスの１０００倍×２０倍容積水質量に近付けてはずみ車ガスタービン（８ａ）に噴射することが特徴のＡ型エネルギ保存サイクル合体機関。
【請求項３８０】
燃焼ガス噴射ノズル（６Ｄ）の燃焼ガス爆発力と霧吹きの原理により水（５２ａ）を混合噴射加速して大気圧重力仕事能力を燃焼ガスの１０００倍×２０倍容積水質量に近付けてはずみ車ガスタービン（８ａ）に噴射することが特徴のエネルギ保存サイクル合体機関。
【請求項３８１】
燃焼ガス噴射ノズル（６Ｄ）の燃焼ガス爆発力と霧吹きの原理により水（５２ａ）を混合噴射加速して大気圧重力仕事能力を燃焼ガスの１０００倍×２０倍容積水質量に近付けてはずみ車ガスタービン（８ａ）に噴射して回転出力を発生することが特徴のＡ型エネルギ保存サイクル合体機関。
【請求項３８２】
燃焼ガス噴射ノズル（６Ｄ）の燃焼ガス爆発力と霧吹きの原理により水（５２ａ）を混合噴射加速して大気圧重力仕事能力を燃焼ガスの１０００倍×２０倍容積水質量に近付けてはずみ車ガスタービン（８ａ）に噴射して回転出力を発生することが特徴のエネルギ保存サイクル合体機関。
【請求項３８３】
燃焼ガス噴射ノズル（６Ｃ）の燃焼ガス爆発力と霧吹きの原理により水（５２ａ）を混合噴射加速して大気圧重力仕事能力を燃焼ガスの１０００倍×２０倍容積水質量に近付けて霧吹きの原理（１１１ｂ）に噴射して空気吸引噴射推進出力を発生することが特徴のＡ型エネルギ保存サイクル合体機関。
【請求項３８４】
燃焼ガス噴射ノズル（６Ｃ）の燃焼ガス爆発力と霧吹きの原理により水（５２ａ）を混合噴射加速して大気圧重力仕事能力を燃焼ガスの１０００倍×２０倍容積水質量に近付けて霧吹きの原理（１１１ｂ）に噴射して空気吸引噴射推進出力を発生することが特徴のエネルギ保存サイクル合体機関。
【請求項３８５】
燃焼ガス噴射ノズル（６Ｄ）の燃焼ガス爆発力と霧吹きの原理により水（５２ａ）を混合噴射加速して大気圧重力仕事能力を燃焼ガスの１０００倍×２０倍容積水質量に近付けて霧吹きの原理（１１１ｆ）に噴射して空気吸引噴射推進出力を発生することが特徴のＡ型エネルギ保存サイクル合体機関。
【請求項３８６】
燃焼ガス噴射ノズル（６Ｄ）の燃焼ガス爆発力と霧吹きの原理により水（５２ａ）を混合噴射加速して大気圧重力仕事能力を燃焼ガスの１０００倍×２０倍容積水質量に近付けて霧吹きの原理（１１１ｆ）に噴射して空気吸引噴射推進出力を発生することが特徴のエネルギ保存サイクル合体機関。
【請求項３８７】
燃焼ガス噴射ノズル（６Ｃ）の燃焼ガス爆発力と霧吹きの原理により水（５２ａ）を混合噴射加速して大気圧重力仕事能力を燃焼ガスの１０００倍×２０倍容積水質量に近付けて霧吹きの原理（１１１ｄ）に噴射して水吸引噴射推進出力を発生することが特徴のＡ型エネルギ保存サイクル合体機関。
【請求項３８８】
燃焼ガス噴射ノズル（６Ｃ）の燃焼ガス爆発力と霧吹きの原理により水（５２ａ）を混合噴射加速して大気圧重力仕事能力を燃焼ガスの１０００倍×２０倍容積水質量に近付けて霧吹きの原理（１１１ｄ）に噴射して水吸引噴射推進出力を発生することが特徴のエネルギ保存サイクル合体機関。
【請求項３８９】
燃焼ガス噴射ノズル（６Ｄ）の燃焼ガス爆発力と霧吹きの原理により水（５２ａ）を混合噴射加速して大気圧重力仕事能力を燃焼ガスの１０００倍×２０倍容積水質量に近付けて霧吹きの原理（１１１ｈ）に噴射して水吸引噴射推進出力を発生することが特徴のＡ型エネルギ保存サイクル合体機関。
【請求項３９０】
燃焼ガス噴射ノズル（６Ｄ）の燃焼ガス爆発力と霧吹きの原理により水（５２ａ）を混合噴射加速して大気圧重力仕事能力を燃焼ガスの１０００倍×２０倍容積水質量に近付けて霧吹きの原理（１１１ｈ）に噴射して水吸引噴射推進出力を発生することが特徴のエネルギ保存サイクル合体機関。
【請求項３９１】
はずみ車蒸気タービン（８ｂ）を具備することを特徴としたＡ型エネルギ保存サイクル合体機関。
【請求項３９２】
はずみ車蒸気タービン（８ｂ）を具備することを特徴としたエネルギ保存サイクル合体機関。
【請求項３９３】
はずみ車蒸気タービン（８ｂ）蒸気排気室（５ａ）を具備することを特徴としたＡ型エネルギ保存サイクル合体機関。
【請求項３９４】
はずみ車蒸気タービン（８ｂ）蒸気排気室（５ａ）を具備することを特徴としたエネルギ保存サイクル合体機関。
【請求項３９５】
はずみ車蒸気タービン（８ｂ）蒸気排気室（５ａ）を具備して隔壁（９０ａ）で分割することを特徴としたＡ型エネルギ保存サイクル合体機関。
【請求項３９６】
はずみ車蒸気タービン（８ｂ）蒸気排気室（５ａ）を具備して隔壁（９０ａ）で分割することを特徴としたエネルギ保存サイクル合体機関。
【請求項３９７】
はずみ車蒸気タービン（８ｂ）蒸気排気室（５ａ）を具備して隔壁（９０ａ）で水（５２ａ）側と凝縮水（５２ｆ）側に分割することを特徴としたＡ型エネルギ保存サイクル合体機関。
【請求項３９８】
はずみ車蒸気タービン（８ｂ）蒸気排気室（５ａ）を具備して隔壁（９０ａ）で水（５２ａ）側と凝縮水（５２ｆ）側に分割することを特徴としたエネルギ保存サイクル合体機関。
【請求項３９９】
はずみ車蒸気タービン（８ｂ）蒸気排気室（５ａ）を具備して隔壁（９０ａ）で排気庇（５ｂ）を設けた水（５２ａ）側と凝縮水（５２ｆ）側に分割することを特徴としたＡ型エネルギ保存サイクル合体機関。
【請求項４００】
はずみ車蒸気タービン（８ｂ）蒸気排気室（５ａ）を具備して隔壁（９０ａ）で排気庇（５ｂ）を設けた水（５２ａ）側と凝縮水（５２ｆ）側に分割することを特徴としたエネルギ保存サイクル合体機関。
【請求項４０１】
はずみ車蒸気タービン（８ｂ）蒸気排気室（５ａ）を具備して隔壁（９０ａ）で排気庇（５ｂ）を設けた水（５２ａ）側と気化熱回収器（２ｂ）を具備した凝縮水（５２ｆ）側に分割することを特徴としたＡ型エネルギ保存サイクル合体機関。
【請求項４０２】
はずみ車蒸気タービン（８ｂ）蒸気排気室（５ａ）を具備して隔壁（９０ａ）で排気庇（５ｂ）を設けた水（５２ａ）側と気化熱回収器（２ｂ）を具備した凝縮水（５２ｆ）側に分割することを特徴としたエネルギ保存サイクル合体機関。
【請求項４０３】
はずみ車蒸気タービン（８ｂ）蒸気排気室（５ａ）を具備して隔壁（９０ａ）で排気庇（５ｂ）を設けた水（５２ａ）側と空気抽出器（５１）で駆動する気化熱回収器（２ｂ）を具備した凝縮水（５２ｆ）側に分割することを特徴としたＡ型エネルギ保存サイクル合体機関。
【請求項４０４】
はずみ車蒸気タービン（８ｂ）蒸気排気室（５ａ）を具備して隔壁（９０ａ）で排気庇（５ｂ）を設けた水（５２ａ）側と空気抽出器（５１）で駆動する気化熱回収器（２ｂ）を具備した凝縮水（５２ｆ）側に分割することを特徴としたエネルギ保存サイクル合体機関。
【請求項４０５】
はずみ車蒸気タービン（８ｂ）蒸気排気室（５ａ）を具備して隔壁（９０ａ）で排気庇（５ｂ）を設けた水（５２ａ）側と空気抽出器（５１）で駆動する気化熱回収器（２ｂ）を具備した凝縮水（５２ｆ）側に分割して凝縮水を縮径主燃焼室熱交換器（２）に供給することを特徴としたＡ型エネルギ保存サイクル合体機関。
【請求項４０６】
はずみ車蒸気タービン（８ｂ）蒸気排気室（５ａ）を具備して隔壁（９０ａ）で排気庇（５ｂ）を設けた水（５２ａ）側と空気抽出器（５１）で駆動する気化熱回収器（２ｂ）を具備した凝縮水（５２ｆ）側に分割して凝縮水を縮径主燃焼室熱交換器（２）に供給することを特徴としたエネルギ保存サイクル合体機関。
【請求項４０７】
はずみ車蒸気タービン（８ｂ）蒸気排気室（５ａ）を具備して隔壁（９０ａ）で排気庇（５ｂ）を設けた水（５２ａ）側と空気抽出器（５１）で駆動する気化熱回収器（２ｂ）を具備した凝縮水（５２ｆ）側に分割して水（５２ａ）を水噴射ノズル（６Ｅ）に供給することを特徴としたＡ型エネルギ保存サイクル合体機関。
【請求項４０８】
はずみ車蒸気タービン（８ｂ）蒸気排気室（５ａ）を具備して隔壁（９０ａ）で排気庇（５ｂ）を設けた水（５２ａ）側と空気抽出器（５１）で駆動する気化熱回収器（２ｂ）を具備した凝縮水（５２ｆ）側に分割して水（５２ａ）を水噴射ノズル（６Ｅ）に供給することを特徴としたエネルギ保存サイクル合体機関。
【請求項４０９】
はずみ車蒸気タービン（８ｂ）蒸気排気室（５ａ）を具備して隔壁（９０ａ）で排気庇（５ｂ）を設けた水（５２ａ）側と空気抽出器（５１）で駆動する気化熱回収器（２ｂ）を具備した凝縮水（５２ｆ）側に分割して凝縮水を縮径主燃焼室熱交換器（２）に供給して水（５２ａ）を水噴射ノズル（６Ｅ）に供給することを特徴としたＡ型エネルギ保存サイクル合体機関。
【請求項４１０】
はずみ車蒸気タービン（８ｂ）蒸気排気室（５ａ）を具備して隔壁（９０ａ）で排気庇（５ｂ）を設けた水（５２ａ）側と空気抽出器（５１）で駆動する気化熱回収器（２ｂ）を具備した凝縮水（５２ｆ）側に分割して凝縮水を縮径主燃焼室熱交換器（２）に供給して水（５２ａ）を水噴射ノズル（６Ｅ）に供給することを特徴としたエネルギ保存サイクル合体機関。
【請求項４１１】
はずみ車蒸気タービン（８ｂ）の排気を分割して凝縮水（５２ｆ）を縮径主燃焼室熱交換器（２）に供給して水（５２ａ）を水噴射ノズル（６Ｅ）に供給することを特徴としたＡ型エネルギ保存サイクル合体機関。
【請求項４１２】
はずみ車蒸気タービン（８ｂ）の排気を分割して凝縮水（５２ｆ）を縮径主燃焼室熱交換器（２）に供給して水（５２ａ）を水噴射ノズル（６Ｅ）に供給することを特徴としたエネルギ保存サイクル合体機関。
【請求項４１３】
はずみ車蒸気タービン（８ｂ）の排気を分割して凝縮水（５２ｆ）を縮径主燃焼室熱交換器（２）に供給して水（５２ａ）を水噴射ノズル（６Ｅ）に供給して過熱蒸気噴射ノズル（６Ａ）より噴射することを特徴としたＡ型エネルギ保存サイクル合体機関。
【請求項４１４】
はずみ車蒸気タービン（８ｂ）の排気を分割して凝縮水（５２ｆ）を縮径主燃焼室熱交換器（２）に供給して水（５２ａ）を水噴射ノズル（６Ｅ）に供給して過熱蒸気噴射ノズル（６Ａ）より噴射することを特徴としたエネルギ保存サイクル合体機関。
【請求項４１５】
はずみ車蒸気タービン（８ｂ）の排気を分割して１００℃に近い凝縮水（５２ｆ）を縮径主燃焼室熱交換器（２）に供給して水（５２ａ）を水噴射ノズル（６Ｅ）に供給して過熱蒸気噴射ノズル（６Ａ）より噴射することを特徴としたＡ型エネルギ保存サイクル合体機関。
【請求項４１６】
はずみ車蒸気タービン（８ｂ）の排気を分割して１００℃に近い凝縮水（５２ｆ）を縮径主燃焼室熱交換器（２）に供給して水（５２ａ）を水噴射ノズル（６Ｅ）に供給して過熱蒸気噴射ノズル（６Ａ）より噴射することを特徴としたエネルギ保存サイクル合体機関。
【請求項４１７】
はずみ車蒸気タービン（８ｂ）の排気を分割して凝縮水（５２ｆ）を縮径主燃焼室熱交換器（２）に供給して１００℃に近い水（５２ａ）を水噴射ノズル（６Ｅ）に供給して過熱蒸気噴射ノズル（６Ａ）より噴射することを特徴としたＡ型エネルギ保存サイクル合体機関。
【請求項４１８】
はずみ車蒸気タービン（８ｂ）の排気を分割して凝縮水（５２ｆ）を縮径主燃焼室熱交換器（２）に供給して１００℃に近い水（５２ａ）を水噴射ノズル（６Ｅ）に供給して過熱蒸気噴射ノズル（６Ａ）より噴射することを特徴としたエネルギ保存サイクル合体機関。
【請求項４１９】
はずみ車蒸気タービン（８ｂ）の排気を分割して１００℃に近い凝縮水（５２ｆ）を縮径主燃焼室熱交換器（２）に供給して１００℃に近い水（５２ａ）を水噴射ノズル（６Ｅ）に供給して過熱蒸気噴射ノズル（６Ａ）より噴射することを特徴としたＡ型エネルギ保存サイクル合体機関。
【請求項４２０】
はずみ車蒸気タービン（８ｂ）の排気を分割して１００℃に近い凝縮水（５２ｆ）を縮径主燃焼室熱交換器（２）に供給して１００℃に近い水（５２ａ）を水噴射ノズル（６Ｅ）に供給して過熱蒸気噴射ノズル（６Ａ）より噴射することを特徴としたエネルギ保存サイクル合体機関。
【請求項４２１】
はずみ車蒸気タービン（８ｂ）の排気を分割して水（５２ａ）を水噴射ノズル（６Ｅ）に供給することを特徴としたＡ型エネルギ保存サイクル合体機関。
【請求項４２２】
はずみ車蒸気タービン（８ｂ）の排気を分割して水（５２ａ）を水噴射ノズル（６Ｅ）に供給することを特徴としたエネルギ保存サイクル合体機関。
【請求項４２３】
はずみ車蒸気タービン（８ｂ）の排気を分割して水（５２ａ）を水噴射ノズル（６Ｅ）に供給して過熱蒸気噴射ノズル（６Ａ）より噴射することを特徴としたＡ型エネルギ保存サイクル合体機関。
【請求項４２４】
はずみ車蒸気タービン（８ｂ）の排気を分割して水（５２ａ）を水噴射ノズル（６Ｅ）に供給して過熱蒸気噴射ノズル（６Ａ）より噴射することを特徴としたエネルギ保存サイクル合体機関。
【請求項４２５】
はずみ車蒸気タービン（８ｂ）の排気を分割して水（５２ａ）を水噴射ノズル（６Ｅ）に供給して過熱蒸気噴射ノズル（６Ａ）より仕事能力を５万倍に近付けて噴射することを特徴としたＡ型エネルギ保存サイクル合体機関。
【請求項４２６】
はずみ車蒸気タービン（８ｂ）の排気を分割して水（５２ａ）を水噴射ノズル（６Ｅ）に供給して過熱蒸気噴射ノズル（６Ａ）より仕事能力を５万倍に近付けて噴射することを特徴としたエネルギ保存サイクル合体機関。
【請求項４２７】
はずみ車蒸気タービン（８ｂ）の排気を分割して水（５２ａ）を水噴射ノズル（６Ｅ）に供給して過熱蒸気噴射ノズル（６Ａ）より仕事能力を５万倍に近付けてはずみ車蒸気タービン（８ｂ）に噴射することを特徴としたＡ型エネルギ保存サイクル合体機関。
【請求項４２８】
はずみ車蒸気タービン（８ｂ）の排気を分割して水（５２ａ）を水噴射ノズル（６Ｅ）に供給して過熱蒸気噴射ノズル（６Ａ）より仕事能力を５万倍に近付けてはずみ車蒸気タービン（８ｂ）に噴射することを特徴としたエネルギ保存サイクル合体機関。
【請求項４２９】
はずみ車蒸気タービン（８ｂ）の排気を分割して水（５２ａ）を水噴射ノズル（６Ｅ）に供給して過熱蒸気噴射ノズル（６Ｂ）より噴射することを特徴としたＡ型エネルギ保存サイクル合体機関。
【請求項４３０】
はずみ車蒸気タービン（８ｂ）の排気を分割して水（５２ａ）を水噴射ノズル（６Ｅ）に供給して過熱蒸気噴射ノズル（６Ｂ）より噴射することを特徴としたエネルギ保存サイクル合体機関。
【請求項４３１】
はずみ車蒸気タービン（８ｂ）の排気を分割して水（５２ａ）を水噴射ノズル（６Ｅ）に供給して過熱蒸気噴射ノズル（６Ｂ）より仕事能力を５万倍に近付けて噴射することを特徴としたＡ型エネルギ保存サイクル合体機関。
【請求項４３２】
はずみ車蒸気タービン（８ｂ）の排気を分割して水（５２ａ）を水噴射ノズル（６Ｅ）に供給して過熱蒸気噴射ノズル（６Ｂ）より仕事能力を５万倍に近付けて噴射することを特徴としたエネルギ保存サイクル合体機関。
【請求項４３３】
はずみ車蒸気タービン（８ｂ）の排気を分割して水（５２ａ）を水噴射ノズル（６Ｅ）に供給して過熱蒸気噴射ノズル（６Ｂ）より仕事能力を５万倍に近付けてはずみ車蒸気タービン（８ｂ）に噴射することを特徴としたＡ型エネルギ保存サイクル合体機関。
【請求項４３４】
はずみ車蒸気タービン（８ｂ）の排気を分割して水（５２ａ）を水噴射ノズル（６Ｅ）に供給して過熱蒸気噴射ノズル（６Ｂ）より仕事能力を５万倍に近付けてはずみ車蒸気タービン（８ｂ）に噴射することを特徴としたエネルギ保存サイクル合体機関。
【請求項４３５】
はずみ車蒸気タービン（８ｂ）の気化熱回収器（２ｂ）により気化熱を回収することを特徴としたＡ型エネルギ保存サイクル合体機関。
【請求項４３６】
はずみ車蒸気タービン（８ｂ）の気化熱回収器（２ｂ）により気化熱を回収することを特徴としたエネルギ保存サイクル合体機関。
【請求項４３７】
はずみ車蒸気タービン（８ｂ）の気化熱回収器（２ｂ）により気化熱を水道水（５２ｃ）により回収することを特徴としたＡ型エネルギ保存サイクル合体機関。
【請求項４３８】
はずみ車蒸気タービン（８ｂ）の気化熱回収器（２ｂ）により気化熱を水道水（５２ｃ）により回収することを特徴としたエネルギ保存サイクル合体機関。
【請求項４３９】
はずみ車蒸気タービン（８ｂ）の気化熱回収器（２ｂ）により気化熱を水道水（５２ｃ）により水道水温熱（５２ｄ）で回収することを特徴としたＡ型エネルギ保存サイクル合体機関。
【請求項４４０】
はずみ車蒸気タービン（８ｂ）の気化熱回収器（２ｂ）により気化熱を水道水（５２ｃ）により水道水温熱（５２ｄ）で回収することを特徴としたエネルギ保存サイクル合体機関。
【請求項４４１】
はずみ車蒸気タービン（８ｂ）の気化熱回収器（２ｂ）により気化熱を水道水（５２ｃ）により１００℃に近い水道水温熱（５２ｄ）で回収することを特徴としたＡ型エネルギ保存サイクル合体機関。
【請求項４４２】
はずみ車蒸気タービン（８ｂ）の気化熱回収器（２ｂ）により気化熱を水道水（５２ｃ）により１００℃に近い水道水温熱（５２ｄ）で回収することを特徴としたエネルギ保存サイクル合体機関。
【請求項４４３】
はずみ車蒸気タービン（８ｂ）の気化熱回収器（２ｂ）により気化熱を水道水（５２ｃ）により水道水温熱（５２ｄ）で回収して貯蔵することを特徴としたＡ型エネルギ保存サイクル合体機関。
【請求項４４４】
はずみ車蒸気タービン（８ｂ）の気化熱回収器（２ｂ）により気化熱を水道水（５２ｃ）により水道水温熱（５２ｄ）で回収して貯蔵することを特徴としたエネルギ保存サイクル合体機関。
【請求項４４５】
はずみ車蒸気タービン（８ｂ）の気化熱回収器（２ｂ）により気化熱を水道水（５２ｃ）により１００℃に近い水道水温熱（５２ｄ）で回収して貯蔵することを特徴としたＡ型エネルギ保存サイクル合体機関。
【請求項４４６】
はずみ車蒸気タービン（８ｂ）の気化熱回収器（２ｂ）により気化熱を水道水（５２ｃ）により１００℃に近い水道水温熱（５２ｄ）で回収して貯蔵することを特徴としたエネルギ保存サイクル合体機関。
【請求項４４７】
はずみ車蒸気タービン（８ｂ）の気化熱回収器（２ｂ）により気化熱を水道水（５２ｃ）により水道水温熱（５２ｄ）で回収して貯蔵需要家に供給することを特徴としたＡ型エネルギ保存サイクル合体機関。
【請求項４４８】
はずみ車蒸気タービン（８ｂ）の気化熱回収器（２ｂ）により気化熱を水道水（５２ｃ）により水道水温熱（５２ｄ）で回収して貯蔵需要家に供給することを特徴としたエネルギ保存サイクル合体機関。
【請求項４４９】
はずみ車蒸気タービン（８ｂ）の気化熱回収器（２ｂ）により気化熱を水道水（５２ｃ）により１００℃に近い水道水温熱（５２ｄ）で回収して貯蔵需要家に供給することを特徴としたＡ型エネルギ保存サイクル合体機関。
【請求項４５０】
はずみ車蒸気タービン（８ｂ）の気化熱回収器（２ｂ）により気化熱を水道水（５２ｃ）により１００℃に近い水道水温熱（５２ｄ）で回収して貯蔵需要家に供給することを特徴としたエネルギ保存サイクル合体機関。
【請求項４５１】
はずみ車蒸気タービン（８ｂ）の気化熱回収器（２ｂ）により気化熱を水道水（５２ｃ）により水道水温熱（５２ｄ）で回収して貯蔵需要家に供給すると共に、水道水温熱利用の各種暖房設備機器を供給することを特徴としたＡ型エネルギ保存サイクル合体機関。
【請求項４５２】
はずみ車蒸気タービン（８ｂ）の気化熱回収器（２ｂ）により気化熱を水道水（５２ｃ）により水道水温熱（５２ｄ）で回収して貯蔵需要家に供給すると共に、水道水温熱利用の各種暖房設備機器を供給することを特徴としたエネルギ保存サイクル合体機関。
【請求項４５３】
はずみ車蒸気タービン（８ｂ）の気化熱回収器（２ｂ）により気化熱を水道水（５２ｃ）により１００℃に近い水道水温熱（５２ｄ）で回収して貯蔵需要家に供給すると共に、水道水温熱利用の各種暖房設備機器を供給することを特徴としたＡ型エネルギ保存サイクル合体機関。
【請求項４５４】
はずみ車蒸気タービン（８ｂ）の気化熱回収器（２ｂ）により気化熱を水道水（５２ｃ）により１００℃に近い水道水温熱（５２ｄ）で回収して貯蔵需要家に供給すると共に、水道水温熱利用の各種暖房設備機器を供給することを特徴としたエネルギ保存サイクル合体機関。
【請求項４５５】
はずみ車蒸気タービン（８ｂ）の気化熱回収器（２ｂ）により気化熱を水道水（５２ｃ）により水道水温熱（５２ｄ）で回収して貯蔵需要家に供給すると共に、水道水温熱利用の各種厨房設備機器を供給することを特徴としたＡ型エネルギ保存サイクル合体機関。
【請求項４５６】
はずみ車蒸気タービン（８ｂ）の気化熱回収器（２ｂ）により気化熱を水道水（５２ｃ）により水道水温熱（５２ｄ）で回収して貯蔵需要家に供給すると共に、水道水温熱利用の各種厨房設備機器を供給することを特徴としたエネルギ保存サイクル合体機関。
【請求項４５７】
はずみ車蒸気タービン（８ｂ）の気化熱回収器（２ｂ）により気化熱を水道水（５２ｃ）により１００℃に近い水道水温熱（５２ｄ）で回収して貯蔵需要家に供給すると共に、水道水温熱利用の各種厨房設備機器を供給することを特徴としたＡ型エネルギ保存サイクル合体機関。
【請求項４５８】
はずみ車蒸気タービン（８ｂ）の気化熱回収器（２ｂ）により気化熱を水道水（５２ｃ）により１００℃に近い水道水温熱（５２ｄ）で回収して貯蔵需要家に供給すると共に、水道水温熱利用の各種厨房設備機器を供給することを特徴としたエネルギ保存サイクル合体機関。
【請求項４５９】
はずみ車蒸気タービン（８ｂ）の気化熱回収器（２ｂ）により気化熱を水道水（５２ｃ）により水道水温熱（５２ｄ）で回収して貯蔵需要家に供給すると共に、水道水温熱利用の各種厨房設備機器を供給することを特徴としたＡ型エネルギ保存サイクル合体機関。
【請求項４６０】
はずみ車蒸気タービン（８ｂ）の気化熱回収器（２ｂ）により気化熱を水道水（５２ｃ）により水道水温熱（５２ｄ）で回収して貯蔵需要家に供給すると共に、水道水温熱利用の各種厨房設備機器を供給することを特徴としたエネルギ保存サイクル合体機関。
【請求項４６１】
はずみ車蒸気タービン（８ｂ）の気化熱回収器（２ｂ）により気化熱を水道水（５２ｃ）により１００℃に近い水道水温熱（５２ｄ）で回収して貯蔵需要家に供給すると共に、水道水温熱利用の各種厨房設備機器を供給することを特徴としたＡ型エネルギ保存サイクル合体機関。
【請求項４６２】
はずみ車蒸気タービン（８ｂ）の気化熱回収器（２ｂ）により気化熱を水道水（５２ｃ）により１００℃に近い水道水温熱（５２ｄ）で回収して貯蔵需要家に供給すると共に、水道水温熱利用の各種厨房設備機器を供給することを特徴としたエネルギ保存サイクル合体機関。
【請求項４６３】
はずみ車蒸気タービン（８ｂ）の気化熱回収器（２ｂ）により気化熱を水道水（５２ｃ）により水道水温熱（５２ｄ）で回収して貯蔵需要家に供給すると共に、水道水温熱利用の各種調理設備機器を供給することを特徴としたＡ型エネルギ保存サイクル合体機関。
【請求項４６４】
はずみ車蒸気タービン（８ｂ）の気化熱回収器（２ｂ）により気化熱を水道水（５２ｃ）により水道水温熱（５２ｄ）で回収して貯蔵需要家に供給すると共に、水道水温熱利用の各種調理設備機器を供給することを特徴としたエネルギ保存サイクル合体機関。
【請求項４６５】
はずみ車蒸気タービン（８ｂ）の気化熱回収器（２ｂ）により気化熱を水道水（５２ｃ）により１００℃に近い水道水温熱（５２ｄ）で回収して貯蔵需要家に供給すると共に、水道水温熱利用の各種調理設備機器を供給することを特徴としたＡ型エネルギ保存サイクル合体機関。
【請求項４６６】
はずみ車蒸気タービン（８ｂ）の気化熱回収器（２ｂ）により気化熱を水道水（５２ｃ）により１００℃に近い水道水温熱（５２ｄ）で回収して貯蔵需要家に供給すると共に、水道水温熱利用の各種調理設備機器を供給することを特徴としたエネルギ保存サイクル合体機関。
【請求項４６７】
はずみ車蒸気タービン（８ｂ）の気化熱回収器（２ｂ）により気化熱を水道水（５２ｃ）により水道水温熱（５２ｄ）で回収して貯蔵需要家に供給すると共に、水道水温熱利用の各種設備機器を供給することを特徴としたＡ型エネルギ保存サイクル合体機関。
【請求項４６８】
はずみ車蒸気タービン（８ｂ）の気化熱回収器（２ｂ）により気化熱を水道水（５２ｃ）により水道水温熱（５２ｄ）で回収して貯蔵需要家に供給すると共に、水道水温熱利用の各種設備機器を供給することを特徴としたエネルギ保存サイクル合体機関。
【請求項４６９】
はずみ車蒸気タービン（８ｂ）の気化熱回収器（２ｂ）により気化熱を水道水（５２ｃ）により１００℃に近い水道水温熱（５２ｄ）で回収して貯蔵需要家に供給すると共に、水道水温熱利用の各種設備機器を供給することを特徴としたＡ型エネルギ保存サイクル合体機関。
【請求項４７０】
はずみ車蒸気タービン（８ｂ）の気化熱回収器（２ｂ）により気化熱を水道水（５２ｃ）により１００℃に近い水道水温熱（５２ｄ）で回収して貯蔵需要家に供給すると共に、水道水温熱利用の各種設備機器を供給することを特徴としたエネルギ保存サイクル合体機関。
【請求項４７１】
はずみ車蒸気タービン（８ｂ）のタービン翼（８ｃ）は接線方向に水噴射して回転可能に具備することを特徴としたＡ型エネルギ保存サイクル合体機関。
【請求項４７２】
はずみ車蒸気タービン（８ｂ）のタービン翼（８ｃ）は接線方向に水噴射して回転可能に具備することを特徴としたエネルギ保存サイクル合体機関。
【請求項４７３】
はずみ車蒸気タービン（８ｂ）のタービン翼（８ｃ）は接線方向に水噴射して回転可能に多数具備することを特徴としたＡ型エネルギ保存サイクル合体機関。
【請求項４７４】
はずみ車蒸気タービン（８ｂ）のタービン翼（８ｃ）は接線方向に水噴射して回転可能に多数具備することを特徴としたエネルギ保存サイクル合体機関。
【請求項４７５】
はずみ車蒸気タービン（８ｂ）のタービン翼（８ｃ）は接線方向に水噴射して回転可能に非常に多数具備することを特徴としたＡ型エネルギ保存サイクル合体機関。
【請求項４７６】
はずみ車蒸気タービン（８ｂ）のタービン翼（８ｃ）は接線方向に水噴射して回転可能に非常に多数具備することを特徴としたエネルギ保存サイクル合体機関。
【請求項４７７】
はずみ車蒸気タービン（８ｂ）のタービン翼（８ｃ）は接線方向に水噴射して回転可能に具備して側板（８ｄ）で補強することを特徴としたＡ型エネルギ保存サイクル合体機関。
【請求項４７８】
はずみ車蒸気タービン（８ｂ）のタービン翼（８ｃ）は接線方向に水噴射して回転可能に具備して側板（８ｄ）で補強することを特徴としたエネルギ保存サイクル合体機関。
【請求項４７９】
はずみ車蒸気タービン（８ｂ）のタービン翼（８ｃ）は接線方向に水噴射して回転可能に多数具備して側板（８ｄ）で補強することを特徴としたＡ型エネルギ保存サイクル合体機関。
【請求項４８０】
はずみ車蒸気タービン（８ｂ）のタービン翼（８ｃ）は接線方向に水噴射して回転可能に多数具備して側板（８ｄ）で補強することを特徴としたエネルギ保存サイクル合体機関。
【請求項４８１】
はずみ車蒸気タービン（８ｂ）のタービン翼（８ｃ）は接線方向に水噴射して回転可能に非常に多数具備して側板（８ｄ）で補強することを特徴としたＡ型エネルギ保存サイクル合体機関。
【請求項４８２】
はずみ車蒸気タービン（８ｂ）のタービン翼（８ｃ）は接線方向に水噴射して回転可能に非常に多数具備して側板（８ｄ）で補強することを特徴としたエネルギ保存サイクル合体機関。
【請求項４８３】
はずみ車蒸気タービン（８ｂ）のタービン翼（８ｃ）は接線方向に水噴射して回転可能に具備して側板（８ｄ）で補強し、外箱（７７ａ）を具備することを特徴としたＡ型エネルギ保存サイクル合体機関。
【請求項４８４】
はずみ車蒸気タービン（８ｂ）のタービン翼（８ｃ）は接線方向に水噴射して回転可能に具備して側板（８ｄ）で補強し、外箱（７７ａ）を具備することを特徴としたエネルギ保存サイクル合体機関。
【請求項４８５】
はずみ車蒸気タービン（８ｂ）のタービン翼（８ｃ）は接線方向に水噴射して回転可能に多数具備して側板（８ｄ）で補強し、外箱（７７ａ）を具備することを特徴としたＡ型エネルギ保存サイクル合体機関。
【請求項４８６】
はずみ車蒸気タービン（８ｂ）のタービン翼（８ｃ）は接線方向に水噴射して回転可能に多数具備して側板（８ｄ）で補強し、外箱（７７ａ）を具備することを特徴としたエネルギ保存サイクル合体機関。
【請求項４８７】
はずみ車蒸気タービン（８ｂ）のタービン翼（８ｃ）は接線方向に水噴射して回転可能に非常に多数具備して側板（８ｄ）で補強し、外箱（７７ａ）を具備することを特徴としたＡ型エネルギ保存サイクル合体機関。
【請求項４８８】
はずみ車蒸気タービン（８ｂ）のタービン翼（８ｃ）は接線方向に水噴射して回転可能に非常に多数具備して側板（８ｄ）で補強し、外箱（７７ａ）を具備することを特徴としたエネルギ保存サイクル合体機関。
【請求項４８９】
はずみ車蒸気タービン（８ｂ）のタービン翼（８ｃ）はエネルギ保存サイクル機関のはずみ車に具備して、接線方向に水噴射して回転可能に具備して側板（８ｄ）で補強し、外箱（７７ａ）を具備することを特徴としたＡ型エネルギ保存サイクル合体機関。
【請求項４９０】
はずみ車蒸気タービン（８ｂ）のタービン翼（８ｃ）はエネルギ保存サイクル機関のはずみ車に具備して、接線方向に水噴射して回転可能に具備して側板（８ｄ）で補強し、外箱（７７ａ）を具備することを特徴としたエネルギ保存サイクル合体機関。
【請求項４９１】
はずみ車蒸気タービン（８ｂ）のタービン翼（８ｃ）はエネルギ保存サイクル機関のはずみ車に具備して、接線方向に水噴射して回転可能に多数具備して側板（８ｄ）で補強し、外箱（７７ａ）を具備することを特徴としたＡ型エネルギ保存サイクル合体機関。
【請求項４９２】
はずみ車蒸気タービン（８ｂ）のタービン翼（８ｃ）はエネルギ保存サイクル機関のはずみ車に具備して、接線方向に水噴射して回転可能に多数具備して側板（８ｄ）で補強し、外箱（７７ａ）を具備することを特徴としたエネルギ保存サイクル合体機関。
【請求項４９３】
はずみ車蒸気タービン（８ｂ）のタービン翼（８ｃ）はエネルギ保存サイクル機関のはずみ車に具備して、接線方向に水噴射して回転可能に非常に多数具備して側板（８ｄ）で補強し、外箱（７７ａ）を具備することを特徴としたＡ型エネルギ保存サイクル合体機関。
【請求項４９４】
はずみ車蒸気タービン（８ｂ）のタービン翼（８ｃ）はエネルギ保存サイクル機関のはずみ車に具備して、接線方向に水噴射して回転可能に非常に多数具備して側板（８ｄ）で補強し、外箱（７７ａ）を具備することを特徴としたエネルギ保存サイクル合体機関。
【請求項４９５】
はずみ車ガスタービン（８ａ）を具備することを特徴としたＡ型エネルギ保存サイクル合体機関。
【請求項４９６】
はずみ車ガスタービン（８ａ）を具備することを特徴としたエネルギ保存サイクル合体機関。
【請求項４９７】
はずみ車ガスタービン（８ａ）ガス排気室（５ｃ）を具備することを特徴としたＡ型エネルギ保存サイクル合体機関。
【請求項４９８】
はずみ車ガスタービン（８ａ）ガス排気室（５ｃ）を具備することを特徴としたエネルギ保存サイクル合体機関。
【請求項４９９】
はずみ車ガスタービン（８ａ）ガス排気室（５ｃ）を具備してはずみ車蒸気タービン（８ｂ）と分離することを特徴としたＡ型エネルギ保存サイクル合体機関。
【請求項５００】
はずみ車ガスタービン（８ａ）ガス排気室（５ｃ）を具備してはずみ車蒸気タービン（８ｂ）と分離することを特徴としたエネルギ保存サイクル合体機関。
【請求項５０１】
はずみ車ガスタービン（８ａ）ガス排気室（５ｃ）を具備してはずみ車蒸気タービン（８ｂ）と分離して空気抽出器（５１）を具備することを特徴としたＡ型エネルギ保存サイクル合体機関。
【請求項５０２】
はずみ車ガスタービン（８ａ）ガス排気室（５ｃ）を具備してはずみ車蒸気タービン（８ｂ）と分離して空気抽出器（５１）を具備することを特徴としたエネルギ保存サイクル合体機関。
【請求項５０３】
はずみ車ガスタービン（８ａ）ガス排気室（５ｃ）を具備してはずみ車蒸気タービン（８ｂ）と分離してガス抽出器（５１ａ）を具備することを特徴としたＡ型エネルギ保存サイクル合体機関。
【請求項５０４】
はずみ車ガスタービン（８ａ）ガス排気室（５ｃ）を具備してはずみ車蒸気タービン（８ｂ）と分離してガス抽出器（５１ａ）を具備することを特徴としたエネルギ保存サイクル合体機関。
【請求項５０５】
はずみ車ガスタービン（８ａ）ガス排気室（５ｃ）を具備してはずみ車蒸気タービン（８ｂ）と分離して空気抽出器（５１）を具備して真空を上昇することを特徴としたＡ型エネルギ保存サイクル合体機関。
【請求項５０６】
はずみ車ガスタービン（８ａ）ガス排気室（５ｃ）を具備してはずみ車蒸気タービン（８ｂ）と分離して空気抽出器（５１）を具備して真空を上昇することを特徴としたエネルギ保存サイクル合体機関。
【請求項５０７】
はずみ車ガスタービン（８ａ）ガス排気室（５ｃ）を具備してはずみ車蒸気タービン（８ｂ）と分離してガス抽出器（５１ａ）を具備して真空を上昇することを特徴としたＡ型エネルギ保存サイクル合体機関。
【請求項５０８】
はずみ車ガスタービン（８ａ）ガス排気室（５ｃ）を具備してはずみ車蒸気タービン（８ｂ）と分離してガス抽出器（５１ａ）を具備して真空を上昇することを特徴としたエネルギ保存サイクル合体機関。
【請求項５０９】
はずみ車ガスタービン（８ａ）ガス排気室（５ｃ）を具備してはずみ車蒸気タービン（８ｂ）と分離して空気抽出器（５１）を具備して真空を上昇して外部の冷熱回収器（１０３）を駆動することを特徴としたＡ型エネルギ保存サイクル合体機関。
【請求項５１０】
はずみ車ガスタービン（８ａ）ガス排気室（５ｃ）を具備してはずみ車蒸気タービン（８ｂ）と分離して空気抽出器（５１）を具備して真空を上昇して外部の冷熱回収器（１０３）を駆動することを特徴としたエネルギ保存サイクル合体機関。
【請求項５１１】
はずみ車ガスタービン（８ａ）ガス排気室（５ｃ）を具備してはずみ車蒸気タービン（８ｂ）と分離してガス抽出器（５１ａ）を具備して真空を上昇して外部の冷熱回収器（１０３）を駆動することを特徴としたＡ型エネルギ保存サイクル合体機関。
【請求項５１２】
はずみ車ガスタービン（８ａ）ガス排気室（５ｃ）を具備してはずみ車蒸気タービン（８ｂ）と分離してガス抽出器（５１ａ）を具備して真空を上昇して外部の冷熱回収器（１０３）を駆動することを特徴としたエネルギ保存サイクル合体機関。
【請求項５１３】
はずみ車ガスタービン（８ａ）ガス排気室（５ｃ）を具備してはずみ車蒸気タービン（８ｂ）と分離して空気抽出器（５１）を具備して真空を上昇して外部の冷熱回収器（１０３）を駆動して水道水冷熱（５２ｅ）を回収することを特徴としたＡ型エネルギ保存サイクル合体機関。
【請求項５１４】
はずみ車ガスタービン（８ａ）ガス排気室（５ｃ）を具備してはずみ車蒸気タービン（８ｂ）と分離して空気抽出器（５１）を具備して真空を上昇して外部の冷熱回収器（１０３）を駆動して水道水冷熱（５２ｅ）を回収することを特徴としたエネルギ保存サイクル合体機関。
【請求項５１５】
はずみ車ガスタービン（８ａ）ガス排気室（５ｃ）を具備してはずみ車蒸気タービン（８ｂ）と分離してガス抽出器（５１ａ）を具備して真空を上昇して外部の冷熱回収器（１０３）を駆動して水道水冷熱（５２ｅ）を回収することを特徴としたＡ型エネルギ保存サイクル合体機関。
【請求項５１６】
はずみ車ガスタービン（８ａ）ガス排気室（５ｃ）を具備してはずみ車蒸気タービン（８ｂ）と分離してガス抽出器（５１ａ）を具備して真空を上昇して外部の冷熱回収器（１０３）を駆動して水道水冷熱（５２ｅ）を回収することを特徴としたエネルギ保存サイクル合体機関。
【請求項５１７】
はずみ車ガスタービン（８ａ）ガス排気室（５ｃ）を具備してはずみ車蒸気タービン（８ｂ）と分離して空気抽出器（５１）を具備して真空を上昇して外部の冷熱回収器（１０３）と（１０３ａ）を駆動して水道水冷熱（５２ｅ）を回収することを特徴としたＡ型エネルギ保存サイクル合体機関。
【請求項５１８】
はずみ車ガスタービン（８ａ）ガス排気室（５ｃ）を具備してはずみ車蒸気タービン（８ｂ）と分離して空気抽出器（５１）を具備して真空を上昇して外部の冷熱回収器（１０３）と（１０３ａ）を駆動して水道水冷熱（５２ｅ）を回収することを特徴としたエネルギ保存サイクル合体機関。
【請求項５１９】
はずみ車ガスタービン（８ａ）ガス排気室（５ｃ）を具備してはずみ車蒸気タービン（８ｂ）と分離してガス抽出器（５１ａ）を具備して真空を上昇して外部の冷熱回収器（１０３）と（１０３ａ）を駆動して水道水冷熱（５２ｅ）を回収することを特徴としたＡ型エネルギ保存サイクル合体機関。
【請求項５２０】
はずみ車ガスタービン（８ａ）ガス排気室（５ｃ）を具備してはずみ車蒸気タービン（８ｂ）と分離してガス抽出器（５１ａ）を具備して真空を上昇して外部の冷熱回収器（１０３）と（１０３ａ）を駆動して水道水冷熱（５２ｅ）を回収することを特徴としたエネルギ保存サイクル合体機関。
【請求項５２１】
はずみ車ガスタービン（８ａ）ガス排気室（５ｃ）を具備してはずみ車蒸気タービン（８ｂ）と分離して空気抽出器（５１）を具備して真空を上昇して外部の冷熱回収器（１０３）と（１０３ａ）を駆動して水道水冷熱（５２ｅ）を回収貯蔵することを特徴としたＡ型エネルギ保存サイクル合体機関。
【請求項５２２】
はずみ車ガスタービン（８ａ）ガス排気室（５ｃ）を具備してはずみ車蒸気タービン（８ｂ）と分離して空気抽出器（５１）を具備して真空を上昇して外部の冷熱回収器（１０３）と（１０３ａ）を駆動して水道水冷熱（５２ｅ）を回収貯蔵することを特徴としたエネルギ保存サイクル合体機関。
【請求項５２３】
はずみ車ガスタービン（８ａ）ガス排気室（５ｃ）を具備してはずみ車蒸気タービン（８ｂ）と分離してガス抽出器（５１ａ）を具備して真空を上昇して外部の冷熱回収器（１０３）と（１０３ａ）を駆動して水道水冷熱（５２ｅ）を回収貯蔵することを特徴としたＡ型エネルギ保存サイクル合体機関。
【請求項５２４】
はずみ車ガスタービン（８ａ）ガス排気室（５ｃ）を具備してはずみ車蒸気タービン（８ｂ）と分離してガス抽出器（５１ａ）を具備して真空を上昇して外部の冷熱回収器（１０３）と（１０３ａ）を駆動して水道水冷熱（５２ｅ）を回収貯蔵することを特徴としたエネルギ保存サイクル合体機関。
【請求項５２５】
はずみ車ガスタービン（８ａ）ガス排気室（５ｃ）を具備してはずみ車蒸気タービン（８ｂ）と分離して空気抽出器（５１）を具備して真空を上昇して外部の冷熱回収器（１０３）と（１０３ａ）を駆動して水道水冷熱（５２ｅ）を回収貯蔵して需要家に供給することを特徴としたＡ型エネルギ保存サイクル合体機関。
【請求項５２６】
はずみ車ガスタービン（８ａ）ガス排気室（５ｃ）を具備してはずみ車蒸気タービン（８ｂ）と分離して空気抽出器（５１）を具備して真空を上昇して外部の冷熱回収器（１０３）と（１０３ａ）を駆動して水道水冷熱（５２ｅ）を回収貯蔵して需要家に供給することを特徴としたエネルギ保存サイクル合体機関。
【請求項５２７】
はずみ車ガスタービン（８ａ）ガス排気室（５ｃ）を具備してはずみ車蒸気タービン（８ｂ）と分離してガス抽出器（５１ａ）を具備して真空を上昇して外部の冷熱回収器（１０３）と（１０３ａ）を駆動して水道水冷熱（５２ｅ）を回収貯蔵して需要家に供給することを特徴としたＡ型エネルギ保存サイクル合体機関。
【請求項５２８】
はずみ車ガスタービン（８ａ）ガス排気室（５ｃ）を具備してはずみ車蒸気タービン（８ｂ）と分離してガス抽出器（５１ａ）を具備して真空を上昇して外部の冷熱回収器（１０３）と（１０３ａ）を駆動して水道水冷熱（５２ｅ）を回収貯蔵して需要家に供給することを特徴としたエネルギ保存サイクル合体機関。
【請求項５２９】
はずみ車ガスタービン（８ａ）ガス排気室（５ｃ）を具備してはずみ車蒸気タービン（８ｂ）と分離して冷熱回収器（１０３ａ）を具備することを特徴としたＡ型エネルギ保存サイクル合体機関。
【請求項５３０】
はずみ車ガスタービン（８ａ）ガス排気室（５ｃ）を具備してはずみ車蒸気タービン（８ｂ）と分離して冷熱回収器（１０３ａ）を具備することを特徴としたエネルギ保存サイクル合体機関。
【請求項５３１】
はずみ車ガスタービン（８ａ）ガス排気室（５ｃ）を具備してはずみ車蒸気タービン（８ｂ）と分離して冷熱回収器（１０３ａ）を具備して冷水（５２ｈ）を回収することを特徴としたＡ型エネルギ保存サイクル合体機関。
【請求項５３２】
はずみ車ガスタービン（８ａ）ガス排気室（５ｃ）を具備してはずみ車蒸気タービン（８ｂ）と分離して冷熱回収器（１０３ａ）を具備して冷水（５２ｈ）を回収することを特徴としたエネルギ保存サイクル合体機関。
【請求項５３３】
はずみ車ガスタービン（８ａ）ガス排気室（５ｃ）に冷熱回収器（１０３ａ）を具備して冷水（５２ｈ）を回収することを特徴としたＡ型エネルギ保存サイクル合体機関。
【請求項５３４】
はずみ車ガスタービン（８ａ）ガス排気室（５ｃ）に冷熱回収器（１０３ａ）を具備して冷水（５２ｈ）を回収することを特徴としたエネルギ保存サイクル合体機関。
【請求項５３５】
はずみ車ガスタービン（８ａ）ガス排気室（５ｃ）に冷熱回収器（１０３ａ）を具備して冷水（５２ｈ）を回収して冷水噴射ノズル（６Ｇ）に供給することを特徴としたＡ型エネルギ保存サイクル合体機関。
【請求項５３６】
はずみ車ガスタービン（８ａ）ガス排気室（５ｃ）に冷熱回収器（１０３ａ）を具備して冷水（５２ｈ）を回収して冷水噴射ノズル（６Ｇ）に供給することを特徴としたエネルギ保存サイクル合体機関。
【請求項５３７】
はずみ車ガスタービン（８ａ）ガス排気室（５ｃ）に冷熱回収器（１０３ａ）を具備して冷水（５２ｈ）を回収して冷水噴射ノズル（６Ｇ）に供給して燃焼ガス噴射ノズル（６Ｃ）より噴射することを特徴としたＡ型エネルギ保存サイクル合体機関。
【請求項５３８】
はずみ車ガスタービン（８ａ）ガス排気室（５ｃ）に冷熱回収器（１０３ａ）を具備して冷水（５２ｈ）を回収して冷水噴射ノズル（６Ｇ）に供給して燃焼ガス噴射ノズル（６Ｃ）より噴射することを特徴としたエネルギ保存サイクル合体機関。
【請求項５３９】
はずみ車ガスタービン（８ａ）の冷熱回収器（１０３ａ）により冷水（５２ｈ）を回収して冷水噴射ノズル（６Ｇ）に供給することを特徴としたＡ型エネルギ保存サイクル合体機関。
【請求項５４０】
はずみ車ガスタービン（８ａ）の冷熱回収器（１０３ａ）により冷水（５２ｈ）を回収して冷水噴射ノズル（６Ｇ）に供給することを特徴としたエネルギ保存サイクル合体機関。
【請求項５４１】
はずみ車ガスタービン（８ａ）の冷熱回収器（１０３ａ）により冷水（５２ｈ）を回収して冷水噴射ノズル（６Ｇ）に供給して燃焼ガス噴射ノズル（６Ｃ）より噴射することを特徴としたＡ型エネルギ保存サイクル合体機関。
【請求項５４２】
はずみ車ガスタービン（８ａ）の冷熱回収器（１０３ａ）により冷水（５２ｈ）を回収して冷水噴射ノズル（６Ｇ）に供給して燃焼ガス噴射ノズル（６Ｃ）より噴射することを特徴としたエネルギ保存サイクル合体機関。
【請求項５４３】
はずみ車ガスタービン（８ａ）の冷熱回収器（１０３ａ）により冷水（５２ｈ）を回収して冷水噴射ノズル（６Ｇ）に供給して燃焼ガス噴射ノズル（６Ｃ）より噴射して回転出力を発生することを特徴としたＡ型エネルギ保存サイクル合体機関。
【請求項５４４】
はずみ車ガスタービン（８ａ）の冷熱回収器（１０３ａ）により冷水（５２ｈ）を回収して冷水噴射ノズル（６Ｇ）に供給して燃焼ガス噴射ノズル（６Ｃ）より噴射して回転出力を発生することを特徴としたエネルギ保存サイクル合体機関。
【請求項５４５】
はずみ車ガスタービン（８ａ）の冷熱回収器（１０３ａ）により冷水（５２ｈ）を回収して冷水噴射ノズル（６Ｇ）に供給して燃焼ガス噴射ノズル（６Ｃ）より噴射して回転出力を発生し、燃焼ガス溶解水（５２ｇ）にすることを特徴としたＡ型エネルギ保存サイクル合体機関。
【請求項５４６】
はずみ車ガスタービン（８ａ）の冷熱回収器（１０３ａ）により冷水（５２ｈ）を回収して冷水噴射ノズル（６Ｇ）に供給して燃焼ガス噴射ノズル（６Ｃ）より噴射して回転出力を発生し、燃焼ガス溶解水（５２ｇ）にすることを特徴としたエネルギ保存サイクル合体機関。
【請求項５４７】
はずみ車ガスタービン（８ａ）の冷熱回収器（１０３ａ）により冷水（５２ｈ）を回収して冷水噴射ノズル（６Ｇ）に供給して燃焼ガス噴射ノズル（６Ｃ）より噴射して回転出力を発生し、燃焼ガス溶解水（５２ｇ）にして冷熱回収器（１０３）に供給することを特徴としたＡ型エネルギ保存サイクル合体機関。
【請求項５４８】
はずみ車ガスタービン（８ａ）の冷熱回収器（１０３ａ）により冷水（５２ｈ）を回収して冷水噴射ノズル（６Ｇ）に供給して燃焼ガス噴射ノズル（６Ｃ）より噴射して回転出力を発生し、燃焼ガス溶解水（５２ｇ）にして冷熱回収器（１０３）に供給することを特徴としたエネルギ保存サイクル合体機関。
【請求項５４９】
はずみ車ガスタービン（８ａ）の冷熱回収器（１０３ａ）により冷水（５２ｈ）を回収して冷水噴射ノズル（６Ｇ）に供給して燃焼ガス噴射ノズル（６Ｃ）より噴射して回転出力を発生し、燃焼ガス溶解水（５２ｇ）にして冷熱回収器（１０３）に供給して水道水冷熱（５２ｅ）を冷熱回収器（１０３ａ）に供給することを特徴としたＡ型エネルギ保存サイクル合体機関。
【請求項５５０】
はずみ車ガスタービン（８ａ）の冷熱回収器（１０３ａ）により冷水（５２ｈ）を回収して冷水噴射ノズル（６Ｇ）に供給して燃焼ガス噴射ノズル（６Ｃ）より噴射して回転出力を発生し、燃焼ガス溶解水（５２ｇ）にして冷熱回収器（１０３）に供給して水道水冷熱（５２ｅ）を冷熱回収器（１０３ａ）に供給することを特徴としたエネルギ保存サイクル合体機関。
【請求項５５１】
はずみ車ガスタービン（８ａ）の冷熱回収器（１０３ａ）により冷水（５２ｈ）を回収して冷水噴射ノズル（６Ｇ）に供給して燃焼ガス噴射ノズル（６Ｃ）より噴射して回転出力を発生し、燃焼ガス溶解水（５２ｇ）にして冷熱回収器（１０３）に供給して水道水冷熱（５２ｅ）を冷熱回収器（１０３ａ）に供給して０℃以上で水道水冷熱と冷水（５２ｈ）に分割することを特徴としたＡ型エネルギ保存サイクル合体機関。
【請求項５５２】
はずみ車ガスタービン（８ａ）の冷熱回収器（１０３ａ）により冷水（５２ｈ）を回収して冷水噴射ノズル（６Ｇ）に供給して燃焼ガス噴射ノズル（６Ｃ）より噴射して回転出力を発生し、燃焼ガス溶解水（５２ｇ）にして冷熱回収器（１０３）に供給して水道水冷熱（５２ｅ）を冷熱回収器（１０３ａ）に供給して０℃以上で水道水冷熱と冷水（５２ｈ）に分割することを特徴としたエネルギ保存サイクル合体機関。
【請求項５５３】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割することを特徴としたＡ型エネルギ保存サイクル合体機関。
【請求項５５４】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割することを特徴としたエネルギ保存サイクル合体機関。
【請求項５５５】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御することを特徴としたＡ型エネルギ保存サイクル合体機関。
【請求項５５６】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御することを特徴としたエネルギ保存サイクル合体機関。
【請求項５５７】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して夫々０℃以上にすることを特徴としたＡ型エネルギ保存サイクル合体機関。
【請求項５５８】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して夫々０℃以上にすることを特徴としたエネルギ保存サイクル合体機関。
【請求項５５９】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して夫々０℃以上で需要家と冷水噴射ノズル（６Ｇ）に供給することを特徴としたＡ型エネルギ保存サイクル合体機関。
【請求項５６０】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して夫々０℃以上で需要家と冷水噴射ノズル（６Ｇ）に供給することを特徴としたエネルギ保存サイクル合体機関。
【請求項５６１】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して０℃以上で冷水噴射ノズル（６Ｇ）に供給することを特徴としたＡ型エネルギ保存サイクル合体機関。
【請求項５６２】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して０℃以上で冷水噴射ノズル（６Ｇ）に供給することを特徴としたエネルギ保存サイクル合体機関。
【請求項５６３】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して０℃以上で冷水噴射ノズル（６Ｇ）に供給して燃焼ガス噴射ノズル（６Ｃ）より噴射することを特徴としたＡ型エネルギ保存サイクル合体機関。
【請求項５６４】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して０℃以上で冷水噴射ノズル（６Ｇ）に供給して燃焼ガス噴射ノズル（６Ｃ）より噴射することを特徴としたエネルギ保存サイクル合体機関。
【請求項５６５】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して０℃以上で冷水噴射ノズル（６Ｇ）に供給して燃焼ガス噴射ノズル（６Ｄ）より噴射することを特徴としたＡ型エネルギ保存サイクル合体機関。
【請求項５６６】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して０℃以上で冷水噴射ノズル（６Ｇ）に供給して燃焼ガス噴射ノズル（６Ｄ）より噴射することを特徴としたエネルギ保存サイクル合体機関。
【請求項５６７】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して０℃以上で冷水噴射ノズル（６Ｇ）に供給して燃焼ガス噴射ノズル（６Ｃ）の燃焼ガス（４９）爆発力により噴射することを特徴としたＡ型エネルギ保存サイクル合体機関。
【請求項５６８】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して０℃以上で冷水噴射ノズル（６Ｇ）に供給して燃焼ガス噴射ノズル（６Ｃ）の燃焼ガス（４９）爆発力により噴射することを特徴としたエネルギ保存サイクル合体機関。
【請求項５６９】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して０℃以上で冷水噴射ノズル（６Ｇ）に供給して燃焼ガス噴射ノズル（６Ｄ）の燃焼ガス（４９）爆発力により噴射することを特徴としたＡ型エネルギ保存サイクル合体機関。
【請求項５７０】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して０℃以上で冷水噴射ノズル（６Ｇ）に供給して燃焼ガス噴射ノズル（６Ｄ）の燃焼ガス（４９）爆発力により噴射することを特徴としたエネルギ保存サイクル合体機関。
【請求項５７１】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して０℃以上で冷水噴射ノズル（６Ｇ）に供給して燃焼ガス噴射ノズル（６Ｃ）の燃焼ガス（４９）爆発力によりはずみ車ガスタービン（８ａ）に噴射することを特徴としたＡ型エネルギ保存サイクル合体機関。
【請求項５７２】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して０℃以上で冷水噴射ノズル（６Ｇ）に供給して燃焼ガス噴射ノズル（６Ｃ）の燃焼ガス（４９）爆発力によりはずみ車ガスタービン（８ａ）に噴射することを特徴としたエネルギ保存サイクル合体機関。
【請求項５７３】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して０℃以上で冷水噴射ノズル（６Ｇ）に供給して燃焼ガス噴射ノズル（６Ｄ）の燃焼ガス（４９）爆発力によりはずみ車ガスタービン（８ａ）に噴射することを特徴としたＡ型エネルギ保存サイクル合体機関。
【請求項５７４】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して０℃以上で冷水噴射ノズル（６Ｇ）に供給して燃焼ガス噴射ノズル（６Ｄ）の燃焼ガス（４９）爆発力によりはずみ車ガスタービン（８ａ）に噴射することを特徴としたエネルギ保存サイクル合体機関。
【請求項５７５】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して０℃以上で冷水噴射ノズル（６Ｇ）に供給して燃焼ガス噴射ノズル（６Ｃ）の燃焼ガス（４９）爆発力によりはずみ車ガスタービン（８ａ）に噴射して回転出力を発生することを特徴としたＡ型エネルギ保存サイクル合体機関。
【請求項５７６】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して０℃以上で冷水噴射ノズル（６Ｇ）に供給して燃焼ガス噴射ノズル（６Ｃ）の燃焼ガス（４９）爆発力によりはずみ車ガスタービン（８ａ）に噴射して回転出力を発生することを特徴としたエネルギ保存サイクル合体機関。
【請求項５７７】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して０℃以上で冷水噴射ノズル（６Ｇ）に供給して燃焼ガス噴射ノズル（６Ｄ）の燃焼ガス（４９）爆発力によりはずみ車ガスタービン（８ａ）に噴射して回転出力を発生することを特徴としたＡ型エネルギ保存サイクル合体機関。
【請求項５７８】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して０℃以上で冷水噴射ノズル（６Ｇ）に供給して燃焼ガス噴射ノズル（６Ｄ）の燃焼ガス（４９）爆発力によりはずみ車ガスタービン（８ａ）に噴射して回転出力を発生することを特徴としたエネルギ保存サイクル合体機関。
【請求項５７９】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して０℃以上で需要家に供給することを特徴としたＡ型エネルギ保存サイクル合体機関。
【請求項５８０】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して０℃以上で需要家に供給することを特徴としたエネルギ保存サイクル合体機関。
【請求項５８１】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して０℃以上の水道水冷熱（５２ｅ）で需要家に供給することを特徴としたＡ型エネルギ保存サイクル合体機関。
【請求項５８２】
はずみ車ガスタービン（８ａ）の水道水冷熱（５２ｅ）を冷熱回収器（１０３ａ）に供給して０℃以上で水道水冷熱（５２ｅ）と冷水（５２ｈ）に分割流量温度制御して０℃以上の水道水冷熱（５２ｅ）で需要家に供給することを特徴としたエネルギ保存サイクル合体機関。
【請求項５８３】
はずみ車ガスタービン（８ａ）の冷熱回収器（１０３ａ）に水道水（５２ｃ）を供給して０℃以上で水道水冷熱（５２ｅ）と冷水（５２ｈ）に分割流量温度制御して０℃以上の冷水（５２ｈ）を冷水噴射ノズル（６Ｇ）に供給することを特徴としたＡ型エネルギ保存サイクル合体機関。
【請求項５８４】
はずみ車ガスタービン（８ａ）の冷熱回収器（１０３ａ）に水道水（５２ｃ）を供給して０℃以上で水道水冷熱（５２ｅ）と冷水（５２ｈ）に分割流量温度制御して０℃以上の冷水（５２ｈ）を冷水噴射ノズル（６Ｇ）に供給することを特徴としたエネルギ保存サイクル合体機関。
【請求項５８５】
はずみ車ガスタービン（８ａ）の冷熱回収器（１０３ａ）に水道水（５２ｃ）を供給して０℃以上で水道水冷熱（５２ｅ）と冷水（５２ｈ）に分割流量温度制御して０℃以上の冷水（５２ｈ）を冷水噴射ノズル（６Ｇ）に供給して燃焼ガス噴射ノズル（６Ｃ）から噴射することを特徴としたＡ型エネルギ保存サイクル合体機関。
【請求項５８６】
はずみ車ガスタービン（８ａ）の冷熱回収器（１０３ａ）に水道水（５２ｃ）を供給して０℃以上で水道水冷熱（５２ｅ）と冷水（５２ｈ）に分割流量温度制御して０℃以上の冷水（５２ｈ）を冷水噴射ノズル（６Ｇ）に供給して燃焼ガス噴射ノズル（６Ｃ）から噴射することを特徴としたエネルギ保存サイクル合体機関。
【請求項５８７】
はずみ車ガスタービン（８ａ）の冷熱回収器（１０３ａ）に水道水（５２ｃ）を供給して０℃以上で水道水冷熱（５２ｅ）と冷水（５２ｈ）に分割流量温度制御して０℃以上の冷水（５２ｈ）を冷水噴射ノズル（６Ｇ）に供給して燃焼ガス噴射ノズル（６Ｄ）から噴射することを特徴としたＡ型エネルギ保存サイクル合体機関。
【請求項５８８】
はずみ車ガスタービン（８ａ）の冷熱回収器（１０３ａ）に水道水（５２ｃ）を供給して０℃以上で水道水冷熱（５２ｅ）と冷水（５２ｈ）に分割流量温度制御して０℃以上の冷水（５２ｈ）を冷水噴射ノズル（６Ｇ）に供給して燃焼ガス噴射ノズル（６Ｄ）から噴射することを特徴としたエネルギ保存サイクル合体機関。
【請求項５８９】
はずみ車ガスタービン（８ａ）の冷熱回収器（１０３ａ）に水道水（５２ｃ）を供給して０℃以上で水道水冷熱（５２ｅ）と冷水（５２ｈ）に分割流量温度制御して０℃以上の冷水（５２ｈ）を冷水噴射ノズル（６Ｇ）に供給して燃焼ガス噴射ノズル（６Ｃ）燃焼ガス爆発力により噴射することを特徴としたＡ型エネルギ保存サイクル合体機関。
【請求項５９０】
はずみ車ガスタービン（８ａ）の冷熱回収器（１０３ａ）に水道水（５２ｃ）を供給して０℃以上で水道水冷熱（５２ｅ）と冷水（５２ｈ）に分割流量温度制御して０℃以上の冷水（５２ｈ）を冷水噴射ノズル（６Ｇ）に供給して燃焼ガス噴射ノズル（６Ｃ）燃焼ガス爆発力により噴射することを特徴としたエネルギ保存サイクル合体機関。
【請求項５９１】
はずみ車ガスタービン（８ａ）の冷熱回収器（１０３ａ）に水道水（５２ｃ）を供給して０℃以上で水道水冷熱（５２ｅ）と冷水（５２ｈ）に分割流量温度制御して０℃以上の冷水（５２ｈ）を冷水噴射ノズル（６Ｇ）に供給して燃焼ガス噴射ノズル（６Ｄ）燃焼ガス爆発力により噴射することを特徴としたＡ型エネルギ保存サイクル合体機関。
【請求項５９２】
はずみ車ガスタービン（８ａ）の冷熱回収器（１０３ａ）に水道水（５２ｃ）を供給して０℃以上で水道水冷熱（５２ｅ）と冷水（５２ｈ）に分割流量温度制御して０℃以上の冷水（５２ｈ）を冷水噴射ノズル（６Ｇ）に供給して燃焼ガス噴射ノズル（６Ｄ）燃焼ガス爆発力により噴射することを特徴としたエネルギ保存サイクル合体機関。
【請求項５９３】
はずみ車ガスタービン（８ａ）の冷熱回収器（１０３ａ）に水道水（５２ｃ）を供給して０℃以上で水道水冷熱（５２ｅ）と冷水（５２ｈ）に分割流量温度制御して０℃以上の冷水（５２ｈ）を冷水噴射ノズル（６Ｇ）に供給して燃焼ガス噴射ノズル（６Ｃ）燃焼ガス爆発力により噴射して回転出力を発生することを特徴としたＡ型エネルギ保存サイクル合体機関。
【請求項５９４】
はずみ車ガスタービン（８ａ）の冷熱回収器（１０３ａ）に水道水（５２ｃ）を供給して０℃以上で水道水冷熱（５２ｅ）と冷水（５２ｈ）に分割流量温度制御して０℃以上の冷水（５２ｈ）を冷水噴射ノズル（６Ｇ）に供給して燃焼ガス噴射ノズル（６Ｃ）燃焼ガス爆発力により噴射して回転出力を発生することを特徴としたエネルギ保存サイクル合体機関。
【請求項５９５】
はずみ車ガスタービン（８ａ）の冷熱回収器（１０３ａ）に水道水（５２ｃ）を供給して０℃以上で水道水冷熱（５２ｅ）と冷水（５２ｈ）に分割流量温度制御して０℃以上の冷水（５２ｈ）を冷水噴射ノズル（６Ｇ）に供給して燃焼ガス噴射ノズル（６Ｄ）燃焼ガス爆発力により噴射して回転出力を発生することを特徴としたＡ型エネルギ保存サイクル合体機関。
【請求項５９６】
はずみ車ガスタービン（８ａ）の冷熱回収器（１０３ａ）に水道水（５２ｃ）を供給して０℃以上で水道水冷熱（５２ｅ）と冷水（５２ｈ）に分割流量温度制御して０℃以上の冷水（５２ｈ）を冷水噴射ノズル（６Ｇ）に供給して燃焼ガス噴射ノズル（６Ｄ）燃焼ガス爆発力により噴射して回転出力を発生することを特徴としたエネルギ保存サイクル合体機関。
【請求項５９７】
はずみ車ガスタービン（８ａ）の冷熱回収器（１０３ａ）に水道水（５２ｃ）を供給して０℃以上で水道水冷熱（５２ｅ）と冷水（５２ｈ）に分割流量温度制御して０℃以上の冷水（５２ｈ）を冷水噴射ノズル（６Ｇ）に供給して燃焼ガス噴射ノズル（６Ｃ）燃焼ガス爆発力により噴射してはずみ車ガスタービン（８ａ）を駆動することを特徴としたＡ型エネルギ保存サイクル合体機関。
【請求項５９８】
はずみ車ガスタービン（８ａ）の冷熱回収器（１０３ａ）に水道水（５２ｃ）を供給して０℃以上で水道水冷熱（５２ｅ）と冷水（５２ｈ）に分割流量温度制御して０℃以上の冷水（５２ｈ）を冷水噴射ノズル（６Ｇ）に供給して燃焼ガス噴射ノズル（６Ｃ）燃焼ガス爆発力により噴射してはずみ車ガスタービン（８ａ）を駆動することを特徴としたエネルギ保存サイクル合体機関。
【請求項５９９】
はずみ車ガスタービン（８ａ）の冷熱回収器（１０３ａ）に水道水（５２ｃ）を供給して０℃以上で水道水冷熱（５２ｅ）と冷水（５２ｈ）に分割流量温度制御して０℃以上の冷水（５２ｈ）を冷水噴射ノズル（６Ｇ）に供給して燃焼ガス噴射ノズル（６Ｄ）燃焼ガス爆発力により噴射してはずみ車ガスタービン（８ａ）を駆動することを特徴としたＡ型エネルギ保存サイクル合体機関。
【請求項６００】
はずみ車ガスタービン（８ａ）の冷熱回収器（１０３ａ）に水道水（５２ｃ）を供給して０℃以上で水道水冷熱（５２ｅ）と冷水（５２ｈ）に分割流量温度制御して０℃以上の冷水（５２ｈ）を冷水噴射ノズル（６Ｇ）に供給して燃焼ガス噴射ノズル（６Ｄ）燃焼ガス爆発力により噴射してはずみ車ガスタービン（８ａ）を駆動することを特徴としたエネルギ保存サイクル合体機関。
【請求項６０１】
はずみ車ガスタービン（８ａ）の冷熱回収器（１０３ａ）に水道水（５２ｃ）を供給して０℃以上で水道水冷熱（５２ｅ）と冷水（５２ｈ）に分割流量温度制御して０℃以上の水道水冷熱（５２ｅ）を需要家に供給することを特徴としたＡ型エネルギ保存サイクル合体機関。
【請求項６０２】
はずみ車ガスタービン（８ａ）の冷熱回収器（１０３ａ）に水道水（５２ｃ）を供給して０℃以上で水道水冷熱（５２ｅ）と冷水（５２ｈ）に分割流量温度制御して０℃以上の水道水冷熱（５２ｅ）を需要家に供給することを特徴としたエネルギ保存サイクル合体機関。
【請求項６０３】
はずみ車ガスタービン（８ａ）の冷熱回収器（１０３ａ）に水道水（５２ｃ）を供給して０℃以上で水道水冷熱（５２ｅ）と冷水（５２ｈ）に分割流量温度制御して０℃以上の水道水冷熱（５２ｅ）を需要家に供給すると共に、水道水冷熱（５２ｅ）利用の各種設備機器を供給することを特徴としたＡ型エネルギ保存サイクル合体機関。
【請求項６０４】
はずみ車ガスタービン（８ａ）の冷熱回収器（１０３ａ）に水道水（５２ｃ）を供給して０℃以上で水道水冷熱（５２ｅ）と冷水（５２ｈ）に分割流量温度制御して０℃以上の水道水冷熱（５２ｅ）を需要家に供給すると共に、水道水冷熱（５２ｅ）利用の各種設備機器を供給することを特徴としたエネルギ保存サイクル合体機関。
【請求項６０５】
はずみ車ガスタービン（８ａ）燃焼ガス噴射ノズル（６Ｄ）の燃焼ガス溜（９５ａ）に水道水冷熱（５２ｅ）で冷却した燃焼ガス（４９）を供給することを特徴としたＡ型エネルギ保存サイクル合体機関。
【請求項６０６】
はずみ車ガスタービン（８ａ）燃焼ガス噴射ノズル（６Ｄ）の燃焼ガス溜（９５ａ）に水道水冷熱（５２ｅ）で冷却した燃焼ガス（４９）を供給することを特徴としたエネルギ保存サイクル合体機関。
【請求項６０７】
はずみ車ガスタービン（８ａ）燃焼ガス噴射ノズル（６Ｄ）の燃焼ガス溜（９５ａ）に水道水冷熱（５２ｅ）で冷却した燃焼ガス（４９）を供給することを特徴としたＡ型エネルギ保存サイクル合体機関。
【請求項６０８】
はずみ車ガスタービン（８ａ）燃焼ガス噴射ノズル（６Ｄ）の燃焼ガス溜（９５ａ）に水道水冷熱（５２ｅ）で冷却した燃焼ガス（４９）を供給することを特徴としたエネルギ保存サイクル合体機関。
【請求項６０９】
はずみ車ガスタービン（８ａ）燃焼ガス噴射ノズル（６Ｄ）の不用燃焼ガス溜（９５ｄ）に不用液化燃焼ガス（１０７）を供給することを特徴としたＡ型エネルギ保存サイクル合体機関。
【請求項６１０】
はずみ車ガスタービン（８ａ）燃焼ガス噴射ノズル（６Ｄ）の不用燃焼ガス溜（９５ｄ）に不用液化燃焼ガス（１０７）を供給することを特徴としたエネルギ保存サイクル合体機関。
【請求項６１１】
はずみ車ガスタービン（８ａ）燃焼ガス噴射ノズル（６Ｄ）の不用燃焼ガス溜（９５ｄ）に不用液化燃焼ガス（１０７）を供給して不用燃焼ガス噴射ノズル（６Ｆ）より噴射することを特徴としたＡ型エネルギ保存サイクル合体機関。
【請求項６１２】
はずみ車ガスタービン（８ａ）燃焼ガス噴射ノズル（６Ｄ）の不用燃焼ガス溜（９５ｄ）に不用液化燃焼ガス（１０７）を供給して不用燃焼ガス噴射ノズル（６Ｆ）より噴射することを特徴としたエネルギ保存サイクル合体機関。
【請求項６１３】
はずみ車ガスタービン（８ａ）燃焼ガス噴射ノズル（６Ｄ）の不用燃焼ガス溜（９５ｄ）に不用液化燃焼ガス（１０７）を供給して燃焼ガス（４９）爆発力で不用燃焼ガス噴射ノズル（６Ｆ）より噴射することを特徴としたＡ型エネルギ保存サイクル合体機関。
【請求項６１４】
はずみ車ガスタービン（８ａ）燃焼ガス噴射ノズル（６Ｄ）の不用燃焼ガス溜（９５ｄ）に不用液化燃焼ガス（１０７）を供給して燃焼ガス（４９）爆発力で不用燃焼ガス噴射ノズル（６Ｆ）より噴射することを特徴としたエネルギ保存サイクル合体機関。
【請求項６１５】
はずみ車ガスタービン（８ａ）燃焼ガス噴射ノズル（６Ｄ）の不用燃焼ガス溜（９５ｄ）に不用液化燃焼ガス（１０７）を供給して燃焼ガス（４９）爆発力で不用燃焼ガス噴射ノズル（６Ｆ）と燃焼ガス噴射ノズル（６Ｄ）により噴射することを特徴としたＡ型エネルギ保存サイクル合体機関。
【請求項６１６】
はずみ車ガスタービン（８ａ）燃焼ガス噴射ノズル（６Ｄ）の不用燃焼ガス溜（９５ｄ）に不用液化燃焼ガス（１０７）を供給して燃焼ガス（４９）爆発力で不用燃焼ガス噴射ノズル（６Ｆ）と燃焼ガス噴射ノズル（６Ｄ）により噴射することを特徴としたエネルギ保存サイクル合体機関。
【請求項６１７】
はずみ車ガスタービン（８ａ）燃焼ガス噴射ノズル（６Ｄ）の不用燃焼ガス溜（９５ｄ）に不用液化燃焼ガス（１０７）を供給して燃焼ガス（４９）爆発力で不用燃焼ガス噴射ノズル（６Ｆ）と燃焼ガス噴射ノズル（６Ｄ）により噴射して回転出力を発生することを特徴としたＡ型エネルギ保存サイクル合体機関。
【請求項６１８】
はずみ車ガスタービン（８ａ）燃焼ガス噴射ノズル（６Ｄ）の不用燃焼ガス溜（９５ｄ）に不用液化燃焼ガス（１０７）を供給して燃焼ガス（４９）爆発力で不用燃焼ガス噴射ノズル（６Ｆ）と燃焼ガス噴射ノズル（６Ｄ）により噴射して回転出力を発生することを特徴としたエネルギ保存サイクル合体機関。
【請求項６１９】
はずみ車ガスタービン（８ａ）燃焼ガス噴射ノズル（６Ｄ）の不用燃焼ガス溜（９５ｄ）に不用液化燃焼ガス（１０７）を供給して燃焼ガス（４９）爆発力で不用燃焼ガス噴射ノズル（６Ｆ）と燃焼ガス噴射ノズル（６Ｄ）により噴射してはずみ車ガスタービン（８ａ）で回転出力を発生することを特徴としたＡ型エネルギ保存サイクル合体機関。
【請求項６２０】
はずみ車ガスタービン（８ａ）燃焼ガス噴射ノズル（６Ｄ）の不用燃焼ガス溜（９５ｄ）に不用液化燃焼ガス（１０７）を供給して燃焼ガス（４９）爆発力で不用燃焼ガス噴射ノズル（６Ｆ）と燃焼ガス噴射ノズル（６Ｄ）により噴射してはずみ車ガスタービン（８ａ）で回転出力を発生することを特徴としたエネルギ保存サイクル合体機関。
【請求項６２１】
はずみ車ガスタービン（８ａ）燃焼ガス噴射ノズル（６Ｄ）の燃焼ガス溜（９５ａ）に水道水冷熱（５２ｅ）で冷却した燃焼ガス（４９）を供給し、不用燃焼ガス溜（９５ｄ）に不用冷却液化燃焼ガス（１０７）を供給することを特徴としたＡ型エネルギ保存サイクル合体機関。
【請求項６２２】
はずみ車ガスタービン（８ａ）燃焼ガス噴射ノズル（６Ｄ）の燃焼ガス溜（９５ａ）に水道水冷熱（５２ｅ）で冷却した燃焼ガス（４９）を供給し、不用燃焼ガス溜（９５ｄ）に不用冷却液化燃焼ガス（１０７）を供給することを特徴としたエネルギ保存サイクル合体機関。
【請求項６２３】
はずみ車ガスタービン（８ａ）燃焼ガス噴射ノズル（６Ｄ）の燃焼ガス溜（９５ａ）に水道水冷熱（５２ｅ）で冷却した燃焼ガス（４９）を供給し、不用燃焼ガス溜（９５ｄ）に不用冷却液化燃焼ガス（１０７）を供給して燃焼ガス（４９）爆発力により不用冷却液化燃焼ガス（１０７）を噴射することを特徴としたＡ型エネルギ保存サイクル合体機関。
【請求項６２４】
はずみ車ガスタービン（８ａ）燃焼ガス噴射ノズル（６Ｄ）の燃焼ガス溜（９５ａ）に水道水冷熱（５２ｅ）で冷却した燃焼ガス（４９）を供給し、不用燃焼ガス溜（９５ｄ）に不用冷却液化燃焼ガス（１０７）を供給して燃焼ガス（４９）爆発力により不用冷却液化燃焼ガス（１０７）を噴射することを特徴としたエネルギ保存サイクル合体機関。
【請求項６２５】
はずみ車ガスタービン（８ａ）燃焼ガス噴射ノズル（６Ｄ）の燃焼ガス溜（９５ａ）に水道水冷熱（５２ｅ）で冷却した燃焼ガス（４９）を供給し、不用燃焼ガス溜（９５ｄ）に不用冷却液化燃焼ガス（１０７）を供給して燃焼ガス（４９）爆発力により不用冷却液化燃焼ガス（１０７）を不用燃焼ガス噴射ノズル（６Ｆ）より噴射することを特徴としたＡ型エネルギ保存サイクル合体機関。
【請求項６２６】
はずみ車ガスタービン（８ａ）燃焼ガス噴射ノズル（６Ｄ）の燃焼ガス溜（９５ａ）に水道水冷熱（５２ｅ）で冷却した燃焼ガス（４９）を供給し、不用燃焼ガス溜（９５ｄ）に不用冷却液化燃焼ガス（１０７）を供給して燃焼ガス（４９）爆発力により不用冷却液化燃焼ガス（１０７）を不用燃焼ガス噴射ノズル（６Ｆ）より噴射することを特徴としたエネルギ保存サイクル合体機関。
【請求項６２７】
はずみ車ガスタービン（８ａ）燃焼ガス噴射ノズル（６Ｄ）の燃焼ガス溜（９５ａ）に水道水冷熱（５２ｅ）で冷却した燃焼ガス（４９）を供給し、不用燃焼ガス溜（９５ｄ）に不用冷却液化燃焼ガス（１０７）を供給して燃焼ガス（４９）爆発力により不用冷却液化燃焼ガス（１０７）を不用燃焼ガス噴射ノズル（６Ｆ）より噴射して回転出力を発生することを特徴としたＡ型エネルギ保存サイクル合体機関。
【請求項６２８】
はずみ車ガスタービン（８ａ）燃焼ガス噴射ノズル（６Ｄ）の燃焼ガス溜（９５ａ）に水道水冷熱（５２ｅ）で冷却した燃焼ガス（４９）を供給し、不用燃焼ガス溜（９５ｄ）に不用冷却液化燃焼ガス（１０７）を供給して燃焼ガス（４９）爆発力により不用冷却液化燃焼ガス（１０７）を不用燃焼ガス噴射ノズル（６Ｆ）より噴射して回転出力を発生することを特徴としたエネルギ保存サイクル合体機関。
【請求項６２９】
はずみ車ガスタービン（８ａ）燃焼ガス噴射ノズル（６Ｄ）の燃焼ガス溜（９５ａ）に水道水冷熱（５２ｅ）で冷却した燃焼ガス（４９）を供給し、不用燃焼ガス溜（９５ｄ）に不用冷却液化燃焼ガス（１０７）を供給して燃焼ガス（４９）爆発力により不用冷却液化燃焼ガス（１０７）を不用燃焼ガス噴射ノズル（６Ｆ）より噴射してはずみ車ガスタービン（８ａ）の回転出力を発生することを特徴としたＡ型エネルギ保存サイクル合体機関。
【請求項６３０】
はずみ車ガスタービン（８ａ）燃焼ガス噴射ノズル（６Ｄ）の燃焼ガス溜（９５ａ）に水道水冷熱（５２ｅ）で冷却した燃焼ガス（４９）を供給し、不用燃焼ガス溜（９５ｄ）に不用冷却液化燃焼ガス（１０７）を供給して燃焼ガス（４９）爆発力により不用冷却液化燃焼ガス（１０７）を不用燃焼ガス噴射ノズル（６Ｆ）より噴射してはずみ車ガスタービン（８ａ）回転出力を発生することを特徴としたエネルギ保存サイクル合体機関。
【請求項６３１】
はずみ車ガスタービン（８ａ）燃焼ガス噴射ノズル（６Ｄ）の燃焼ガス溜（９５ａ）に水道水冷熱（５２ｅ）で冷却した燃焼ガス（４９）を供給し、不用燃焼ガス溜（９５ｄ）に不用冷却液化燃焼ガス（１０７）を供給して燃焼ガス（４９）爆発力により不用冷却液化燃焼ガス（１０７）を不用燃焼ガス噴射ノズル（６Ｆ）より限り無く循環噴射増大噴射してはずみ車ガスタービン（８ａ）の回転出力を発生することを特徴としたＡ型エネルギ保存サイクル合体機関。
【請求項６３２】
はずみ車ガスタービン（８ａ）燃焼ガス噴射ノズル（６Ｄ）の燃焼ガス溜（９５ａ）に水道水冷熱（５２ｅ）で冷却した燃焼ガス（４９）を供給し、不用燃焼ガス溜（９５ｄ）に不用冷却液化燃焼ガス（１０７）を供給して燃焼ガス（４９）爆発力により不用冷却液化燃焼ガス（１０７）を不用燃焼ガス噴射ノズル（６Ｆ）より限り無く循環噴射増大噴射してはずみ車ガスタービン（８ａ）回転出力を発生することを特徴としたエネルギ保存サイクル合体機関。
【請求項６３３】
はずみ車ガスタービン（８ａ）燃焼ガス液化分離装置（１０４）に水道水冷熱（５２ｅ）で洗浄冷却した燃焼ガス（４９ｂ）を供給することを特徴としたＡ型エネルギ保存サイクル合体機関。
【請求項６３４】
はずみ車ガスタービン（８ａ）燃焼ガス液化分離装置（１０４）に水道水冷熱（５２ｅ）で洗浄冷却した燃焼ガス（４９ｂ）を供給することを特徴としたエネルギ保存サイクル合体機関。
【請求項６３５】
はずみ車ガスタービン（８ａ）燃焼ガス液化分離装置（１０４）に水道水冷熱（５２ｅ）で洗浄冷却した燃焼ガス（４９ｂ）を供給して排気で冷却することを特徴としたＡ型エネルギ保存サイクル合体機関。
【請求項６３６】
はずみ車ガスタービン（８ａ）燃焼ガス液化分離装置（１０４）に水道水冷熱（５２ｅ）で洗浄冷却した燃焼ガス（４９ｂ）を供給して排気で冷却することを特徴としたエネルギ保存サイクル合体機関。
【請求項６３７】
はずみ車ガスタービン（８ａ）燃焼ガス液化分離装置（１０４）に水道水冷熱（５２ｅ）で洗浄冷却した燃焼ガス（４９ｂ）を供給して排気で冷却し、液化二酸化炭素（１０５）を回収することを特徴としたＡ型エネルギ保存サイクル合体機関。
【請求項６３８】
はずみ車ガスタービン（８ａ）燃焼ガス液化分離装置（１０４）に水道水冷熱（５２ｅ）で洗浄冷却した燃焼ガス（４９ｂ）を供給して排気で冷却し、液化二酸化炭素（１０５）を回収することを特徴としたエネルギ保存サイクル合体機関。
【請求項６３９】
はずみ車ガスタービン（８ａ）燃焼ガス液化分離装置（１０４）に水道水冷熱（５２ｅ）で洗浄冷却した燃焼ガス（４９ｂ）を供給して排気で冷却し、液体窒素（１０６）を回収することを特徴としたＡ型エネルギ保存サイクル合体機関。
【請求項６４０】
はずみ車ガスタービン（８ａ）燃焼ガス液化分離装置（１０４）に水道水冷熱（５２ｅ）で洗浄冷却した燃焼ガス（４９ｂ）を供給して排気で冷却し、液体窒素（１０６）を回収することを特徴としたエネルギ保存サイクル合体機関。
【請求項６４１】
はずみ車ガスタービン（８ａ）燃焼ガス液化分離装置（１０４）に水道水冷熱（５２ｅ）で洗浄冷却した燃焼ガス（４９ｂ）を供給して排気で冷却し、特定液化燃焼ガス（１０８）を回収することを特徴としたＡ型エネルギ保存サイクル合体機関。
【請求項６４２】
はずみ車ガスタービン（８ａ）燃焼ガス液化分離装置（１０４）に水道水冷熱（５２ｅ）で洗浄冷却した燃焼ガス（４９ｂ）を供給して排気で冷却し、特定液化燃焼ガス（１０８）を回収することを特徴としたエネルギ保存サイクル合体機関。
【請求項６４３】
はずみ車ガスタービン（８ａ）燃焼ガス液化分離装置（１０４）に水道水冷熱（５２ｅ）で洗浄冷却した燃焼ガス（４９ｂ）を供給して排気で冷却し、液化二酸化炭素（１０５）を回収して不用液化燃焼ガス（１０７）を不用燃焼ガス溜（９５ｄ）に供給することを特徴としたＡ型エネルギ保存サイクル合体機関。
【請求項６４４】
はずみ車ガスタービン（８ａ）燃焼ガス液化分離装置（１０４）に水道水冷熱（５２ｅ）で洗浄冷却した燃焼ガス（４９ｂ）を供給して排気で冷却し、液化二酸化炭素（１０５）を回収して不用液化燃焼ガス（１０７）を不用燃焼ガス溜（９５ｄ）に供給することを特徴としたエネルギ保存サイクル合体機関。
【請求項６４５】
はずみ車ガスタービン（８ａ）燃焼ガス液化分離装置（１０４）に水道水冷熱（５２ｅ）で洗浄冷却した燃焼ガス（４９ｂ）を供給して排気で冷却し、液体窒素（１０６）を回収して不用液化燃焼ガス（１０７）を不用燃焼ガス溜（９５ｄ）に供給することを特徴としたＡ型エネルギ保存サイクル合体機関。
【請求項６４６】
はずみ車ガスタービン（８ａ）燃焼ガス液化分離装置（１０４）に水道水冷熱（５２ｅ）で洗浄冷却した燃焼ガス（４９ｂ）を供給して排気で冷却し、液体窒素（１０６）を回収して不用液化燃焼ガス（１０７）を不用燃焼ガス溜（９５ｄ）に供給することを特徴としたエネルギ保存サイクル合体機関。
【請求項６４７】
はずみ車ガスタービン（８ａ）燃焼ガス液化分離装置（１０４）に水道水冷熱（５２ｅ）で洗浄冷却した燃焼ガス（４９ｂ）を供給して排気で冷却し、特定液化燃焼ガス（１０８）を回収して不用液化燃焼ガス（１０７）を不用燃焼ガス溜（９５ｄ）に供給することを特徴としたＡ型エネルギ保存サイクル合体機関。
【請求項６４８】
はずみ車ガスタービン（８ａ）燃焼ガス液化分離装置（１０４）に水道水冷熱（５２ｅ）で洗浄冷却した燃焼ガス（４９ｂ）を供給して排気で冷却し、特定液化燃焼ガス（１０８）を回収して不用液化燃焼ガス（１０７）を不用燃焼ガス溜（９５ｄ）に供給することを特徴としたエネルギ保存サイクル合体機関。
【請求項６４９】
はずみ車ガスタービン（８ａ）燃焼ガス液化分離装置（１０４）に水道水冷熱（５２ｅ）で洗浄冷却した燃焼ガス（４９ｂ）を供給して排気で冷却し、液化二酸化炭素（１０５）を回収して不用液化燃焼ガス（１０７）を不用燃焼ガス噴射ノズル（６Ｆ）に供給することを特徴としたＡ型エネルギ保存サイクル合体機関。
【請求項６５０】
はずみ車ガスタービン（８ａ）燃焼ガス液化分離装置（１０４）に水道水冷熱（５２ｅ）で洗浄冷却した燃焼ガス（４９ｂ）を供給して排気で冷却し、液化二酸化炭素（１０５）を回収して不用液化燃焼ガス（１０７）を不用燃焼ガス噴射ノズル（６Ｆ）に供給することを特徴としたエネルギ保存サイクル合体機関。
【請求項６５１】
はずみ車ガスタービン（８ａ）燃焼ガス液化分離装置（１０４）に水道水冷熱（５２ｅ）で洗浄冷却した燃焼ガス（４９ｂ）を供給して排気で冷却し、液体窒素（１０６）を回収して不用液化燃焼ガス（１０７）を不用燃焼ガス噴射ノズル（６Ｆ）に供給することを特徴としたＡ型エネルギ保存サイクル合体機関。
【請求項６５２】
はずみ車ガスタービン（８ａ）燃焼ガス液化分離装置（１０４）に水道水冷熱（５２ｅ）で洗浄冷却した燃焼ガス（４９ｂ）を供給して排気で冷却し、液体窒素（１０６）を回収して不用液化燃焼ガス（１０７）を不用燃焼ガス噴射ノズル（６Ｆ）に供給することを特徴としたエネルギ保存サイクル合体機関。
【請求項６５３】
はずみ車ガスタービン（８ａ）燃焼ガス液化分離装置（１０４）に水道水冷熱（５２ｅ）で洗浄冷却した燃焼ガス（４９ｂ）を供給して排気で冷却し、特定液化燃焼ガス（１０８）を回収して不用液化燃焼ガス（１０７）を不用燃焼ガス噴射ノズル（６Ｆ）に供給することを特徴としたＡ型エネルギ保存サイクル合体機関。
【請求項６５４】
はずみ車ガスタービン（８ａ）燃焼ガス液化分離装置（１０４）に水道水冷熱（５２ｅ）で洗浄冷却した燃焼ガス（４９ｂ）を供給して排気で冷却し、特定液化燃焼ガス（１０８）を回収して不用液化燃焼ガス（１０７）を不用燃焼ガス噴射ノズル（６Ｆ）に供給することを特徴としたエネルギ保存サイクル合体機関。
【請求項６５５】
はずみ車ガスタービン（８ａ）燃焼ガス液化分離装置（１０４）に水道水冷熱（５２ｅ）で洗浄冷却した燃焼ガス（４９ｂ）を供給して排気で冷却し、液化二酸化炭素（１０５）を回収して不用液化燃焼ガス（１０７）を不用燃焼ガス噴射ノズル（６Ｆ）に供給して燃焼ガス（４９）爆発力により混合噴射加速することを特徴としたＡ型エネルギ保存サイクル合体機関。
【請求項６５６】
はずみ車ガスタービン（８ａ）燃焼ガス液化分離装置（１０４）に水道水冷熱（５２ｅ）で洗浄冷却した燃焼ガス（４９ｂ）を供給して排気で冷却し、液化二酸化炭素（１０５）を回収して不用液化燃焼ガス（１０７）を不用燃焼ガス噴射ノズル（６Ｆ）に供給して燃焼ガス（４９）爆発力により混合噴射加速することを特徴としたエネルギ保存サイクル合体機関。
【請求項６５７】
はずみ車ガスタービン（８ａ）燃焼ガス液化分離装置（１０４）に水道水冷熱（５２ｅ）で洗浄冷却した燃焼ガス（４９ｂ）を供給して排気で冷却し、液体窒素（１０６）を回収して不用液化燃焼ガス（１０７）を不用燃焼ガス噴射ノズル（６Ｆ）に供給して燃焼ガス（４９）爆発力により混合噴射加速することを特徴としたＡ型エネルギ保存サイクル合体機関。
【請求項６５８】
はずみ車ガスタービン（８ａ）燃焼ガス液化分離装置（１０４）に水道水冷熱（５２ｅ）で洗浄冷却した燃焼ガス（４９ｂ）を供給して排気で冷却し、液体窒素（１０６）を回収して不用液化燃焼ガス（１０７）を不用燃焼ガス噴射ノズル（６Ｆ）に供給して燃焼ガス（４９）爆発力により混合噴射加速することを特徴としたエネルギ保存サイクル合体機関。
【請求項６５９】
はずみ車ガスタービン（８ａ）燃焼ガス液化分離装置（１０４）に水道水冷熱（５２ｅ）で洗浄冷却した燃焼ガス（４９ｂ）を供給して排気で冷却し、特定液化燃焼ガス（１０８）を回収して不用液化燃焼ガス（１０７）を不用燃焼ガス噴射ノズル（６Ｆ）に供給して燃焼ガス（４９）爆発力により混合噴射加速することを特徴としたＡ型エネルギ保存サイクル合体機関。
【請求項６６０】
はずみ車ガスタービン（８ａ）燃焼ガス液化分離装置（１０４）に水道水冷熱（５２ｅ）で洗浄冷却した燃焼ガス（４９ｂ）を供給して排気で冷却し、特定液化燃焼ガス（１０８）を回収して不用液化燃焼ガス（１０７）を不用燃焼ガス噴射ノズル（６Ｆ）に供給して燃焼ガス（４９）爆発力により混合噴射加速することを特徴としたエネルギ保存サイクル合体機関。
【請求項６６１】
はずみ車ガスタービン（８ａ）燃焼ガス液化分離装置（１０４）に水道水冷熱（５２ｅ）で洗浄冷却した燃焼ガス（４９ｂ）を供給して排気で冷却し、液化二酸化炭素（１０５）を回収して不用液化燃焼ガス（１０７）を不用燃焼ガス噴射ノズル（６Ｆ）に供給して燃焼ガス（４９）爆発力により混合噴射加速し、はずみ車ガスタービン（８ａ）に噴射して回転出力を発生することを特徴としたＡ型エネルギ保存サイクル合体機関。
【請求項６６２】
はずみ車ガスタービン（８ａ）燃焼ガス液化分離装置（１０４）に水道水冷熱（５２ｅ）で洗浄冷却した燃焼ガス（４９ｂ）を供給して排気で冷却し、液化二酸化炭素（１０５）を回収して不用液化燃焼ガス（１０７）を不用燃焼ガス噴射ノズル（６Ｆ）に供給して燃焼ガス（４９）爆発力により混合噴射加速し、はずみ車ガスタービン（８ａ）に噴射して回転出力を発生することを特徴としたエネルギ保存サイクル合体機関。
【請求項６６３】
はずみ車ガスタービン（８ａ）燃焼ガス液化分離装置（１０４）に水道水冷熱（５２ｅ）で洗浄冷却した燃焼ガス（４９ｂ）を供給して排気で冷却し、液体窒素（１０６）を回収して不用液化燃焼ガス（１０７）を不用燃焼ガス噴射ノズル（６Ｆ）に供給して燃焼ガス（４９）爆発力により混合噴射加速し、はずみ車ガスタービン（８ａ）に噴射して回転出力を発生することを特徴としたＡ型エネルギ保存サイクル合体機関。
【請求項６６４】
はずみ車ガスタービン（８ａ）燃焼ガス液化分離装置（１０４）に水道水冷熱（５２ｅ）で洗浄冷却した燃焼ガス（４９ｂ）を供給して排気で冷却し、液体窒素（１０６）を回収して不用液化燃焼ガス（１０７）を不用燃焼ガス噴射ノズル（６Ｆ）に供給して燃焼ガス（４９）爆発力により混合噴射加速し、はずみ車ガスタービン（８ａ）に噴射して回転出力を発生することを特徴としたエネルギ保存サイクル合体機関。
【請求項６６５】
はずみ車ガスタービン（８ａ）燃焼ガス液化分離装置（１０４）に水道水冷熱（５２ｅ）で洗浄冷却した燃焼ガス（４９ｂ）を供給して排気で冷却し、特定液化燃焼ガス（１０８）を回収して不用液化燃焼ガス（１０７）を不用燃焼ガス噴射ノズル（６Ｆ）に供給して燃焼ガス（４９）爆発力により混合噴射加速し、はずみ車ガスタービン（８ａ）に噴射して回転出力を発生することを特徴としたＡ型エネルギ保存サイクル合体機関。
【請求項６６６】
はずみ車ガスタービン（８ａ）燃焼ガス液化分離装置（１０４）に水道水冷熱（５２ｅ）で洗浄冷却した燃焼ガス（４９ｂ）を供給して排気で冷却し、特定液化燃焼ガス（１０８）を回収して不用液化燃焼ガス（１０７）を不用燃焼ガス噴射ノズル（６Ｆ）に供給して燃焼ガス（４９）爆発力により混合噴射加速し、はずみ車ガスタービン（８ａ）に噴射して回転出力を発生することを特徴としたエネルギ保存サイクル合体機関。
【請求項６６７】
はずみ車ガスタービン（８ａ）ガス抽出器（５１ａ）により排気燃焼ガス（４９）を抽出することを特徴としたＡ型エネルギ保存サイクル合体機関。
【請求項６６８】
はずみ車ガスタービン（８ａ）ガス抽出器（５１ａ）により排気燃焼ガス（４９）を抽出することを特徴としたエネルギ保存サイクル合体機関。
【請求項６６９】
はずみ車ガスタービン（８ａ）ガス抽出器（５１ａ）により排気燃焼ガス（４９）を抽出して排気圧力を低下することを特徴としたＡ型エネルギ保存サイクル合体機関。
【請求項６７０】
はずみ車ガスタービン（８ａ）ガス抽出器（５１ａ）により排気燃焼ガス（４９）を抽出して排気圧力を低下することを特徴としたエネルギ保存サイクル合体機関。
【請求項６７１】
はずみ車ガスタービン（８ａ）ガス抽出器（５１ａ）により排気燃焼ガス（４９）を抽出してガス排気室（５ｃ）を真空にすることを特徴としたＡ型エネルギ保存サイクル合体機関。
【請求項６７２】
はずみ車ガスタービン（８ａ）ガス抽出器（５１ａ）により排気燃焼ガス（４９）を抽出してガス排気室（５ｃ）を真空にすることを特徴としたエネルギ保存サイクル合体機関。
【請求項６７３】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液化二酸化炭素（１０５）を回収することを特徴としたＡ型エネルギ保存サイクル合体機関。
【請求項６７４】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液化二酸化炭素（１０５）を回収することを特徴としたエネルギ保存サイクル合体機関。
【請求項６７５】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液体窒素（１０６）を回収することを特徴としたＡ型エネルギ保存サイクル合体機関。
【請求項６７６】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液体窒素（１０６）を回収することを特徴としたエネルギ保存サイクル合体機関。
【請求項６７７】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、特定液化燃焼ガス（１０８）を回収することを特徴としたＡ型エネルギ保存サイクル合体機関。
【請求項６７８】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、特定液化燃焼ガス（１０８）を回収することを特徴としたエネルギ保存サイクル合体機関。
【請求項６７９】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液化二酸化炭素（１０５）を回収して不用液化燃焼ガス（１０７）を不用燃焼ガス溜（９５ｄ）に供給することを特徴としたＡ型エネルギ保存サイクル合体機関。
【請求項６８０】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液化二酸化炭素（１０５）を回収して不用液化燃焼ガス（１０７）を不用燃焼ガス溜（９５ｄ）に供給することを特徴としたエネルギ保存サイクル合体機関。
【請求項６８１】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液体窒素（１０６）を回収して不用液化燃焼ガス（１０７）を不用燃焼ガス溜（９５ｄ）に供給することを特徴としたＡ型エネルギ保存サイクル合体機関。
【請求項６８２】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液体窒素（１０６）を回収して不用液化燃焼ガス（１０７）を不用燃焼ガス溜（９５ｄ）に供給することを特徴としたエネルギ保存サイクル合体機関。
【請求項６８３】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、特定液化燃焼ガス（１０８）を回収して不用液化燃焼ガス（１０７）を不用燃焼ガス溜（９５ｄ）に供給することを特徴としたＡ型エネルギ保存サイクル合体機関。
【請求項６８４】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、特定液化燃焼ガス（１０８）を回収して不用液化燃焼ガス（１０７）を不用燃焼ガス溜（９５ｄ）に供給することを特徴としたエネルギ保存サイクル合体機関。
【請求項６８５】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液化二酸化炭素（１０５）を回収して不用液化燃焼ガス（１０７）を不用燃焼ガス噴射ノズル（６Ｆ）に供給することを特徴としたＡ型エネルギ保存サイクル合体機関。
【請求項６８６】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液化二酸化炭素（１０５）を回収して不用液化燃焼ガス（１０７）を不用燃焼ガス噴射ノズル（６Ｆ）に供給することを特徴としたエネルギ保存サイクル合体機関。
【請求項６８７】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液体窒素（１０６）を回収して不用液化燃焼ガス（１０７）を不用燃焼ガス噴射ノズル（６Ｆ）に供給することを特徴としたＡ型エネルギ保存サイクル合体機関。
【請求項６８８】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液体窒素（１０６）を回収して不用液化燃焼ガス（１０７）を不用燃焼ガス噴射ノズル（６Ｆ）に供給することを特徴としたエネルギ保存サイクル合体機関。
【請求項６８９】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、特定液化燃焼ガス（１０８）を回収して不用液化燃焼ガス（１０７）を不用燃焼ガス噴射ノズル（６Ｆ）に供給することを特徴としたＡ型エネルギ保存サイクル合体機関。
【請求項６９０】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、特定液化燃焼ガス（１０８）を回収して不用液化燃焼ガス（１０７）を不用燃焼ガス噴射ノズル（６Ｆ）に供給することを特徴としたエネルギ保存サイクル合体機関。
【請求項６９１】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液化二酸化炭素（１０５）を回収して不用液化燃焼ガス（１０７）を不用燃焼ガス噴射ノズル（６Ｆ）に供給して燃焼ガス（４９）爆発力により混合噴射加速することを特徴としたＡ型エネルギ保存サイクル合体機関。
【請求項６９２】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液化二酸化炭素（１０５）を回収して不用液化燃焼ガス（１０７）を不用燃焼ガス噴射ノズル（６Ｆ）に供給して燃焼ガス（４９）爆発力により混合噴射加速することを特徴としたエネルギ保存サイクル合体機関。
【請求項６９３】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液体窒素（１０６）を回収して不用液化燃焼ガス（１０７）を不用燃焼ガス噴射ノズル（６Ｆ）に供給して燃焼ガス（４９）爆発力により混合噴射加速することを特徴としたＡ型エネルギ保存サイクル合体機関。
【請求項６９４】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液体窒素（１０６）を回収して不用液化燃焼ガス（１０７）を不用燃焼ガス噴射ノズル（６Ｆ）に供給して燃焼ガス（４９）爆発力により混合噴射加速することを特徴としたエネルギ保存サイクル合体機関。
【請求項６９５】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、特定液化燃焼ガス（１０８）を回収して不用液化燃焼ガス（１０７）を不用燃焼ガス噴射ノズル（６Ｆ）に供給して燃焼ガス（４９）爆発力により混合噴射加速することを特徴としたＡ型エネルギ保存サイクル合体機関。
【請求項６９６】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、特定液化燃焼ガス（１０８）を回収して不用液化燃焼ガス（１０７）を不用燃焼ガス噴射ノズル（６Ｆ）に供給して燃焼ガス（４９）爆発力により混合噴射加速することを特徴としたエネルギ保存サイクル合体機関。
【請求項６９７】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液化二酸化炭素（１０５）を回収して不用液化燃焼ガス（１０７）を不用燃焼ガス噴射ノズル（６Ｆ）に供給して燃焼ガス（４９）爆発力により混合噴射加速し、回転出力を発生することを特徴としたＡ型エネルギ保存サイクル合体機関。
【請求項６９８】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液化二酸化炭素（１０５）を回収して不用液化燃焼ガス（１０７）を不用燃焼ガス噴射ノズル（６Ｆ）に供給して燃焼ガス（４９）爆発力により混合噴射加速し、回転出力を発生することを特徴としたエネルギ保存サイクル合体機関。
【請求項６９９】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液体窒素（１０６）を回収して不用液化燃焼ガス（１０７）を不用燃焼ガス噴射ノズル（６Ｆ）に供給して燃焼ガス（４９）爆発力により混合噴射加速し、回転出力を発生することを特徴としたＡ型エネルギ保存サイクル合体機関。
【請求項７００】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液体窒素（１０６）を回収して不用液化燃焼ガス（１０７）を不用燃焼ガス噴射ノズル（６Ｆ）に供給して燃焼ガス（４９）爆発力により混合噴射加速し、回転出力を発生することを特徴としたエネルギ保存サイクル合体機関。
【請求項７０１】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、特定液化燃焼ガス（１０８）を回収して不用液化燃焼ガス（１０７）を不用燃焼ガス噴射ノズル（６Ｆ）に供給して燃焼ガス（４９）爆発力により混合噴射加速し、回転出力を発生することを特徴としたＡ型エネルギ保存サイクル合体機関。
【請求項７０２】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、特定液化燃焼ガス（１０８）を回収して不用液化燃焼ガス（１０７）を不用燃焼ガス噴射ノズル（６Ｆ）に供給して燃焼ガス（４９）爆発力により混合噴射加速し、回転出力を発生することを特徴としたエネルギ保存サイクル合体機関。
【請求項７０３】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液化二酸化炭素（１０５）を回収して不用液化燃焼ガス（１０７）を不用燃焼ガス噴射ノズル（６Ｆ）に供給して燃焼ガス（４９）爆発力により混合噴射加速し、はずみ車ガスタービン（８ａ）で回転出力を発生することを特徴としたＡ型エネルギ保存サイクル合体機関。
【請求項７０４】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液化二酸化炭素（１０５）を回収して不用液化燃焼ガス（１０７）を不用燃焼ガス噴射ノズル（６Ｆ）に供給して燃焼ガス（４９）爆発力により混合噴射加速し、はずみ車ガスタービン（８ａ）で回転出力を発生することを特徴としたエネルギ保存サイクル合体機関。
【請求項７０５】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液体窒素（１０６）を回収して不用液化燃焼ガス（１０７）を不用燃焼ガス噴射ノズル（６Ｆ）に供給して燃焼ガス（４９）爆発力により混合噴射加速し、はずみ車ガスタービン（８ａ）で回転出力を発生することを特徴としたＡ型エネルギ保存サイクル合体機関。
【請求項７０６】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、液体窒素（１０６）を回収して不用液化燃焼ガス（１０７）を不用燃焼ガス噴射ノズル（６Ｆ）に供給して燃焼ガス（４９）爆発力により混合噴射加速し、はずみ車ガスタービン（８ａ）で回転出力を発生することを特徴としたエネルギ保存サイクル合体機関。
【請求項７０７】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、特定液化燃焼ガス（１０８）を回収して不用液化燃焼ガス（１０７）を不用燃焼ガス噴射ノズル（６Ｆ）に供給して燃焼ガス（４９）爆発力により混合噴射加速し、はずみ車ガスタービン（８ａ）で回転出力を発生することを特徴としたＡ型エネルギ保存サイクル合体機関。
【請求項７０８】
はずみ車ガスタービン（８ａ）ガス抽出器（５１ａ）により排気燃焼ガス（４９）を抽出してガス排気室（５ｃ）を真空にして燃焼ガス液化分離装置（１０４）を駆動し、特定液化燃焼ガス（１０８）を回収して不用液化燃焼ガス（１０７）を不用燃焼ガス噴射ノズル（６Ｆ）に供給して燃焼ガス（４９）爆発力により混合噴射加速し、はずみ車ガスタービン（８ａ）で回転出力を発生することを特徴としたエネルギ保存サイクル合体機関。
【請求項７０９】
既存ガソリン機関の燃焼室に換えて拡径圧縮室（１０ａ）として使用することを特徴とするＡ型エネルギ保存サイクル合体機関。
【請求項７１０】
既存ディーゼル機関の燃焼室に換えて拡径圧縮室（１０ａ）として使用することを特徴とするＡ型エネルギ保存サイクル合体機関。
【請求項７１１】
既存ガソリン機関の複数燃焼室に換えて複数拡径圧縮室（１０ａ）として使用することを特徴とするＡ型エネルギ保存サイクル合体機関。
【請求項７１２】
既存ディーゼル機関の複数燃焼室に換えて複数拡径圧縮室（１０ａ）として使用することを特徴とするＡ型エネルギ保存サイクル合体機関。
【請求項７１３】
既存ガソリン機関の多気筒燃焼室に換えて多気筒拡径圧縮室（１０ａ）として使用することを特徴とするＡ型エネルギ保存サイクル合体機関。
【請求項７１４】
既存ディーゼル機関の多気筒燃焼室に換えて多気筒拡径圧縮室（１０ａ）として使用することを特徴とするＡ型エネルギ保存サイクル合体機関。
【請求項７１５】
既存ガソリン機関の燃焼室に換えて拡径圧縮室（１０ａ）のＡ型エネルギ保存サイクル圧縮機（２０Ａ）として使用することを特徴とするＡ型エネルギ保存サイクル合体機関。
【請求項７１６】
既存ディーゼル機関の燃焼室に換えて拡径圧縮室（１０ａ）のＡ型エネルギ保存サイクル圧縮機（２０Ａ）として使用することを特徴とするＡ型エネルギ保存サイクル合体機関。
【請求項７１７】
既存ガソリン機関の複数燃焼室に換えて複数拡径圧縮室（１０ａ）のＡ型エネルギ保存サイクル圧縮機（２０Ａ）として使用することを特徴とするＡ型エネルギ保存サイクル合体機関。
【請求項７１８】
既存ディーゼル機関の複数燃焼室に換えて複数拡径圧縮室（１０ａ）のＡ型エネルギ保存サイクル圧縮機（２０Ａ）として使用することを特徴とするＡ型エネルギ保存サイクル合体機関。
【請求項７１９】
既存ガソリン機関の多気筒燃焼室に換えて多気筒拡径圧縮室（１０ａ）のＡ型エネルギ保存サイクル圧縮機（２０Ａ）として使用することを特徴とするＡ型エネルギ保存サイクル合体機関。
【請求項７２０】
既存ディーゼル機関の多気筒燃焼室に換えて多気筒拡径圧縮室（１０ａ）のＡ型エネルギ保存サイクル圧縮機（２０Ａ）として使用することを特徴とするＡ型エネルギ保存サイクル合体機関。
【請求項７２１】
既存ガソリン機関の排気弁に換えて逆止弁（９７）及び一方向空気流路（９）及び縮径主燃焼室兼熱交換器（１）を具備することを特徴とするＡ型エネルギ保存サイクル合体機関。
【請求項７２２】
既存ディーゼル機関の排気弁に換えて逆止弁（９７）及び一方向空気流路（９）及び縮径主燃焼室兼熱交換器（１）を具備することを特徴とするＡ型エネルギ保存サイクル合体機関。
【請求項７２３】
Ａ型エネルギ保存サイクル機関の拡径燃焼室（１０）に換えて拡径圧縮室（１０ａ）のＡ型エネルギ保存サイクル圧縮機（２０Ａ）として使用することを特徴とするＡ型エネルギ保存サイクル合体機関。
【請求項７２４】
Ｂ型エネルギ保存サイクル機関の拡径燃焼室（１０）に換えて拡径圧縮室（１０ａ）のＢ型エネルギ保存サイクル圧縮機（２０Ｂ）として使用することを特徴とするＢ型エネルギ保存サイクル合体機関。
【請求項７２５】
Ｃ型エネルギ保存サイクル機関の拡径燃焼室（１０）に換えて拡径圧縮室（１０ａ）のＣ型エネルギ保存サイクル圧縮機（２０Ｃ）として使用することを特徴とするＣ型エネルギ保存サイクル合体機関。
【請求項７２６】
Ｄ型エネルギ保存サイクル機関の拡径燃焼室（１０）に換えて拡径圧縮室（１０ａ）のＤ型エネルギ保存サイクル圧縮機（２０Ｄ）として使用することを特徴とするＤ型エネルギ保存サイクル合体機関。
【請求項７２７】
Ｅ型エネルギ保存サイクル機関の拡径燃焼室（１０）に換えて拡径圧縮室（１０ａ）のＥ型エネルギ保存サイクル圧縮機（２０Ｅ）として使用することを特徴とするＥ型エネルギ保存サイクル合体機関。
【請求項７２８】
Ｆ型エネルギ保存サイクル機関の拡径燃焼室（１０）に換えて拡径圧縮室（１０ａ）のＦ型エネルギ保存サイクル圧縮機（２０Ｆ）として使用することを特徴とするＦ型エネルギ保存サイクル合体機関。
【請求項７２９】
Ｇ型エネルギ保存サイクル機関の拡径燃焼室（１０）に換えて拡径圧縮室（１０ａ）のＧ型エネルギ保存サイクル圧縮機（２０Ｇ）として使用することを特徴とするＧ型エネルギ保存サイクル合体機関。
【請求項７３０】
Ｈ型エネルギ保存サイクル機関の拡径燃焼室（１０）に換えて拡径圧縮室（１０ａ）のＨ型エネルギ保存サイクル圧縮機（２０Ｈ）として使用することを特徴とするＨ型エネルギ保存サイクル合体機関。
【請求項７３１】
Ａ型エネルギ保存サイクル機関の拡径燃焼室（１０）に換えて独立した縮径主燃焼室兼熱交換器（１）のＡ型エネルギ保存サイクル圧縮機（２０Ａ）として使用することを特徴とするＡ型エネルギ保存サイクル合体機関。
【請求項７３２】
Ｂ型エネルギ保存サイクル機関の拡径燃焼室（１０）に換えて独立した縮径主燃焼室兼熱交換器（１）のＢ型エネルギ保存サイクル圧縮機（２０Ｂ）として使用することを特徴とするＢ型エネルギ保存サイクル合体機関。
【請求項７３３】
Ｃ型エネルギ保存サイクル機関の拡径燃焼室（１０）に換えて独立した縮径主燃焼室兼熱交換器（１）のＣ型エネルギ保存サイクル圧縮機（２０Ｃ）として使用することを特徴とするＣ型エネルギ保存サイクル合体機関。
【請求項７３４】
Ｄ型エネルギ保存サイクル機関の拡径燃焼室（１０）に換えて独立した縮径主燃焼室兼熱交換器（１）のＤ型エネルギ保存サイクル圧縮機（２０Ｄ）として使用することを特徴とするＤ型エネルギ保存サイクル合体機関。
【請求項７３５】
Ｅ型エネルギ保存サイクル機関の拡径燃焼室（１０）に換えて独立した縮径主燃焼室兼熱交換器（１）のＥ型エネルギ保存サイクル圧縮機（２０Ｅ）として使用することを特徴とするＥ型エネルギ保存サイクル合体機関。
【請求項７３６】
Ｆ型エネルギ保存サイクル機関の拡径燃焼室（１０）に換えて独立した縮径主燃焼室兼熱交換器（１）のＦ型エネルギ保存サイクル圧縮機（２０Ｆ）として使用することを特徴とするＦ型エネルギ保存サイクル合体機関。
【請求項７３７】
Ｇ型エネルギ保存サイクル機関の拡径燃焼室（１０）に換えて独立した縮径主燃焼室兼熱交換器（１）のＧ型エネルギ保存サイクル圧縮機（２０Ｇ）として使用することを特徴とするＧ型エネルギ保存サイクル合体機関。
【請求項７３８】
Ｈ型エネルギ保存サイクル機関の拡径燃焼室（１０）に換えて独立した縮径主燃焼室兼熱交換器（１）のＨ型エネルギ保存サイクル圧縮機（２０Ｈ）として使用することを特徴とするＨ型エネルギ保存サイクル合体機関。
【請求項７３９】
縮径主燃焼室兼熱交換器（１）に空気を噴射することを特徴とするＡ型エネルギ保存サイクル合体機関。
【請求項７４０】
縮径主燃焼室兼熱交換器（１）に空気を噴射することを特徴とするエネルギ保存サイクル合体機関。
【請求項７４１】
縮径主燃焼室兼熱交換器（１）にシリンダヘッド（１５）の一方向空気流路（９）から空気を噴射することを特徴とするＡ型エネルギ保存サイクル合体機関。
【請求項７４２】
縮径主燃焼室兼熱交換器（１）にシリンダヘッド（１５）の一方向空気流路（９）から空気を噴射することを特徴とするエネルギ保存サイクル合体機関。
【請求項７４３】
縮径主燃焼室兼熱交換器（１）にシリンダヘッド（１５）の逆止弁（９７）を介して一方向空気流路（９）から空気を噴射することを特徴とするＡ型エネルギ保存サイクル合体機関。
【請求項７４４】
縮径主燃焼室兼熱交換器（１）にシリンダヘッド（１５）の逆止弁（９７）を介して一方向空気流路（９）から空気を噴射することを特徴とするエネルギ保存サイクル合体機関。
【請求項７４５】
縮径主燃焼室兼熱交換器（１）にシリンダヘッド（１５）の複数の逆止弁（９７）を介して一方向空気流路（９）から空気を噴射することを特徴とするＡ型エネルギ保存サイクル合体機関。
【請求項７４６】
縮径主燃焼室兼熱交換器（１）にシリンダヘッド（１５）の複数の逆止弁（９７）を介して一方向空気流路（９）から空気を噴射することを特徴とするエネルギ保存サイクル合体機関。
【請求項７４７】
縮径主燃焼室兼熱交換器（１）にシリンダヘッド（１５）の逆止弁（９７）を介して一方向空気流路（９）から空気を噴射して燃料噴射電磁弁（７ｃ）からの噴射燃料と攪拌混合することを特徴とするＡ型エネルギ保存サイクル合体機関。
【請求項７４８】
縮径主燃焼室兼熱交換器（１）にシリンダヘッド（１５）の逆止弁（９７）を介して一方向空気流路（９）から空気を噴射して燃料噴射電磁弁（７ｃ）からの噴射燃料と攪拌混合することを特徴とするエネルギ保存サイクル合体機関。
【請求項７４９】
縮径主燃焼室兼熱交換器（１）にシリンダヘッド（１５）の複数の逆止弁（９７）を介して一方向空気流路（９）から空気を噴射して燃料噴射電磁弁（７ｃ）からの噴射燃料と攪拌混合することを特徴とするＡ型エネルギ保存サイクル合体機関。
【請求項７５０】
縮径主燃焼室兼熱交換器（１）にシリンダヘッド（１５）の複数の逆止弁（９７）を介して一方向空気流路（９）から空気を噴射して燃料噴射電磁弁（７ｃ）からの噴射燃料と攪拌混合することを特徴とするエネルギ保存サイクル合体機関。
【請求項７５１】
縮径主燃焼室兼熱交換器（１）にシリンダヘッド（１５）の逆止弁（９７）を介して一方向空気流路（９）から空気を噴射して燃料噴射弁からの噴射燃料と攪拌混合することを特徴とするＡ型エネルギ保存サイクル合体機関。
【請求項７５２】
縮径主燃焼室兼熱交換器（１）にシリンダヘッド（１５）の逆止弁（９７）を介して一方向空気流路（９）から空気を噴射して燃料噴射弁からの噴射燃料と攪拌混合することを特徴とするエネルギ保存サイクル合体機関。
【請求項７５３】
縮径主燃焼室兼熱交換器（１）にシリンダヘッド（１５）の複数の逆止弁（９７）を介して一方向空気流路（９）から空気を噴射して燃料噴射弁からの噴射燃料と攪拌混合することを特徴とするＡ型エネルギ保存サイクル合体機関。
【請求項７５４】
縮径主燃焼室兼熱交換器（１）にシリンダヘッド（１５）の複数の逆止弁（９７）を介して一方向空気流路（９）から空気を噴射して燃料噴射弁からの噴射燃料と攪拌混合することを特徴とするエネルギ保存サイクル合体機関。
【請求項７５５】
縮径主燃焼室兼熱交換器（１）に逆止弁（９７）を介して一方向空気流路（９）から空気を噴射して燃料噴射電磁弁（７ｃ）からの噴射燃料と攪拌混合して着火装置（１０２）により着火燃焼することを特徴とするＡ型エネルギ保存サイクル合体機関。
【請求項７５６】
縮径主燃焼室兼熱交換器（１）に逆止弁（９７）を介して一方向空気流路（９）から空気を噴射して燃料噴射電磁弁（７ｃ）からの噴射燃料と攪拌混合して着火装置（１０２）により着火燃焼することを特徴とするエネルギ保存サイクル合体機関。
【請求項７５７】
縮径主燃焼室兼熱交換器（１）に複数の逆止弁（９７）を介して一方向空気流路（９）から空気を噴射して燃料噴射電磁弁（７ｃ）からの噴射燃料と攪拌混合して着火装置（１０２）により着火燃焼することを特徴とするＡ型エネルギ保存サイクル合体機関。
【請求項７５８】
縮径主燃焼室兼熱交換器（１）に複数の逆止弁（９７）を介して一方向空気流路（９）から空気を噴射して燃料噴射電磁弁（７ｃ）からの噴射燃料と攪拌混合して着火装置（１０２）により着火燃焼することを特徴とするエネルギ保存サイクル合体機関。
【請求項７５９】
縮径主燃焼室兼熱交換器（１）に逆止弁（９７）を介して一方向空気流路（９）から空気を噴射して燃料噴射弁からの噴射燃料と攪拌混合して着火装置（１０２）により着火燃焼することを特徴とするＡ型エネルギ保存サイクル合体機関。
【請求項７６０】
縮径主燃焼室兼熱交換器（１）に逆止弁（９７）を介して一方向空気流路（９）から空気を噴射して燃料噴射弁からの噴射燃料と攪拌混合して着火装置（１０２）により着火燃焼することを特徴とするエネルギ保存サイクル合体機関。
【請求項７６１】
縮径主燃焼室兼熱交換器（１）に複数の逆止弁（９７）を介して一方向空気流路（９）から空気を噴射して燃料噴射弁からの噴射燃料と攪拌混合して着火装置（１０２）により着火燃焼することを特徴とするＡ型エネルギ保存サイクル合体機関。
【請求項７６２】
縮径主燃焼室兼熱交換器（１）に複数の逆止弁（９７）を介して一方向空気流路（９）から空気を噴射して燃料噴射弁からの噴射燃料と攪拌混合して着火装置（１０２）により着火燃焼することを特徴とするエネルギ保存サイクル合体機関。
【請求項７６３】
縮径主燃焼室兼熱交換器（１）に逆止弁（９７）を介して一方向空気流路（９）から空気を噴射して燃料噴射電磁弁（７ｃ）からの噴射燃料と攪拌混合して着火装置（１０２）により着火燃焼し、燃焼ガス攪拌板（４９ａ）で一方向攪拌燃焼することを特徴とするＡ型エネルギ保存サイクル合体機関。
【請求項７６４】
縮径主燃焼室兼熱交換器（１）に逆止弁（９７）を介して一方向空気流路（９）から空気を噴射して燃料噴射電磁弁（７ｃ）からの噴射燃料と攪拌混合して着火装置（１０２）により着火燃焼し、燃焼ガス攪拌板（４９ａ）で一方向攪拌燃焼することを特徴とするエネルギ保存サイクル合体機関。
【請求項７６５】
縮径主燃焼室兼熱交換器（１）に複数の逆止弁（９７）を介して一方向空気流路（９）から空気を噴射して燃料噴射電磁弁（７ｃ）からの噴射燃料と攪拌混合して着火装置（１０２）により着火燃焼し、燃焼ガス攪拌板（４９ａ）で一方向攪拌燃焼することを特徴とするＡ型エネルギ保存サイクル合体機関。
【請求項７６６】
縮径主燃焼室兼熱交換器（１）に複数の逆止弁（９７）を介して一方向空気流路（９）から空気を噴射して燃料噴射電磁弁（７ｃ）からの噴射燃料と攪拌混合して着火装置（１０２）により着火燃焼し、燃焼ガス攪拌板（４９ａ）で一方向攪拌燃焼することを特徴とするエネルギ保存サイクル合体機関。
【請求項７６７】
縮径主燃焼室兼熱交換器（１）に逆止弁（９７）を介して一方向空気流路（９）から空気を噴射して燃料噴射弁からの噴射燃料と攪拌混合して着火装置（１０２）により着火燃焼し、燃焼ガス攪拌板（４９ａ）で一方向攪拌燃焼することを特徴とするＡ型エネルギ保存サイクル合体機関。
【請求項７６８】
縮径主燃焼室兼熱交換器（１）に逆止弁（９７）を介して一方向空気流路（９）から空気を噴射して燃料噴射弁からの噴射燃料と攪拌混合して着火装置（１０２）により着火燃焼し、燃焼ガス攪拌板（４９ａ）で一方向攪拌燃焼することを特徴とするエネルギ保存サイクル合体機関。
【請求項７６９】
縮径主燃焼室兼熱交換器（１）に複数の逆止弁（９７）を介して一方向空気流路（９）から空気を噴射して燃料噴射弁からの噴射燃料と攪拌混合して着火装置（１０２）により着火燃焼し、燃焼ガス攪拌板（４９ａ）で一方向攪拌燃焼することを特徴とするＡ型エネルギ保存サイクル合体機関。
【請求項７７０】
縮径主燃焼室兼熱交換器（１）に複数の逆止弁（９７）を介して一方向空気流路（９）から空気を噴射して燃料噴射弁からの噴射燃料と攪拌混合して着火装置（１０２）により着火燃焼し、燃焼ガス攪拌板（４９ａ）で一方向攪拌燃焼することを特徴とするエネルギ保存サイクル合体機関。
【請求項７７１】
縮径主燃焼室兼熱交換器（１）に逆止弁（９７）を介して一方向空気流路（９）から空気を噴射して燃料噴射電磁弁（７ｃ）からの噴射燃料と攪拌混合して着火装置（１０２）により着火燃焼し、燃焼ガス攪拌板（４９ａ）で一方向攪拌燃焼して限り無く高圧燃焼熱交換冷却燃焼することを特徴とするＡ型エネルギ保存サイクル合体機関。
【請求項７７２】
縮径主燃焼室兼熱交換器（１）に逆止弁（９７）を介して一方向空気流路（９）から空気を噴射して燃料噴射電磁弁（７ｃ）からの噴射燃料と攪拌混合して着火装置（１０２）により着火燃焼し、燃焼ガス攪拌板（４９ａ）で一方向攪拌燃焼して限り無く高圧燃焼熱交換冷却燃焼することを特徴とするエネルギ保存サイクル合体機関。
【請求項７７３】
縮径主燃焼室兼熱交換器（１）に複数の逆止弁（９７）を介して一方向空気流路（９）から空気を噴射して燃料噴射電磁弁（７ｃ）からの噴射燃料と攪拌混合して着火装置（１０２）により着火燃焼し、燃焼ガス攪拌板（４９ａ）で一方向攪拌燃焼して限り無く高圧燃焼熱交換冷却燃焼することを特徴とするＡ型エネルギ保存サイクル合体機関。
【請求項７７４】
縮径主燃焼室兼熱交換器（１）に複数の逆止弁（９７）を介して一方向空気流路（９）から空気を噴射して燃料噴射電磁弁（７ｃ）からの噴射燃料と攪拌混合して着火装置（１０２）により着火燃焼し、燃焼ガス攪拌板（４９ａ）で一方向攪拌燃焼して限り無く高圧燃焼熱交換冷却燃焼することを特徴とするエネルギ保存サイクル合体機関。
【請求項７７５】
縮径主燃焼室兼熱交換器（１）に逆止弁（９７）を介して一方向空気流路（９）から空気を噴射して燃料噴射弁からの噴射燃料と攪拌混合して着火装置（１０２）により着火燃焼し、燃焼ガス攪拌板（４９ａ）で一方向攪拌燃焼して限り無く高圧燃焼熱交換冷却燃焼することを特徴とするＡ型エネルギ保存サイクル合体機関。
【請求項７７６】
縮径主燃焼室兼熱交換器（１）に逆止弁（９７）を介して一方向空気流路（９）から空気を噴射して燃料噴射弁からの噴射燃料と攪拌混合して着火装置（１０２）により着火燃焼し、燃焼ガス攪拌板（４９ａ）で一方向攪拌燃焼して限り無く高圧燃焼熱交換冷却燃焼することを特徴とするエネルギ保存サイクル合体機関。
【請求項７７７】
縮径主燃焼室兼熱交換器（１）に複数の逆止弁（９７）を介して一方向空気流路（９）から空気を噴射して燃料噴射弁からの噴射燃料と攪拌混合して着火装置（１０２）により着火燃焼し、燃焼ガス攪拌板（４９ａ）で一方向攪拌燃焼して限り無く高圧燃焼熱交換冷却燃焼することを特徴とするＡ型エネルギ保存サイクル合体機関。
【請求項７７８】
縮径主燃焼室兼熱交換器（１）に複数の逆止弁（９７）を介して一方向空気流路（９）から空気を噴射して燃料噴射弁からの噴射燃料と攪拌混合して着火装置（１０２）により着火燃焼し、燃焼ガス攪拌板（４９ａ）で一方向攪拌燃焼して限り無く高圧燃焼熱交換冷却燃焼することを特徴とするエネルギ保存サイクル合体機関。
【請求項７７９】
縮径主燃焼室兼熱交換器（１）に逆止弁（９７）を介して一方向空気流路（９）から空気を噴射して燃料噴射電磁弁（７ｃ）からの噴射燃料と攪拌混合して着火装置（１０２）により着火燃焼し、燃焼ガス攪拌板（４９ａ）で一方向攪拌燃焼して限り無く高圧燃焼熱交換冷却長時間燃焼することを特徴とするＡ型エネルギ保存サイクル合体機関。
【請求項７８０】
縮径主燃焼室兼熱交換器（１）に逆止弁（９７）を介して一方向空気流路（９）から空気を噴射して燃料噴射電磁弁（７ｃ）からの噴射燃料と攪拌混合して着火装置（１０２）により着火燃焼し、燃焼ガス攪拌板（４９ａ）で一方向攪拌燃焼して限り無く高圧燃焼熱交換冷却長時間燃焼することを特徴とするエネルギ保存サイクル合体機関。
【請求項７８１】
縮径主燃焼室兼熱交換器（１）に複数の逆止弁（９７）を介して一方向空気流路（９）から空気を噴射して燃料噴射電磁弁（７ｃ）からの噴射燃料と攪拌混合して着火装置（１０２）により着火燃焼し、燃焼ガス攪拌板（４９ａ）で一方向攪拌燃焼して限り無く高圧燃焼熱交換冷却長時間燃焼することを特徴とするＡ型エネルギ保存サイクル合体機関。
【請求項７８２】
縮径主燃焼室兼熱交換器（１）に複数の逆止弁（９７）を介して一方向空気流路（９）から空気を噴射して燃料噴射電磁弁（７ｃ）からの噴射燃料と攪拌混合して着火装置（１０２）により着火燃焼し、燃焼ガス攪拌板（４９ａ）で一方向攪拌燃焼して限り無く高圧燃焼熱交換冷却長時間燃焼することを特徴とするエネルギ保存サイクル合体機関。
【請求項７８３】
縮径主燃焼室兼熱交換器（１）に逆止弁（９７）を介して一方向空気流路（９）から空気を噴射して燃料噴射弁からの噴射燃料と攪拌混合して着火装置（１０２）により着火燃焼し、燃焼ガス攪拌板（４９ａ）で一方向攪拌燃焼して限り無く高圧燃焼熱交換冷却長時間燃焼することを特徴とするＡ型エネルギ保存サイクル合体機関。
【請求項７８４】
縮径主燃焼室兼熱交換器（１）に逆止弁（９７）を介して一方向空気流路（９）から空気を噴射して燃料噴射弁からの噴射燃料と攪拌混合して着火装置（１０２）により着火燃焼し、燃焼ガス攪拌板（４９ａ）で一方向攪拌燃焼して限り無く高圧燃焼熱交換冷却長時間燃焼することを特徴とするエネルギ保存サイクル合体機関。
【請求項７８５】
縮径主燃焼室兼熱交換器（１）に複数の逆止弁（９７）を介して一方向空気流路（９）から空気を噴射して燃料噴射弁からの噴射燃料と攪拌混合して着火装置（１０２）により着火燃焼し、燃焼ガス攪拌板（４９ａ）で一方向攪拌燃焼して限り無く高圧燃焼熱交換冷却長時間燃焼することを特徴とするＡ型エネルギ保存サイクル合体機関。
【請求項７８６】
縮径主燃焼室兼熱交換器（１）に複数の逆止弁（９７）を介して一方向空気流路（９）から空気を噴射して燃料噴射弁からの噴射燃料と攪拌混合して着火装置（１０２）により着火燃焼し、燃焼ガス攪拌板（４９ａ）で一方向攪拌燃焼して限り無く高圧燃焼熱交換冷却長時間燃焼することを特徴とするエネルギ保存サイクル合体機関。
【請求項７８７】
縮径主燃焼室兼熱交換器（１）で限り無く高圧燃焼熱交換冷却長時間燃焼することを特徴とするＡ型エネルギ保存サイクル合体機関。
【請求項７８８】
縮径主燃焼室兼熱交換器（１）で限り無く高圧燃焼熱交換冷却長時間燃焼することを特徴とするエネルギ保存サイクル合体機関。
【請求項７８９】
縮径主燃焼室兼熱交換器（１）で限り無く高圧燃焼熱交換冷却長時間燃焼して燃焼ガス温度の障害を最低にすることを特徴とするＡ型エネルギ保存サイクル合体機関。
【請求項７９０】
縮径主燃焼室兼熱交換器（１）で限り無く高圧燃焼熱交換冷却長時間燃焼して燃焼ガス温度の障害を最低にすることを特徴とするエネルギ保存サイクル合体機関。
【請求項７９１】
縮径主燃焼室兼熱交換器（１）で限り無く高圧燃焼熱交換冷却長時間燃焼して燃焼ガス容積の障害を最低にすることを特徴とするＡ型エネルギ保存サイクル合体機関。
【請求項７９２】
縮径主燃焼室兼熱交換器（１）限り無く高圧燃焼熱交換冷却長時間燃焼して燃焼ガス容積の障害を最低にすることを特徴とするエネルギ保存サイクル合体機関。
【請求項７９３】
縮径主燃焼室兼熱交換器（１）限り無く高圧燃焼熱交換冷却長時間燃焼して燃焼ガス温度と燃焼ガス容積の障害を最低にすることを特徴とするＡ型エネルギ保存サイクル合体機関。
【請求項７９４】
縮径主燃焼室兼熱交換器（１）限り無く高圧燃焼熱交換冷却長時間燃焼して燃焼ガス温度と燃焼ガス容積の障害を最低にすることを特徴とするエネルギ保存サイクル合体機関。
【請求項７９５】
縮径主燃焼室兼熱交換器（１）で限り無く高圧燃焼熱交換冷却長時間燃焼して燃焼ガス質量出力＋燃焼ガス熱量出力に分割することを特徴とするＡ型エネルギ保存サイクル合体機関。
【請求項７９６】
縮径主燃焼室兼熱交換器（１）で限り無く高圧燃焼熱交換冷却長時間燃焼して燃焼ガス質量出力＋燃焼ガス熱量出力に分割することを特徴とするエネルギ保存サイクル合体機関。
【請求項７９７】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割することを特徴とするＡ型エネルギ保存サイクル合体機関。
【請求項７９８】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割することを特徴とするエネルギ保存サイクル合体機関。
【請求項７９９】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割することを特徴とするＡ型エネルギ保存サイクル合体機関。
【請求項８００】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割することを特徴とするエネルギ保存サイクル合体機関。
【請求項８０１】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割することを特徴とするＡ型エネルギ保存サイクル合体機関。
【請求項８０２】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割することを特徴とするエネルギ保存サイクル合体機関。
【請求項８０３】
縮径主燃焼室兼熱交換器（１）で限り無く高圧燃焼熱交換冷却長時間燃焼して燃焼ガス質量出力＋燃焼ガス熱量出力に分割し、燃焼ガス質量出力ではずみ車ガスタービン（８ａ）を駆動することを特徴とするＡ型エネルギ保存サイクル合体機関。
【請求項８０４】
縮径主燃焼室兼熱交換器（１）で限り無く高圧燃焼熱交換冷却長時間燃焼して燃焼ガス質量出力＋燃焼ガス熱量出力に分割し、燃焼ガス質量出力ではずみ車ガスタービン（８ａ）を駆動することを特徴とするエネルギ保存サイクル合体機関。
【請求項８０５】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力ではずみ車ガスタービン（８ａ）を駆動することを特徴とするＡ型エネルギ保存サイクル合体機関。
【請求項８０６】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力ではずみ車ガスタービン（８ａ）を駆動することを特徴とするエネルギ保存サイクル合体機関。
【請求項８０７】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス質量出力ではずみ車ガスタービン（８ａ）を駆動することを特徴とするＡ型エネルギ保存サイクル合体機関。
【請求項８０８】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス質量出力ではずみ車ガスタービン（８ａ）を駆動することを特徴とするエネルギ保存サイクル合体機関。
【請求項８０９】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力ではずみ車ガスタービン（８ａ）を駆動することを特徴とするＡ型エネルギ保存サイクル合体機関。
【請求項８１０】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力ではずみ車ガスタービン（８ａ）を駆動することを特徴とするエネルギ保存サイクル合体機関。
【請求項８１１】
縮径主燃焼室兼熱交換器（１）で限り無く高圧燃焼熱交換冷却長時間燃焼して燃焼ガス質量出力＋燃焼ガス熱量出力に分割し、燃焼ガス質量出力ではずみ車ガスタービン（８ａ）を回転駆動することを特徴とするＡ型エネルギ保存サイクル合体機関。
【請求項８１２】
縮径主燃焼室兼熱交換器（１）で限り無く高圧燃焼熱交換冷却長時間燃焼して燃焼ガス質量出力＋燃焼ガス熱量出力に分割し、燃焼ガス質量出力ではずみ車ガスタービン（８ａ）を回転駆動することを特徴とするエネルギ保存サイクル合体機関。
【請求項８１３】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力ではずみ車ガスタービン（８ａ）を回転駆動することを特徴とするＡ型エネルギ保存サイクル合体機関。
【請求項８１４】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力ではずみ車ガスタービン（８ａ）を回転駆動することを特徴とするエネルギ保存サイクル合体機関。
【請求項８１５】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス質量出力ではずみ車ガスタービン（８ａ）を回転駆動することを特徴とするＡ型エネルギ保存サイクル合体機関。
【請求項８１６】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス質量出力ではずみ車ガスタービン（８ａ）を回転駆動することを特徴とするエネルギ保存サイクル合体機関。
【請求項８１７】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力ではずみ車ガスタービン（８ａ）を回転駆動することを特徴とするＡ型エネルギ保存サイクル合体機関。
【請求項８１８】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力ではずみ車ガスタービン（８ａ）を回転駆動することを特徴とするエネルギ保存サイクル合体機関。
【請求項８１９】
縮径主燃焼室兼熱交換器（１）で限り無く高圧燃焼熱交換冷却長時間燃焼して燃焼ガス質量出力＋燃焼ガス熱量出力に分割し、燃焼ガス質量出力で霧吹きの原理（１１１ｂ）を駆動することを特徴とするＡ型エネルギ保存サイクル合体機関。
【請求項８２０】
縮径主燃焼室兼熱交換器（１）で限り無く高圧燃焼熱交換冷却長時間燃焼して燃焼ガス質量出力＋燃焼ガス熱量出力に分割し、燃焼ガス質量出力で霧吹きの原理（１１１ｂ）を駆動することを特徴とするエネルギ保存サイクル合体機関。
【請求項８２１】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力で霧吹きの原理（１１１ｂ）を駆動することを特徴とするＡ型エネルギ保存サイクル合体機関。
【請求項８２２】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力で霧吹きの原理（１１１ｂ）を駆動することを特徴とするエネルギ保存サイクル合体機関。
【請求項８２３】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス質量出力で霧吹きの原理（１１１ｂ）を駆動することを特徴とするＡ型エネルギ保存サイクル合体機関。
【請求項８２４】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス質量出力で霧吹きの原理（１１１ｂ）を駆動することを特徴とするエネルギ保存サイクル合体機関。
【請求項８２５】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力で霧吹きの原理（１１１ｂ）を駆動することを特徴とするＡ型エネルギ保存サイクル合体機関。
【請求項８２６】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力で霧吹きの原理（１１１ｂ）を駆動することを特徴とするエネルギ保存サイクル合体機関。
【請求項８２７】
縮径主燃焼室兼熱交換器（１）で限り無く高圧燃焼熱交換冷却長時間燃焼して燃焼ガス質量出力＋燃焼ガス熱量出力に分割し、燃焼ガス質量出力の燃焼ガス（４９）爆発力で霧吹きの原理（１１１ｂ）を駆動することを特徴とするＡ型エネルギ保存サイクル合体機関。
【請求項８２８】
縮径主燃焼室兼熱交換器（１）で限り無く高圧燃焼熱交換冷却長時間燃焼して燃焼ガス質量出力＋燃焼ガス熱量出力に分割し、燃焼ガス質量出力の燃焼ガス（４９）爆発力で霧吹きの原理（１１１ｂ）を駆動することを特徴とするエネルギ保存サイクル合体機関。
【請求項８２９】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力の燃焼ガス（４９）爆発力で霧吹きの原理（１１１ｂ）を駆動することを特徴とするＡ型エネルギ保存サイクル合体機関。
【請求項８３０】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力の燃焼ガス（４９）爆発力で霧吹きの原理（１１１ｂ）を駆動することを特徴とするエネルギ保存サイクル合体機関。
【請求項８３１】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス質量出力の燃焼ガス（４９）爆発力で霧吹きの原理（１１１ｂ）を駆動することを特徴とするＡ型エネルギ保存サイクル合体機関。
【請求項８３２】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス質量出力の燃焼ガス（４９）爆発力で霧吹きの原理（１１１ｂ）を駆動することを特徴とするエネルギ保存サイクル合体機関。
【請求項８３３】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力の燃焼ガス（４９）爆発力で霧吹きの原理（１１１ｂ）を駆動することを特徴とするＡ型エネルギ保存サイクル合体機関。
【請求項８３４】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力の燃焼ガス（４９）爆発力で霧吹きの原理（１１１ｂ）を駆動することを特徴とするエネルギ保存サイクル合体機関。
【請求項８３５】
縮径主燃焼室兼熱交換器（１）で限り無く高圧燃焼熱交換冷却長時間燃焼して燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動することを特徴とするＡ型エネルギ保存サイクル合体機関。
【請求項８３６】
縮径主燃焼室兼熱交換器（１）で限り無く高圧燃焼熱交換冷却長時間燃焼して燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動することを特徴とするエネルギ保存サイクル合体機関。
【請求項８３７】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動することを特徴とするＡ型エネルギ保存サイクル合体機関。
【請求項８３８】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動することを特徴とするエネルギ保存サイクル合体機関。
【請求項８３９】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動することを特徴とするＡ型エネルギ保存サイクル合体機関。
【請求項８４０】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動することを特徴とするエネルギ保存サイクル合体機関。
【請求項８４１】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動することを特徴とするＡ型エネルギ保存サイクル合体機関。
【請求項８４２】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動することを特徴とするエネルギ保存サイクル合体機関。
【請求項８４３】
縮径主燃焼室兼熱交換器（１）で限り無く高圧燃焼熱交換冷却長時間燃焼して燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引噴射することを特徴とするＡ型エネルギ保存サイクル合体機関。
【請求項８４４】
縮径主燃焼室兼熱交換器（１）で限り無く高圧燃焼熱交換冷却長時間燃焼して燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引噴射することを特徴とするエネルギ保存サイクル合体機関。
【請求項８４５】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引噴射することを特徴とするＡ型エネルギ保存サイクル合体機関。
【請求項８４６】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引噴射することを特徴とするエネルギ保存サイクル合体機関。
【請求項８４７】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引噴射することを特徴とするＡ型エネルギ保存サイクル合体機関。
【請求項８４８】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引噴射することを特徴とするエネルギ保存サイクル合体機関。
【請求項８４９】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引噴射することを特徴とするＡ型エネルギ保存サイクル合体機関。
【請求項８５０】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引噴射することを特徴とするエネルギ保存サイクル合体機関。
【請求項８５１】
縮径主燃焼室兼熱交換器（１）で限り無く高圧燃焼熱交換冷却長時間燃焼して燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引して噴射推進力を発生することを特徴とするＡ型エネルギ保存サイクル合体機関。
【請求項８５２】
縮径主燃焼室兼熱交換器（１）で限り無く高圧燃焼熱交換冷却長時間燃焼して燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引して噴射推進力を発生することを特徴とするエネルギ保存サイクル合体機関。
【請求項８５３】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引して噴射推進力を発生することを特徴とするＡ型エネルギ保存サイクル合体機関。
【請求項８５４】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引して噴射推進力を発生することを特徴とするエネルギ保存サイクル合体機関。
【請求項８５５】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引して噴射推進力を発生することを特徴とするＡ型エネルギ保存サイクル合体機関。
【請求項８５６】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引して噴射推進力を発生することを特徴とするエネルギ保存サイクル合体機関。
【請求項８５７】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引して噴射推進力を発生することを特徴とするＡ型エネルギ保存サイクル合体機関。
【請求項８５８】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引して噴射推進力を発生することを特徴とするエネルギ保存サイクル合体機関。
【請求項８５９】
縮径主燃焼室兼熱交換器（１）で限り無く高圧燃焼熱交換冷却長時間燃焼して燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引して噴射推進力を発生して各種装置を駆動することを特徴とするＡ型エネルギ保存サイクル合体機関。
【請求項８６０】
縮径主燃焼室兼熱交換器（１）で限り無く高圧燃焼熱交換冷却長時間燃焼して燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引して噴射推進力を発生して各種装置を駆動することを特徴とするエネルギ保存サイクル合体機関。
【請求項８６１】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引して噴射推進力を発生して各種装置を駆動することを特徴とするＡ型エネルギ保存サイクル合体機関。
【請求項８６２】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引して噴射推進力を発生して各種装置を駆動することを特徴とするエネルギ保存サイクル合体機関。
【請求項８６３】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引して噴射推進力を発生して各種装置を駆動することを特徴とするＡ型エネルギ保存サイクル合体機関。
【請求項８６４】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引して噴射推進力を発生して各種装置を駆動することを特徴とするエネルギ保存サイクル合体機関。
【請求項８６５】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引して噴射推進力を発生して各種装置を駆動することを特徴とするＡ型エネルギ保存サイクル合体機関。
【請求項８６６】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力の燃焼ガス（４９）爆発力で霧吹きの原理（１１１ｂ）燃焼ガス噴射ノズル（６Ｃ）を駆動して前方の空気を吸引して噴射推進力を発生して各種装置を駆動することを特徴とするエネルギ保存サイクル合体機関。
【請求項８６７】
縮径主燃焼室兼熱交換器（１）で限り無く高圧燃焼熱交換冷却長時間燃焼して燃焼ガス質量出力＋燃焼ガス熱量出力に分割し、燃焼ガス質量出力で霧吹きの原理（１１１ｆ）を駆動することを特徴とするＡ型エネルギ保存サイクル合体機関。
【請求項８６８】
縮径主燃焼室兼熱交換器（１）で限り無く高圧燃焼熱交換冷却長時間燃焼して燃焼ガス質量出力＋燃焼ガス熱量出力に分割し、燃焼ガス質量出力で霧吹きの原理（１１１ｆ）を駆動することを特徴とするエネルギ保存サイクル合体機関。
【請求項８６９】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力で霧吹きの原理（１１１ｆ）を駆動することを特徴とするＡ型エネルギ保存サイクル合体機関。
【請求項８７０】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力で霧吹きの原理（１１１ｆ）を駆動することを特徴とするエネルギ保存サイクル合体機関。
【請求項８７１】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス質量出力で霧吹きの原理（１１１ｆ）を駆動することを特徴とするＡ型エネルギ保存サイクル合体機関。
【請求項８７２】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス質量出力で霧吹きの原理（１１１ｆ）を駆動することを特徴とするエネルギ保存サイクル合体機関。
【請求項８７３】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力で霧吹きの原理（１１１ｆ）を駆動することを特徴とするＡ型エネルギ保存サイクル合体機関。
【請求項８７４】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力で霧吹きの原理（１１１ｆ）を駆動することを特徴とするエネルギ保存サイクル合体機関。
【請求項８７５】
縮径主燃焼室兼熱交換器（１）で限り無く高圧燃焼熱交換冷却長時間燃焼して燃焼ガス質量出力＋燃焼ガス熱量出力に分割し、燃焼ガス質量出力の燃焼ガス（４９）爆発力で霧吹きの原理（１１１ｆ）を駆動することを特徴とするＡ型エネルギ保存サイクル合体機関。
【請求項８７６】
縮径主燃焼室兼熱交換器（１）で限り無く高圧燃焼熱交換冷却長時間燃焼して燃焼ガス質量出力＋燃焼ガス熱量出力に分割し、燃焼ガス質量出力の燃焼ガス（４９）爆発力で霧吹きの原理（１１１ｆ）を駆動することを特徴とするエネルギ保存サイクル合体機関。
【請求項８７７】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力の燃焼ガス（４９）爆発力で霧吹きの原理（１１１ｆ）を駆動することを特徴とするＡ型エネルギ保存サイクル合体機関。
【請求項８７８】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力の燃焼ガス（４９）爆発力で霧吹きの原理（１１１ｆ）を駆動することを特徴とするエネルギ保存サイクル合体機関。
【請求項８７９】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス質量出力の燃焼ガス（４９）爆発力で霧吹きの原理（１１１ｆ）を駆動することを特徴とするＡ型エネルギ保存サイクル合体機関。
【請求項８８０】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス質量出力の燃焼ガス（４９）爆発力で霧吹きの原理（１１１ｆ）を駆動することを特徴とするエネルギ保存サイクル合体機関。
【請求項８８１】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力の燃焼ガス（４９）爆発力で霧吹きの原理（１１１ｆ）を駆動することを特徴とするＡ型エネルギ保存サイクル合体機関。
【請求項８８２】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力の燃焼ガス（４９）爆発力で霧吹きの原理（１１１ｆ）を駆動することを特徴とするエネルギ保存サイクル合体機関。
【請求項８８３】
縮径主燃焼室兼熱交換器（１）で限り無く高圧燃焼熱交換冷却長時間燃焼して燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動することを特徴とするＡ型エネルギ保存サイクル合体機関。
【請求項８８４】
縮径主燃焼室兼熱交換器（１）で限り無く高圧燃焼熱交換冷却長時間燃焼して燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動することを特徴とするエネルギ保存サイクル合体機関。
【請求項８８５】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動することを特徴とするＡ型エネルギ保存サイクル合体機関。
【請求項８８６】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動することを特徴とするエネルギ保存サイクル合体機関。
【請求項８８７】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動することを特徴とするＡ型エネルギ保存サイクル合体機関。
【請求項８８８】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動することを特徴とするエネルギ保存サイクル合体機関。
【請求項８８９】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動することを特徴とするＡ型エネルギ保存サイクル合体機関。
【請求項８９０】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動することを特徴とするエネルギ保存サイクル合体機関。
【請求項８９１】
縮径主燃焼室兼熱交換器（１）で限り無く高圧燃焼熱交換冷却長時間燃焼して燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引噴射することを特徴とするＡ型エネルギ保存サイクル合体機関。
【請求項８９２】
縮径主燃焼室兼熱交換器（１）で限り無く高圧燃焼熱交換冷却長時間燃焼して燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引噴射することを特徴とするエネルギ保存サイクル合体機関。
【請求項８９３】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引噴射することを特徴とするＡ型エネルギ保存サイクル合体機関。
【請求項８９４】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引噴射することを特徴とするエネルギ保存サイクル合体機関。
【請求項８９５】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引噴射することを特徴とするＡ型エネルギ保存サイクル合体機関。
【請求項８９６】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引噴射することを特徴とするエネルギ保存サイクル合体機関。
【請求項８９７】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引噴射することを特徴とするＡ型エネルギ保存サイクル合体機関。
【請求項８９８】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引噴射することを特徴とするエネルギ保存サイクル合体機関。
【請求項８９９】
縮径主燃焼室兼熱交換器（１）で限り無く高圧燃焼熱交換冷却長時間燃焼して燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引して噴射推進力を発生することを特徴とするＡ型エネルギ保存サイクル合体機関。
【請求項９００】
縮径主燃焼室兼熱交換器（１）で限り無く高圧燃焼熱交換冷却長時間燃焼して燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引して噴射推進力を発生することを特徴とするエネルギ保存サイクル合体機関。
【請求項９０１】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引して噴射推進力を発生することを特徴とするＡ型エネルギ保存サイクル合体機関。
【請求項９０２】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引して噴射推進力を発生することを特徴とするエネルギ保存サイクル合体機関。
【請求項９０３】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引して噴射推進力を発生することを特徴とするＡ型エネルギ保存サイクル合体機関。
【請求項９０４】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引して噴射推進力を発生することを特徴とするエネルギ保存サイクル合体機関。
【請求項９０５】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引して噴射推進力を発生することを特徴とするＡ型エネルギ保存サイクル合体機関。
【請求項９０６】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引して噴射推進力を発生することを特徴とするエネルギ保存サイクル合体機関。
【請求項９０７】
縮径主燃焼室兼熱交換器（１）で限り無く高圧燃焼熱交換冷却長時間燃焼して燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引して噴射推進力を発生して各種装置を駆動することを特徴とするＡ型エネルギ保存サイクル合体機関。
【請求項９０８】
縮径主燃焼室兼熱交換器（１）で限り無く高圧燃焼熱交換冷却長時間燃焼して燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引して噴射推進力を発生して各種装置を駆動することを特徴とするエネルギ保存サイクル合体機関。
【請求項９０９】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引して噴射推進力を発生して各種装置を駆動することを特徴とするＡ型エネルギ保存サイクル合体機関。
【請求項９１０】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引して噴射推進力を発生して各種装置を駆動することを特徴とするエネルギ保存サイクル合体機関。
【請求項９１１】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引して噴射推進力を発生して各種装置を駆動することを特徴とするＡ型エネルギ保存サイクル合体機関。
【請求項９１２】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引して噴射推進力を発生して各種装置を駆動することを特徴とするエネルギ保存サイクル合体機関。
【請求項９１３】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引して噴射推進力を発生して各種装置を駆動することを特徴とするＡ型エネルギ保存サイクル合体機関。
【請求項９１４】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス質量出力の燃焼ガス（４９）爆発力で霧吹きの原理（１１１ｆ）燃焼ガス噴射ノズル（６Ｄ）を駆動して前方の空気を吸引して噴射推進力を発生して各種装置を駆動することを特徴とするエネルギ保存サイクル合体機関。
【請求項９１５】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力ではずみ車蒸気タービン（８ｂ）を駆動することを特徴とするＡ型エネルギ保存サイクル合体機関。
【請求項９１６】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力ではずみ車蒸気タービン（８ｂ）を駆動することを特徴とするエネルギ保存サイクル合体機関。
【請求項９１７】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力ではずみ車蒸気タービン（８ｂ）を駆動することを特徴とするＡ型エネルギ保存サイクル合体機関。
【請求項９１８】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力ではずみ車蒸気タービン（８ｂ）を駆動することを特徴とするエネルギ保存サイクル合体機関。
【請求項９１９】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス熱量出力ではずみ車蒸気タービン（８ｂ）を駆動することを特徴とするＡ型エネルギ保存サイクル合体機関。
【請求項９２０】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス熱量出力ではずみ車蒸気タービン（８ｂ）を駆動することを特徴とするエネルギ保存サイクル合体機関。
【請求項９２１】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力ではずみ車蒸気タービン（８ｂ）を駆動することを特徴とするＡ型エネルギ保存サイクル合体機関。
【請求項９２２】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力ではずみ車蒸気タービン（８ｂ）を駆動することを特徴とするエネルギ保存サイクル合体機関。
【請求項９２３】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力ではずみ車蒸気タービン（８ｂ）を回転駆動することを特徴とするＡ型エネルギ保存サイクル合体機関。
【請求項９２４】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力ではずみ車蒸気タービン（８ｂ）を回転駆動することを特徴とするエネルギ保存サイクル合体機関。
【請求項９２５】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力ではずみ車蒸気タービン（８ｂ）を回転駆動することを特徴とするＡ型エネルギ保存サイクル合体機関。
【請求項９２６】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力ではずみ車蒸気タービン（８ｂ）を回転駆動することを特徴とするエネルギ保存サイクル合体機関。
【請求項９２７】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス熱量出力ではずみ車蒸気タービン（８ｂ）を回転駆動することを特徴とするＡ型エネルギ保存サイクル合体機関。
【請求項９２８】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス熱量出力ではずみ車蒸気タービン（８ｂ）を回転駆動することを特徴とするエネルギ保存サイクル合体機関。
【請求項９２９】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力ではずみ車蒸気タービン（８ｂ）を回転駆動することを特徴とするＡ型エネルギ保存サイクル合体機関。
【請求項９３０】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力ではずみ車蒸気タービン（８ｂ）を回転駆動することを特徴とするエネルギ保存サイクル合体機関。
【請求項９３１】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力で霧吹きの原理（１１１ａ）を駆動することを特徴とするＡ型エネルギ保存サイクル合体機関。
【請求項９３２】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力で霧吹きの原理（１１１ａ）を駆動することを特徴とするエネルギ保存サイクル合体機関。
【請求項９３３】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力で霧吹きの原理（１１１ａ）を駆動することを特徴とするＡ型エネルギ保存サイクル合体機関。
【請求項９３４】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力で霧吹きの原理（１１１ａ）を駆動することを特徴とするエネルギ保存サイクル合体機関。
【請求項９３５】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス熱量出力で霧吹きの原理（１１１ａ）を駆動することを特徴とするＡ型エネルギ保存サイクル合体機関。
【請求項９３６】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス熱量出力で霧吹きの原理（１１１ａ）を駆動することを特徴とするエネルギ保存サイクル合体機関。
【請求項９３７】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力で霧吹きの原理（１１１ａ）を駆動することを特徴とするＡ型エネルギ保存サイクル合体機関。
【請求項９３８】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力で霧吹きの原理（１１１ａ）を駆動することを特徴とするエネルギ保存サイクル合体機関。
【請求項９３９】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力の過熱蒸気（５０）爆発力で霧吹きの原理（１１１ａ）を駆動することを特徴とするＡ型エネルギ保存サイクル合体機関。
【請求項９４０】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力の過熱蒸気（５０）爆発力で霧吹きの原理（１１１ａ）を駆動することを特徴とするエネルギ保存サイクル合体機関。
【請求項９４１】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力の過熱蒸気（５０）爆発力で霧吹きの原理（１１１ａ）を駆動することを特徴とするＡ型エネルギ保存サイクル合体機関。
【請求項９４２】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力の過熱蒸気（５０）爆発力で霧吹きの原理（１１１ａ）を駆動することを特徴とするエネルギ保存サイクル合体機関。
【請求項９４３】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス熱量出力の過熱蒸気（５０）爆発力で霧吹きの原理（１１１ａ）を駆動することを特徴とするＡ型エネルギ保存サイクル合体機関。
【請求項９４４】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス熱量出力の過熱蒸気（５０）爆発力で霧吹きの原理（１１１ａ）を駆動することを特徴とするエネルギ保存サイクル合体機関。
【請求項９４５】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力の過熱蒸気（５０）爆発力で霧吹きの原理（１１１ａ）を駆動することを特徴とするＡ型エネルギ保存サイクル合体機関。
【請求項９４６】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力の過熱蒸気（５０）爆発力で霧吹きの原理（１１１ａ）を駆動することを特徴とするエネルギ保存サイクル合体機関。
【請求項９４７】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動することを特徴とするＡ型エネルギ保存サイクル合体機関。
【請求項９４８】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動することを特徴とするエネルギ保存サイクル合体機関。
【請求項９４９】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動することを特徴とするＡ型エネルギ保存サイクル合体機関。
【請求項９５０】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動することを特徴とするエネルギ保存サイクル合体機関。
【請求項９５１】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動することを特徴とするＡ型エネルギ保存サイクル合体機関。
【請求項９５２】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動することを特徴とするエネルギ保存サイクル合体機関。
【請求項９５３】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動することを特徴とするＡ型エネルギ保存サイクル合体機関。
【請求項９５４】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動することを特徴とするエネルギ保存サイクル合体機関。
【請求項９５５】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引噴射することを特徴とするＡ型エネルギ保存サイクル合体機関。
【請求項９５６】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引噴射することを特徴とするエネルギ保存サイクル合体機関。
【請求項９５７】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引噴射することを特徴とするＡ型エネルギ保存サイクル合体機関。
【請求項９５８】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引噴射することを特徴とするエネルギ保存サイクル合体機関。
【請求項９５９】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引噴射することを特徴とするＡ型エネルギ保存サイクル合体機関。
【請求項９６０】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引噴射することを特徴とするエネルギ保存サイクル合体機関。
【請求項９６１】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引噴射することを特徴とするＡ型エネルギ保存サイクル合体機関。
【請求項９６２】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引噴射することを特徴とするエネルギ保存サイクル合体機関。
【請求項９６３】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引して噴射推進力を発生することを特徴とするＡ型エネルギ保存サイクル合体機関。
【請求項９６４】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引して噴射推進力を発生することを特徴とするエネルギ保存サイクル合体機関。
【請求項９６５】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引して噴射推進力を発生することを特徴とするＡ型エネルギ保存サイクル合体機関。
【請求項９６６】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引して噴射推進力を発生することを特徴とするエネルギ保存サイクル合体機関。
【請求項９６７】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引して噴射推進力を発生することを特徴とするＡ型エネルギ保存サイクル合体機関。
【請求項９６８】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引して噴射推進力を発生することを特徴とするエネルギ保存サイクル合体機関。
【請求項９６９】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引して噴射推進力を発生することを特徴とするＡ型エネルギ保存サイクル合体機関。
【請求項９７０】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引して噴射推進力を発生することを特徴とするエネルギ保存サイクル合体機関。
【請求項９７１】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引して噴射推進力を発生して各種装置を駆動することを特徴とするＡ型エネルギ保存サイクル合体機関。
【請求項９７２】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引して噴射推進力を発生して各種装置を駆動することを特徴とするエネルギ保存サイクル合体機関。
【請求項９７３】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引して噴射推進力を発生して各種装置を駆動することを特徴とするＡ型エネルギ保存サイクル合体機関。
【請求項９７４】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引して噴射推進力を発生して各種装置を駆動することを特徴とするエネルギ保存サイクル合体機関。
【請求項９７５】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引して噴射推進力を発生して各種装置を駆動することを特徴とするＡ型エネルギ保存サイクル合体機関。
【請求項９７６】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引して噴射推進力を発生して各種装置を駆動することを特徴とするエネルギ保存サイクル合体機関。
【請求項９７７】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引して噴射推進力を発生して各種装置を駆動することを特徴とするＡ型エネルギ保存サイクル合体機関。
【請求項９７８】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力の過熱蒸気（５０）爆発力で霧吹きの原理（１１１ａ）過熱蒸気噴射ノズル（６Ａ）を駆動して前方の空気を吸引して噴射推進力を発生して各種装置を駆動することを特徴とするエネルギ保存サイクル合体機関。
【請求項９７９】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力で霧吹きの原理（１１１ｅ）を駆動することを特徴とするＡ型エネルギ保存サイクル合体機関。
【請求項９８０】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力で霧吹きの原理（１１１ｅ）を駆動することを特徴とするエネルギ保存サイクル合体機関。
【請求項９８１】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力で霧吹きの原理（１１１ｅ）を駆動することを特徴とするＡ型エネルギ保存サイクル合体機関。
【請求項９８２】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力で霧吹きの原理（１１１ｅ）を駆動することを特徴とするエネルギ保存サイクル合体機関。
【請求項９８３】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス熱量出力で霧吹きの原理（１１１ｅ）を駆動することを特徴とするＡ型エネルギ保存サイクル合体機関。
【請求項９８４】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス熱量出力で霧吹きの原理（１１１ｅ）を駆動することを特徴とするエネルギ保存サイクル合体機関。
【請求項９８５】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力で霧吹きの原理（１１１ｅ）を駆動することを特徴とするＡ型エネルギ保存サイクル合体機関。
【請求項９８６】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力で霧吹きの原理（１１１ｅ）を駆動することを特徴とするエネルギ保存サイクル合体機関。
【請求項９８７】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力の過熱蒸気（５０）爆発力で霧吹きの原理（１１１ｅ）を駆動することを特徴とするＡ型エネルギ保存サイクル合体機関。
【請求項９８８】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力の過熱蒸気（５０）爆発力で霧吹きの原理（１１１ｅ）を駆動することを特徴とするエネルギ保存サイクル合体機関。
【請求項９８９】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力の過熱蒸気（５０）爆発力で霧吹きの原理（１１１ｅ）を駆動することを特徴とするＡ型エネルギ保存サイクル合体機関。
【請求項９９０】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力の過熱蒸気（５０）爆発力で霧吹きの原理（１１１ｅ）を駆動することを特徴とするエネルギ保存サイクル合体機関。
【請求項９９１】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス熱量出力の過熱蒸気（５０）爆発力で霧吹きの原理（１１１ｅ）を駆動することを特徴とするＡ型エネルギ保存サイクル合体機関。
【請求項９９２】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス熱量出力の過熱蒸気（５０）爆発力で霧吹きの原理（１１１ｅ）を駆動することを特徴とするエネルギ保存サイクル合体機関。
【請求項９９３】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力の過熱蒸気（５０）爆発力で霧吹きの原理（１１１ｅ）を駆動することを特徴とするＡ型エネルギ保存サイクル合体機関。
【請求項９９４】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力の過熱蒸気（５０）爆発力で霧吹きの原理（１１１ｅ）を駆動することを特徴とするエネルギ保存サイクル合体機関。
【請求項９９５】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動することを特徴とするＡ型エネルギ保存サイクル合体機関。
【請求項９９６】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動することを特徴とするエネルギ保存サイクル合体機関。
【請求項９９７】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動することを特徴とするＡ型エネルギ保存サイクル合体機関。
【請求項９９８】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動することを特徴とするエネルギ保存サイクル合体機関。
【請求項９９９】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動することを特徴とするＡ型エネルギ保存サイクル合体機関。
【請求項１０００】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動することを特徴とするエネルギ保存サイクル合体機関。
【請求項１００１】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動することを特徴とするＡ型エネルギ保存サイクル合体機関。
【請求項１００２】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動することを特徴とするエネルギ保存サイクル合体機関。
【請求項１００３】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引噴射することを特徴とするＡ型エネルギ保存サイクル合体機関。
【請求項１００４】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引噴射することを特徴とするエネルギ保存サイクル合体機関。
【請求項１００５】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引噴射することを特徴とするＡ型エネルギ保存サイクル合体機関。
【請求項１００６】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引噴射することを特徴とするエネルギ保存サイクル合体機関。
【請求項１００７】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引噴射することを特徴とするＡ型エネルギ保存サイクル合体機関。
【請求項１００８】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引噴射することを特徴とするエネルギ保存サイクル合体機関。
【請求項１００９】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引噴射することを特徴とするＡ型エネルギ保存サイクル合体機関。
【請求項１０１０】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引噴射することを特徴とするエネルギ保存サイクル合体機関。
【請求項１０１１】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引して噴射推進力を発生することを特徴とするＡ型エネルギ保存サイクル合体機関。
【請求項１０１２】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引して噴射推進力を発生することを特徴とするエネルギ保存サイクル合体機関。
【請求項１０１３】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引して噴射推進力を発生することを特徴とするＡ型エネルギ保存サイクル合体機関。
【請求項１０１４】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引して噴射推進力を発生することを特徴とするエネルギ保存サイクル合体機関。
【請求項１０１５】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引して噴射推進力を発生することを特徴とするＡ型エネルギ保存サイクル合体機関。
【請求項１０１６】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引して噴射推進力を発生することを特徴とするエネルギ保存サイクル合体機関。
【請求項１０１７】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引して噴射推進力を発生することを特徴とするＡ型エネルギ保存サイクル合体機関。
【請求項１０１８】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引して噴射推進力を発生することを特徴とするエネルギ保存サイクル合体機関。
【請求項１０１９】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引して噴射推進力を発生して各種装置を駆動することを特徴とするＡ型エネルギ保存サイクル合体機関。
【請求項１０２０】
縮径主燃焼室兼熱交換器（１）で限り無く高圧燃焼熱交換冷却長時間燃焼して燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引して噴射推進力を発生して各種装置を駆動することを特徴とするエネルギ保存サイクル合体機関。
【請求項１０２１】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引して噴射推進力を発生して各種装置を駆動することを特徴とするＡ型エネルギ保存サイクル合体機関。
【請求項１０２２】
縮径主燃焼室兼熱交換器（１）で限り無く高圧燃焼熱交換冷却長時間燃焼して燃焼ガス温度の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引して噴射推進力を発生して各種装置を駆動することを特徴とするエネルギ保存サイクル合体機関。
【請求項１０２３】
縮径主燃焼室兼熱交換器（１）で限り無く高圧燃焼熱交換冷却長時間燃焼して燃焼ガス容積の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引して噴射推進力を発生して各種装置を駆動することを特徴とするＡ型エネルギ保存サイクル合体機関。
【請求項１０２４】
縮径主燃焼室兼熱交換器（１）限り無く高圧燃焼熱交換冷却長時間燃焼して燃焼ガス容積の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引して噴射推進力を発生して各種装置を駆動することを特徴とするエネルギ保存サイクル合体機関。
【請求項１０２５】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引して噴射推進力を発生して各種装置を駆動することを特徴とするＡ型エネルギ保存サイクル合体機関。
【請求項１０２６】
縮径主燃焼室兼熱交換器（１）限り無く高圧燃焼熱交換冷却長時間燃焼して燃焼ガス温度と燃焼ガス容積の障害を最低にして燃焼ガス質量出力＋燃焼ガス熱量出力に分割し、燃焼ガス熱量出力の過熱蒸気（５０）爆発力で霧吹きの原理（１１１ｅ）過熱蒸気噴射ノズル（６Ｂ）を駆動して前方の空気を吸引して噴射推進力を発生して各種装置を駆動することを特徴とするエネルギ保存サイクル合体機関。
【請求項１０２７】
送水ポンプ兼磁気摩擦動力伝達装置（５５）により昇圧した水を縮径主燃焼室熱交換器（２）に供給するＡ型エネルギ保存サイクル合体機関。
【請求項１０２８】
送水ポンプ兼磁気摩擦動力伝達装置（５５）により昇圧した水を縮径主燃焼室熱交換器（２）に供給するエネルギ保存サイクル合体機関。
【請求項１０２９】
送水ポンプ兼二重反転磁気摩擦動力伝達装置（８４）により昇圧した水を縮径主燃焼室熱交換器（２）に供給するＡ型エネルギ保存サイクル合体機関。
【請求項１０３０】
送水ポンプ兼二重反転磁気摩擦動力伝達装置（８４）により昇圧した水を縮径主燃焼室熱交換器（２）に供給するエネルギ保存サイクル合体機関。
【請求項１０３１】
送水ポンプ兼磁気摩擦動力伝達装置（５５）により昇圧した水を水噴射ノズル（６Ｅ）の水溜（９５ｂ）に供給するＡ型エネルギ保存サイクル合体機関。
【請求項１０３２】
送水ポンプ兼磁気摩擦動力伝達装置（５５）により昇圧した水を水噴射ノズル（６Ｅ）の水溜（９５ｂ）に供給するエネルギ保存サイクル合体機関。
【請求項１０３３】
送水ポンプ兼二重反転磁気摩擦動力伝達装置（８４）により昇圧した水を水噴射ノズル（６Ｅ）の水溜（９５ｂ）に供給するＡ型エネルギ保存サイクル合体機関。
【請求項１０３４】
送水ポンプ兼二重反転磁気摩擦動力伝達装置（８４）により昇圧した水を水噴射ノズル（６Ｅ）の水溜（９５ｂ）に供給するエネルギ保存サイクル合体機関。
【請求項１０３５】
送水ポンプ兼磁気摩擦動力伝達装置（５５）により昇圧した水を燃焼ガス噴射ノズル（６Ｃ）の水溜（９５ｂ）に供給するＡ型エネルギ保存サイクル合体機関。
【請求項１０３６】
送水ポンプ兼磁気摩擦動力伝達装置（５５）により昇圧した水を燃焼ガス噴射ノズル（６Ｃ）の水溜（９５ｂ）に供給するエネルギ保存サイクル合体機関。
【請求項１０３７】
送水ポンプ兼二重反転磁気摩擦動力伝達装置（８４）により昇圧した水を燃焼ガス噴射ノズル（６Ｃ）の水溜（９５ｂ）に供給するＡ型エネルギ保存サイクル合体機関。
【請求項１０３８】
送水ポンプ兼二重反転磁気摩擦動力伝達装置（８４）により昇圧した水を燃焼ガス噴射ノズル（６Ｃ）の水溜（９５ｂ）に供給するエネルギ保存サイクル合体機関。
【請求項１０３９】
送水ポンプ兼磁気摩擦動力伝達装置（５５）により昇圧した水を燃焼ガス噴射ノズル（６Ｄ）の水溜（９５ｂ）に供給するＡ型エネルギ保存サイクル合体機関。
【請求項１０４０】
送水ポンプ兼磁気摩擦動力伝達装置（５５）により昇圧した水を燃焼ガス噴射ノズル（６Ｄ）の水溜（９５ｂ）に供給するエネルギ保存サイクル合体機関。
【請求項１０４１】
送水ポンプ兼二重反転磁気摩擦動力伝達装置（８４）により昇圧した水を燃焼ガス噴射ノズル（６Ｄ）の水溜（９５ｂ）に供給するＡ型エネルギ保存サイクル合体機関。
【請求項１０４２】
送水ポンプ兼二重反転磁気摩擦動力伝達装置（８４）により昇圧した水を燃焼ガス噴射ノズル（６Ｄ）の水溜（９５ｂ）に供給するエネルギ保存サイクル合体機関。
【請求項１０４３】
送水ポンプ兼磁気摩擦動力伝達装置（５５）により凝縮水（５２ｆ）を昇圧して縮径主燃焼室熱交換器（２）に供給するＡ型エネルギ保存サイクル合体機関。
【請求項１０４４】
送水ポンプ兼磁気摩擦動力伝達装置（５５）により凝縮水（５２ｆ）を昇圧して縮径主燃焼室熱交換器（２）に供給するエネルギ保存サイクル合体機関。
【請求項１０４５】
送水ポンプ兼二重反転磁気摩擦動力伝達装置（８４）により凝縮水（５２ｆ）を昇圧して縮径主燃焼室熱交換器（２）に供給するＡ型エネルギ保存サイクル合体機関。
【請求項１０４６】
送水ポンプ兼二重反転磁気摩擦動力伝達装置（８４）により凝縮水（５２ｆ）を昇圧して縮径主燃焼室熱交換器（２）に供給するエネルギ保存サイクル合体機関。
【請求項１０４７】
送水ポンプ兼磁気摩擦動力伝達装置（５５）により蒸気排気室（５ａ）の水（５２ａ）を昇圧して縮径主燃焼室熱交換器（２）に供給するＡ型エネルギ保存サイクル合体機関。
【請求項１０４８】
送水ポンプ兼磁気摩擦動力伝達装置（５５）により蒸気排気室（５ａ）の水（５２ａ）を昇圧して縮径主燃焼室熱交換器（２）に供給するエネルギ保存サイクル合体機関。
【請求項１０４９】
送水ポンプ兼二重反転磁気摩擦動力伝達装置（８４）により蒸気排気室（５ａ）の水（５２ａ）を昇圧して縮径主燃焼室熱交換器（２）に供給するＡ型エネルギ保存サイクル合体機関。
【請求項１０５０】
送水ポンプ兼二重反転磁気摩擦動力伝達装置（８４）により蒸気排気室（５ａ）の水（５２ａ）を昇圧して縮径主燃焼室熱交換器（２）に供給するエネルギ保存サイクル合体機関。
【請求項１０５１】
送水ポンプ兼磁気摩擦動力伝達装置（５５）により凝縮水（５２ｆ）を昇圧して水噴射ノズル（６Ｅ）の水溜（９５ｂ）に供給するＡ型エネルギ保存サイクル合体機関。
【請求項１０５２】
送水ポンプ兼磁気摩擦動力伝達装置（５５）により凝縮水（５２ｆ）を昇圧して水噴射ノズル（６Ｅ）の水溜（９５ｂ）に供給するエネルギ保存サイクル合体機関。
【請求項１０５３】
送水ポンプ兼二重反転磁気摩擦動力伝達装置（８４）により凝縮水（５２ｆ）を昇圧して水噴射ノズル（６Ｅ）の水溜（９５ｂ）に供給するＡ型エネルギ保存サイクル合体機関。
【請求項１０５４】
送水ポンプ兼二重反転磁気摩擦動力伝達装置（８４）により凝縮水（５２ｆ）を昇圧して水噴射ノズル（６Ｅ）の水溜（９５ｂ）に供給するエネルギ保存サイクル合体機関。
【請求項１０５５】
送水ポンプ兼磁気摩擦動力伝達装置（５５）により蒸気排気室（５ａ）の水（５２ａ）を昇圧して水噴射ノズル（６Ｅ）の水溜（９５ｂ）に供給するＡ型エネルギ保存サイクル合体機関。
【請求項１０５６】
送水ポンプ兼磁気摩擦動力伝達装置（５５）により蒸気排気室（５ａ）の水（５２ａ）を昇圧して水噴射ノズル（６Ｅ）の水溜（９５ｂ）に供給するエネルギ保存サイクル合体機関。
【請求項１０５７】
送水ポンプ兼二重反転磁気摩擦動力伝達装置（８４）により蒸気排気室（５ａ）の水（５２ａ）を昇圧して水噴射ノズル（６Ｅ）の水溜（９５ｂ）に供給するＡ型エネルギ保存サイクル合体機関。
【請求項１０５８】
送水ポンプ兼二重反転磁気摩擦動力伝達装置（８４）により蒸気排気室（５ａ）の水（５２ａ）を昇圧して水噴射ノズル（６Ｅ）の水溜（９５ｂ）に供給するエネルギ保存サイクル合体機関。
【請求項１０５９】
送水ポンプ兼磁気摩擦動力伝達装置（５５）により凝縮水（５２ｆ）を昇圧して水噴射ノズル（６Ｃ）の水溜（９５ｂ）に供給するＡ型エネルギ保存サイクル合体機関。
【請求項１０６０】
送水ポンプ兼磁気摩擦動力伝達装置（５５）により凝縮水（５２ｆ）を昇圧して水噴射ノズル（６Ｃ）の水溜（９５ｂ）に供給するエネルギ保存サイクル合体機関。
【請求項１０６１】
送水ポンプ兼二重反転磁気摩擦動力伝達装置（８４）により凝縮水（５２ｆ）を昇圧して水噴射ノズル（６Ｃ）の水溜（９５ｂ）に供給するＡ型エネルギ保存サイクル合体機関。
【請求項１０６２】
送水ポンプ兼二重反転磁気摩擦動力伝達装置（８４）により凝縮水（５２ｆ）を昇圧して水噴射ノズル（６Ｃ）の水溜（９５ｂ）に供給するエネルギ保存サイクル合体機関。
【請求項１０６３】
送水ポンプ兼磁気摩擦動力伝達装置（５５）により蒸気排気室（５ａ）の水（５２ａ）を昇圧して水噴射ノズル（６Ｃ）の水溜（９５ｂ）に供給するＡ型エネルギ保存サイクル合体機関。
【請求項１０６４】
送水ポンプ兼磁気摩擦動力伝達装置（５５）により蒸気排気室（５ａ）の水（５２ａ）を昇圧して水噴射ノズル（６Ｃ）の水溜（９５ｂ）に供給するエネルギ保存サイクル合体機関。
【請求項１０６５】
送水ポンプ兼二重反転磁気摩擦動力伝達装置（８４）により蒸気排気室（５ａ）の水（５２ａ）を昇圧して水噴射ノズル（６Ｃ）の水溜（９５ｂ）に供給するＡ型エネルギ保存サイクル合体機関。
【請求項１０６６】
送水ポンプ兼二重反転磁気摩擦動力伝達装置（８４）により蒸気排気室（５ａ）の水（５２ａ）を昇圧して水噴射ノズル（６Ｃ）の水溜（９５ｂ）に供給するエネルギ保存サイクル合体機関。
【請求項１０６７】
送水ポンプ兼磁気摩擦動力伝達装置（５５）により凝縮水（５２ｆ）を昇圧して水噴射ノズル（６Ｄ）の水溜（９５ｂ）に供給するＡ型エネルギ保存サイクル合体機関。
【請求項１０６８】
送水ポンプ兼磁気摩擦動力伝達装置（５５）により凝縮水（５２ｆ）を昇圧して水噴射ノズル（６Ｄ）の水溜（９５ｂ）に供給するエネルギ保存サイクル合体機関。
【請求項１０６９】
送水ポンプ兼二重反転磁気摩擦動力伝達装置（８４）により凝縮水（５２ｆ）を昇圧して水噴射ノズル（６Ｄ）の水溜（９５ｂ）に供給するＡ型エネルギ保存サイクル合体機関。
【請求項１０７０】
送水ポンプ兼二重反転磁気摩擦動力伝達装置（８４）により凝縮水（５２ｆ）を昇圧して水噴射ノズル（６Ｄ）の水溜（９５ｂ）に供給するエネルギ保存サイクル合体機関。
【請求項１０７１】
送水ポンプ兼磁気摩擦動力伝達装置（５５）により蒸気排気室（５ａ）の水（５２ａ）を昇圧して水噴射ノズル（６Ｄ）の水溜（９５ｂ）に供給するＡ型エネルギ保存サイクル合体機関。
【請求項１０７２】
送水ポンプ兼磁気摩擦動力伝達装置（５５）により蒸気排気室（５ａ）の水（５２ａ）を昇圧して水噴射ノズル（６Ｄ）の水溜（９５ｂ）に供給するエネルギ保存サイクル合体機関。
【請求項１０７３】
送水ポンプ兼二重反転磁気摩擦動力伝達装置（８４）により蒸気排気室（５ａ）の水（５２ａ）を昇圧して水噴射ノズル（６Ｄ）の水溜（９５ｂ）に供給するＡ型エネルギ保存サイクル合体機関。
【請求項１０７４】
送水ポンプ兼二重反転磁気摩擦動力伝達装置（８４）により蒸気排気室（５ａ）の水（５２ａ）を昇圧して水噴射ノズル（６Ｄ）の水溜（９５ｂ）に供給するエネルギ保存サイクル合体機関。
【請求項１０７５】
前記縮径主燃焼室兼熱交換器（１）に燃料を噴射する燃料噴射弁の種類を問わないことを特徴とするＡ型エネルギ保存サイクル合体機関。
【請求項１０７６】
前記縮径主燃焼室兼熱交換器（１）に燃料を噴射する燃料噴射弁の種類を問わないことを特徴とするＢ型エネルギ保存サイクル合体機関。
【請求項１０７７】
前記縮径主燃焼室兼熱交換器（１）に燃料を噴射する燃料噴射弁の種類を問わないことを特徴とするＣ型エネルギ保存サイクル合体機関。
【請求項１０７８】
前記縮径主燃焼室兼熱交換器（１）に燃料を噴射する燃料噴射弁の種類を問わないことを特徴とするＤ型エネルギ保存サイクル合体機関。
【請求項１０７９】
前記縮径主燃焼室兼熱交換器（１）に燃料を噴射する燃料噴射弁の種類を問わないことを特徴とするＥ型エネルギ保存サイクル合体機関。
【請求項１０８０】
前記縮径主燃焼室兼熱交換器（１）に燃料を噴射する燃料噴射弁の種類を問わないことを特徴とするＦ型エネルギ保存サイクル合体機関。
【請求項１０８１】
前記縮径主燃焼室兼熱交換器（１）に燃料を噴射する燃料噴射弁の種類を問わないことを特徴とするＧ型エネルギ保存サイクル合体機関。
【請求項１０８２】
前記縮径主燃焼室兼熱交換器（１）に燃料を噴射する燃料噴射弁の種類を問わないことを特徴とするＨ型エネルギ保存サイクル合体機関。
【請求項１０８３】
前記縮径主燃焼室兼熱交換器（１）に燃料を噴射する燃料噴射弁の種類を問わないことを特徴とするエネルギ保存サイクル合体機関。
【請求項１０８４】
前記縮径主燃焼室兼熱交換器（１）に既存ガソリン機関の燃料噴射弁で燃料噴射することを特徴とするＡ型エネルギ保存サイクル合体機関。
【請求項１０８５】
前記縮径主燃焼室兼熱交換器（１）に既存ガソリン機関の燃料噴射弁で燃料噴射することを特徴とするＢ型エネルギ保存サイクル合体機関。
【請求項１０８６】
前記縮径主燃焼室兼熱交換器（１）に既存ガソリン機関の燃料噴射弁で燃料噴射することを特徴とするＣ型エネルギ保存サイクル合体機関。
【請求項１０８７】
前記縮径主燃焼室兼熱交換器（１）に既存ガソリン機関の燃料噴射弁で燃料噴射することを特徴とするＤ型エネルギ保存サイクル合体機関。
【請求項１０８８】
前記縮径主燃焼室兼熱交換器（１）に既存ガソリン機関の燃料噴射弁で燃料噴射することを特徴とするＥ型エネルギ保存サイクル合体機関。
【請求項１０８９】
前記縮径主燃焼室兼熱交換器（１）に既存ガソリン機関の燃料噴射弁で燃料噴射することを特徴とするＦ型エネルギ保存サイクル合体機関。
【請求項１０９０】
前記縮径主燃焼室兼熱交換器（１）に既存ガソリン機関の燃料噴射弁で燃料噴射することを特徴とするＧ型エネルギ保存サイクル合体機関。
【請求項１０９１】
前記縮径主燃焼室兼熱交換器（１）に既存ガソリン機関の燃料噴射弁で燃料噴射することを特徴とするＨ型エネルギ保存サイクル合体機関。
【請求項１０９２】
前記縮径主燃焼室兼熱交換器（１）に既存ガソリン機関の燃料噴射弁で燃料噴射することを特徴とするエネルギ保存サイクル合体機関。
【請求項１０９３】
前記縮径主燃焼室兼熱交換器（１）に既存ディーゼル機関の燃料噴射弁で燃料噴射することを特徴とするＡ型エネルギ保存サイクル合体機関。
【請求項１０９４】
前記縮径主燃焼室兼熱交換器（１）に既存ディーゼル機関の燃料噴射弁で燃料噴射することを特徴とするＢ型エネルギ保存サイクル合体機関。
【請求項１０９５】
前記縮径主燃焼室兼熱交換器（１）に既存ディーゼル機関の燃料噴射弁で燃料噴射することを特徴とするＣ型エネルギ保存サイクル合体機関。
【請求項１０９６】
前記縮径主燃焼室兼熱交換器（１）に既存ディーゼル機関の燃料噴射弁で燃料噴射することを特徴とするＤ型エネルギ保存サイクル合体機関。
【請求項１０９７】
前記縮径主燃焼室兼熱交換器（１）に既存ディーゼル機関の燃料噴射弁で燃料噴射することを特徴とするＥ型エネルギ保存サイクル合体機関。
【請求項１０９８】
前記縮径主燃焼室兼熱交換器（１）に既存ディーゼル機関の燃料噴射弁で燃料噴射することを特徴とするＦ型エネルギ保存サイクル合体機関。
【請求項１０９９】
前記縮径主燃焼室兼熱交換器（１）に既存ディーゼル機関の燃料噴射弁で燃料噴射することを特徴とするＧ型エネルギ保存サイクル合体機関。
【請求項１１００】
前記縮径主燃焼室兼熱交換器（１）に既存ディーゼル機関の燃料噴射弁で燃料噴射することを特徴とするＨ型エネルギ保存サイクル合体機関。
【請求項１１０１】
前記縮径主燃焼室兼熱交換器（１）に既存ディーゼル機関の燃料噴射弁で燃料噴射することを特徴とするエネルギ保存サイクル合体機関。
【請求項１１０２】
前記縮径主燃焼室兼熱交換器（１）に燃料噴射電磁弁（７Ｃ）で燃料噴射することを特徴とするＡ型エネルギ保存サイクル合体機関。
【請求項１１０３】
前記縮径主燃焼室兼熱交換器（１）に燃料噴射電磁弁（７Ｃ）で燃料噴射することを特徴とするＢ型エネルギ保存サイクル合体機関。
【請求項１１０４】
前記縮径主燃焼室兼熱交換器（１）に燃料噴射電磁弁（７Ｃ）で燃料噴射することを特徴とするＣ型エネルギ保存サイクル合体機関。
【請求項１１０５】
前記縮径主燃焼室兼熱交換器（１）に燃料噴射電磁弁（７Ｃ）で燃料噴射することを特徴とするＤ型エネルギ保存サイクル合体機関。
【請求項１１０６】
前記縮径主燃焼室兼熱交換器（１）に燃料噴射電磁弁（７Ｃ）で燃料噴射することを特徴とするＥ型エネルギ保存サイクル合体機関。
【請求項１１０７】
前記縮径主燃焼室兼熱交換器（１）に燃料噴射電磁弁（７Ｃ）で燃料噴射することを特徴とするＦ型エネルギ保存サイクル合体機関。
【請求項１１０８】
前記縮径主燃焼室兼熱交換器（１）に燃料噴射電磁弁（７Ｃ）で燃料噴射することを特徴とするＧ型エネルギ保存サイクル合体機関。
【請求項１１０９】
前記縮径主燃焼室兼熱交換器（１）に燃料噴射電磁弁（７Ｃ）で燃料噴射することを特徴とするＨ型エネルギ保存サイクル合体機関。
【請求項１１１０】
前記縮径主燃焼室兼熱交換器（１）に燃料噴射電磁弁（７Ｃ）で燃料噴射することを特徴とするエネルギ保存サイクル合体機関。
【請求項１１１１】
前記縮径主燃焼室兼熱交換器（１）に燃料蒸気噴射電磁弁（７）で燃料噴射することを特徴とするＡ型エネルギ保存サイクル合体機関。
【請求項１１１２】
前記縮径主燃焼室兼熱交換器（１）に燃料蒸気噴射電磁弁（７）で燃料噴射することを特徴とするＢ型エネルギ保存サイクル合体機関。
【請求項１１１３】
前記縮径主燃焼室兼熱交換器（１）に燃料蒸気噴射電磁弁（７）で燃料噴射することを特徴とするＣ型エネルギ保存サイクル合体機関。
【請求項１１１４】
前記縮径主燃焼室兼熱交換器（１）に燃料蒸気噴射電磁弁（７）で燃料噴射することを特徴とするＤ型エネルギ保存サイクル合体機関。
【請求項１１１５】
前記縮径主燃焼室兼熱交換器（１）に燃料蒸気噴射電磁弁（７）で燃料噴射することを特徴とするＥ型エネルギ保存サイクル合体機関。
【請求項１１１６】
前記縮径主燃焼室兼熱交換器（１）に燃料蒸気噴射電磁弁（７）で燃料噴射することを特徴とするＦ型エネルギ保存サイクル合体機関。
【請求項１１１７】
前記縮径主燃焼室兼熱交換器（１）に燃料蒸気噴射電磁弁（７）で燃料噴射することを特徴とするＧ型エネルギ保存サイクル合体機関。
【請求項１１１８】
前記縮径主燃焼室兼熱交換器（１）に燃料蒸気噴射電磁弁（７）で燃料噴射することを特徴とするＨ型エネルギ保存サイクル合体機関。
【請求項１１１９】
前記縮径主燃焼室兼熱交換器（１）に燃料蒸気噴射電磁弁（７）で燃料噴射することを特徴とするエネルギ保存サイクル合体機関。
【請求項１１２０】
前記縮径主燃焼室兼熱交換器（１）に燃料水噴射電磁弁（７Ｄ）で燃料噴射することを特徴とするＡ型エネルギ保存サイクル合体機関。
【請求項１１２１】
前記縮径主燃焼室兼熱交換器（１）に燃料水噴射電磁弁（７Ｄ）で燃料噴射することを特徴とするＢ型エネルギ保存サイクル合体機関。
【請求項１１２２】
前記縮径主燃焼室兼熱交換器（１）に燃料水噴射電磁弁（７Ｄ）で燃料噴射することを特徴とするＣ型エネルギ保存サイクル合体機関。
【請求項１１２３】
前記縮径主燃焼室兼熱交換器（１）に燃料水噴射電磁弁（７Ｄ）で燃料噴射することを特徴とするＤ型エネルギ保存サイクル合体機関。
【請求項１１２４】
前記縮径主燃焼室兼熱交換器（１）に燃料水噴射電磁弁（７Ｄ）で燃料噴射することを特徴とするＥ型エネルギ保存サイクル合体機関。
【請求項１１２５】
前記縮径主燃焼室兼熱交換器（１）に燃料水噴射電磁弁（７Ｄ）で燃料噴射することを特徴とするＦ型エネルギ保存サイクル合体機関。
【請求項１１２６】
前記縮径主燃焼室兼熱交換器（１）に燃料水噴射電磁弁（７Ｄ）で燃料噴射することを特徴とするＧ型エネルギ保存サイクル合体機関。
【請求項１１２７】
前記縮径主燃焼室兼熱交換器（１）に燃料水噴射電磁弁（７Ｄ）で燃料噴射することを特徴とするＨ型エネルギ保存サイクル合体機関。
【請求項１１２８】
前記縮径主燃焼室兼熱交換器（１）に燃料水噴射電磁弁（７Ｄ）で燃料噴射することを特徴とするエネルギ保存サイクル合体機関。
【請求項１１２９】
前記縮径主燃焼室熱交換器（２）は導水管（３）を螺旋環状に具備したことを特徴とするＡ型エネルギ保存サイクル合体機関。
【請求項１１３０】
前記縮径主燃焼室熱交換器（２）は導水管（３）を螺旋環状に具備したことを特徴とするＢ型エネルギ保存サイクル合体機関。
【請求項１１３１】
前記縮径主燃焼室熱交換器（２）は導水管（３）を螺旋環状に具備したことを特徴とするＣ型エネルギ保存サイクル合体機関。
【請求項１１３２】
前記縮径主燃焼室熱交換器（２）は導水管（３）を螺旋環状に具備したことを特徴とするＤ型エネルギ保存サイクル合体機関。
【請求項１１３３】
前記縮径主燃焼室熱交換器（２）は導水管（３）を螺旋環状に具備したことを特徴とするＥ型エネルギ保存サイクル合体機関。
【請求項１１３４】
前記縮径主燃焼室熱交換器（２）は導水管（３）を螺旋環状に具備したことを特徴とするＦ型エネルギ保存サイクル合体機関。
【請求項１１３５】
前記縮径主燃焼室熱交換器（２）は導水管（３）を螺旋環状に具備したことを特徴とするＧ型エネルギ保存サイクル合体機関。
【請求項１１３６】
前記縮径主燃焼室熱交換器（２）は導水管（３）を螺旋環状に具備したことを特徴とするＨ型エネルギ保存サイクル合体機関。
【請求項１１３７】
前記縮径主燃焼室熱交換器（２）は導水管（３）を螺旋環状に具備したことを特徴とするエネルギ保存サイクル合体機関。
【請求項１１３８】
前記縮径主燃焼室熱交換器（２）は複数の導水管（３）を螺旋環状に具備したことを特徴とするＡ型エネルギ保存サイクル合体機関。
【請求項１１３９】
前記縮径主燃焼室熱交換器（２）は複数の導水管（３）を螺旋環状に具備したことを特徴とするＢ型エネルギ保存サイクル合体機関。
【請求項１１４０】
前記縮径主燃焼室熱交換器（２）は複数の導水管（３）を螺旋環状に具備したことを特徴とするＣ型エネルギ保存サイクル合体機関。
【請求項１１４１】
前記縮径主燃焼室熱交換器（２）は複数の導水管（３）を螺旋環状に具備したことを特徴とするＤ型エネルギ保存サイクル合体機関。
【請求項１１４２】
前記縮径主燃焼室熱交換器（２）は複数の導水管（３）を螺旋環状に具備したことを特徴とするＥ型エネルギ保存サイクル合体機関。
【請求項１１４３】
前記縮径主燃焼室熱交換器（２）は複数の導水管（３）を螺旋環状に具備したことを特徴とするＦ型エネルギ保存サイクル合体機関。
【請求項１１４４】
前記縮径主燃焼室熱交換器（２）は複数の導水管（３）を螺旋環状に具備したことを特徴とするＧ型エネルギ保存サイクル合体機関。
【請求項１１４５】
前記縮径主燃焼室熱交換器（２）は複数の導水管（３）を螺旋環状に具備したことを特徴とするＨ型エネルギ保存サイクル合体機関。
【請求項１１４６】
前記縮径主燃焼室熱交換器（２）は複数の導水管（３）を螺旋環状に具備したことを特徴とするエネルギ保存サイクル合体機関。
【請求項１１４７】
前記縮径主燃焼室熱交換器（２）は複数の導水管（３）を螺旋環状に具備して、その一部を露出したことを特徴とするＡ型エネルギ保存サイクル合体機関。
【請求項１１４８】
前記縮径主燃焼室熱交換器（２）は複数の導水管（３）を螺旋環状に具備して、その一部を露出したことを特徴とするＢ型エネルギ保存サイクル合体機関。
【請求項１１４９】
前記縮径主燃焼室熱交換器（２）は複数の導水管（３）を螺旋環状に具備して、その一部を露出したことを特徴とするＣ型エネルギ保存サイクル合体機関。
【請求項１１５０】
前記縮径主燃焼室熱交換器（２）は複数の導水管（３）を螺旋環状に具備して、その一部を露出したことを特徴とするＤ型エネルギ保存サイクル合体機関。
【請求項１１５１】
前記縮径主燃焼室熱交換器（２）は複数の導水管（３）を螺旋環状に具備して、その一部を露出したことを特徴とするＥ型エネルギ保存サイクル合体機関。
【請求項１１５２】
前記縮径主燃焼室熱交換器（２）は複数の導水管（３）を螺旋環状に具備して、その一部を露出したことを特徴とするＦ型エネルギ保存サイクル合体機関。
【請求項１１５３】
前記縮径主燃焼室熱交換器（２）は複数の導水管（３）を螺旋環状に具備して、その一部を露出したことを特徴とするＧ型エネルギ保存サイクル合体機関。
【請求項１１５４】
前記縮径主燃焼室熱交換器（２）は複数の導水管（３）を螺旋環状に具備して、その一部を露出したことを特徴とするＨ型エネルギ保存サイクル合体機関。
【請求項１１５５】
前記縮径主燃焼室熱交換器（２）は複数の導水管（３）を螺旋環状に具備して、その一部を露出したことを特徴とするエネルギ保存サイクル合体機関。
【請求項１１５６】
前記縮径主燃焼室熱交換器（２）は複数の導水管（３）を螺旋環状に具備してその一部を露出し、露出部分を任意の螺旋状にしたことを特徴とするＡ型エネルギ保存サイクル合体機関。
【請求項１１５７】
前記縮径主燃焼室熱交換器（２）は複数の導水管（３）を螺旋環状に具備してその一部を露出し、露出部分を任意の螺旋状にしたことを特徴とするＢ型エネルギ保存サイクル合体機関。
【請求項１１５８】
前記縮径主燃焼室熱交換器（２）は複数の導水管（３）を螺旋環状に具備してその一部を露出し、露出部分を任意の螺旋状にしたことを特徴とするＣ型エネルギ保存サイクル合体機関。
【請求項１１５９】
前記縮径主燃焼室熱交換器（２）は複数の導水管（３）を螺旋環状に具備してその一部を露出し、露出部分を任意の螺旋状にしたことを特徴とするＤ型エネルギ保存サイクル合体機関。
【請求項１１６０】
前記縮径主燃焼室熱交換器（２）は複数の導水管（３）を螺旋環状に具備してその一部を露出し、露出部分を任意の螺旋状にしたことを特徴とするＥ型エネルギ保存サイクル合体機関。
【請求項１１６１】
前記縮径主燃焼室熱交換器（２）は複数の導水管（３）を螺旋環状に具備してその一部を露出し、露出部分を任意の螺旋状にしたことを特徴とするＦ型エネルギ保存サイクル合体機関。
【請求項１１６２】
前記縮径主燃焼室熱交換器（２）は複数の導水管（３）を螺旋環状に具備してその一部を露出し、露出部分を任意の螺旋状にしたことを特徴とするＧ型エネルギ保存サイクル合体機関。
【請求項１１６３】
前記縮径主燃焼室熱交換器（２）は複数の導水管（３）を螺旋環状に具備してその一部を露出し、露出部分を任意の螺旋状にしたことを特徴とするＨ型エネルギ保存サイクル合体機関。
【請求項１１６４】
前記縮径主燃焼室熱交換器（２）は複数の導水管（３）を螺旋環状に具備してその一部を露出し、露出部分を任意の螺旋状にしたことを特徴とするエネルギ保存サイクル合体機関。
【請求項１１６５】
前記縮径主燃焼室熱交換器（２）は導水管（３）を螺旋環状に二重以上具備したことを特徴とするＡ型エネルギ保存サイクル合体機関。
【請求項１１６６】
前記縮径主燃焼室熱交換器（２）は導水管（３）を螺旋環状に二重以上具備したことを特徴とするＢ型エネルギ保存サイクル合体機関。
【請求項１１６７】
前記縮径主燃焼室熱交換器（２）は導水管（３）を螺旋環状に二重以上具備したことを特徴とするＣ型エネルギ保存サイクル合体機関。
【請求項１１６８】
前記縮径主燃焼室熱交換器（２）は導水管（３）を螺旋環状に二重以上具備したことを特徴とするＤ型エネルギ保存サイクル合体機関。
【請求項１１６９】
前記縮径主燃焼室熱交換器（２）は導水管（３）を螺旋環状に二重以上具備したことを特徴とするＥ型エネルギ保存サイクル合体機関。
【請求項１１７０】
前記縮径主燃焼室熱交換器（２）は導水管（３）を螺旋環状に二重以上具備したことを特徴とするＦ型エネルギ保存サイクル合体機関。
【請求項１１７１】
前記縮径主燃焼室熱交換器（２）は導水管（３）を螺旋環状に二重以上具備したことを特徴とするＧ型エネルギ保存サイクル合体機関。
【請求項１１７２】
前記縮径主燃焼室熱交換器（２）は導水管（３）を螺旋環状に二重以上具備したことを特徴とするＨ型エネルギ保存サイクル合体機関。
【請求項１１７３】
前記縮径主燃焼室熱交換器（２）は導水管（３）を螺旋環状に二重以上具備したことを特徴とするエネルギ保存サイクル合体機関。
【請求項１１７４】
前記縮径主燃焼室熱交換器（２）は複数の導水管（３）を螺旋環状に二重以上具備したことを特徴とするＡ型エネルギ保存サイクル合体機関。
【請求項１１７５】
前記縮径主燃焼室熱交換器（２）は複数の導水管（３）を螺旋環状に二重以上具備したことを特徴とするＢ型エネルギ保存サイクル合体機関。
【請求項１１７６】
前記縮径主燃焼室熱交換器（２）は複数の導水管（３）を螺旋環状に二重以上具備したことを特徴とするＣ型エネルギ保存サイクル合体機関。
【請求項１１７７】
前記縮径主燃焼室熱交換器（２）は複数の導水管（３）を螺旋環状に二重以上具備したことを特徴とするＤ型エネルギ保存サイクル合体機関。
【請求項１１７８】
前記縮径主燃焼室熱交換器（２）は複数の導水管（３）を螺旋環状に二重以上具備したことを特徴とするＥ型エネルギ保存サイクル合体機関。
【請求項１１７９】
前記縮径主燃焼室熱交換器（２）は複数の導水管（３）を螺旋環状に二重以上具備したことを特徴とするＦ型エネルギ保存サイクル合体機関。
【請求項１１８０】
前記縮径主燃焼室熱交換器（２）は複数の導水管（３）を螺旋環状に二重以上具備したことを特徴とするＧ型エネルギ保存サイクル合体機関。
【請求項１１８１】
前記縮径主燃焼室熱交換器（２）は複数の導水管（３）を螺旋環状に二重以上具備したことを特徴とするＨ型エネルギ保存サイクル合体機関。
【請求項１１８２】
前記縮径主燃焼室熱交換器（２）は複数の導水管（３）を螺旋環状に二重以上具備したことを特徴とするエネルギ保存サイクル合体機関。
【請求項１１８３】
前記縮径主燃焼室熱交換器（２）は複数の導水管（３）を螺旋環状に二重以上具備して、その一部を露出したことを特徴とするＡ型エネルギ保存サイクル合体機関。
【請求項１１８４】
前記縮径主燃焼室熱交換器（２）は複数の導水管（３）を螺旋環状に二重以上具備して、その一部を露出したことを特徴とするＢ型エネルギ保存サイクル合体機関。
【請求項１１８５】
前記縮径主燃焼室熱交換器（２）は複数の導水管（３）を螺旋環状に二重以上具備して、その一部を露出したことを特徴とするＣ型エネルギ保存サイクル合体機関。
【請求項１１８６】
前記縮径主燃焼室熱交換器（２）は複数の導水管（３）を螺旋環状に二重以上具備して、その一部を露出したことを特徴とするＤ型エネルギ保存サイクル合体機関。
【請求項１１８７】
前記縮径主燃焼室熱交換器（２）は複数の導水管（３）を螺旋環状に二重以上具備して、その一部を露出したことを特徴とするＥ型エネルギ保存サイクル合体機関。
【請求項１１８８】
前記縮径主燃焼室熱交換器（２）は複数の導水管（３）を螺旋環状に二重以上具備して、その一部を露出したことを特徴とするＦ型エネルギ保存サイクル合体機関。
【請求項１１８９】
前記縮径主燃焼室熱交換器（２）は複数の導水管（３）を螺旋環状に二重以上具備して、その一部を露出したことを特徴とするＧ型エネルギ保存サイクル合体機関。
【請求項１１９０】
前記縮径主燃焼室熱交換器（２）は複数の導水管（３）を螺旋環状に二重以上具備して、その一部を露出したことを特徴とするＨ型エネルギ保存サイクル合体機関。
【請求項１１９１】
前記縮径主燃焼室熱交換器（２）は複数の導水管（３）を螺旋環状に二重以上具備して、その一部を露出したことを特徴とするエネルギ保存サイクル合体機関。
【請求項１１９２】
前記縮径主燃焼室熱交換器（２）は複数の導水管（３）を螺旋環状に二重以上具備してその一部を露出し、露出部分を任意の螺旋状にしたことを特徴とするＡ型エネルギ保存サイクル合体機関。
【請求項１１９３】
前記縮径主燃焼室熱交換器（２）は複数の導水管（３）を螺旋環状に二重以上具備してその一部を露出し、露出部分を任意の螺旋状にしたことを特徴とするＢ型エネルギ保存サイクル合体機関。
【請求項１１９４】
前記縮径主燃焼室熱交換器（２）は複数の導水管（３）を螺旋環状に二重以上具備してその一部を露出し、露出部分を任意の螺旋状にしたことを特徴とするＣ型エネルギ保存サイクル合体機関。
【請求項１１９５】
前記縮径主燃焼室熱交換器（２）は複数の導水管（３）を螺旋環状に二重以上具備してその一部を露出し、露出部分を任意の螺旋状にしたことを特徴とするＤ型エネルギ保存サイクル合体機関。
【請求項１１９６】
前記縮径主燃焼室熱交換器（２）は複数の導水管（３）を螺旋環状に二重以上具備してその一部を露出し、露出部分を任意の螺旋状にしたことを特徴とするＥ型エネルギ保存サイクル合体機関。
【請求項１１９７】
前記縮径主燃焼室熱交換器（２）は複数の導水管（３）を螺旋環状に二重以上具備してその一部を露出し、露出部分を任意の螺旋状にしたことを特徴とするＦ型エネルギ保存サイクル合体機関。
【請求項１１９８】
前記縮径主燃焼室熱交換器（２）は複数の導水管（３）を螺旋環状に二重以上具備してその一部を露出し、露出部分を任意の螺旋状にしたことを特徴とするＧ型エネルギ保存サイクル合体機関。
【請求項１１９９】
前記縮径主燃焼室熱交換器（２）は複数の導水管（３）を螺旋環状に二重以上具備してその一部を露出し、露出部分を任意の螺旋状にしたことを特徴とするＨ型エネルギ保存サイクル合体機関。
【請求項１２００】
前記縮径主燃焼室熱交換器（２）は複数の導水管（３）を螺旋環状に二重以上具備してその一部を露出し、露出部分を任意の螺旋状にしたことを特徴とするエネルギ保存サイクル合体機関。
【請求項１２０１】
前記縮径主燃焼室熱交換器（２）は過熱蒸気加減弁（２５）を介して導水管（３）の終端を過熱蒸気溜（９５ｃ）に連絡したことを特徴とするＡ型エネルギ保存サイクル合体機関。
【請求項１２０２】
前記縮径主燃焼室熱交換器（２）は過熱蒸気加減弁（２５）を介して導水管（３）の終端を過熱蒸気溜（９５ｃ）に連絡したことを特徴とするＢ型エネルギ保存サイクル合体機関。
【請求項１２０３】
前記縮径主燃焼室熱交換器（２）は過熱蒸気加減弁（２５）を介して導水管（３）の終端を過熱蒸気溜（９５ｃ）に連絡したことを特徴とするＣ型エネルギ保存サイクル合体機関。
【請求項１２０４】
前記縮径主燃焼室熱交換器（２）は過熱蒸気加減弁（２５）を介して導水管（３）の終端を過熱蒸気溜（９５ｃ）に連絡したことを特徴とするＤ型エネルギ保存サイクル合体機関。
【請求項１２０５】
前記縮径主燃焼室熱交換器（２）は過熱蒸気加減弁（２５）を介して導水管（３）の終端を過熱蒸気溜（９５ｃ）に連絡したことを特徴とするＥ型エネルギ保存サイクル合体機関。
【請求項１２０６】
前記縮径主燃焼室熱交換器（２）は過熱蒸気加減弁（２５）を介して導水管（３）の終端を過熱蒸気溜（９５ｃ）に連絡したことを特徴とするＦ型エネルギ保存サイクル合体機関。
【請求項１２０７】
前記縮径主燃焼室熱交換器（２）は過熱蒸気加減弁（２５）を介して導水管（３）の終端を過熱蒸気溜（９５ｃ）に連絡したことを特徴とするＧ型エネルギ保存サイクル合体機関。
【請求項１２０８】
前記縮径主燃焼室熱交換器（２）は過熱蒸気加減弁（２５）を介して導水管（３）の終端を過熱蒸気溜（９５ｃ）に連絡したことを特徴とするＨ型エネルギ保存サイクル合体機関。
【請求項１２０９】
前記縮径主燃焼室熱交換器（２）は過熱蒸気加減弁（２５）を介して導水管（３）の終端を過熱蒸気溜（９５ｃ）に連絡したことを特徴とするエネルギ保存サイクル合体機関。
【請求項１２１０】
前記縮径主燃焼室熱交換器（２）は過熱蒸気加減弁（２５）を介して複数の導水管（３）の終端を過熱蒸気溜（９５ｃ）に連絡したことを特徴とするＡ型エネルギ保存サイクル合体機関。
【請求項１２１１】
前記縮径主燃焼室熱交換器（２）は過熱蒸気加減弁（２５）を介して複数の導水管（３）の終端を過熱蒸気溜（９５ｃ）に連絡したことを特徴とするＢ型エネルギ保存サイクル合体機関。
【請求項１２１２】
前記縮径主燃焼室熱交換器（２）は過熱蒸気加減弁（２５）を介して複数の導水管（３）の終端を過熱蒸気溜（９５ｃ）に連絡したことを特徴とするＣ型エネルギ保存サイクル合体機関。
【請求項１２１３】
前記縮径主燃焼室熱交換器（２）は過熱蒸気加減弁（２５）を介して複数の導水管（３）の終端を過熱蒸気溜（９５ｃ）に連絡したことを特徴とするＤ型エネルギ保存サイクル合体機関。
【請求項１２１４】
前記縮径主燃焼室熱交換器（２）は過熱蒸気加減弁（２５）を介して複数の導水管（３）の終端を過熱蒸気溜（９５ｃ）に連絡したことを特徴とするＥ型エネルギ保存サイクル合体機関。
【請求項１２１５】
前記縮径主燃焼室熱交換器（２）は過熱蒸気加減弁（２５）を介して複数の導水管（３）の終端を過熱蒸気溜（９５ｃ）に連絡したことを特徴とするＦ型エネルギ保存サイクル合体機関。
【請求項１２１６】
前記縮径主燃焼室熱交換器（２）は過熱蒸気加減弁（２５）を介して複数の導水管（３）の終端を過熱蒸気溜（９５ｃ）に連絡したことを特徴とするＧ型エネルギ保存サイクル合体機関。
【請求項１２１７】
前記縮径主燃焼室熱交換器（２）は過熱蒸気加減弁（２５）を介して複数の導水管（３）の終端を過熱蒸気溜（９５ｃ）に連絡したことを特徴とするＨ型エネルギ保存サイクル合体機関。
【請求項１２１８】
前記縮径主燃焼室熱交換器（２）は過熱蒸気加減弁（２５）を介して複数の導水管（３）の終端を過熱蒸気溜（９５ｃ）に連絡したことを特徴とするエネルギ保存サイクル合体機関。
【請求項１２１９】
前記縮径主燃焼室熱交換器（２）の導水管（３）に凝縮水（５２ｆ）を供給することを特徴とするＡ型エネルギ保存サイクル合体機関。
【請求項１２２０】
前記縮径主燃焼室熱交換器（２）の導水管（３）に凝縮水（５２ｆ）を供給することを特徴とするＢ型エネルギ保存サイクル合体機関。
【請求項１２２１】
前記縮径主燃焼室熱交換器（２）の導水管（３）に凝縮水（５２ｆ）を供給することを特徴とするＣ型エネルギ保存サイクル合体機関。
【請求項１２２２】
前記縮径主燃焼室熱交換器（２）の導水管（３）に凝縮水（５２ｆ）を供給することを特徴とするＤ型エネルギ保存サイクル合体機関。
【請求項１２２３】
前記縮径主燃焼室熱交換器（２）の導水管（３）に凝縮水（５２ｆ）を供給することを特徴とするＥ型エネルギ保存サイクル合体機関。
【請求項１２２４】
前記縮径主燃焼室熱交換器（２）の導水管（３）に凝縮水（５２ｆ）を供給することを特徴とするＦ型エネルギ保存サイクル合体機関。
【請求項１２２５】
前記縮径主燃焼室熱交換器（２）の導水管（３）に凝縮水（５２ｆ）を供給することを特徴とするＧ型エネルギ保存サイクル合体機関。
【請求項１２２６】
前記縮径主燃焼室熱交換器（２）の導水管（３）に凝縮水（５２ｆ）を供給することを特徴とするＨ型エネルギ保存サイクル合体機関。
【請求項１２２７】
前記縮径主燃焼室熱交換器（２）の導水管（３）に凝縮水（５２ｆ）を供給することを特徴とするエネルギ保存サイクル合体機関。
【請求項１２２８】
前記縮径主燃焼室熱交換器（２）の導水管（３）に水（５２ａ）を供給することを特徴とするＡ型エネルギ保存サイクル合体機関。
【請求項１２２９】
前記縮径主燃焼室熱交換器（２）の導水管（３）に水（５２ａ）を供給することを特徴とするＢ型エネルギ保存サイクル合体機関。
【請求項１２３０】
前記縮径主燃焼室熱交換器（２）の導水管（３）に水（５２ａ）を供給することを特徴とするＣ型エネルギ保存サイクル合体機関。
【請求項１２３１】
前記縮径主燃焼室熱交換器（２）の導水管（３）に水（５２ａ）を供給することを特徴とするＤ型エネルギ保存サイクル合体機関。
【請求項１２３２】
前記縮径主燃焼室熱交換器（２）の導水管（３）に水（５２ａ）を供給することを特徴とするＥ型エネルギ保存サイクル合体機関。
【請求項１２３３】
前記縮径主燃焼室熱交換器（２）の導水管（３）に水（５２ａ）を供給することを特徴とするＦ型エネルギ保存サイクル合体機関。
【請求項１２３４】
前記縮径主燃焼室熱交換器（２）の導水管（３）に水（５２ａ）を供給することを特徴とするＧ型エネルギ保存サイクル合体機関。
【請求項１２３５】
前記縮径主燃焼室熱交換器（２）の導水管（３）に水（５２ａ）を供給することを特徴とするＨ型エネルギ保存サイクル合体機関。
【請求項１２３６】
前記縮径主燃焼室熱交換器（２）の導水管（３）に水（５２ａ）を供給することを特徴とするエネルギ保存サイクル合体機関。
【請求項１２３７】
前記縮径主燃焼室熱交換器（２）の導水管（３）に水道水冷熱（５２ｅ）を供給することを特徴とするＡ型エネルギ保存サイクル合体機関。
【請求項１２３８】
前記縮径主燃焼室熱交換器（２）の導水管（３）に水道水冷熱（５２ｅ）を供給することを特徴とするＢ型エネルギ保存サイクル合体機関。
【請求項１２３９】
前記縮径主燃焼室熱交換器（２）の導水管（３）に水道水冷熱（５２ｅ）を供給することを特徴とするＣ型エネルギ保存サイクル合体機関。
【請求項１２４０】
前記縮径主燃焼室熱交換器（２）の導水管（３）に水道水冷熱（５２ｅ）を供給することを特徴とするＤ型エネルギ保存サイクル合体機関。
【請求項１２４１】
前記縮径主燃焼室熱交換器（２）の導水管（３）に水道水冷熱（５２ｅ）を供給することを特徴とするＥ型エネルギ保存サイクル合体機関。
【請求項１２４２】
前記縮径主燃焼室熱交換器（２）の導水管（３）に水道水冷熱（５２ｅ）を供給することを特徴とするＦ型エネルギ保存サイクル合体機関。
【請求項１２４３】
前記縮径主燃焼室熱交換器（２）の導水管（３）に水道水冷熱（５２ｅ）を供給することを特徴とするＧ型エネルギ保存サイクル合体機関。
【請求項１２４４】
前記縮径主燃焼室熱交換器（２）の導水管（３）に水道水冷熱（５２ｅ）を供給することを特徴とするＨ型エネルギ保存サイクル合体機関。
【請求項１２４５】
前記縮径主燃焼室熱交換器（２）の導水管（３）に水道水冷熱（５２ｅ）を供給することを特徴とするエネルギ保存サイクル合体機関。
【請求項１２４６】
前記縮径主燃焼室熱交換器（２）の導水管（３）に冷水（５２ｈ）を供給することを特徴とするＡ型エネルギ保存サイクル合体機関。
【請求項１２４７】
前記縮径主燃焼室熱交換器（２）の導水管（３）に冷水（５２ｈ）を供給することを特徴とするＢ型エネルギ保存サイクル合体機関。
【請求項１２４８】
前記縮径主燃焼室熱交換器（２）の導水管（３）に冷水（５２ｈ）を供給することを特徴とするＣ型エネルギ保存サイクル合体機関。
【請求項１２４９】
前記縮径主燃焼室熱交換器（２）の導水管（３）に冷水（５２ｈ）を供給することを特徴とするＤ型エネルギ保存サイクル合体機関。
【請求項１２５０】
前記縮径主燃焼室熱交換器（２）の導水管（３）に冷水（５２ｈ）を供給することを特徴とするＥ型エネルギ保存サイクル合体機関。
【請求項１２５１】
前記縮径主燃焼室熱交換器（２）の導水管（３）に冷水（５２ｈ）を供給することを特徴とするＦ型エネルギ保存サイクル合体機関。
【請求項１２５２】
前記縮径主燃焼室熱交換器（２）の導水管（３）に冷水（５２ｈ）を供給することを特徴とするＧ型エネルギ保存サイクル合体機関。
【請求項１２５３】
前記縮径主燃焼室熱交換器（２）の導水管（３）に冷水（５２ｈ）を供給することを特徴とするＨ型エネルギ保存サイクル合体機関。
【請求項１２５４】
前記縮径主燃焼室熱交換器（２）の導水管（３）に冷水（５２ｈ）を供給することを特徴とするエネルギ保存サイクル合体機関。
【請求項１２５５】
前記シリンダヘッド（１５）に吸気弁（２８）と逆止弁（９７）を含む一方向空気流路（９）を具備したことを特徴とするＡ型エネルギ保存サイクル合体機関。
【請求項１２５６】
前記シリンダヘッド（１５）に吸気弁（２８）と逆止弁（９７）を含む一方向空気流路（９）を具備したことを特徴とするＢ型エネルギ保存サイクル合体機関。
【請求項１２５７】
前記シリンダヘッド（１５）に吸気弁（２８）と逆止弁（９７）を含む一方向空気流路（９）を具備したことを特徴とするＣ型エネルギ保存サイクル合体機関。
【請求項１２５８】
前記シリンダヘッド（１５）に吸気弁（２８）と逆止弁（９７）を含む一方向空気流路（９）を具備したことを特徴とするＤ型エネルギ保存サイクル合体機関。
【請求項１２５９】
前記シリンダヘッド（１５）に吸気弁（２８）と逆止弁（９７）を含む一方向空気流路（９）を具備したことを特徴とするＥ型エネルギ保存サイクル合体機関。
【請求項１２６０】
前記シリンダヘッド（１５）に吸気弁（２８）と逆止弁（９７）を含む一方向空気流路（９）を具備したことを特徴とするＦ型エネルギ保存サイクル合体機関。
【請求項１２６１】
前記シリンダヘッド（１５）に吸気弁（２８）と逆止弁（９７）を含む一方向空気流路（９）を具備したことを特徴とするＧ型エネルギ保存サイクル合体機関。
【請求項１２６２】
前記シリンダヘッド（１５）に吸気弁（２８）と逆止弁（９７）を含む一方向空気流路（９）を具備したことを特徴とするＨ型エネルギ保存サイクル合体機関。
【請求項１２６３】
前記シリンダヘッド（１５）に吸気弁（２８）と逆止弁（９７）を含む一方向空気流路（９）を具備したことを特徴とするエネルギ保存サイクル合体機関。
【請求項１２６４】
前記Ａ型エネルギ保存サイクル合体機関（２９Ａ）に換えて、各種エネルギ保存サイクル合体機関を使用することを特徴とするエネルギ保存サイクル合体機関。
【請求項１２６５】
前記各種エネルギ保存サイクル合体機関として、Ｂ型エネルギ保存サイクル合体機関（２９Ｂ）を使用することを特徴とするエネルギ保存サイクル合体機関。
【請求項１２６６】
前記各種エネルギ保存サイクル合体機関として、Ｃ型エネルギ保存サイクル合体機関（２９Ｃ）を使用することを特徴とするエネルギ保存サイクル合体機関。
【請求項１２６７】
前記各種エネルギ保存サイクル合体機関として、Ｄ型エネルギ保存サイクル合体機関（２９Ｄ）を使用することを特徴とするエネルギ保存サイクル合体機関。
【請求項１２６８】
前記各種エネルギ保存サイクル合体機関として、Ｅ型エネルギ保存サイクル合体機関（２９Ｅ）を使用することを特徴とするエネルギ保存サイクル合体機関。
【請求項１２６９】
前記各種エネルギ保存サイクル合体機関として、Ｆ型エネルギ保存サイクル合体機関（２９Ｆ）を使用することを特徴とするエネルギ保存サイクル合体機関。
【請求項１２７０】
前記各種エネルギ保存サイクル合体機関として、Ｇ型エネルギ保存サイクル合体機関（２９Ｇ）を使用することを特徴とするエネルギ保存サイクル合体機関。
【請求項１２７１】
前記各種エネルギ保存サイクル合体機関として、Ｈ型エネルギ保存サイクル合体機関（２９Ｈ）を使用することを特徴とするエネルギ保存サイクル合体機関。
【請求項１２７２】
前記各種エネルギ保存サイクル合体機関として、Ｂ型エネルギ保存サイクル合体機関（２９Ｂ）を使用することで、Ｂ型エネルギ保存サイクル圧縮機（２０Ｂ）を使用することを特徴とするエネルギ保存サイクル合体機関。
【請求項１２７３】
前記各種エネルギ保存サイクル合体機関として、Ｂ型エネルギ保存サイクル合体機関（２９Ｂ）を使用することで、Ｂ型エネルギ保存サイクル圧縮機（２０Ｂ）を使用して縮径主燃焼室兼熱交換器（１）を左右に夫々１以上具備することを特徴とするエネルギ保存サイクル合体機関。
【請求項１２７４】
前記各種エネルギ保存サイクル合体機関として、Ｂ型エネルギ保存サイクル合体機関（２９Ｂ）を使用することで、Ｂ型エネルギ保存サイクル圧縮機（２０Ｂ）を使用して縮径主燃焼室兼熱交換器（１）を左右に夫々１以上具備して振り子腕（４０ａ）により両頭拡径ピストン（２１）のピストン行程を拡大することを特徴とするエネルギ保存サイクル合体機関。
【請求項１２７５】
前記各種エネルギ保存サイクル合体機関として、Ｂ型エネルギ保存サイクル合体機関（２９Ｂ）を使用することで、Ｂ型エネルギ保存サイクル圧縮機（２０Ｂ）を使用して縮径主燃焼室兼熱交換器（１）を左右に夫々１以上具備して振り子腕（４０ａ）により両頭拡径ピストン（２１）の側圧最低でピストン行程を拡大することを特徴とするエネルギ保存サイクル合体機関。
【請求項１２７６】
前記各種エネルギ保存サイクル合体機関として、Ｂ型エネルギ保存サイクル合体機関（２９Ｂ）を使用することで、Ｂ型エネルギ保存サイクル圧縮機（２０Ｂ）を使用して縮径主燃焼室兼熱交換器（１）を左右に夫々１以上具備して振り子腕（４０ａ）により両頭拡径ピストン（２１）の側圧最低でピストン行程を拡大し、振り子腕（４０ａ）の支点（８１ａ）にはずみ車タービン（８）を具備することを特徴とするエネルギ保存サイクル合体機関。
【請求項１２７７】
前記各種エネルギ保存サイクル合体機関として、Ｂ型エネルギ保存サイクル合体機関（２９Ｂ）を使用することで、Ｂ型エネルギ保存サイクル圧縮機（２０Ｂ）を使用して縮径主燃焼室兼熱交換器（１）を左右に夫々１以上具備して振り子腕（４０ａ）により両頭拡径ピストン（２１）の側圧最低でピストン行程を拡大し、振り子腕（４０ａ）の支点（８１ａ）にはずみ車タービン（８）を具備してクランク軸（１６）を減速駆動することを特徴とするエネルギ保存サイクル合体機関。
【請求項１２７８】
前記各種エネルギ保存サイクル合体機関として、Ｂ型エネルギ保存サイクル合体機関（２９Ｂ）を使用することで、Ｂ型エネルギ保存サイクル圧縮機（２０Ｂ）を使用して縮径主燃焼室兼熱交換器（１）を左右に夫々１以上具備して振り子腕（４０ａ）により両頭拡径ピストン（２１）の側圧最低でピストン行程を拡大し、振り子腕（４０ａ）の支点（８１ａ）にはずみ車タービン（８）を具備してクランク軸（１６）を送水ポンプ兼磁気摩擦動力伝達装置（５５）により減速駆動することを特徴とするエネルギ保存サイクル合体機関。
【請求項１２７９】
前記各種エネルギ保存サイクル合体機関として、Ｂ型エネルギ保存サイクル合体機関（２９Ｂ）を使用することで、Ｂ型エネルギ保存サイクル圧縮機（２０Ｂ）を使用して縮径主燃焼室兼熱交換器（１）を左右に夫々１以上具備して振り子腕（４０ａ）により両頭拡径ピストン（２１）の側圧最低でピストン行程を拡大し、クランク軸（１６）にはずみ車タービン（８）を具備することを特徴とするエネルギ保存サイクル合体機関。
【請求項１２８０】
前記各種エネルギ保存サイクル合体機関として、Ｂ型エネルギ保存サイクル合体機関（２９Ｂ）を使用することで、Ｂ型エネルギ保存サイクル圧縮機（２０Ｂ）を使用して縮径主燃焼室兼熱交換器（１）を左右に夫々１以上具備して振り子腕（４０ａ）により両頭拡径ピストン（２１）の側圧最低でピストン行程を拡大し、クランク軸（１６）にはずみ車タービン（８）を具備してクランク軸（１６）を減速駆動することを特徴とするエネルギ保存サイクル合体機関。
【請求項１２８１】
前記各種エネルギ保存サイクル合体機関として、Ｂ型エネルギ保存サイクル合体機関（２９Ｂ）を使用することで、Ｂ型エネルギ保存サイクル圧縮機（２０Ｂ）を使用して縮径主燃焼室兼熱交換器（１）を左右に夫々１以上具備して振り子腕（４０ａ）により両頭拡径ピストン（２１）の側圧最低でピストン行程を拡大し、クランク軸（１６）にはずみ車タービン（８）を具備してクランク軸（１６）を送水ポンプ兼磁気摩擦動力伝達装置（５５）により減速駆動することを特徴とするエネルギ保存サイクル合体機関。
【請求項１２８２】
前記各種エネルギ保存サイクル合体機関として、Ｃ型エネルギ保存サイクル合体機関（２９Ｃ）を使用することで、Ｂ型エネルギ保存サイクル圧縮機（２０Ｂ）を対向に設けることを特徴とするエネルギ保存サイクル合体機関。
【請求項１２８３】
前記各種エネルギ保存サイクル合体機関として、Ｃ型エネルギ保存サイクル合体機関（２９Ｃ）を使用することで、縮径主燃焼室兼熱交換器（１）を左右と中央に夫々１以上具備してＢ型エネルギ保存サイクル圧縮機（２０Ｂ）を対向に設けることを特徴とするエネルギ保存サイクル合体機関。
【請求項１２８４】
前記各種エネルギ保存サイクル合体機関として、Ｃ型エネルギ保存サイクル合体機関（２９Ｃ）を使用することで、縮径主燃焼室兼熱交換器（１）を左右と中央に夫々１以上具備してＢ型エネルギ保存サイクル圧縮機（２０Ｂ）を対向に設け、振動を相殺して両頭拡径ピストン（２１）径を１０ｍ等の大径に近付けることを特徴とするエネルギ保存サイクル合体機関。
【請求項１２８５】
前記各種エネルギ保存サイクル合体機関として、Ｃ型エネルギ保存サイクル合体機関（２９Ｃ）を使用することで、縮径主燃焼室兼熱交換器（１）を左右と中央に夫々１以上具備してＢ型エネルギ保存サイクル圧縮機（２０Ｂ）を対向に設け、振動を相殺して両頭拡径ピストン（２１）径を１０ｍ等の大径に近付けて同期軸（１６ａ）にはずみ車タービン（８）を具備してクランク軸（１６）を減速駆動することを特徴とするエネルギ保存サイクル合体機関。
【請求項１２８６】
前記各種エネルギ保存サイクル合体機関として、Ｃ型エネルギ保存サイクル合体機関（２９Ｃ）を使用することで、縮径主燃焼室兼熱交換器（１）を左右と中央に夫々１以上具備してＢ型エネルギ保存サイクル圧縮機（２０Ｂ）を対向に設けた（２０Ｃ）とし、振動を相殺して両頭拡径ピストン（２１）径を１０ｍ等の大径に近付けて同期軸（１６ａ）にはずみ車タービン（８）を具備してクランク軸（１６）を送水ポンプ兼磁気摩擦動力伝達装置（５５）により減速駆動することを特徴とするエネルギ保存サイクル合体機関。
【請求項１２８７】
前記各種エネルギ保存サイクル合体機関として、Ｃ型エネルギ保存サイクル合体機関（２９Ｃ）を使用することで、縮径主燃焼室兼熱交換器（１）を左右と中央に夫々１以上具備してＢ型エネルギ保存サイクル圧縮機（２０Ｂ）を対向に設けた（２０Ｃ）とし、振動を相殺して両頭拡径ピストン（２１）径を１０ｍ等の大径に近付けてクランク軸（１６）にはずみ車タービン（８）を具備してクランク軸（１６）を減速駆動することを特徴とするエネルギ保存サイクル合体機関。
【請求項１２８８】
前記各種エネルギ保存サイクル合体機関として、Ｃ型エネルギ保存サイクル合体機関（２９Ｃ）を使用することで、縮径主燃焼室兼熱交換器（１）を左右と中央に夫々１以上具備してＢ型エネルギ保存サイクル圧縮機（２０Ｂ）を対向に設けた（２０Ｃ）とし、振動を相殺して両頭拡径ピストン（２１）径を１０ｍ等の大径に近付けてクランク軸（１６）にはずみ車タービン（８）を具備してクランク軸（１６）を送水ポンプ兼磁気摩擦動力伝達装置（５５）により減速駆動することを特徴とするエネルギ保存サイクル合体機関。
【請求項１２８９】
前記各種エネルギ保存サイクル合体機関として、Ｄ型エネルギ保存サイクル合体機関（２９Ｄ）を使用することでＤ型エネルギ保存サイクル圧縮機（２０Ｄ）を使用することを特徴とするエネルギ保存サイクル合体機関。
【請求項１２９０】
前記各種エネルギ保存サイクル合体機関として、Ｄ型エネルギ保存サイクル合体機関（２９Ｄ）を使用することでＤ型エネルギ保存サイクル圧縮機（２０Ｄ）を使用して縮径主燃焼室兼熱交換器（１）を左右に夫々１以上具備することを特徴とするエネルギ保存サイクル合体機関。
【請求項１２９１】
前記各種エネルギ保存サイクル合体機関として、Ｄ型エネルギ保存サイクル合体機関（２９Ｄ）を使用することでＤ型エネルギ保存サイクル圧縮機（２０Ｄ）を使用して縮径主燃焼室兼熱交換器（１）を左右に夫々１以上具備してクランク軸（１６）により両頭拡径ピストン（２１）を直接往復駆動することを特徴とするエネルギ保存サイクル合体機関。
【請求項１２９２】
前記各種エネルギ保存サイクル合体機関として、Ｄ型エネルギ保存サイクル合体機関（２９Ｄ）を使用することでＤ型エネルギ保存サイクル圧縮機（２０Ｄ）を使用して縮径主燃焼室兼熱交換器（１）を左右に夫々１以上具備してクランク軸（１６）により両頭拡径ピストン（２１）を直接往復駆動し、クランク軸（１６）にはずみ車タービン（８）を具備することを特徴とするエネルギ保存サイクル合体機関。
【請求項１２９３】
前記各種エネルギ保存サイクル合体機関として、Ｄ型エネルギ保存サイクル合体機関（２９Ｄ）を使用することでＤ型エネルギ保存サイクル圧縮機（２０Ｄ）を使用して縮径主燃焼室兼熱交換器（１）を左右に夫々１以上具備してクランク軸（１６）により両頭拡径ピストン（２１）を直接往復駆動し、クランク軸（１６）にはずみ車タービン（８）を具備してクランク軸（１６）を減速駆動することを特徴とするエネルギ保存サイクル合体機関。
【請求項１２９４】
前記各種エネルギ保存サイクル合体機関として、Ｄ型エネルギ保存サイクル合体機関（２９Ｄ）を使用することでＤ型エネルギ保存サイクル圧縮機（２０Ｄ）を使用して縮径主燃焼室兼熱交換器（１）を左右に夫々１以上具備してクランク軸（１６）により両頭拡径ピストン（２１）を直接往復駆動し、クランク軸（１６）にはずみ車タービン（８）を具備してクランク軸（１６）を送水ポンプ兼磁気摩擦動力伝達装置（５５）により減速駆動することを特徴とするエネルギ保存サイクル合体機関。
【請求項１２９５】
前記各種エネルギ保存サイクル合体機関として、Ｅ型エネルギ保存サイクル合体機関（２９Ｅ）を使用することでＤ型エネルギ保存サイクル圧縮機（２０Ｄ）を対向に設けた（２０Ｅ）とし、振動を相殺することを特徴とするエネルギ保存サイクル合体機関。
【請求項１２９６】
前記各種エネルギ保存サイクル合体機関として、Ｅ型エネルギ保存サイクル合体機関（２９Ｅ）を使用することでＤ型エネルギ保存サイクル圧縮機（２０Ｄ）を対向に設けた（２０Ｅ）とし、振動を相殺して両頭拡径ピストン（２１）径を１０ｍ等の大径に近付けることを特徴とするエネルギ保存サイクル合体機関。
【請求項１２９７】
前記各種エネルギ保存サイクル合体機関として、Ｅ型エネルギ保存サイクル合体機関（２９Ｅ）を使用することでＤ型エネルギ保存サイクル圧縮機（２０Ｄ）を対向に設けた（２０Ｅ）とし、振動を相殺して両頭拡径ピストン（２１）径を１０ｍ等の大径に近付け縮径主燃焼室兼熱交換器（１）を左右と中央に夫々１以上具備することを特徴とするエネルギ保存サイクル合体機関。
【請求項１２９８】
前記各種エネルギ保存サイクル合体機関として、Ｅ型エネルギ保存サイクル合体機関（２９Ｅ）を使用することでＤ型エネルギ保存サイクル圧縮機（２０Ｄ）を対向に設けた（２０Ｅ）とし、振動を相殺して両頭拡径ピストン（２１）径を１０ｍ等の大径に近付け縮径主燃焼室兼熱交換器（１）を左右と中央に夫々１以上具備して同期軸（１６ａ）にはずみ車タービン（８）を具備することを特徴とするエネルギ保存サイクル合体機関。
【請求項１２９９】
前記各種エネルギ保存サイクル合体機関として、Ｅ型エネルギ保存サイクル合体機関（２９Ｅ）を使用することでＤ型エネルギ保存サイクル圧縮機（２０Ｄ）を対向に設けた（２０Ｅ）とし、振動を相殺して両頭拡径ピストン（２１）径を１０ｍ等の大径に近付け縮径主燃焼室兼熱交換器（１）を左右と中央に夫々１以上具備して同期軸（１６ａ）にはずみ車タービン（８）を具備してクランク軸（１６）を減速駆動することを特徴とするエネルギ保存サイクル合体機関。
【請求項１３００】
前記各種エネルギ保存サイクル合体機関として、Ｅ型エネルギ保存サイクル合体機関（２９Ｅ）を使用することでＤ型エネルギ保存サイクル圧縮機（２０Ｄ）を対向に設けた（２０Ｅ）とし、振動を相殺して両頭拡径ピストン（２１）径を１０ｍ等の大径に近付け縮径主燃焼室兼熱交換器（１）を左右と中央に夫々１以上具備して同期軸（１６ａ）にはずみ車タービン（８）を具備してクランク軸（１６）を送水ポンプ兼磁気摩擦動力伝達装置（５５）により減速駆動することを特徴とするエネルギ保存サイクル合体機関。
【請求項１３０１】
前記各種エネルギ保存サイクル合体機関として、Ｆ型エネルギ保存サイクル合体機関（２９Ｆ）を使用することでＤ型エネルギ保存サイクル圧縮機（２０Ｄ）を対向に設けた（２０Ｆ）とし、振動を相殺することを特徴とするエネルギ保存サイクル合体機関。
【請求項１３０２】
前記各種エネルギ保存サイクル合体機関として、Ｆ型エネルギ保存サイクル合体機関（２９Ｆ）を使用することでＤ型エネルギ保存サイクル圧縮機（２０Ｄ）を対向に設けた（２０Ｆ）とし、振動を相殺して両頭拡径ピストン（２１）径を１０ｍ等の大径に近付けることを特徴とするエネルギ保存サイクル合体機関。
【請求項１３０３】
前記各種エネルギ保存サイクル合体機関として、Ｆ型エネルギ保存サイクル合体機関（２９Ｆ）を使用することでＤ型エネルギ保存サイクル圧縮機（２０Ｄ）を対向に設けた（２０Ｆ）とし、振動を相殺して両頭拡径ピストン（２１）径を１０ｍ等の大径に近付け縮径主燃焼室兼熱交換器（１）を左右に夫々１以上具備して中央の一方向空気流路（９）に連絡することを特徴とするエネルギ保存サイクル合体機関。
【請求項１３０４】
前記各種エネルギ保存サイクル合体機関として、Ｆ型エネルギ保存サイクル合体機関（２９Ｆ）を使用することでＤ型エネルギ保存サイクル圧縮機（２０Ｄ）を対向に設けた（２０Ｆ）とし、振動を相殺して両頭拡径ピストン（２１）径を１０ｍ等の大径に近付け縮径主燃焼室兼熱交換器（１）を左右に夫々１以上具備して中央の一方向空気流路（９）に連絡し、同期軸（１６ａ）にはずみ車タービン（８）を具備することを特徴とするエネルギ保存サイクル合体機関。
【請求項１３０５】
前記各種エネルギ保存サイクル合体機関として、Ｆ型エネルギ保存サイクル合体機関（２９Ｆ）を使用することでＤ型エネルギ保存サイクル圧縮機（２０Ｄ）を対向に設けた（２０Ｆ）とし、振動を相殺して両頭拡径ピストン（２１）径を１０ｍ等の大径に近付け縮径主燃焼室兼熱交換器（１）を左右と中央に夫々１以上具備して中央の一方向空気流路（９）に連絡し、同期軸（１６ａ）にはずみ車タービン（８）を具備してクランク軸（１６）を減速駆動することを特徴とするエネルギ保存サイクル合体機関。
【請求項１３０６】
前記各種エネルギ保存サイクル合体機関として、Ｆ型エネルギ保存サイクル合体機関（２９Ｆ）を使用することでＤ型エネルギ保存サイクル圧縮機（２０Ｄ）を対向に設けた（２０Ｆ）とし、振動を相殺して両頭拡径ピストン（２１）径を１０ｍ等の大径に近付け縮径主燃焼室兼熱交換器（１）を左右に夫々１以上具備して中央の一方向空気流路（９）に連絡し、同期軸（１６ａ）にはずみ車タービン（８）を具備してクランク軸（１６）を送水ポンプ兼磁気摩擦動力伝達装置（５５）により減速駆動することを特徴とするエネルギ保存サイクル合体機関。
【請求項１３０７】
前記各種エネルギ保存サイクル合体機関として、Ｇ型エネルギ保存サイクル合体機関（２９Ｇ）を使用することでＤ型エネルギ保存サイクル圧縮機（２０Ｄ）を対向に設けた（２０Ｇ）とし、振動を相殺することを特徴とするエネルギ保存サイクル合体機関。
【請求項１３０８】
前記各種エネルギ保存サイクル合体機関として、Ｇ型エネルギ保存サイクル合体機関（２９Ｇ）を使用することでＤ型エネルギ保存サイクル圧縮機（２０Ｄ）を対向に設けた（２０Ｇ）とし、振動を相殺して両頭拡径ピストン（２１）径を１０ｍ等の大径に近付けることを特徴とするエネルギ保存サイクル合体機関。
【請求項１３０９】
前記各種エネルギ保存サイクル合体機関として、Ｇ型エネルギ保存サイクル合体機関（２９Ｇ）を使用することでＤ型エネルギ保存サイクル圧縮機（２０Ｄ）を対向に設けた（２０Ｇ）とし、振動を相殺して両頭拡径ピストン（２１）径を１０ｍ等の大径に近付け縮径主燃焼室兼熱交換器（１）を左右に夫々１以上具備して中央の一方向空気流路（９）に連絡することを特徴とするエネルギ保存サイクル合体機関。
【請求項１３１０】
前記各種エネルギ保存サイクル合体機関として、Ｇ型エネルギ保存サイクル合体機関（２９Ｇ）を使用することでＤ型エネルギ保存サイクル圧縮機（２０Ｄ）を対向に設けた（２０Ｇ）とし、振動を相殺して両頭拡径ピストン（２１）径を１０ｍ等の大径に近付け縮径主燃焼室兼熱交換器（１）を左右に夫々１以上具備して中央の一方向空気流路（９）に連絡し、同期軸（１６ａ）にはずみ車タービン（８）を具備することを特徴とするエネルギ保存サイクル合体機関。
【請求項１３１１】
前記各種エネルギ保存サイクル合体機関として、Ｇ型エネルギ保存サイクル合体機関（２９Ｇ）を使用することでＤ型エネルギ保存サイクル圧縮機（２０Ｄ）を対向に設けた（２０Ｇ）とし、振動を相殺して両頭拡径ピストン（２１）径を１０ｍ等の大径に近付け縮径主燃焼室兼熱交換器（１）を左右と中央に夫々１以上具備して中央の一方向空気流路（９）に連絡し、同期軸（１６ａ）にはずみ車タービン（８）を具備してクランク軸（１６）を減速駆動することを特徴とするエネルギ保存サイクル合体機関。
【請求項１３１２】
前記各種エネルギ保存サイクル合体機関として、Ｇ型エネルギ保存サイクル合体機関（２９Ｇ）を使用することでＤ型エネルギ保存サイクル圧縮機（２０Ｄ）を対向に設けた（２０Ｇ）とし、振動を相殺して両頭拡径ピストン（２１）径を１０ｍ等の大径に近付け縮径主燃焼室兼熱交換器（１）を左右に夫々１以上具備して中央の一方向空気流路（９）に連絡し、同期軸（１６ａ）にはずみ車タービン（８）を具備してクランク軸（１６）を送水ポンプ兼磁気摩擦動力伝達装置（５５）により減速駆動することを特徴とするエネルギ保存サイクル合体機関。
【請求項１３１３】
前記各種エネルギ保存サイクル合体機関として、Ｈ型エネルギ保存サイクル合体機関（２９Ｈ）を使用することでＤ型エネルギ保存サイクル圧縮機（２０Ｄ）を（２０Ｈ）とすることを特徴とするエネルギ保存サイクル合体機関。
【請求項１３１４】
前記各種エネルギ保存サイクル合体機関として、Ｈ型エネルギ保存サイクル合体機関（２９Ｈ）を使用することでＤ型エネルギ保存サイクル圧縮機（２０Ｄ）を（２０Ｈ）とし、構造を簡単として小型に対応することを特徴とするエネルギ保存サイクル合体機関。
【請求項１３１５】
前記各種エネルギ保存サイクル合体機関として、Ｈ型エネルギ保存サイクル合体機関（２９Ｈ）を使用することでＤ型エネルギ保存サイクル圧縮機（２０Ｄ）を（２０Ｈ）とし、構造を簡単として小型に対応し縮径主燃焼室兼熱交換器（１）を左に１以上具備して右の一方向空気流路（９）に連絡することを特徴とするエネルギ保存サイクル合体機関。
【請求項１３１６】
前記各種エネルギ保存サイクル合体機関として、Ｈ型エネルギ保存サイクル合体機関（２９Ｈ）を使用することでＤ型エネルギ保存サイクル圧縮機（２０Ｄ）を（２０Ｈ）とし、構造を簡単として小型に対応し縮径主燃焼室兼熱交換器（１）を左に１以上具備して右の一方向空気流路（９）に連絡し、クランク軸（１６）にはずみ車タービン（８）を具備することを特徴とするエネルギ保存サイクル合体機関。
【請求項１３１７】
前記各種エネルギ保存サイクル合体機関として、Ｈ型エネルギ保存サイクル合体機関（２９Ｈ）を使用することでＤ型エネルギ保存サイクル圧縮機（２０Ｄ）を（２０Ｈ）とし、構造を簡単として小型に対応し縮径主燃焼室兼熱交換器（１）を左に１以上具備して右の一方向空気流路（９）に連絡し、クランク軸（１６）にはずみ車タービン（８）を具備してクランク軸（１６）を駆動することを特徴とするエネルギ保存サイクル合体機関。
【請求項１３１８】
前記各種エネルギ保存サイクル合体機関として、Ｈ型エネルギ保存サイクル合体機関（２９Ｈ）を使用することでＤ型エネルギ保存サイクル圧縮機（２０Ｄ）を（２０Ｈ）とし、構造を簡単として小型に対応し縮径主燃焼室兼熱交換器（１）を左に１以上具備して右の一方向空気流路（９）に連絡し、クランク軸（１６）にはずみ車タービン（８）を具備してクランク軸（１６）を減速駆動することを特徴とするエネルギ保存サイクル合体機関。
【請求項１３１９】
前記各種エネルギ保存サイクル合体機関として、Ｈ型エネルギ保存サイクル合体機関（２９Ｈ）を使用することでＤ型エネルギ保存サイクル圧縮機（２０Ｄ）を（２０Ｈ）とし、構造を簡単として小型に対応し縮径主燃焼室兼熱交換器（１）を左に１以上具備して右の一方向空気流路（９）に連絡し、クランク軸（１６）にはずみ車タービン（８）を具備してクランク軸（１６）を送水ポンプ兼磁気摩擦動力伝達装置（５５）により減速駆動することを特徴とするエネルギ保存サイクル合体機関。
【請求項１３２０】
前記各種エネルギ保存サイクル合体機関は、動力伝達装置として送水ポンプ兼磁気摩擦動力伝達装置（５５）を具備することを特徴とするエネルギ保存サイクル合体機関。
【請求項１３２１】
前記各種エネルギ保存サイクル合体機関は、動力伝達装置として磁気摩擦動力伝達装置（７６）を具備することを特徴とするエネルギ保存サイクル合体機関。
【請求項１３２２】
前記各種エネルギ保存サイクル合体機関は、動力伝達装置として二重反転磁気摩擦動力伝達装置（８５）を具備することを特徴とするエネルギ保存サイクル合体機関。
【請求項１３２３】
前記各種エネルギ保存サイクル合体機関は、動力伝達装置として二重反転磁気摩擦動力伝達装置（８５）を具備して、大中小型船舶の推進用プロペラを二重反転させることを特徴とするエネルギ保存サイクル合体機関。
【請求項１３２４】
前記各種エネルギ保存サイクル合体機関は、動力伝達装置として二重反転磁気摩擦動力伝達装置（８５）を具備して、大中小型高速船の推進用プロペラを二重反転させることを特徴とするエネルギ保存サイクル合体機関。
【請求項１３２５】
前記各種エネルギ保存サイクル合体機関は、動力伝達装置として二重反転磁気摩擦動力伝達装置（８５）を具備して、大中小型飛行機の推進用プロペラを二重反転させることを特徴とするエネルギ保存サイクル合体機関。
【請求項１３２６】
前記各種エネルギ保存サイクル合体機関は、動力伝達装置として二重反転磁気摩擦動力伝達装置（８５）を具備して、大中小型飛行機の浮上推進用プロペラを二重反転させることを特徴とするエネルギ保存サイクル合体機関。
【請求項１３２７】
前記各種エネルギ保存サイクル合体機関は、動力伝達装置として二重反転磁気摩擦動力伝達装置（８５）を具備して、大中小型ヘリコプターの浮上推進用プロペラを二重反転させることを特徴とするエネルギ保存サイクル合体機関。
【請求項１３２８】
前記各種エネルギ保存サイクル合体機関は、送水ポンプとして送水ポンプ兼磁気摩擦動力伝達装置（５５）を具備することを特徴とするエネルギ保存サイクル合体機関。
【請求項１３２９】
前記各種エネルギ保存サイクル合体機関は、超高圧少量送水ポンプとして、送水ポンプ兼磁気摩擦動力伝達装置（５５）を具備することを特徴とするエネルギ保存サイクル合体機関。
【請求項１３３０】
前記各種エネルギ保存サイクル合体機関は、送水ポンプ兼磁気摩擦動力伝達装置（５５）により水を昇圧することを特徴とするエネルギ保存サイクル合体機関。
【請求項１３３１】
前記各種エネルギ保存サイクル合体機関は、送水ポンプ兼磁気摩擦動力伝達装置（５５）により水を多段に昇圧することを特徴とするエネルギ保存サイクル合体機関。
【請求項１３３２】
前記各種エネルギ保存サイクル合体機関は、送水ポンプ兼磁気摩擦動力伝達装置（５５）により水を昇圧すると共に自己水冷却することを特徴とするエネルギ保存サイクル合体機関。
【請求項１３３３】
前記各種エネルギ保存サイクル合体機関は、送水ポンプ兼磁気摩擦動力伝達装置（５５）により水を多段に昇圧すると共に自己水冷却することを特徴とするエネルギ保存サイクル合体機関。
【請求項１３３４】
前記各種エネルギ保存サイクル合体機関は、縮径主燃焼室兼熱交換器（１）に燃料水噴射電磁弁（７Ｄ）より燃料と水を噴射し、ＮＯｘ低減燃焼して限り無く高圧燃焼熱交換冷却長時間燃焼にすることを特徴とするエネルギ保存サイクル合体機関。
【請求項１３３５】
前記各種エネルギ保存サイクル合体機関は、縮径主燃焼室兼熱交換器（１）に燃料蒸気噴射電磁弁（７）より燃料と水蒸気を噴射し、ＮＯｘ低減燃焼して限り無く高圧燃焼熱交換冷却長時間燃焼にすることを特徴とするエネルギ保存サイクル合体機関。
【請求項１３３６】
前記各種エネルギ保存サイクル合体機関は、加熱高温の過熱蒸気噴射ノズル（６Ａ）と過熱蒸気爆発力と霧吹きの原理により、凝縮水（５２ｆ）との間に気化膜を設けて摩擦損失最低として凝縮水を混合噴射加速して、凝縮水速度を過熱蒸気爆発速度に近付けることを特徴とするエネルギ保存サイクル合体機関。
【請求項１３３７】
前記各種エネルギ保存サイクル合体機関は、加熱高温の過熱蒸気噴射ノズル（６Ａ）と過熱蒸気爆発力と霧吹きの原理により、水（５２ａ）との間に気化膜を設けて摩擦損失最低として水を混合噴射加速して、水（５２ａ）速度を過熱蒸気爆発速度に近付けることを特徴とするエネルギ保存サイクル合体機関。
【請求項１３３８】
前記各種エネルギ保存サイクル合体機関は、加熱高温の過熱蒸気噴射ノズル（６Ａ）と過熱蒸気爆発力と霧吹きの原理により、冷水（５２ｈ）との間に気化膜を設けて摩擦損失最低として冷水を混合噴射加速して、冷水（５２ｈ）速度を過熱蒸気爆発速度に近付けることを特徴とするエネルギ保存サイクル合体機関。
【請求項１３３９】
前記各種エネルギ保存サイクル合体機関は、撥水鍍金の過熱蒸気噴射ノズル（６Ｂ）と過熱蒸気爆発力と霧吹きの原理により、凝縮水（５２ｆ）との摩擦損失最低として凝縮水を混合噴射加速して、凝縮水速度を過熱蒸気爆発速度に近付けることを特徴とするエネルギ保存サイクル合体機関。
【請求項１３４０】
前記各種エネルギ保存サイクル合体機関は、撥水鍍金の過熱蒸気噴射ノズル（６Ｂ）と過熱蒸気爆発力と霧吹きの原理により、水（５２ａ）との摩擦損失最低として水を混合噴射加速して、水（５２ａ）速度を過熱蒸気爆発速度に近付けることを特徴とするエネルギ保存サイクル合体機関。
【請求項１３４１】
前記各種エネルギ保存サイクル合体機関は、撥水鍍金の過熱蒸気噴射ノズル（６Ｂ）と過熱蒸気爆発力と霧吹きの原理により、冷水（５２ｈ）との摩擦損失最低として冷水を混合噴射加速して、冷水（５２ｈ）速度を過熱蒸気爆発速度に近付けることを特徴とするエネルギ保存サイクル合体機関。
【請求項１３４２】
前記各種エネルギ保存サイクル合体機関は、加熱高温の燃焼ガス噴射ノズル（６Ｃ）と燃焼ガス爆発力と霧吹きの原理により、凝縮水（５２ｆ）との間に気化膜を設けて摩擦損失最低として凝縮水を混合噴射加速して、凝縮水速度を燃焼ガス爆発速度に近付けることを特徴とするエネルギ保存サイクル合体機関。
【請求項１３４３】
前記各種エネルギ保存サイクル合体機関は、加熱高温の燃焼ガス噴射ノズル（６Ｃ）と燃焼ガス爆発力と霧吹きの原理により、水（５２ａ）との間に気化膜を設けて摩擦損失最低として水を混合噴射加速して、水（５２ａ）速度を燃焼ガス爆発速度に近付けることを特徴とするエネルギ保存サイクル合体機関。
【請求項１３４４】
前記各種エネルギ保存サイクル合体機関は、加熱高温の燃焼ガス噴射ノズル（６Ｃ）と燃焼ガス爆発力と霧吹きの原理により、冷水（５２ｈ）との間に気化膜を設けて摩擦損失最低として冷水を混合噴射加速して、冷水（５２ｈ）速度を燃焼ガス爆発速度に近付けることを特徴とするエネルギ保存サイクル合体機関。
【請求項１３４５】
前記各種エネルギ保存サイクル合体機関は、撥水鍍金の燃焼ガス噴射ノズル（６Ｄ）と燃焼ガス爆発力と霧吹きの原理により、不用液化燃焼ガス（１０７）との摩擦損失最低として不用液化燃焼ガス（１０７）を混合噴射加速して、不用液化燃焼ガス（１０７）速度を燃焼ガス爆発速度に近付けることを特徴とするエネルギ保存サイクル合体機関。
【請求項１３４６】
前記各種エネルギ保存サイクル合体機関は、撥水鍍金の燃焼ガス噴射ノズル（６Ｄ）と燃焼ガス爆発力と霧吹きの原理により、不用冷却燃焼ガス（１０７ａ）との摩擦損失最低として不用冷却燃焼ガスを混合噴射加速して、不用冷却燃焼ガス（１０７ａ）速度を燃焼ガス爆発速度に近付けることを特徴とするエネルギ保存サイクル合体機関。
【請求項１３４７】
前記各種エネルギ保存サイクル合体機関は、撥水鍍金の燃焼ガス噴射ノズル（６Ｄ）と燃焼ガス爆発力と霧吹きの原理により、冷水（５２ｈ）との摩擦損失最低として冷水を混合噴射加速して、冷水（５２ｈ）速度を燃焼ガス爆発速度に近付けることを特徴とするエネルギ保存サイクル合体機関。
【請求項１３４８】
前記各種エネルギ保存サイクル合体機関のはずみ車蒸気タービン（８ｂ）は、接線方向に水噴射して回転可能にタービン翼（８ｃ）を具備することを特徴とするエネルギ保存サイクル合体機関。
【請求項１３４９】
前記各種エネルギ保存サイクル合体機関のはずみ車蒸気タービン（８ｂ）は、接線方向に水噴射して回転可能にタービン翼（８ｃ）をはずみ車の外周に具備することを特徴とするエネルギ保存サイクル合体機関。
【請求項１３５０】
前記各種エネルギ保存サイクル合体機関のはずみ車蒸気タービン（８ｂ）は、接線方向に水噴射して効率良く回転可能にタービン翼（８ｃ）をはずみ車の外周に具備することを特徴とするエネルギ保存サイクル合体機関。
【請求項１３５１】
前記各種エネルギ保存サイクル合体機関のはずみ車蒸気タービン（８ｂ）は、接線方向に水噴射して効率良く回転可能にタービン翼（８ｃ）をはずみ車の外周半径方向に具備することを特徴とするエネルギ保存サイクル合体機関。
【請求項１３５２】
前記各種エネルギ保存サイクル合体機関のはずみ車蒸気タービン（８ｂ）は、接線方向に水噴射して効率良く回転可能にタービン翼（８ｃ）をはずみ車の外周半径方向に多数具備することを特徴とするエネルギ保存サイクル合体機関。
【請求項１３５３】
前記各種エネルギ保存サイクル合体機関のはずみ車蒸気タービン（８ｂ）は、接線方向に水噴射して回転可能にタービン翼（８ｃ）をはずみ車の外周に具備して側板（８ｄ）で補強することを特徴とするエネルギ保存サイクル合体機関。
【請求項１３５４】
前記各種エネルギ保存サイクル合体機関のはずみ車蒸気タービン（８ｂ）は、接線方向に水噴射して効率良く回転可能にタービン翼（８ｃ）をはずみ車の外周に具備して側板（８ｄ）で補強することを特徴とするエネルギ保存サイクル合体機関。
【請求項１３５５】
前記各種エネルギ保存サイクル合体機関のはずみ車蒸気タービン（８ｂ）は、接線方向に水噴射して効率良く回転可能にタービン翼（８ｃ）をはずみ車の外周半径方向に具備して側板（８ｄ）で補強することを特徴とするエネルギ保存サイクル合体機関。
【請求項１３５６】
前記各種エネルギ保存サイクル合体機関のはずみ車蒸気タービン（８ｂ）は、接線方向に水噴射して効率良く回転可能にタービン翼（８ｃ）をはずみ車の外周半径方向に多数具備して側板（８ｄ）で補強することを特徴とするエネルギ保存サイクル合体機関。
【請求項１３５７】
前記各種エネルギ保存サイクル合体機関のはずみ車蒸気タービン（８ｂ）は、接線方向に水噴射して回転可能にタービン翼（８ｃ）をはずみ車の外周に具備して側板（８ｄ）で補強し、外箱（７７ａ）を具備することを特徴とするエネルギ保存サイクル合体機関。
【請求項１３５８】
前記各種エネルギ保存サイクル合体機関のはずみ車蒸気タービン（８ｂ）は、接線方向に水噴射して効率良く回転可能にタービン翼（８ｃ）をはずみ車の外周に具備して側板（８ｄ）で補強し、外箱（７７ａ）を具備することを特徴とするエネルギ保存サイクル合体機関。
【請求項１３５９】
前記各種エネルギ保存サイクル合体機関のはずみ車蒸気タービン（８ｂ）は、接線方向に水噴射して効率良く回転可能にタービン翼（８ｃ）をはずみ車の外周半径方向に具備して側板（８ｄ）で補強し、外箱（７７ａ）を具備することを特徴とするエネルギ保存サイクル合体機関。
【請求項１３６０】
前記各種エネルギ保存サイクル合体機関のはずみ車蒸気タービン（８ｂ）は、接線方向に水噴射して効率良く回転可能にタービン翼（８ｃ）をはずみ車の外周半径方向に多数具備して側板（８ｄ）で補強し、外箱（７７ａ）を具備することを特徴とするエネルギ保存サイクル合体機関。
【請求項１３６１】
前記各種エネルギ保存サイクル合体機関のはずみ車ガスタービン（８ａ）は、接線方向に水噴射して回転可能にタービン翼（８ｃ）を具備することを特徴とするエネルギ保存サイクル合体機関。
【請求項１３６２】
前記各種エネルギ保存サイクル合体機関のはずみ車ガスタービン（８ａ）は、接線方向に水噴射して回転可能にタービン翼（８ｃ）をはずみ車の外周に具備することを特徴とするエネルギ保存サイクル合体機関。
【請求項１３６３】
前記各種エネルギ保存サイクル合体機関のはずみ車ガスタービン（８ａ）は、接線方向に水噴射して効率良く回転可能にタービン翼（８ｃ）をはずみ車の外周に具備することを特徴とするエネルギ保存サイクル合体機関。
【請求項１３６４】
前記各種エネルギ保存サイクル合体機関のはずみ車ガスタービン（８ａ）は、接線方向に水噴射して効率良く回転可能にタービン翼（８ｃ）をはずみ車の外周半径方向に具備することを特徴とするエネルギ保存サイクル合体機関。
【請求項１３６５】
前記各種エネルギ保存サイクル合体機関のはずみ車ガスタービン（８ａ）は、接線方向に水噴射して効率良く回転可能にタービン翼（８ｃ）をはずみ車の外周半径方向に多数具備することを特徴とするエネルギ保存サイクル合体機関。
【請求項１３６６】
前記各種エネルギ保存サイクル合体機関のはずみ車ガスタービン（８ａ）は、接線方向に水噴射して回転可能にタービン翼（８ｃ）をはずみ車の外周に具備して側板（８ｄ）で補強することを特徴とするエネルギ保存サイクル合体機関。
【請求項１３６７】
前記各種エネルギ保存サイクル合体機関のはずみ車ガスタービン（８ａ）は、接線方向に水噴射して効率良く回転可能にタービン翼（８ｃ）をはずみ車の外周に具備して側板（８ｄ）で補強することを特徴とするエネルギ保存サイクル合体機関。
【請求項１３６８】
前記各種エネルギ保存サイクル合体機関のはずみ車ガスタービン（８ａ）は、接線方向に水噴射して効率良く回転可能にタービン翼（８ｃ）をはずみ車の外周半径方向に具備して側板（８ｄ）で補強することを特徴とするエネルギ保存サイクル合体機関。
【請求項１３６９】
前記各種エネルギ保存サイクル合体機関のはずみ車ガスタービン（８ａ）は、接線方向に水噴射して効率良く回転可能にタービン翼（８ｃ）をはずみ車の外周半径方向に多数具備して側板（８ｄ）で補強することを特徴とするエネルギ保存サイクル合体機関。
【請求項１３７０】
前記各種エネルギ保存サイクル合体機関のはずみ車ガスタービン（８ａ）は、接線方向に水噴射して回転可能にタービン翼（８ｃ）をはずみ車の外周に具備して側板（８ｄ）で補強し、外箱（７７ａ）を具備することを特徴とするエネルギ保存サイクル合体機関。
【請求項１３７１】
前記各種エネルギ保存サイクル合体機関のはずみ車ガスタービン（８ａ）は、接線方向に水噴射して効率良く回転可能にタービン翼（８ｃ）をはずみ車の外周に具備して側板（８ｄ）で補強し、外箱（７７ａ）を具備することを特徴とするエネルギ保存サイクル合体機関。
【請求項１３７２】
前記各種エネルギ保存サイクル合体機関のはずみ車ガスタービン（８ａ）は、接線方向に水噴射して効率良く回転可能にタービン翼（８ｃ）をはずみ車の外周半径方向に具備して側板（８ｄ）で補強し、外箱（７７ａ）を具備することを特徴とするエネルギ保存サイクル合体機関。
【請求項１３７３】
前記各種エネルギ保存サイクル合体機関のはずみ車ガスタービン（８ａ）は、接線方向に水噴射して効率良く回転可能にタービン翼（８ｃ）をはずみ車の外周半径方向に多数具備して側板（８ｄ）で補強し、外箱（７７ａ）を具備することを特徴とするエネルギ保存サイクル合体機関。
【請求項１３７４】
前記縮径主燃焼室兼熱交換器（１）に燃料蒸気噴射電磁弁（７）で燃料噴射してＮＯｘ低減燃焼することを特徴とするＡ型エネルギ保存サイクル合体機関。
【請求項１３７５】
前記縮径主燃焼室兼熱交換器（１）に燃料蒸気噴射電磁弁（７）で燃料噴射してＮＯｘ低減燃焼することを特徴とするＢ型エネルギ保存サイクル合体機関。
【請求項１３７６】
前記縮径主燃焼室兼熱交換器（１）に燃料蒸気噴射電磁弁（７）で燃料噴射してＮＯｘ低減燃焼することを特徴とするＣ型エネルギ保存サイクル合体機関。
【請求項１３７７】
前記縮径主燃焼室兼熱交換器（１）に燃料蒸気噴射電磁弁（７）で燃料噴射してＮＯｘ低減燃焼することを特徴とするＤ型エネルギ保存サイクル合体機関。
【請求項１３７８】
前記縮径主燃焼室兼熱交換器（１）に燃料蒸気噴射電磁弁（７）で燃料噴射してＮＯｘ低減燃焼することを特徴とするＥ型エネルギ保存サイクル合体機関。
【請求項１３７９】
前記縮径主燃焼室兼熱交換器（１）に燃料蒸気噴射電磁弁（７）で燃料噴射してＮＯｘ低減燃焼することを特徴とするＦ型エネルギ保存サイクル合体機関。
【請求項１３８０】
前記縮径主燃焼室兼熱交換器（１）に燃料蒸気噴射電磁弁（７）で燃料噴射してＮＯｘ低減燃焼することを特徴とするＧ型エネルギ保存サイクル合体機関。
【請求項１３８１】
前記縮径主燃焼室兼熱交換器（１）に燃料蒸気噴射電磁弁（７）で燃料噴射してＮＯｘ低減燃焼することを特徴とするＨ型エネルギ保存サイクル合体機関。
【請求項１３８２】
前記縮径主燃焼室兼熱交換器（１）に燃料蒸気噴射電磁弁（７）で燃料噴射してＮＯｘ低減燃焼することを特徴とするエネルギ保存サイクル合体機関。
【請求項１３８３】
前記縮径主燃焼室兼熱交換器（１）に燃料水噴射電磁弁（７Ｄ）で燃料噴射してＮＯｘ低減燃焼することを特徴とするＡ型エネルギ保存サイクル合体機関。
【請求項１３８４】
前記縮径主燃焼室兼熱交換器（１）に燃料水噴射電磁弁（７Ｄ）で燃料噴射してＮＯｘ低減燃焼することを特徴とするＢ型エネルギ保存サイクル合体機関。
【請求項１３８５】
前記縮径主燃焼室兼熱交換器（１）に燃料水噴射電磁弁（７Ｄ）で燃料噴射してＮＯｘ低減燃焼することを特徴とするＣ型エネルギ保存サイクル合体機関。
【請求項１３８６】
前記縮径主燃焼室兼熱交換器（１）に燃料水噴射電磁弁（７Ｄ）で燃料噴射してＮＯｘ低減燃焼することを特徴とするＤ型エネルギ保存サイクル合体機関。
【請求項１３８７】
前記縮径主燃焼室兼熱交換器（１）に燃料水噴射電磁弁（７Ｄ）で燃料噴射してＮＯｘ低減燃焼することを特徴とするＥ型エネルギ保存サイクル合体機関。
【請求項１３８８】
前記縮径主燃焼室兼熱交換器（１）に燃料水噴射電磁弁（７Ｄ）で燃料噴射してＮＯｘ低減燃焼することを特徴とするＦ型エネルギ保存サイクル合体機関。
【請求項１３８９】
前記縮径主燃焼室兼熱交換器（１）に燃料水噴射電磁弁（７Ｄ）で燃料噴射してＮＯｘ低減燃焼することを特徴とするＧ型エネルギ保存サイクル合体機関。
【請求項１３９０】
前記縮径主燃焼室兼熱交換器（１）に燃料水噴射電磁弁（７Ｄ）で燃料噴射してＮＯｘ低減燃焼することを特徴とするＨ型エネルギ保存サイクル合体機関。
【請求項１３９１】
前記縮径主燃焼室兼熱交換器（１）に燃料水噴射電磁弁（７Ｄ）で燃料噴射してＮＯｘ低減燃焼することを特徴とするエネルギ保存サイクル合体機関。
【請求項１３９２】
前記各種エネルギ保存サイクル合体機関は、動力伝達装置として送水ポンプ兼二重反転磁気摩擦動力伝達装置（８４）を具備することを特徴とするエネルギ保存サイクル合体機関。
【請求項１３９３】
前記各種エネルギ保存サイクル合体機関は、動力伝達装置として送水ポンプ兼二重反転磁気摩擦動力伝達装置（８４）を具備して、大中小型船舶の推進用プロペラを二重反転させることを特徴とするエネルギ保存サイクル合体機関。
【請求項１３９４】
前記各種エネルギ保存サイクル合体機関は、動力伝達装置として送水ポンプ兼二重反転磁気摩擦動力伝達装置（８４）を具備して、大中小型高速船の推進用プロペラを二重反転させることを特徴とするエネルギ保存サイクル合体機関。
【請求項１３９５】
前記各種エネルギ保存サイクル合体機関は、動力伝達装置として送水ポンプ兼二重反転磁気摩擦動力伝達装置（８４）を具備して、大中小型飛行機の推進用プロペラを二重反転させることを特徴とするエネルギ保存サイクル合体機関。
【請求項１３９６】
前記各種エネルギ保存サイクル合体機関は、動力伝達装置として送水ポンプ兼二重反転磁気摩擦動力伝達装置（８４）を具備して、大中小型飛行機の浮上推進用プロペラを二重反転させることを特徴とするエネルギ保存サイクル合体機関。
【請求項１３９７】
前記各種エネルギ保存サイクル合体機関は、動力伝達装置として送水ポンプ兼二重反転磁気摩擦動力伝達装置（８４）を具備して、大中小型ヘリコプターの浮上推進用プロペラを二重反転させることを特徴とするエネルギ保存サイクル合体機関。
【請求項１３９８】
前記送水ポンプ兼二重反転磁気摩擦動力伝達装置（８４）により、大中小型船舶の推進用プロペラを二重反転させることを特徴とするエネルギ保存サイクル合体機関。
【請求項１３９９】
前記送水ポンプ兼二重反転磁気摩擦動力伝達装置（８４）により、大中小型高速船の推進用プロペラを二重反転させることを特徴とするエネルギ保存サイクル合体機関。
【請求項１４００】
前記送水ポンプ兼二重反転磁気摩擦動力伝達装置（８４）により、大中小型船舶の吸引噴射推進用プロペラを二重反転させることを特徴とするエネルギ保存サイクル合体機関。
【請求項１４０１】
前記送水ポンプ兼二重反転磁気摩擦動力伝達装置（８４）により、大中小型高速船の吸引噴射推進用プロペラを二重反転させることを特徴とするエネルギ保存サイクル合体機関。
【請求項１４０２】
前記送水ポンプ兼二重反転磁気摩擦動力伝達装置（８４）により、大中小型飛行機の推進用プロペラを二重反転させることを特徴とするエネルギ保存サイクル合体機関。
【請求項１４０３】
前記送水ポンプ兼二重反転磁気摩擦動力伝達装置（８４）により、大中小型ヘリコプターの浮上推進用プロペラを二重反転させることを特徴とするエネルギ保存サイクル合体機関。
【請求項１４０４】
前記送水ポンプ兼二重反転磁気摩擦動力伝達装置（８４）により、大中小型飛行機の浮上推進用プロペラを二重反転させることを特徴とするエネルギ保存サイクル合体機関。
【請求項１４０５】
前記送水ポンプ兼二重反転磁気摩擦動力伝達装置（８４）の着磁摩擦車（６１ａ）は、環筒状の強磁性材料の径方向左右に磁極のＮ極及びＳ極を着磁して、その両側を環板状のヨーク（７４）で挟んで固定し、外径方向動力伝達面（５６）に延長して固着し、該動力伝達面（５６）に低凹凸（６９）を設け、夫々着磁摩擦車（６１ａ）（６１ａ）として、回転方向上流側及び下流側に棒磁石（５７）及び電磁石（５８）のいずれかを設けて異極は吸引する磁石として、転がり接触の着磁摩擦車装置（６５ａ）とし、外箱（７７）及び吸水路（７８）及び送水路（７９）を設けたことを特徴とするエネルギ保存サイクル合体機関。
【請求項１４０６】
前記送水ポンプ兼二重反転磁気摩擦動力伝達装置（８４）の着磁摩擦車（６１ａ）は、環筒状の強磁性材料の径方向左右に磁極のＮ極及びＳ極を着磁して、その両側を環板状のヨーク（７４）で挟んで固定し、外径方向動力伝達面（５６）に延長して固着し、該動力伝達面（５６）に低凹凸（６９）を設け、夫々着磁摩擦車（６１ａ）（６１ａ）として、回転方向上流側及び下流側のいずれかに棒磁石（５７）及び電磁石（５８）のいずれかを設けて異極は吸引する磁石として、転がり接触の着磁摩擦車装置（６５ａ）とし、外箱（７７）及び吸水路（７８）及び送水路（７９）を設けたことを特徴とするエネルギ保存サイクル合体機関。
【請求項１４０７】
前記送水ポンプ兼二重反転磁気摩擦動力伝達装置（８４）の着磁摩擦車（６１ｂ）は、環筒状の強磁性材料の内径側と外径側に磁極のＮ極及びＳ極を着磁して、ヨーク（７４）を磁石の内周側から左右外径動力伝達面（５６）に延長し、該動力伝達面のヨークと磁石の間に摩擦増大耐久手段（８０）を環状に動力伝達面側に固着し、その外周面に低凹凸（６９）を設けて、夫々着磁摩擦車（６１ｂ）（６１ｂ）として、回転方向上流側及び下流側に棒磁石（５７）及び電磁石（５８）のいずれかを設けて、異極は吸引する磁石として、転がり接触の着磁摩擦車装置（６５ｂ）とし、外箱（７７）及び吸水路（７８）及び送水路（７９）を設けたことを特徴とするエネルギ保存サイクル合体機関。
【請求項１４０８】
前記送水ポンプ兼二重反転磁気摩擦動力伝達装置（８４）の着磁摩擦車（６１ｂ）は、環筒状の強磁性材料の内径側と外径側に磁極のＮ極及びＳ極を着磁して、ヨーク（７４）を磁石の内周側から左右外径動力伝達面（５６）に延長し、該動力伝達面のヨークと磁石の間に摩擦増大耐久手段（８０）を環状に動力伝達面側に固着し、その外周面に低凹凸（６９）を設けて、夫々着磁摩擦車（６１ｂ）（６１ｂ）として、回転方向上流側及び下流側のいずれかに棒磁石（５７）及び電磁石（５８）のいずれかを設けて、異極は吸引する磁石として、転がり接触の着磁摩擦車装置（６５ｂ）とし、外箱（７７）及び吸水路（７８）及び送水路（７９）を設けたことを特徴とするエネルギ保存サイクル合体機関。
【請求項１４０９】
前記送水ポンプ兼二重反転磁気摩擦動力伝達装置（８４）の磁着摩擦車（６３）は、環筒状の強磁性材料の外径動力伝達面（５６）に低凹凸（６９）を設け、夫々磁着摩擦車（６３）（６３）として、回転方向上流側及び下流側に棒磁石（５７）及び電磁石（５８）の何れかを設け、磁石は吸引する磁石として、転がり接触の磁着摩擦車装置（６７）とし、外箱（７７）及び吸水路（７８）及び送水路（７９）を設けたことを特徴とするエネルギ保存サイクル合体機関。
【請求項１４１０】
前記送水ポンプ兼二重反転磁気摩擦動力伝達装置（８４）の磁着摩擦車（６３）は、環筒状の強磁性材料の外径動力伝達面（５６）に低凹凸（６９）を設け、夫々磁着摩擦車（６３）着磁摩擦車（６１ａ）として、回転方向上流側及び下流側に棒磁石（５７）及び電磁石（５８）のいずれかを設けて、異極は吸引する磁石として、転がり接触の磁気摩擦動力伝達装置（７６）とし、外箱（７７）及び吸水路（７８）及び送水路（７９）を設けたことを特徴とするエネルギ保存サイクル合体機関。
【請求項１４１１】
前記送水ポンプ兼二重反転磁気摩擦動力伝達装置（８４）の内着磁摩擦車（６２ａ）は、環筒状の強磁性材料の径方向左右に磁極のＮ極及びＳ極を着磁して、その両側を環板状のヨーク（７４）で挟んで、内径方向動力伝達面（５６）まで突出させて固着し、その動力伝達面に低凹凸（６９）を設け、夫々１以上の着磁摩擦車（６１ａ）と噛み合わせて、回転方向上流側及び下流側に棒磁石（５７）及び電磁石（５８）の何れかを設け、異極は吸引する磁石として、転がり接触による内着磁摩擦車装置（６６）とし、外箱（７７）及び吸水路（７８）及び送水路（７９）を設けたことを特徴とするエネルギ保存サイクル合体機関。
【請求項１４１２】
前記着磁摩擦車（６１ａ）に換えて、各種着磁摩擦車（６１）及び各種磁着摩擦車（６３）のいずれかとし、各種着磁摩擦車（６１）及び各種磁着摩擦車（６３）のいずれかと噛み合う、磁気摩擦動力伝達装置（７６）として、送水ポンプ兼二重反転磁気摩擦動力伝達装置（８４）を構成させたことを特徴とするエネルギ保存サイクル合体機関。
【請求項１４１３】
前記着磁摩擦車（６１ａ）に換えて、複数の各種着磁摩擦車（６１）及び複数の各種磁着摩擦車（６３）のいずれかとし、複数の各種着磁摩擦車（６１）及び複数の各種磁着摩擦車（６３）のいずれかと噛み合う、磁気摩擦動力伝達装置（７６）として、送水ポンプ兼二重反転磁気摩擦動力伝達装置（８４）を構成させたことを特徴とするエネルギ保存サイクル合体機関。
【請求項１４１４】
前記内着磁摩擦車（６２ａ）に換えて、各種内着磁摩擦車（６２）及び各種内磁着摩擦車（６４）のいずれかとし、各種着磁摩擦車（６１）及び各種磁着摩擦車（６３）のいずれかと噛み合う、磁気摩擦動力伝達装置（７６）として、送水ポンプ兼二重反転磁気摩擦動力伝達装置（８４）を構成させたことを特徴とするエネルギ保存サイクル合体機関。
【請求項１４１５】
前記内着磁摩擦車（６２ａ）に換えて、複数の各種内着磁摩擦車（６２）及び複数の各種内磁着摩擦車（６４）のいずれかとし、複数の各種着磁摩擦車（６１）及び複数の各種磁着摩擦車（６３）のいずれかと噛み合う、磁気摩擦動力伝達装置（７６）として、送水ポンプ兼二重反転磁気摩擦動力伝達装置（８４）を構成させたことを特徴とするエネルギ保存サイクル合体機関。
【請求項１４１６】
前記送水ポンプ兼二重反転磁気摩擦動力伝達装置（８４）の各種着磁摩擦車や各種磁着摩擦車は、夫々適宜に互換して使用することを特徴とするエネルギ保存サイクル合体機関。
【請求項１４１７】
前記送水ポンプ兼二重反転磁気摩擦動力伝達装置（８４）の各種内着磁摩擦車や各種内磁着摩擦車は、夫々適宜に互換して使用することを特徴とするエネルギ保存サイクル合体機関。
【請求項１４１８】
前記送水ポンプ兼二重反転磁気摩擦動力伝達装置（８４）により、水を昇圧して縮径主燃焼室熱交換器（２）に供給して使用することを特徴とするエネルギ保存サイクル合体機関。
【請求項１４１９】
前記送水ポンプ兼二重反転磁気摩擦動力伝達装置（８４）により、水を多段に昇圧して縮径主燃焼室熱交換器（２）に供給して使用することを特徴とするエネルギ保存サイクル合体機関。
【請求項１４２０】
前記送水ポンプ兼二重反転磁気摩擦動力伝達装置（８４）により、水を昇圧して縮径主燃焼室熱交換器（２）に供給して使用すると共に、該水圧上昇により送水ポンプ（７５）を非接触に近付けることを特徴とするエネルギ保存サイクル合体機関。
【請求項１４２１】
前記送水ポンプ兼二重反転磁気摩擦動力伝達装置（８４）により、水を昇圧して縮径主燃焼室熱交換器（２）に供給して使用すると共に、該水圧上昇により送水ポンプ（７５）を非接触に近付けて、省エネを図ることを特徴とするエネルギ保存サイクル合体機関。
【請求項１４２２】
前記送水ポンプ兼二重反転磁気摩擦動力伝達装置（８４）により、水を昇圧して縮径主燃焼室熱交換器（２）に供給し、過熱蒸気爆発力に変換して使用することを特徴とするエネルギ保存サイクル合体機関。
【請求項１４２３】
前記送水ポンプ兼二重反転磁気摩擦動力伝達装置（８４）により、水を昇圧して縮径主燃焼室熱交換器（２）に供給して過熱蒸気爆発力に変換し、水（５２ａ）を過熱蒸気爆発速度に近付けることを特徴とするエネルギ保存サイクル合体機関。
【請求項１４２４】
前記送水ポンプ兼二重反転磁気摩擦動力伝達装置（８４）により、水を昇圧して縮径主燃焼室熱交換器（２）に供給して過熱蒸気爆発力に変換し、凝縮水（５２ｆ）を過熱蒸気爆発速度に近付けることを特徴とするエネルギ保存サイクル合体機関。
【請求項１４２５】
前記送水ポンプ兼二重反転磁気摩擦動力伝達装置（８４）により、水を昇圧して縮径主燃焼室熱交換器（２）に供給して過熱蒸気爆発力に変換し、冷水（５２ｈ）を過熱蒸気爆発速度に近付けることを特徴とするエネルギ保存サイクル合体機関。
【請求項１４２６】
前記送水ポンプ兼二重反転磁気摩擦動力伝達装置（８４）により、水を昇圧して縮径主燃焼室熱交換器（２）に供給して過熱蒸気爆発力に変換し、水道水温熱（５２ｄ）を過熱蒸気爆発速度に近付けることを特徴とするエネルギ保存サイクル合体機関。
【請求項１４２７】
前記送水ポンプ兼二重反転磁気摩擦動力伝達装置（８４）により、水を昇圧して縮径主燃焼室熱交換器（２）に供給して過熱蒸気爆発力に変換し、水（５２ａ）を過熱蒸気爆発速度に近付けてはずみ車蒸気タービン（８ｂ）を駆動することを特徴とするエネルギ保存サイクル合体機関。
【請求項１４２８】
前記送水ポンプ兼二重反転磁気摩擦動力伝達装置（８４）により、水を昇圧して縮径主燃焼室熱交換器（２）に供給して過熱蒸気爆発力に変換し、凝縮水（５２ｆ）を過熱蒸気爆発速度に近付けてはずみ車蒸気タービン（８ｂ）を駆動することを特徴とするエネルギ保存サイクル合体機関。
【請求項１４２９】
前記送水ポンプ兼二重反転磁気摩擦動力伝達装置（８４）により、水を昇圧して縮径主燃焼室熱交換器（２）に供給して過熱蒸気爆発力に変換し、水（５２ａ）を過熱蒸気爆発速度に近付けて霧吹きの原理（１１１ａ）を駆動することを特徴とするエネルギ保存サイクル合体機関。
【請求項１４３０】
前記送水ポンプ兼二重反転磁気摩擦動力伝達装置（８４）により、水を昇圧して縮径主燃焼室熱交換器（２）に供給して過熱蒸気爆発力に変換し、凝縮水（５２ｆ）を過熱蒸気爆発速度に近付けて霧吹きの原理（１１１ａ）を駆動することを特徴とするエネルギ保存サイクル合体機関。
【請求項１４３１】
前記送水ポンプ兼二重反転磁気摩擦動力伝達装置（８４）により、水を昇圧して縮径主燃焼室熱交換器（２）に供給して過熱蒸気爆発力に変換し、水（５２ａ）を過熱蒸気爆発速度に近付けて霧吹きの原理（１１１ｃ）を駆動することを特徴とするエネルギ保存サイクル合体機関。
【請求項１４３２】
前記送水ポンプ兼二重反転磁気摩擦動力伝達装置（８４）により、水を昇圧して縮径主燃焼室熱交換器（２）に供給して過熱蒸気爆発力に変換し、凝縮水（５２ｆ）を過熱蒸気爆発速度に近付けて霧吹きの原理（１１１ｃ）を駆動することを特徴とするエネルギ保存サイクル合体機関。
【請求項１４３３】
前記送水ポンプ兼二重反転磁気摩擦動力伝達装置（８４）により、水を昇圧して縮径主燃焼室熱交換器（２）に供給して過熱蒸気爆発力に変換し、水（５２ａ）を過熱蒸気爆発速度に近付けて霧吹きの原理（１１１ｅ）を駆動することを特徴とするエネルギ保存サイクル合体機関。
【請求項１４３４】
前記送水ポンプ兼二重反転磁気摩擦動力伝達装置（８４）により、水を昇圧して縮径主燃焼室熱交換器（２）に供給して過熱蒸気爆発力に変換し、凝縮水（５２ｆ）を過熱蒸気爆発速度に近付けて霧吹きの原理（１１１ｅ）を駆動することを特徴とするエネルギ保存サイクル合体機関。
【請求項１４３５】
前記送水ポンプ兼二重反転磁気摩擦動力伝達装置（８４）により、水を昇圧して縮径主燃焼室熱交換器（２）に供給して過熱蒸気爆発力に変換し、水（５２ａ）を過熱蒸気爆発速度に近付けて霧吹きの原理（１１１ｇ）を駆動することを特徴とするエネルギ保存サイクル合体機関。
【請求項１４３６】
前記送水ポンプ兼二重反転磁気摩擦動力伝達装置（８４）により、水を昇圧して縮径主燃焼室熱交換器（２）に供給して過熱蒸気爆発力に変換し、凝縮水（５２ｆ）を過熱蒸気爆発速度に近付けて霧吹きの原理（１１１ｇ）を駆動することを特徴とするエネルギ保存サイクル合体機関。
【請求項１４３７】
前記送水ポンプ兼二重反転磁気摩擦動力伝達装置（８４）により、水を昇圧して縮径主燃焼室熱交換器（２）に供給して使用すると共に、該水圧上昇により摩擦ポンプ（７５）を非接触に近付けて、省エネを図り発生する熱を回収し、該水に物質を混入して公害を低減することを特徴とするエネルギ保存サイクル合体機関。
【請求項１４３８】
前記送水ポンプ兼二重反転磁気摩擦動力伝達装置（８４）の低凹凸（６９）は、歯車のかみ合い高さを限りなく低下させて、転がり接触動力伝達の低凹凸（６９）としたことを特徴とするエネルギ保存サイクル合体機関。
【請求項１４３９】
前記送水ポンプ兼二重反転磁気摩擦動力伝達装置（８４）の低凹凸（６９）は、歯車のかみ合い高さを限りなく低下させて、転がり接触動力伝達の低凹凸（６９）とし、歯車と略同型の平凹凸（７０）、ハスバ凹凸（７１）、ヤマバ凹凸（７２）のいずれかとしたことを特徴とするエネルギ保存サイクル合体機関。
【請求項１４４０】
前記送水ポンプ兼二重反転磁気摩擦動力伝達装置（８４）の低凹凸（６９）は、歯車のかみ合い高さを限りなく低下させて、転がり接触動力伝達とすることで、歯車以外の形状を可能にしたことを特徴とするエネルギ保存サイクル合体機関。
【請求項１４４１】
前記送水ポンプ兼二重反転磁気摩擦動力伝達装置（８４）の低凹凸（６９）は、歯車のかみ合い高さを限りなく低下させて、転がり接触動力伝達とすることで、噛み合う形状すべてを可能にしたことを特徴とするエネルギ保存サイクル合体機関。
【請求項１４４２】
前記各種エネルギ保存サイクル合体機関は大気圧まで使用し、１００℃に近い凝縮水（５２ｆ）を限り無く繰り返し使用することを特徴とするエネルギ保存サイクル合体機関。
【請求項１４４３】
前記各種エネルギ保存サイクル合体機関は大気圧まで使用し、１００℃に近い水（５２ａ）を限り無く繰り返し使用することを特徴とするエネルギ保存サイクル合体機関。
【請求項１４４４】
前記各種エネルギ保存サイクル合体機関は大気圧まで使用し、１００℃に近い水道水温熱（５２ｄ）を回収することを特徴とするエネルギ保存サイクル合体機関。
【請求項１４４５】
前記各種エネルギ保存サイクル合体機関は大気圧まで使用し、１００℃に近い水道水温熱（５２ｄ）を回収して需要家に供給することを特徴とするエネルギ保存サイクル合体機関。
【請求項１４４６】
前記各種エネルギ保存サイクル合体機関は大気圧まで使用し、１００℃に近い水道水温熱（５２ｄ）を回収して製造原価略０で需要家に供給することを特徴とするエネルギ保存サイクル合体機関。
【請求項１４４７】
前記各種エネルギ保存サイクル合体機関は大気圧まで使用し、１００℃に近い水道水温熱（５２ｄ）を回収して製造原価略０で需要家に供給すると共に、水道水温熱利用の各種暖房設備機器を製造供給することを特徴とするエネルギ保存サイクル合体機関。
【請求項１４４８】
前記各種エネルギ保存サイクル合体機関は大気圧まで使用し、１００℃に近い水道水温熱（５２ｄ）を回収して製造原価略０で需要家に供給すると共に、水道水温熱利用の各種厨房設備機器を製造供給することを特徴とするエネルギ保存サイクル合体機関。
【請求項１４４９】
前記各種エネルギ保存サイクル合体機関は大気圧まで使用し、１００℃に近い水道水温熱（５２ｄ）を回収して製造原価略０で需要家に供給すると共に、水道水温熱利用の各種調理設備機器を製造供給することを特徴とするエネルギ保存サイクル合体機関。
【請求項１４５０】
前記各種エネルギ保存サイクル合体機関は大気圧まで使用し、１００℃に近い水道水温熱（５２ｄ）を回収して製造原価略０で需要家に供給すると共に、水道水温熱利用の各種水浴設備機器を製造供給することを特徴とするエネルギ保存サイクル合体機関。
【請求項１４５１】
前記各種エネルギ保存サイクル合体機関は大気圧まで使用し、１００℃に近い水道水温熱（５２ｄ）を回収して製造原価略０で需要家に供給すると共に、水道水温熱利用の各種洗濯乾燥機を製造供給することを特徴とするエネルギ保存サイクル合体機関。
【請求項１４５２】
前記各種エネルギ保存サイクル合体機関はずみ車ガスタービン（８ａ）は、０℃に近い水道水冷熱（５２ｅ）を回収することを特徴とするエネルギ保存サイクル合体機関。
【請求項１４５３】
前記各種エネルギ保存サイクル合体機関はずみ車ガスタービン（８ａ）は、０℃に近い水道水冷熱（５２ｅ）を回収して需要家に供給することを特徴とするエネルギ保存サイクル合体機関。
【請求項１４５４】
前記各種エネルギ保存サイクル合体機関はずみ車ガスタービン（８ａ）は、０℃に近い水道水冷熱（５２ｅ）を回収して製造原価略０で需要家に供給することを特徴とするエネルギ保存サイクル合体機関。
【請求項１４５５】
前記各種エネルギ保存サイクル合体機関はずみ車ガスタービン（８ａ）は、０℃に近い水道水冷熱（５２ｅ）を回収して製造原価略０で需要家に供給すると共に、水道水冷熱利用の各種冷凍設備機器を製造供給することを特徴とするエネルギ保存サイクル合体機関。
【請求項１４５６】
前記各種エネルギ保存サイクル合体機関はずみ車ガスタービン（８ａ）は、０℃に近い水道水冷熱（５２ｅ）を回収して製造原価略０で需要家に供給すると共に、水道水冷熱利用の各種冷蔵設備機器を製造供給することを特徴とするエネルギ保存サイクル合体機関。
【請求項１４５７】
前記各種エネルギ保存サイクル合体機関はずみ車ガスタービン（８ａ）は、０℃に近い水道水冷熱（５２ｅ）を回収して製造原価略０で需要家に供給すると共に、水道水冷熱利用の各種冷房設備機器を製造供給することを特徴とするエネルギ保存サイクル合体機関。
【請求項１４５８】
前記各種エネルギ保存サイクル合体機関はずみ車ガスタービン（８ａ）は、０℃に近い水道水冷熱（５２ｅ）を回収して製造原価略０で需要家に供給すると共に、水道水冷熱利用の各種冷却設備機器を製造供給することを特徴とするエネルギ保存サイクル合体機関。
【請求項１４５９】
前記各種エネルギ保存サイクル合体機関は、縮径主燃焼室兼熱交換器（１）で過熱蒸気爆発力に変換することを特徴とするエネルギ保存サイクル合体機関。
【請求項１４６０】
前記各種エネルギ保存サイクル合体機関は、縮径主燃焼室兼熱交換器（１）で過熱蒸気爆発力に変換して過熱蒸気噴射ノズル（６Ａ）で水（５２ａ）速度を過熱蒸気爆発速度に近付けることを特徴とするエネルギ保存サイクル合体機関。
【請求項１４６１】
前記各種エネルギ保存サイクル合体機関は、縮径主燃焼室兼熱交換器（１）で過熱蒸気爆発力に変換して過熱蒸気噴射ノズル（６Ｂ）で水（５２ａ）速度を過熱蒸気爆発速度に近付けることを特徴とするエネルギ保存サイクル合体機関。
【請求項１４６２】
前記各種エネルギ保存サイクル合体機関は、縮径主燃焼室兼熱交換器（１）で過熱蒸気爆発力に変換して過熱蒸気噴射ノズル（６Ａ）で水（５２ａ）速度を過熱蒸気爆発速度に近付け、大気圧重力仕事能力を燃焼ガスの１０００倍に近付けることを特徴とするエネルギ保存サイクル合体機関。
【請求項１４６３】
前記各種エネルギ保存サイクル合体機関は、縮径主燃焼室兼熱交換器（１）で過熱蒸気爆発力に変換して過熱蒸気噴射ノズル（６Ｂ）で水（５２ａ）速度を過熱蒸気爆発速度に近付け、大気圧重力仕事能力を燃焼ガスの１０００倍に近付けることを特徴とするエネルギ保存サイクル合体機関。
【請求項１４６４】
前記各種エネルギ保存サイクル合体機関は、縮径主燃焼室兼熱交換器（１）で過熱蒸気爆発力に変換して過熱蒸気噴射ノズル（６Ａ）で水（５２ａ）速度を過熱蒸気爆発速度に近付け、大気圧重力仕事能力を燃焼ガスの１０００倍に近付けてはずみ車蒸気タービン（８ｂ）に噴射することを特徴とするエネルギ保存サイクル合体機関。
【請求項１４６５】
前記各種エネルギ保存サイクル合体機関は、縮径主燃焼室兼熱交換器（１）で過熱蒸気爆発力に変換して過熱蒸気噴射ノズル（６Ｂ）で水（５２ａ）速度を過熱蒸気爆発速度に近付け、大気圧重力仕事能力を燃焼ガスの１０００倍に近付けてはずみ車蒸気タービン（８ｂ）に噴射することを特徴とするエネルギ保存サイクル合体機関。
【請求項１４６６】
前記各種エネルギ保存サイクル合体機関は、縮径主燃焼室兼熱交換器（１）で過熱蒸気爆発力に変換して過熱蒸気噴射ノズル（６Ａ）で水（５２ａ）速度を過熱蒸気爆発速度に近付け、大気圧重力仕事能力を燃焼ガスの１０００倍に近付けてはずみ車蒸気タービン（８ｂ）に噴射して回転出力を発生することを特徴とするエネルギ保存サイクル合体機関。
【請求項１４６７】
前記各種エネルギ保存サイクル合体機関は、縮径主燃焼室兼熱交換器（１）で過熱蒸気爆発力に変換して過熱蒸気噴射ノズル（６Ｂ）で水（５２ａ）速度を過熱蒸気爆発速度に近付け、大気圧重力仕事能力を燃焼ガスの１０００倍に近付けてはずみ車蒸気タービン（８ｂ）に噴射して回転出力を発生することを特徴とするエネルギ保存サイクル合体機関。
【請求項１４６８】
前記各種エネルギ保存サイクル合体機関は、縮径主燃焼室兼熱交換器（１）で過熱蒸気爆発力に変換して過熱蒸気噴射ノズル（６Ａ）で水（５２ａ）速度を過熱蒸気爆発速度に近付け、大気圧重力仕事能力を燃焼ガスの１０００倍に近付けてはずみ車蒸気タービン（８ｂ）に噴射して回転出力を発生し、水（５２ａ）を水溜（９５ｂ）に循環供給することを特徴とするエネルギ保存サイクル合体機関。
【請求項１４６９】
前記各種エネルギ保存サイクル合体機関は、縮径主燃焼室兼熱交換器（１）で過熱蒸気爆発力に変換して過熱蒸気噴射ノズル（６Ｂ）で水（５２ａ）速度を過熱蒸気爆発速度に近付け、大気圧重力仕事能力を燃焼ガスの１０００倍に近付けてはずみ車蒸気タービン（８ｂ）に噴射して回転出力を発生し、水（５２ａ）を水溜（９５ｂ）に循環供給することを特徴とするエネルギ保存サイクル合体機関。
【請求項１４７０】
前記各種エネルギ保存サイクル合体機関は、縮径主燃焼室兼熱交換器（１）で過熱蒸気爆発力に変換して過熱蒸気噴射ノズル（６Ａ）で水（５２ａ）速度を過熱蒸気爆発速度に近付け、大気圧重力仕事能力を燃焼ガスの１０００倍に近付けてはずみ車蒸気タービン（８ｂ）に噴射して回転出力を発生し、水（５２ａ）を水溜（９５ｂ）に循環供給して過熱蒸気噴射ノズル（６Ａ）で循環噴射することを特徴とするエネルギ保存サイクル合体機関。
【請求項１４７１】
前記各種エネルギ保存サイクル合体機関は、縮径主燃焼室兼熱交換器（１）で過熱蒸気爆発力に変換して過熱蒸気噴射ノズル（６Ｂ）で水（５２ａ）速度を過熱蒸気爆発速度に近付け、大気圧重力仕事能力を燃焼ガスの１０００倍に近付けてはずみ車蒸気タービン（８ｂ）に噴射して回転出力を発生し、水（５２ａ）を水溜（９５ｂ）に循環供給して過熱蒸気噴射ノズル（６Ａ）で循環噴射することを特徴とするエネルギ保存サイクル合体機関。
【請求項１４７２】
前記各種エネルギ保存サイクル合体機関は、縮径主燃焼室兼熱交換器（１）で過熱蒸気爆発力に変換して過熱蒸気噴射ノズル（６Ａ）で水（５２ａ）速度を過熱蒸気爆発速度に近付け、大気圧重力仕事能力を燃焼ガスの１０００倍に近付けてはずみ車蒸気タービン（８ｂ）に噴射して回転出力を発生し、凝縮水（５２ｆ）を縮径主燃焼室熱交換器（２）に循環供給することを特徴とするエネルギ保存サイクル合体機関。
【請求項１４７３】
前記各種エネルギ保存サイクル合体機関は、縮径主燃焼室兼熱交換器（１）で過熱蒸気爆発力に変換して過熱蒸気噴射ノズル（６Ｂ）で水（５２ａ）速度を過熱蒸気爆発速度に近付け、大気圧重力仕事能力を燃焼ガスの１０００倍に近付けてはずみ車蒸気タービン（８ｂ）に噴射して回転出力を発生し、凝縮水（５２ｆ）を縮径主燃焼室熱交換器（２）に循環供給することを特徴とするエネルギ保存サイクル合体機関。
【請求項１４７４】
前記各種エネルギ保存サイクル合体機関は、縮径主燃焼室兼熱交換器（１）で過熱蒸気爆発力に変換して過熱蒸気噴射ノズル（６Ａ）で水（５２ａ）速度を過熱蒸気爆発速度に近付け、大気圧重力仕事能力を燃焼ガスの１０００倍に近付けてはずみ車蒸気タービン（８ｂ）に噴射して回転出力を発生し、凝縮水（５２ｆ）を縮径主燃焼室熱交換器（２）に循環供給して過熱蒸気噴射ノズル（６Ａ）で循環噴射することを特徴とするエネルギ保存サイクル合体機関。
【請求項１４７５】
前記各種エネルギ保存サイクル合体機関は、縮径主燃焼室兼熱交換器（１）で過熱蒸気爆発力に変換して過熱蒸気噴射ノズル（６Ｂ）で水（５２ａ）速度を過熱蒸気爆発速度に近付け、大気圧重力仕事能力を燃焼ガスの１０００倍に近付けてはずみ車蒸気タービン（８ｂ）に噴射して回転出力を発生し、凝縮水（５２ｆ）を縮径主燃焼室熱交換器（２）に循環供給して過熱蒸気噴射ノズル（６Ａ）で循環噴射することを特徴とするエネルギ保存サイクル合体機関。
【請求項１４７６】
前記各種エネルギ保存サイクル合体機関は、縮径主燃焼室兼熱交換器（１）で過熱蒸気爆発力に変換して過熱蒸気噴射ノズル（６Ａ）で水（５２ａ）速度を過熱蒸気爆発速度に近付け、大気圧重力仕事能力を燃焼ガスの１０００倍に近付けて霧吹きの原理（１１１ａ）に噴射することを特徴とするエネルギ保存サイクル合体機関。
【請求項１４７７】
前記各種エネルギ保存サイクル合体機関は、縮径主燃焼室兼熱交換器（１）で過熱蒸気爆発力に変換して過熱蒸気噴射ノズル（６Ｂ）で水（５２ａ）速度を過熱蒸気爆発速度に近付け、大気圧重力仕事能力を燃焼ガスの１０００倍に近付けて霧吹きの原理（１１１ｅ）に噴射することを特徴とするエネルギ保存サイクル合体機関。
【請求項１４７８】
前記各種エネルギ保存サイクル合体機関は、縮径主燃焼室兼熱交換器（１）で過熱蒸気爆発力に変換して過熱蒸気噴射ノズル（６Ａ）で水（５２ａ）速度を過熱蒸気爆発速度に近付け、大気圧重力仕事能力を燃焼ガスの１０００倍に近付けて霧吹きの原理（１１１ａ）に噴射して空気を吸引して噴射推進力を発生することを特徴とするエネルギ保存サイクル合体機関。
【請求項１４７９】
前記各種エネルギ保存サイクル合体機関は、縮径主燃焼室兼熱交換器（１）で過熱蒸気爆発力に変換して過熱蒸気噴射ノズル（６Ｂ）で水（５２ａ）速度を過熱蒸気爆発速度に近付け、大気圧重力仕事能力を燃焼ガスの１０００倍に近付けて霧吹きの原理（１１１ｅ）に噴射して空気を吸引して噴射推進力を発生することを特徴とするエネルギ保存サイクル合体機関。
【請求項１４８０】
前記各種エネルギ保存サイクル合体機関は、縮径主燃焼室兼熱交換器（１）で過熱蒸気爆発力に変換して過熱蒸気噴射ノズル（６Ａ）で水（５２ａ）速度を過熱蒸気爆発速度に近付け、大気圧重力仕事能力を燃焼ガスの１０００倍に近付けて霧吹きの原理（１１１ｃ）に噴射することを特徴とするエネルギ保存サイクル合体機関。
【請求項１４８１】
前記各種エネルギ保存サイクル合体機関は、縮径主燃焼室兼熱交換器（１）で過熱蒸気爆発力に変換して過熱蒸気噴射ノズル（６Ｂ）で水（５２ａ）速度を過熱蒸気爆発速度に近付け、大気圧重力仕事能力を燃焼ガスの１０００倍に近付けて霧吹きの原理（１１１ｇ）に噴射することを特徴とするエネルギ保存サイクル合体機関。
【請求項１４８２】
前記各種エネルギ保存サイクル合体機関は、縮径主燃焼室兼熱交換器（１）で過熱蒸気爆発力に変換して過熱蒸気噴射ノズル（６Ａ）で水（５２ａ）速度を過熱蒸気爆発速度に近付け、大気圧重力仕事能力を燃焼ガスの１０００倍に近付けて霧吹きの原理（１１１ｃ）に噴射して水を吸引して噴射推進力を発生することを特徴とするエネルギ保存サイクル合体機関。
【請求項１４８３】
前記各種エネルギ保存サイクル合体機関は、縮径主燃焼室兼熱交換器（１）で過熱蒸気爆発力に変換して過熱蒸気噴射ノズル（６Ｂ）で水（５２ａ）速度を過熱蒸気爆発速度に近付け、大気圧重力仕事能力を燃焼ガスの１０００倍に近付けて霧吹きの原理（１１１ｇ）に噴射して水を吸引して噴射推進力を発生することを特徴とするエネルギ保存サイクル合体機関。
【請求項１４８４】
前記各種エネルギ保存サイクル合体機関は、縮径主燃焼室兼熱交換器（１）で燃焼ガス爆発力に変換することを特徴とするエネルギ保存サイクル合体機関。
【請求項１４８５】
前記各種エネルギ保存サイクル合体機関は、縮径主燃焼室兼熱交換器（１）で燃焼ガス爆発力に変換して燃焼ガス噴射ノズル（６Ｃ）で水（５２ａ）速度を燃焼ガス爆発速度に近付けることを特徴とするエネルギ保存サイクル合体機関。
【請求項１４８６】
前記各種エネルギ保存サイクル合体機関は、縮径主燃焼室兼熱交換器（１）で燃焼ガス爆発力に変換して燃焼ガス噴射ノズル（６Ｄ）で水（５２ａ）速度を燃焼ガス爆発速度に近付けることを特徴とするエネルギ保存サイクル合体機関。
【請求項１４８７】
前記各種エネルギ保存サイクル合体機関は、縮径主燃焼室兼熱交換器（１）で燃焼ガス爆発力に変換して燃焼ガス噴射ノズル（６Ｃ）で水（５２ａ）速度を燃焼ガス爆発速度に近付け、大気圧重力仕事能力を燃焼ガスの１０００倍に近付けることを特徴とするエネルギ保存サイクル合体機関。
【請求項１４８８】
前記各種エネルギ保存サイクル合体機関は、縮径主燃焼室兼熱交換器（１）で燃焼ガス爆発力に変換して燃焼ガス噴射ノズル（６Ｄ）で水（５２ａ）速度を燃焼ガス爆発速度に近付け、大気圧重力仕事能力を燃焼ガスの１０００倍に近付けることを特徴とするエネルギ保存サイクル合体機関。
【請求項１４８９】
前記各種エネルギ保存サイクル合体機関は、縮径主燃焼室兼熱交換器（１）で燃焼ガス爆発力に変換して燃焼ガス噴射ノズル（６Ｃ）で水（５２ａ）速度を燃焼ガス爆発速度に近付け、大気圧重力仕事能力を燃焼ガスの１０００倍に近付けてはずみ車ガスタービン（８ａ）に噴射することを特徴とするエネルギ保存サイクル合体機関。
【請求項１４９０】
前記各種エネルギ保存サイクル合体機関は、縮径主燃焼室兼熱交換器（１）で燃焼ガス爆発力に変換して燃焼ガス噴射ノズル（６Ｄ）で水（５２ａ）速度を燃焼ガス爆発速度に近付け、大気圧重力仕事能力を燃焼ガスの１０００倍に近付けてはずみ車ガスタービン（８ａ）に噴射することを特徴とするエネルギ保存サイクル合体機関。
【請求項１４９１】
前記各種エネルギ保存サイクル合体機関は、縮径主燃焼室兼熱交換器（１）で燃焼ガス爆発力に変換して燃焼ガス噴射ノズル（６Ｃ）で水（５２ａ）速度を燃焼ガス爆発速度に近付け、大気圧重力仕事能力を燃焼ガスの１０００倍に近付けてはずみ車ガスタービン（８ａ）に噴射して回転出力を発生することを特徴とするエネルギ保存サイクル合体機関。
【請求項１４９２】
前記各種エネルギ保存サイクル合体機関は、縮径主燃焼室兼熱交換器（１）で燃焼ガス爆発力に変換して燃焼ガス噴射ノズル（６Ｄ）で水（５２ａ）速度を燃焼ガス爆発速度に近付け、大気圧重力仕事能力を燃焼ガスの１０００倍に近付けてはずみ車ガスタービン（８ａ）に噴射して回転出力を発生することを特徴とするエネルギ保存サイクル合体機関。
【請求項１４９３】
前記各種エネルギ保存サイクル合体機関は、縮径主燃焼室兼熱交換器（１）で燃焼ガス爆発力に変換して燃焼ガス噴射ノズル（６Ｃ）で水（５２ａ）速度を燃焼ガス爆発速度に近付け、大気圧重力仕事能力を燃焼ガスの１０００倍に近付けて霧吹きの原理（１１１ｂ）に噴射することを特徴とするエネルギ保存サイクル合体機関。
【請求項１４９４】
前記各種エネルギ保存サイクル合体機関は、縮径主燃焼室兼熱交換器（１）で燃焼ガス爆発力に変換して燃焼ガス噴射ノズル（６Ｄ）で水（５２ａ）速度を燃焼ガス爆発速度に近付け、大気圧重力仕事能力を燃焼ガスの１０００倍に近付けて霧吹きの原理（１１１ｆ）に噴射することを特徴とするエネルギ保存サイクル合体機関。
【請求項１４９５】
前記各種エネルギ保存サイクル合体機関は、縮径主燃焼室兼熱交換器（１）で燃焼ガス爆発力に変換して燃焼ガス噴射ノズル（６Ｃ）で水（５２ａ）速度を燃焼ガス爆発速度に近付け、大気圧重力仕事能力を燃焼ガスの１０００倍に近付けて霧吹きの原理（１１１ｂ）に噴射して空気を吸引して噴射推進力を発生することを特徴とするエネルギ保存サイクル合体機関。
【請求項１４９６】
前記各種エネルギ保存サイクル合体機関は、縮径主燃焼室兼熱交換器（１）で燃焼ガス爆発力に変換して燃焼ガス噴射ノズル（６Ｄ）で水（５２ａ）速度を燃焼ガス爆発速度に近付け、大気圧重力仕事能力を燃焼ガスの１０００倍に近付けて霧吹きの原理（１１１ｆ）に噴射して空気を吸引して噴射推進力を発生することを特徴とするエネルギ保存サイクル合体機関。
【請求項１４９７】
前記各種エネルギ保存サイクル合体機関は、縮径主燃焼室兼熱交換器（１）で燃焼ガス爆発力に変換して燃焼ガス噴射ノズル（６Ｃ）で水（５２ａ）速度を燃焼ガス爆発速度に近付け、大気圧重力仕事能力を燃焼ガスの１０００倍に近付けて霧吹きの原理（１１１ｄ）に噴射することを特徴とするエネルギ保存サイクル合体機関。
【請求項１４９８】
前記各種エネルギ保存サイクル合体機関は、縮径主燃焼室兼熱交換器（１）で燃焼ガス爆発力に変換して燃焼ガス噴射ノズル（６Ｄ）で水（５２ａ）速度を燃焼ガス爆発速度に近付け、大気圧重力仕事能力を燃焼ガスの１０００倍に近付けて霧吹きの原理（１１１ｈ）に噴射することを特徴とするエネルギ保存サイクル合体機関。
【請求項１４９９】
前記各種エネルギ保存サイクル合体機関は、縮径主燃焼室兼熱交換器（１）で燃焼ガス爆発力に変換して燃焼ガス噴射ノズル（６Ｃ）で水（５２ａ）速度を燃焼ガス爆発速度に近付け、大気圧重力仕事能力を燃焼ガスの１０００倍に近付けて霧吹きの原理（１１１ｄ）に噴射して水を吸引して噴射推進力を発生することを特徴とするエネルギ保存サイクル合体機関。
【請求項１５００】
前記各種エネルギ保存サイクル合体機関は、縮径主燃焼室兼熱交換器（１）で燃焼ガス爆発力に変換して燃焼ガス噴射ノズル（６Ｄ）で水（５２ａ）速度を燃焼ガス爆発速度に近付け、大気圧重力仕事能力を燃焼ガスの１０００倍に近付けて霧吹きの原理（１１１ｈ）に噴射して水を吸引して噴射推進力を発生することを特徴とするエネルギ保存サイクル合体機関。
【請求項１５０１】
前記各種エネルギ保存サイクル合体機関の過熱蒸気噴射ノズル（６Ａ）は、電気抵抗により加熱高温にすることを特徴とするエネルギ保存サイクル合体機関。
【請求項１５０２】
前記各種エネルギ保存サイクル合体機関の燃焼ガス噴射ノズル（６Ｃ）は、電気抵抗により加熱高温にすることを特徴とするエネルギ保存サイクル合体機関。
【請求項１５０３】
前記各種エネルギ保存サイクル合体機関の過熱蒸気噴射ノズル（６Ａ）は、電気抵抗により加熱高温にして摩擦損失を低減することを特徴とするエネルギ保存サイクル合体機関。
【請求項１５０４】
前記各種エネルギ保存サイクル合体機関の燃焼ガス噴射ノズル（６Ｃ）は、電気抵抗により加熱高温にして摩擦損失を低減することを特徴とするエネルギ保存サイクル合体機関。
【請求項１５０５】
前記各種エネルギ保存サイクル合体機関の過熱蒸気噴射ノズル（６Ａ）は、電気抵抗により加熱高温にして摩擦損失を低減し、過熱蒸気（５０）爆発力と霧吹きの原理により、水（５２ａ）を混合噴射加速することを特徴とするエネルギ保存サイクル合体機関。
【請求項１５０６】
前記各種エネルギ保存サイクル合体機関の燃焼ガス噴射ノズル（６Ｃ）は、電気抵抗により加熱高温にして摩擦損失を低減し、燃焼ガス（４９）爆発力と霧吹きの原理により、水（５２ａ）を混合噴射加速することを特徴とするエネルギ保存サイクル合体機関。
【請求項１５０７】
前記各種エネルギ保存サイクル合体機関の過熱蒸気噴射ノズル（６Ａ）は、電気抵抗により加熱高温にして摩擦損失を低減し、過熱蒸気（５０）爆発力と霧吹きの原理により、水（５２ａ）を混合噴射加速してノズル内では火薬爆発機関銃の弾丸や吹雪のように加速することを特徴とするエネルギ保存サイクル合体機関。
【請求項１５０８】
前記各種エネルギ保存サイクル合体機関の燃焼ガス噴射ノズル（６Ｃ）は、電気抵抗により加熱高温にして摩擦損失を低減し、燃焼ガス（４９）爆発力と霧吹きの原理により、水（５２ａ）を混合噴射加速してノズル内では火薬爆発機関銃の弾丸や吹雪のように加速することを特徴とするエネルギ保存サイクル合体機関。
【請求項１５０９】
前記各種エネルギ保存サイクル合体機関の過熱蒸気噴射ノズル（６Ａ）は、電気抵抗により加熱高温にして摩擦損失を低減し、過熱蒸気（５０）爆発力と霧吹きの原理により、水（５２ａ）を混合噴射加速してノズル内では火薬爆発機関銃の弾丸や吹雪のように加速して、はずみ車蒸気タービン（８ｂ）に噴射することを特徴とするエネルギ保存サイクル合体機関。
【請求項１５１０】
前記各種エネルギ保存サイクル合体機関の燃焼ガス噴射ノズル（６Ｃ）は、電気抵抗により加熱高温にして摩擦損失を低減し、燃焼ガス（４９）爆発力と霧吹きの原理により、水（５２ａ）を混合噴射加速してノズル内では火薬爆発機関銃の弾丸や吹雪のように加速して、はずみ車ガスタービン（８ａ）に噴射することを特徴とするエネルギ保存サイクル合体機関。
【請求項１５１１】
前記各種エネルギ保存サイクル合体機関の過熱蒸気噴射ノズル（６Ａ）は、電気抵抗により加熱高温にして摩擦損失を低減し、過熱蒸気（５０）爆発力と霧吹きの原理により、水（５２ａ）を混合噴射加速してノズル内では火薬爆発機関銃の弾丸や吹雪のように加速して、はずみ車蒸気タービン（８ｂ）に噴射して回転出力を発生することを特徴とするエネルギ保存サイクル合体機関。
【請求項１５１２】
前記各種エネルギ保存サイクル合体機関の燃焼ガス噴射ノズル（６Ｃ）は、電気抵抗により加熱高温にして摩擦損失を低減し、燃焼ガス（４９）爆発力と霧吹きの原理により、水（５２ａ）を混合噴射加速してノズル内では火薬爆発機関銃の弾丸や吹雪のように加速して、はずみ車ガスタービン（８ａ）に噴射して回転出力を発生することを特徴とするエネルギ保存サイクル合体機関。
【請求項１５１３】
前記各種エネルギ保存サイクル合体機関の過熱蒸気噴射ノズル（６Ａ）は、電気抵抗により加熱高温にして摩擦損失を低減し、過熱蒸気（５０）爆発力と霧吹きの原理により、水（５２ａ）を混合噴射加速してノズル内では火薬爆発機関銃の弾丸や吹雪のように加速して大気圧重力仕事能力を燃焼ガス（４９）の１０００倍にして、はずみ車蒸気タービン（８ｂ）に噴射して回転出力を発生することを特徴とするエネルギ保存サイクル合体機関。
【請求項１５１４】
前記各種エネルギ保存サイクル合体機関の燃焼ガス噴射ノズル（６Ｃ）は、電気抵抗により加熱高温にして摩擦損失を低減し、燃焼ガス（４９）爆発力と霧吹きの原理により、水（５２ａ）を混合噴射加速してノズル内では火薬爆発機関銃の弾丸や吹雪のように加速して大気圧重力仕事能力を燃焼ガス（４９）の１０００倍にして、はずみ車ガスタービン（８ａ）に噴射して回転出力を発生することを特徴とするエネルギ保存サイクル合体機関。
【請求項１５１５】
前記各種エネルギ保存サイクル合体機関の過熱蒸気噴射ノズル（６Ａ）は、電気抵抗により加熱高温にして摩擦損失を低減し、過熱蒸気（５０）爆発力と霧吹きの原理により、水（５２ａ）を混合噴射加速してノズル内では火薬爆発機関銃の弾丸や吹雪のように加速して大気圧重力仕事能力を燃焼ガス（４９）の１０００倍にして、霧吹きの原理（１１１ａ）に噴射することを特徴とするエネルギ保存サイクル合体機関。
【請求項１５１６】
前記各種エネルギ保存サイクル合体機関の燃焼ガス噴射ノズル（６Ｃ）は、電気抵抗により加熱高温にして摩擦損失を低減し、燃焼ガス（４９）爆発力と霧吹きの原理により、水（５２ａ）を混合噴射加速してノズル内では火薬爆発機関銃の弾丸や吹雪のように加速して大気圧重力仕事能力を燃焼ガス（４９）の１０００倍にして、霧吹きの原理（１１１ｂ）に噴射することを特徴とするエネルギ保存サイクル合体機関。
【請求項１５１７】
前記各種エネルギ保存サイクル合体機関の過熱蒸気噴射ノズル（６Ｂ）は、ノズル内部を撥水鍍金することを特徴とするエネルギ保存サイクル合体機関。
【請求項１５１８】
前記各種エネルギ保存サイクル合体機関の燃焼ガス噴射ノズル（６Ｄ）は、ノズル内部を撥水鍍金することを特徴とするエネルギ保存サイクル合体機関。
【請求項１５１９】
前記各種エネルギ保存サイクル合体機関の過熱蒸気噴射ノズル（６Ｂ）は、ノズル内部を撥水鍍金して摩擦損失を低減することを特徴とするエネルギ保存サイクル合体機関。
【請求項１５２０】
前記各種エネルギ保存サイクル合体機関の燃焼ガス噴射ノズル（６Ｄ）は、ノズル内部を撥水鍍金して摩擦損失を低減することを特徴とするエネルギ保存サイクル合体機関。
【請求項１５２１】
前記各種エネルギ保存サイクル合体機関の過熱蒸気噴射ノズル（６Ｂ）は、ノズル内部を撥水鍍金して摩擦損失を低減し、過熱蒸気（５０）爆発力と霧吹きの原理により、水（５２ａ）を混合噴射加速することを特徴とするエネルギ保存サイクル合体機関。
【請求項１５２２】
前記各種エネルギ保存サイクル合体機関の燃焼ガス噴射ノズル（６Ｄ）は、ノズル内部を撥水鍍金して摩擦損失を低減し、燃焼ガス（４９）爆発力と霧吹きの原理により、水（５２ａ）を混合噴射加速することを特徴とするエネルギ保存サイクル合体機関。
【請求項１５２３】
前記各種エネルギ保存サイクル合体機関の過熱蒸気噴射ノズル（６Ｂ）は、ノズル内部を撥水鍍金して摩擦損失を低減し、過熱蒸気（５０）爆発力と霧吹きの原理により、水（５２ａ）を混合噴射加速してノズル内では火薬爆発機関銃の弾丸や吹雪のように加速することを特徴とするエネルギ保存サイクル合体機関。
【請求項１５２４】
前記各種エネルギ保存サイクル合体機関の燃焼ガス噴射ノズル（６Ｄ）は、ノズル内部を撥水鍍金して摩擦損失を低減し、燃焼ガス（４９）爆発力と霧吹きの原理により、水（５２ａ）を混合噴射加速してノズル内では火薬爆発機関銃の弾丸や吹雪のように加速することを特徴とするエネルギ保存サイクル合体機関。
【請求項１５２５】
前記各種エネルギ保存サイクル合体機関の過熱蒸気噴射ノズル（６Ｂ）は、ノズル内部を撥水鍍金して摩擦損失を低減し、過熱蒸気（５０）爆発力と霧吹きの原理により、水（５２ａ）を混合噴射加速してノズル内では火薬爆発機関銃の弾丸や吹雪のように加速して大気圧重力仕事能力を燃焼ガス（４９）の１０００倍に増大することを特徴とするエネルギ保存サイクル合体機関。
【請求項１５２６】
前記各種エネルギ保存サイクル合体機関の燃焼ガス噴射ノズル（６Ｄ）は、ノズル内部を撥水鍍金して摩擦損失を低減し、燃焼ガス（４９）爆発力と霧吹きの原理により、水（５２ａ）を混合噴射加速してノズル内では火薬爆発機関銃の弾丸や吹雪のように加速して大気圧重力仕事能力を燃焼ガス（４９）の１０００倍に増大することを特徴とするエネルギ保存サイクル合体機関。
【請求項１５２７】
前記各種エネルギ保存サイクル合体機関の過熱蒸気噴射ノズル（６Ｂ）は、ノズル内部を撥水鍍金して摩擦損失を低減し、過熱蒸気（５０）爆発力と霧吹きの原理により、水（５２ａ）を混合噴射加速してノズル内では火薬爆発機関銃の弾丸や吹雪のように加速して大気圧重力仕事能力を燃焼ガス（４９）の１０００倍に増大してはずみ車蒸気タービン（８ｂ）に噴射することを特徴とするエネルギ保存サイクル合体機関。
【請求項１５２８】
前記各種エネルギ保存サイクル合体機関の燃焼ガス噴射ノズル（６Ｄ）は、ノズル内部を撥水鍍金して摩擦損失を低減し、燃焼ガス（４９）爆発力と霧吹きの原理により、水（５２ａ）を混合噴射加速してノズル内では火薬爆発機関銃の弾丸や吹雪のように加速して大気圧重力仕事能力を燃焼ガス（４９）の１０００倍に増大してはずみ車ガスタービン（８ａ）に噴射することを特徴とするエネルギ保存サイクル合体機関。
【請求項１５２９】
前記各種エネルギ保存サイクル合体機関の過熱蒸気噴射ノズル（６Ｂ）は、ノズル内部を撥水鍍金して摩擦損失を低減し、過熱蒸気（５０）爆発力と霧吹きの原理により、水（５２ａ）を混合噴射加速してノズル内では火薬爆発機関銃の弾丸や吹雪のように加速して大気圧重力仕事能力を燃焼ガス（４９）の１０００倍に増大してはずみ車蒸気タービン（８ｂ）に噴射して回転出力を発生することを特徴とするエネルギ保存サイクル合体機関。
【請求項１５３０】
前記各種エネルギ保存サイクル合体機関の燃焼ガス噴射ノズル（６Ｄ）は、ノズル内部を撥水鍍金して摩擦損失を低減し、燃焼ガス（４９）爆発力と霧吹きの原理により、水（５２ａ）を混合噴射加速してノズル内では火薬爆発機関銃の弾丸や吹雪のように加速して大気圧重力仕事能力を燃焼ガス（４９）の１０００倍に増大してはずみ車ガスタービン（８ａ）に噴射して回転出力を発生することを特徴とするエネルギ保存サイクル合体機関。
【請求項１５３１】
前記各種エネルギ保存サイクル合体機関は、燃焼ガス液化分離装置（１０４）を具備することを特徴とするエネルギ保存サイクル合体機関。
【請求項１５３２】
前記各種エネルギ保存サイクル合体機関は、燃焼ガス液化分離装置（１０４）を具備して液化二酸化炭素（１０５）を分離回収することを特徴とするエネルギ保存サイクル合体機関。
【請求項１５３３】
前記各種エネルギ保存サイクル合体機関は、燃焼ガス液化分離装置（１０４）を具備して液体窒素（１０６）を分離回収することを特徴とするエネルギ保存サイクル合体機関。
【請求項１５３４】
前記各種エネルギ保存サイクル合体機関は、燃焼ガス液化分離装置（１０４）を具備して特定液化燃焼ガス（１０８）を分離回収することを特徴とするエネルギ保存サイクル合体機関。
【請求項１５３５】
前記各種エネルギ保存サイクル合体機関は、燃焼ガス液化分離装置（１０４）を具備して液化二酸化炭素（１０５）を分離回収して水道水冷熱（５２ｅ）を需要家に供給することを特徴とするエネルギ保存サイクル合体機関。
【請求項１５３６】
前記各種エネルギ保存サイクル合体機関は、燃焼ガス液化分離装置（１０４）を具備して液体窒素（１０６）を分離回収して水道水冷熱（５２ｅ）を需要家に供給することを特徴とするエネルギ保存サイクル合体機関。
【請求項１５３７】
前記各種エネルギ保存サイクル合体機関は、燃焼ガス液化分離装置（１０４）を具備して特定液化燃焼ガス（１０８）を分離回収して水道水冷熱（５２ｅ）を需要家に供給することを特徴とするエネルギ保存サイクル合体機関。
【請求項１５３８】
前記各種エネルギ保存サイクル合体機関、燃焼ガス液化分離装置（１０４）の燃焼ガス噴射ノズル（６Ｄ）は、ノズル内部を撥水鍍金して摩擦損失を低減することを特徴とするエネルギ保存サイクル合体機関。
【請求項１５３９】
前記各種エネルギ保存サイクル合体機関、燃焼ガス液化分離装置（１０４）の燃焼ガス噴射ノズル（６Ｄ）は、ノズル内部を撥水鍍金して摩擦損失を低減し、不用冷却燃焼ガス（１０７ａ）で冷却した燃焼ガス（４９）爆発力と霧吹きの原理により、不用液化燃焼ガス（１０７）を混合噴射加速することを特徴とするエネルギ保存サイクル合体機関。
【請求項１５４０】
前記各種エネルギ保存サイクル合体機関、燃焼ガス液化分離装置（１０４）の燃焼ガス噴射ノズル（６Ｄ）は、ノズル内部を撥水鍍金して摩擦損失を低減し、不用冷却燃焼ガス（１０７ａ）で冷却した燃焼ガス（４９）爆発力と霧吹きの原理により、不用燃焼ガス噴射ノズル（６Ｆ）の不用液化燃焼ガス（１０７）を混合噴射加速することを特徴とするエネルギ保存サイクル合体機関。
【請求項１５４１】
前記各種エネルギ保存サイクル合体機関、燃焼ガス液化分離装置（１０４）の燃焼ガス噴射ノズル（６Ｄ）は、ノズル内部を撥水鍍金して摩擦損失を低減し、不用冷却燃焼ガス（１０７ａ）で冷却した燃焼ガス（４９）爆発力と霧吹きの原理により、不用燃焼ガス噴射ノズル（６Ｆ）の不用液化燃焼ガス（１０７）を混合噴射加速してはずみ車ガスタービン（８ａ）に噴射することを特徴とするエネルギ保存サイクル合体機関。
【請求項１５４２】
前記各種エネルギ保存サイクル合体機関、燃焼ガス液化分離装置（１０４）の燃焼ガス噴射ノズル（６Ｄ）は、ノズル内部を撥水鍍金して摩擦損失を低減し、不用冷却燃焼ガス（１０７ａ）で冷却した燃焼ガス（４９）爆発力と霧吹きの原理により、不用燃焼ガス噴射ノズル（６Ｆ）の不用液化燃焼ガス（１０７）を混合噴射加速してはずみ車ガスタービン（８ａ）に噴射して回転出力を発生することを特徴とするエネルギ保存サイクル合体機関。
【請求項１５４３】
前記各種エネルギ保存サイクル合体機関、燃焼ガス液化分離装置（１０４）の燃焼ガス噴射ノズル（６Ｄ）は、ノズル内部を撥水鍍金して摩擦損失を低減し、不用冷却燃焼ガス（１０７ａ）で冷却した燃焼ガス（４９）爆発力と霧吹きの原理により、不用燃焼ガス噴射ノズル（６Ｆ）の不用液化燃焼ガス（１０７）を混合噴射加速して大気圧重力仕事能力を増大してはずみ車ガスタービン（８ａ）に噴射して回転出力を発生することを特徴とするエネルギ保存サイクル合体機関。
【請求項１５４４】
前記各種エネルギ保存サイクル合体機関、燃焼ガス液化分離装置（１０４）の燃焼ガス噴射ノズル（６Ｄ）は、ノズル内部を撥水鍍金して摩擦損失を低減し、不用冷却燃焼ガス（１０７ａ）で冷却した燃焼ガス（４９）爆発力と霧吹きの原理により、不用燃焼ガス噴射ノズル（６Ｆ）の不用液化燃焼ガス（１０７）を混合噴射加速して大気圧重力仕事能力を増大してはずみ車ガスタービン（８ａ）に噴射して回転毎に不用液化燃焼ガス（１０７）を増大することを特徴とするエネルギ保存サイクル合体機関。
【請求項１５４５】
前記各種エネルギ保存サイクル合体機関、燃焼ガス液化分離装置（１０４）の燃焼ガス噴射ノズル（６Ｄ）は、ノズル内部を撥水鍍金して摩擦損失を低減し、不用冷却燃焼ガス（１０７ａ）で冷却した燃焼ガス（４９）爆発力と霧吹きの原理により、不用燃焼ガス噴射ノズル（６Ｆ）の不用液化燃焼ガス（１０７）を混合噴射加速して大気圧重力仕事能力を増大してはずみ車ガスタービン（８ａ）に噴射して回転毎に不用液化燃焼ガス（１０７）を増大して回転出力を増大することを特徴とするエネルギ保存サイクル合体機関。
【請求項１５４６】
前記各種エネルギ保存サイクル合体機関、燃焼ガス液化分離装置（１０４）の燃焼ガス噴射ノズル（６Ｄ）により回転毎に不用液化燃焼ガス（１０７）を増大して回転出力を増大することを特徴とするエネルギ保存サイクル合体機関。
【請求項１５４７】
前記各種エネルギ保存サイクル合体機関、燃焼ガス液化分離装置（１０４）の燃焼ガス噴射ノズル（６Ｄ）により回転毎に不用液化燃焼ガス（１０７）を増大して回転出力を増大して排気温度を低下することを特徴とするエネルギ保存サイクル合体機関。
【請求項１５４８】
前記各種エネルギ保存サイクル合体機関、燃焼ガス液化分離装置（１０４）の燃焼ガス噴射ノズル（６Ｄ）により回転毎に不用液化燃焼ガス（１０７）を増大して回転出力を増大して排気温度を低下し、液化二酸化炭素（１０５）を回収することを特徴とするエネルギ保存サイクル合体機関。
【請求項１５４９】
前記各種エネルギ保存サイクル合体機関、燃焼ガス液化分離装置（１０４）の燃焼ガス噴射ノズル（６Ｄ）により回転毎に不用液化燃焼ガス（１０７）を増大して回転出力を増大して排気温度を低下し、液体窒素（１０６）を回収することを特徴とするエネルギ保存サイクル合体機関。
【請求項１５５０】
前記各種エネルギ保存サイクル合体機関、燃焼ガス液化分離装置（１０４）の燃焼ガス噴射ノズル（６Ｄ）により回転毎に不用液化燃焼ガス（１０７）を増大して回転出力を増大して排気温度を低下し、特定液化燃焼ガス（１０８）を回収することを特徴とするエネルギ保存サイクル合体機関。
【請求項１５５１】
前記各種エネルギ保存サイクル合体機関、燃焼ガス液化分離装置（１０４）の燃焼ガス噴射ノズル（６Ｄ）により回転毎に不用液化燃焼ガス（１０７）を増大して回転出力を増大して排気温度を低下し、液化二酸化炭素（１０５）を回収して以後既存技術を利用することを特徴とするエネルギ保存サイクル合体機関。
【請求項１５５２】
前記各種エネルギ保存サイクル合体機関、燃焼ガス液化分離装置（１０４）の燃焼ガス噴射ノズル（６Ｄ）により回転毎に不用液化燃焼ガス（１０７）を増大して回転出力を増大して排気温度を低下し、液体窒素（１０６）を回収して以後既存技術を利用することを特徴とするエネルギ保存サイクル合体機関。
【請求項１５５３】
前記各種エネルギ保存サイクル合体機関、燃焼ガス液化分離装置（１０４）の燃焼ガス噴射ノズル（６Ｄ）により回転毎に不用液化燃焼ガス（１０７）を増大して回転出力を増大して排気温度を低下し、特定液化燃焼ガス（１０８）を回収して以後既存技術を利用することを特徴とするエネルギ保存サイクル合体機関。
【請求項１５５４】
前記各種エネルギ保存サイクル合体機関は、タービン翼（８ｃ）と側板（８ｄ）を電磁加熱高温とすることで、水等との間の摩擦損失を低減することを特徴とするエネルギ保存サイクル合体機関。
【請求項１５５５】
前記各種エネルギ保存サイクル合体機関は、タービン翼（８ｃ）と側板（８ｄ）を電磁加熱高温とすることを特徴とするエネルギ保存サイクル合体機関。
【請求項１５５６】
前記各種エネルギ保存サイクル合体機関は、タービン翼（８ｃ）と側板（８ｄ）を電磁加熱高温とすることで、水等との間に気化膜を設けることを特徴とするエネルギ保存サイクル合体機関。
【請求項１５５７】
前記各種エネルギ保存サイクル合体機関は、タービン翼（８ｃ）と側板（８ｄ）を電磁加熱高温とすることで、水等との間に気化膜を設けて摩擦損失を最低とすることを特徴とするエネルギ保存サイクル合体機関。
【請求項１５５８】
前記各種エネルギ保存サイクル合体機関は、タービン翼（８ｃ）と側板（８ｄ）を電磁加熱高温とすることで、水等との間に気化膜を設けて摩擦損失を最低の出力最大とすることを特徴とするエネルギ保存サイクル合体機関。
【請求項１５５９】
前記各種エネルギ保存サイクル合体機関は、タービン翼（８ｃ）と側板（８ｄ）を電磁加熱高温とすることで、水等との間に気化膜を設けて、摩擦損失を最低としてタービン翼（８ｃ）を動圧反動駆動することを特徴とするエネルギ保存サイクル合体機関。
【請求項１５６０】
前記各種エネルギ保存サイクル合体機関は、タービン翼（８ｃ）と側板（８ｄ）を断熱して設けて、加熱高温にすることを特徴とするエネルギ保存サイクル合体機関。
【請求項１５６１】
前記各種エネルギ保存サイクル合体機関は、タービン翼（８ｃ）と側板（８ｄ）を断熱して設けて、加熱高温にすることで、水等との間の摩擦損失を低減してタービン翼（８ｃ）を動圧回転駆動することを特徴とするエネルギ保存サイクル合体機関。
【請求項１５６２】
前記各種エネルギ保存サイクル合体機関は、水（５２ａ）速度を過熱蒸気爆発速度に近付けて、タービン翼（８ｃ）と側板（８ｄ）を断熱して設けて、加熱高温にすることで、水等との間の摩擦損失を低減してタービン翼（８ｃ）を動圧回転駆動することを特徴とするエネルギ保存サイクル合体機関。
【請求項１５６３】
前記各種エネルギ保存サイクル合体機関は、水（５２ａ）速度を過熱蒸気爆発速度に増大して、タービン翼（８ｃ）と側板（８ｄ）を断熱して設けて加熱高温にすることで水等との間の摩擦損失を低減してタービン翼（８ｃ）を動圧回転駆動することを特徴とするエネルギ保存サイクル合体機関。
【請求項１５６４】
前記各種エネルギ保存サイクル合体機関は、水（５２ａ）速度を過熱蒸気爆発速度に近付けて、タービン翼（８ｃ）と側板（８ｄ）を断熱して設けて加熱高温にすることで水等との間の摩擦損失を低減してはずみ車蒸気タービン（８ｂ）のタービン翼（８ｃ）を動圧回転駆動することを特徴とするエネルギ保存サイクル合体機関。
【請求項１５６５】
前記各種エネルギ保存サイクル合体機関は、水（５２ａ）速度を過熱蒸気爆発速度に近付けて、タービン翼（８ｃ）と側板（８ｄ）を断熱して設けて加熱高温にすることで水等との間の摩擦損失を低減してはずみ車ガスタービン（８ａ）のタービン翼（８ｃ）を動圧回転駆動することを特徴とするエネルギ保存サイクル合体機関。
【請求項１５６６】
前記各種エネルギ保存サイクル合体機関は、タービン翼（８ｃ）と側板（８ｄ）を断熱して設けて加熱高温にすることで水等との間の摩擦損失を低減して水（５２ａ）速度を超臨界圧力過熱蒸気爆発速度に近付けて、はずみ車蒸気タービン（８ｂ）のタービン翼（８ｃ）を動圧回転駆動することを特徴とするエネルギ保存サイクル合体機関。
【請求項１５６７】
前記各種エネルギ保存サイクル合体機関は、タービン翼（８ｃ）と側板（８ｄ）を断熱して設けて加熱高温にすることで水等との間の摩擦損失を低減して水（５２ａ）速度を超臨界圧力過熱蒸気爆発速度に近付けて、はずみ車ガスタービン（８ａ）のタービン翼（８ｃ）を動圧回転駆動することを特徴とするエネルギ保存サイクル合体機関。
【請求項１５６８】
前記各種エネルギ保存サイクル合体機関は、タービン翼（８ｃ）と側板（８ｄ）を断熱して設けて加熱高温にすることで水等との間の摩擦損失を低減して水（５２ａ）速度を過熱蒸気爆発速度に近付けて、タービン翼（８ｃ）接線方向に噴射してはずみ車蒸気タービン（８ｂ）を動圧回転駆動することを特徴とするエネルギ保存サイクル合体機関。
【請求項１５６９】
前記各種エネルギ保存サイクル合体機関は、タービン翼（８ｃ）と側板（８ｄ）を断熱して設けて加熱高温にすることで水等との間の摩擦損失を低減して水（５２ａ）速度を過熱蒸気爆発速度に近付けて、タービン翼（８ｃ）接線方向に噴射してはずみ車ガスタービン（８ａ）を動圧回転駆動することを特徴とするエネルギ保存サイクル合体機関。
【請求項１５７０】
前記各種エネルギ保存サイクル合体機関は、タービン翼（８ｃ）と側板（８ｄ）を断熱して設けて加熱高温にすることで水等との間の摩擦損失を低減して水（５２ａ）速度を超臨界圧力過熱蒸気爆発速度に近付けて、タービン翼（８ｃ）接線方向に噴射してはずみ車蒸気タービン（８ｂ）を動圧回転駆動することを特徴とするエネルギ保存サイクル合体機関。
【請求項１５７１】
前記各種エネルギ保存サイクル合体機関は、タービン翼（８ｃ）と側板（８ｄ）を断熱して設けて加熱高温にすることで水等との間の摩擦損失を低減して水（５２ａ）速度を超臨界圧力過熱蒸気爆発速度に近付けて、タービン翼（８ｃ）接線方向に噴射してはずみ車ガスタービン（８ａ）を動圧回転駆動することを特徴とするエネルギ保存サイクル合体機関。
【請求項１５７２】
前記各種エネルギ保存サイクル合体機関は、タービン翼（８ｃ）と側板（８ｄ）を断熱して設けて加熱高温にすることで水等との間の摩擦損失を低減して水（５２ａ）速度を過熱蒸気爆発速度に近付けて、タービン翼（８ｃ）接線方向の垂直方向に噴射してはずみ車蒸気タービン（８ｂ）を動圧回転駆動することを特徴とするエネルギ保存サイクル合体機関。
【請求項１５７３】
前記各種エネルギ保存サイクル合体機関は、タービン翼（８ｃ）と側板（８ｄ）を断熱して設けて加熱高温にすることで水等との間の摩擦損失を低減して水（５２ａ）速度を過熱蒸気爆発速度に近付けて、タービン翼（８ｃ）接線方向の垂直方向に噴射してはずみ車ガスタービン（８ａ）を動圧回転駆動することを特徴とするエネルギ保存サイクル合体機関。
【請求項１５７４】
前記各種エネルギ保存サイクル合体機関は、タービン翼（８ｃ）と側板（８ｄ）を断熱して設けて加熱高温にすることで水等との間の摩擦損失を低減して水（５２ａ）速度を超臨界圧力過熱蒸気爆発速度に近付けて、タービン翼（８ｃ）接線方向の垂直方向に噴射してはずみ車蒸気タービン（８ｂ）を動圧回転駆動することを特徴とするエネルギ保存サイクル合体機関。
【請求項１５７５】
前記各種エネルギ保存サイクル合体機関は、タービン翼（８ｃ）と側板（８ｄ）を断熱して設けて加熱高温にすることで水等との間の摩擦損失を低減して水（５２ａ）速度を超臨界圧力過熱蒸気爆発速度に近付けて、タービン翼（８ｃ）接線方向の垂直方向に噴射してはずみ車ガスタービン（８ａ）を動圧回転駆動することを特徴とするエネルギ保存サイクル合体機関。
【請求項１５７６】
前記各種エネルギ保存サイクル合体機関のタービン翼（８ｃ）と側板（８ｄ）は、加熱高温に換えて撥水鍍金とすることを特徴とするエネルギ保存サイクル合体機関。
【請求項１５７７】
前記各種エネルギ保存サイクル合体機関のタービン翼（８ｃ）と側板（８ｄ）は、加熱高温に換えて撥水鍍金とすることで、水等との間の摩擦損失を低減することを特徴とするエネルギ保存サイクル合体機関。
【請求項１５７８】
前記各種エネルギ保存サイクル合体機関は、物質を混入してＣＯ２等の燃焼ガスの溶解混合合成を容易にした水（５２ａ）速度を過熱蒸気爆発速度に近付けて、タービン翼（８ｃ）接線方向の垂直方向に噴射してはずみ車蒸気タービン（８ｂ）を動圧回転駆動することを特徴とするエネルギ保存サイクル合体機関。
【請求項１５７９】
前記各種エネルギ保存サイクル合体機関は、物質を混入してＣＯ２等の燃焼ガスの溶解混合合成を容易にした水（５２ａ）速度を過熱蒸気爆発速度に近付けて、タービン翼（８ｃ）接線方向の垂直方向に噴射してはずみ車ガスタービン（８ａ）を動圧回転駆動することを特徴とするエネルギ保存サイクル合体機関。
【請求項１５８０】
前記各種エネルギ保存サイクル合体機関は、物質を混入してＣＯ２等の燃焼ガスの溶解混合合成を容易にした水（５２ａ）速度を超臨界圧力過熱蒸気爆発速度に近付けて、タービン翼（８ｃ）接線方向の垂直方向に噴射してはずみ車蒸気タービン（８ｂ）を動圧回転駆動することを特徴とするエネルギ保存サイクル合体機関。
【請求項１５８１】
前記各種エネルギ保存サイクル合体機関は、物質を混入してＣＯ２等の燃焼ガスの溶解混合合成を容易にした水（５２ａ）速度を超臨界圧力過熱蒸気爆発速度に近付けて、タービン翼（８ｃ）接線方向の垂直方向に噴射してはずみ車ガスタービン（８ａ）を動圧回転駆動することを特徴とするエネルギ保存サイクル合体機関。
【請求項１５８２】
前記各種エネルギ保存サイクル合体機関は、動力伝達装置に送水ポンプ兼二重反転磁気摩擦動力伝達装置（８４）を使用することを特徴とするエネルギ保存サイクル合体機関。
【請求項１５８３】
前記各種エネルギ保存サイクル合体機関は、動力伝達装置に送水ポンプ兼磁気摩擦動力伝達装置（５５）を使用することを特徴とするエネルギ保存サイクル合体機関。
【請求項１５８４】
前記各種エネルギ保存サイクル合体機関は、水（５２ａ）温度を１００℃に近付けることを特徴とするエネルギ保存サイクル合体機関。
【請求項１５８５】
前記各種エネルギ保存サイクル合体機関は、水道水温熱（５２ｄ）温度を１００℃に近付けることを特徴とするエネルギ保存サイクル合体機関。
【請求項１５８６】
前記各種エネルギ保存サイクル合体機関は、凝縮水（５２ｆ）温度を１００℃に近付けることを特徴とするエネルギ保存サイクル合体機関。
【請求項１５８７】
前記各種エネルギ保存サイクル合体機関は、水道水冷熱（５２ｅ）温度を０℃に近付けることを特徴とするエネルギ保存サイクル合体機関。
【請求項１５８８】
前記各種エネルギ保存サイクル合体機関は、気化熱回収器（２ｂ）により熱回収して、排気温度を１００℃に近付けることを特徴とするエネルギ保存サイクル合体機関。
【請求項１５８９】
前記各種エネルギ保存サイクル合体機関は、気化熱回収器（２ｂ）により繰り返し熱回収して熱回収量を限りなく増大し、排気温度を大気圧１００℃に近付けることを特徴とするエネルギ保存サイクル合体機関。
【請求項１５９０】
前記各種エネルギ保存サイクル合体機関は、気化熱回収器（２ｂ）により繰り返し熱回収して凝縮水（５２ｆ）を限りなく増大し、排気温度を大気圧１００℃に近付けることを特徴とするエネルギ保存サイクル合体機関。
【請求項１５９１】
前記各種エネルギ保存サイクル合体機関は、気化熱回収器（２ｂ）により繰り返し熱回収して水（５２ａ）を限りなく増大し、排気温度を大気圧１００℃に近付けることを特徴とするエネルギ保存サイクル合体機関。
【請求項１５９２】
前記各種エネルギ保存サイクル合体機関は、気化熱回収器（２ｂ）により繰り返し熱回収して水道水温熱（５２ｄ）を限りなく増大し、排気温度を大気圧１００℃に近付けることを特徴とするエネルギ保存サイクル合体機関。
【請求項１５９３】
前記各種エネルギ保存サイクル合体機関は、気化熱回収器（２ｂ）により繰り返し熱回収して水道水温熱（５２ｄ）を限りなく増大し、１００℃に近い水道水温熱（５２ｄ）を需要家に供給することを特徴とするエネルギ保存サイクル合体機関。
【請求項１５９４】
前記各種エネルギ保存サイクル合体機関は、冷熱回収器（１０３）により繰り返し冷熱回収して水道水冷熱（５２ｅ）を限りなく増大し、排気温度を−２７３℃に近付けることを特徴とするエネルギ保存サイクル合体機関。
【請求項１５９５】
前記各種エネルギ保存サイクル合体機関は、冷熱回収器（１０３）により繰り返し冷熱回収して水道水冷熱（５２ｅ）を限りなく増大し、０℃に近い水道水冷熱（５２ｅ）を需要家に供給することを特徴とするエネルギ保存サイクル合体機関。
【請求項１５９６】
前記各種エネルギ保存サイクル合体機関は、タービン翼（８ｃ）と側板（８ｄ）を撥水鍍金とすることで、水等との間の摩擦損失を低減することを特徴とするエネルギ保存サイクル合体機関。
【請求項１５９７】
前記各種エネルギ保存サイクル合体機関は、タービン翼（８ｃ）と側板（８ｄ）を撥水鍍金とすることを特徴とするエネルギ保存サイクル合体機関。
【請求項１５９８】
前記各種エネルギ保存サイクル合体機関は、タービン翼（８ｃ）と側板（８ｄ）を撥水鍍金とすることで、水等との間に気化膜を設けることを特徴とするエネルギ保存サイクル合体機関。
【請求項１５９９】
前記各種エネルギ保存サイクル合体機関は、タービン翼（８ｃ）と側板（８ｄ）を撥水鍍金とすることで、水等との間に気化膜を設けて摩擦損失を最低とすることを特徴とするエネルギ保存サイクル合体機関。
【請求項１６００】
前記各種エネルギ保存サイクル合体機関は、タービン翼（８ｃ）と側板（８ｄ）を撥水鍍金とすることで、水等との間に気化膜を設けて摩擦損失を最低の出力最大とすることを特徴とするエネルギ保存サイクル合体機関。
【請求項１６０１】
前記各種エネルギ保存サイクル合体機関は、タービン翼（８ｃ）と側板（８ｄ）を撥水鍍金とすることで、水等との間に気化膜を設けて、摩擦損失を最低としてタービン翼（８ｃ）を動圧反動駆動することを特徴とするエネルギ保存サイクル合体機関。
【請求項１６０２】
前記各種エネルギ保存サイクル合体機関は、タービン翼（８ｃ）と側板（８ｄ）を撥水鍍金して設けることを特徴とするエネルギ保存サイクル合体機関。
【請求項１６０３】
前記各種エネルギ保存サイクル合体機関は、タービン翼（８ｃ）と側板（８ｄ）を撥水鍍金して設けることで、水等との間の摩擦損失を低減してタービン翼（８ｃ）を動圧回転駆動することを特徴とするエネルギ保存サイクル合体機関。
【請求項１６０４】
前記各種エネルギ保存サイクル合体機関は、水（５２ａ）速度を過熱蒸気爆発速度に近付けて、タービン翼（８ｃ）と側板（８ｄ）を撥水鍍金して設けることで、水等との間の摩擦損失を低減してタービン翼（８ｃ）を動圧回転駆動することを特徴とするエネルギ保存サイクル合体機関。
【請求項１６０５】
前記各種エネルギ保存サイクル合体機関は、水（５２ａ）速度を過熱蒸気爆発速度に増大して、タービン翼（８ｃ）と側板（８ｄ）を撥水鍍金して設けることで、水等との間の摩擦損失を低減してタービン翼（８ｃ）を動圧回転駆動することを特徴とするエネルギ保存サイクル合体機関。
【請求項１６０６】
前記各種エネルギ保存サイクル合体機関は、水（５２ａ）速度を過熱蒸気爆発速度に近付けて、タービン翼（８ｃ）と側板（８ｄ）を撥水鍍金して設けることで水等との間の摩擦損失を低減してはずみ車蒸気タービン（８ｂ）のタービン翼（８ｃ）を動圧回転駆動することを特徴とするエネルギ保存サイクル合体機関。
【請求項１６０７】
前記各種エネルギ保存サイクル合体機関は、水（５２ａ）速度を過熱蒸気爆発速度に近付けて、タービン翼（８ｃ）と側板（８ｄ）を撥水鍍金して設けることで水等との間の摩擦損失を低減してはずみ車ガスタービン（８ａ）のタービン翼（８ｃ）を動圧回転駆動することを特徴とするエネルギ保存サイクル合体機関。
【請求項１６０８】
前記各種エネルギ保存サイクル合体機関は、タービン翼（８ｃ）と側板（８ｄ）を撥水鍍金して設けることで水等との間の摩擦損失を低減して水（５２ａ）速度を超臨界圧力過熱蒸気爆発速度に近付けて、はずみ車蒸気タービン（８ｂ）のタービン翼（８ｃ）を動圧回転駆動することを特徴とするエネルギ保存サイクル合体機関。
【請求項１６０９】
前記各種エネルギ保存サイクル合体機関は、タービン翼（８ｃ）と側板（８ｄ）を撥水鍍金して設けることで水等との間の摩擦損失を低減して水（５２ａ）速度を超臨界圧力過熱蒸気爆発速度に近付けて、はずみ車ガスタービン（８ａ）のタービン翼（８ｃ）を動圧回転駆動することを特徴とするエネルギ保存サイクル合体機関。
【請求項１６１０】
前記各種エネルギ保存サイクル合体機関は、タービン翼（８ｃ）と側板（８ｄ）を撥水鍍金して設けることで水等との間の摩擦損失を低減して水（５２ａ）速度を過熱蒸気爆発速度に近付けて、タービン翼（８ｃ）接線方向に噴射してはずみ車蒸気タービン（８ｂ）を動圧回転駆動することを特徴とするエネルギ保存サイクル合体機関。
【請求項１６１１】
前記各種エネルギ保存サイクル合体機関は、タービン翼（８ｃ）と側板（８ｄ）を撥水鍍金して設けることで水等との間の摩擦損失を低減して水（５２ａ）速度を過熱蒸気爆発速度に近付けて、タービン翼（８ｃ）接線方向に噴射してはずみ車ガスタービン（８ａ）を動圧回転駆動することを特徴とするエネルギ保存サイクル合体機関。
【請求項１６１２】
前記各種エネルギ保存サイクル合体機関は、タービン翼（８ｃ）と側板（８ｄ）を撥水鍍金して設けることで水等との間の摩擦損失を低減して水（５２ａ）速度を超臨界圧力過熱蒸気爆発速度に近付けて、タービン翼（８ｃ）接線方向に噴射してはずみ車蒸気タービン（８ｂ）を動圧回転駆動することを特徴とするエネルギ保存サイクル合体機関。
【請求項１６１３】
前記各種エネルギ保存サイクル合体機関は、タービン翼（８ｃ）と側板（８ｄ）を撥水鍍金して設けることで水等との間の摩擦損失を低減して水（５２ａ）速度を超臨界圧力過熱蒸気爆発速度に近付けて、タービン翼（８ｃ）接線方向に噴射してはずみ車ガスタービン（８ａ）を動圧回転駆動することを特徴とするエネルギ保存サイクル合体機関。
【請求項１６１４】
前記各種エネルギ保存サイクル合体機関は、タービン翼（８ｃ）と側板（８ｄ）を撥水鍍金して設けることで水等との間の摩擦損失を低減して水（５２ａ）速度を過熱蒸気爆発速度に近付けて、タービン翼（８ｃ）接線方向の垂直方向に噴射してはずみ車蒸気タービン（８ｂ）を動圧回転駆動することを特徴とするエネルギ保存サイクル合体機関。
【請求項１６１５】
前記各種エネルギ保存サイクル合体機関は、タービン翼（８ｃ）と側板（８ｄ）を撥水鍍金して設けることで水等との間の摩擦損失を低減して水（５２ａ）速度を過熱蒸気爆発速度に近付けて、タービン翼（８ｃ）接線方向の垂直方向に噴射してはずみ車ガスタービン（８ａ）を動圧回転駆動することを特徴とするエネルギ保存サイクル合体機関。
【請求項１６１６】
前記各種エネルギ保存サイクル合体機関は、タービン翼（８ｃ）と側板（８ｄ）を撥水鍍金して設けることで水等との間の摩擦損失を低減して水（５２ａ）速度を超臨界圧力過熱蒸気爆発速度に近付けて、タービン翼（８ｃ）接線方向の垂直方向に噴射してはずみ車蒸気タービン（８ｂ）を動圧回転駆動することを特徴とするエネルギ保存サイクル合体機関。
【請求項１６１７】
前記各種エネルギ保存サイクル合体機関は、タービン翼（８ｃ）と側板（８ｄ）を撥水鍍金して設けることで水等との間の摩擦損失を低減して水（５２ａ）速度を超臨界圧力過熱蒸気爆発速度に近付けて、タービン翼（８ｃ）接線方向の垂直方向に噴射してはずみ車ガスタービン（８ａ）を動圧回転駆動することを特徴とするエネルギ保存サイクル合体機関。
【請求項１６１８】
前記各種エネルギ保存サイクル合体機関のはずみ車タービン（８）は、外径を拡大してクランク軸（１６）を回転駆動することを特徴とするエネルギ保存サイクル合体機関。
【請求項１６１９】
前記各種エネルギ保存サイクル合体機関のはずみ車タービン（８）は、直接クランク軸（１６）を回転駆動することを特徴とするエネルギ保存サイクル合体機関。
【請求項１６２０】
前記各種エネルギ保存サイクル合体機関のはずみ車タービン（８）は、減速してクランク軸（１６）を回転駆動することを特徴とするエネルギ保存サイクル合体機関。
【請求項１６２１】
前記各種エネルギ保存サイクル合体機関のはずみ車蒸気タービン（８ｂ）は、外径を拡大してクランク軸（１６）を回転駆動することを特徴とするエネルギ保存サイクル合体機関。
【請求項１６２２】
前記各種エネルギ保存サイクル合体機関のはずみ車蒸気タービン（８ｂ）は、直接クランク軸（１６）を回転駆動することを特徴とするエネルギ保存サイクル合体機関。
【請求項１６２３】
前記各種エネルギ保存サイクル合体機関のはずみ車蒸気タービン（８ｂ）は、減速してクランク軸（１６）を回転駆動することを特徴とするエネルギ保存サイクル合体機関。
【請求項１６２４】
前記各種エネルギ保存サイクル合体機関のはずみ車ガスタービン（８ａ）は、外径を拡大してクランク軸（１６）を回転駆動することを特徴とするエネルギ保存サイクル合体機関。
【請求項１６２５】
前記各種エネルギ保存サイクル合体機関のはずみ車ガスタービン（８ａ）は、直接クランク軸（１６）を回転駆動することを特徴とするエネルギ保存サイクル合体機関。
【請求項１６２６】
前記各種エネルギ保存サイクル合体機関のはずみ車タービン（８）は、外径を拡大してクランク軸（１６）を回転駆動して拡径ピストン（２１）により空気圧縮することを特徴とするエネルギ保存サイクル合体機関。
【請求項１６２７】
前記各種エネルギ保存サイクル合体機関のはずみ車タービン（８）は、直接クランク軸（１６）を回転駆動して拡径ピストン（２１）により空気圧縮することを特徴とするエネルギ保存サイクル合体機関。
【請求項１６２８】
前記各種エネルギ保存サイクル合体機関のはずみ車タービン（８）は、減速してクランク軸（１６）を回転駆動して拡径ピストン（２１）により空気圧縮することを特徴とするエネルギ保存サイクル合体機関。
【請求項１６２９】
前記各種エネルギ保存サイクル合体機関のはずみ車蒸気タービン（８ｂ）は、外径を拡大してクランク軸（１６）を回転駆動して拡径ピストン（２１）により空気圧縮することを特徴とするエネルギ保存サイクル合体機関。
【請求項１６３０】
前記各種エネルギ保存サイクル合体機関のはずみ車蒸気タービン（８ｂ）は、直接クランク軸（１６）を回転駆動して拡径ピストン（２１）により空気圧縮することを特徴とするエネルギ保存サイクル合体機関。
【請求項１６３１】
前記各種エネルギ保存サイクル合体機関のはずみ車蒸気タービン（８ｂ）は、減速してクランク軸（１６）を回転駆動して拡径ピストン（２１）により空気圧縮することを特徴とするエネルギ保存サイクル合体機関。
【請求項１６３２】
前記各種エネルギ保存サイクル合体機関のはずみ車ガスタービン（８ａ）は、外径を拡大してクランク軸（１６）を回転駆動して拡径ピストン（２１）により空気圧縮することを特徴とするエネルギ保存サイクル合体機関。
【請求項１６３３】
前記各種エネルギ保存サイクル合体機関のはずみ車ガスタービン（８ａ）は、直接クランク軸（１６）を回転駆動して拡径ピストン（２１）により空気圧縮することを特徴とするエネルギ保存サイクル合体機関。
【請求項１６３４】
前記各種エネルギ保存サイクル合体機関のはずみ車タービン（８）は、外径を拡大してクランク軸（１６）を回転駆動して拡径ピストン（２１）により空気圧縮し、縮径主燃焼室兼熱交換器（１）で高圧燃焼熱交換冷却長時間燃焼して燃焼ガス熱量＋燃焼ガス質量に分割することを特徴とするエネルギ保存サイクル合体機関。
【請求項１６３５】
前記各種エネルギ保存サイクル合体機関のはずみ車タービン（８）は、直接クランク軸（１６）を回転駆動して拡径ピストン（２１）により空気圧縮し、縮径主燃焼室兼熱交換器（１）で高圧燃焼熱交換冷却長時間燃焼して燃焼ガス熱量＋燃焼ガス質量に分割することを特徴とするエネルギ保存サイクル合体機関。
【請求項１６３６】
前記各種エネルギ保存サイクル合体機関のはずみ車タービン（８）は、減速してクランク軸（１６）を回転駆動して拡径ピストン（２１）により空気圧縮し、縮径主燃焼室兼熱交換器（１）で高圧燃焼熱交換冷却長時間燃焼して燃焼ガス熱量＋燃焼ガス質量に分割することを特徴とするエネルギ保存サイクル合体機関。
【請求項１６３７】
前記各種エネルギ保存サイクル合体機関のはずみ車蒸気タービン（８ｂ）は、外径を拡大してクランク軸（１６）を回転駆動して拡径ピストン（２１）により空気圧縮し、縮径主燃焼室兼熱交換器（１）で高圧燃焼熱交換冷却長時間燃焼して燃焼ガス熱量＋燃焼ガス質量に分割することを特徴とするエネルギ保存サイクル合体機関。
【請求項１６３８】
前記各種エネルギ保存サイクル合体機関のはずみ車蒸気タービン（８ｂ）は、直接クランク軸（１６）を回転駆動して拡径ピストン（２１）により空気圧縮し、縮径主燃焼室兼熱交換器（１）で高圧燃焼熱交換冷却長時間燃焼して燃焼ガス熱量＋燃焼ガス質量に分割することを特徴とするエネルギ保存サイクル合体機関。
【請求項１６３９】
前記各種エネルギ保存サイクル合体機関のはずみ車蒸気タービン（８ｂ）は、減速してクランク軸（１６）を回転駆動して拡径ピストン（２１）により空気圧縮し、縮径主燃焼室兼熱交換器（１）で高圧燃焼熱交換冷却長時間燃焼して燃焼ガス熱量＋燃焼ガス質量に分割することを特徴とするエネルギ保存サイクル合体機関。
【請求項１６４０】
前記各種エネルギ保存サイクル合体機関のはずみ車ガスタービン（８ａ）は、外径を拡大してクランク軸（１６）を回転駆動して拡径ピストン（２１）により空気圧縮し、縮径主燃焼室兼熱交換器（１）で高圧燃焼熱交換冷却長時間燃焼して燃焼ガス熱量＋燃焼ガス質量に分割することを特徴とするエネルギ保存サイクル合体機関。
【請求項１６４１】
前記各種エネルギ保存サイクル合体機関のはずみ車ガスタービン（８ａ）は、直接クランク軸（１６）を回転駆動して拡径ピストン（２１）により空気圧縮し、縮径主燃焼室兼熱交換器（１）で高圧燃焼熱交換冷却長時間燃焼して燃焼ガス熱量＋燃焼ガス質量に分割することを特徴とするエネルギ保存サイクル合体機関。
【請求項１６４２】
前記Ａ型エネルギ保存サイクル合体機関は、既存ガソリン機関と同様に多気筒にすることを特徴とするＡ型エネルギ保存サイクル合体機関。
【請求項１６４３】
前記Ａ型エネルギ保存サイクル合体機関は、既存ディーゼル機関と同様に多気筒にすることを特徴とするＡ型エネルギ保存サイクル合体機関。
【請求項１６４４】
前記Ａ型エネルギ保存サイクル合体機関は、既存ガソリン機関と同様に多気筒にして燃焼室を拡径圧縮室（１０ａ）にすることを特徴とするＡ型エネルギ保存サイクル合体機関。
【請求項１６４５】
前記Ａ型エネルギ保存サイクル合体機関は、既存ディーゼル機関と同様に多気筒にして燃焼室を拡径圧縮室（１０ａ）にすることを特徴とするＡ型エネルギ保存サイクル合体機関。
【請求項１６４６】
前記Ａ型エネルギ保存サイクル合体機関は、既存ガソリン機関と同様に多気筒にして燃焼室を拡径圧縮室（１０ａ）にし、既存排気弁に換えて逆止弁（９７）や一方向空気流路（９）や縮径主燃焼室兼熱交換器（１）にすることを特徴とするＡ型エネルギ保存サイクル合体機関。
【請求項１６４７】
前記Ａ型エネルギ保存サイクル合体機関は、既存ディーゼル機関と同様に多気筒にして燃焼室を拡径圧縮室（１０ａ）にし、既存排気弁に換えて逆止弁（９７）や一方向空気流路（９）や縮径主燃焼室兼熱交換器（１）にすることを特徴とするＡ型エネルギ保存サイクル合体機関。
【請求項１６４８】
前記各種エネルギ保存サイクル合体機関の霧吹きの原理（１１１ａ）は、過熱蒸気噴射ノズル（６Ａ）を具備して筒形外箱（７７ｂ）内に具備することを特徴とするエネルギ保存サイクル合体機関。
【請求項１６４９】
前記各種エネルギ保存サイクル合体機関の霧吹きの原理（１１１ａ）は、過熱蒸気噴射ノズル（６Ａ）を具備して筒形外箱（７７ｂ）内に複数具備することを特徴とするエネルギ保存サイクル合体機関。
【請求項１６５０】
前記各種エネルギ保存サイクル合体機関の霧吹きの原理（１１１ａ）は、過熱蒸気噴射ノズル（６Ａ）を具備して筒形外箱（７７ｂ）内に（１１１ｂ）と共に複数具備することを特徴とするエネルギ保存サイクル合体機関。
【請求項１６５１】
前記各種エネルギ保存サイクル合体機関の霧吹きの原理（１１１ａ）は、過熱蒸気噴射ノズル（６Ａ）を具備して筒形外箱（７７ｂ）内に複数の（１１１ｂ）と共に複数具備することを特徴とするエネルギ保存サイクル合体機関。
【請求項１６５２】
前記各種エネルギ保存サイクル合体機関の霧吹きの原理（１１１ｂ）は、燃焼ガス噴射ノズル（６Ｃ）を具備して筒形外箱（７７ｂ）内に具備することを特徴とするエネルギ保存サイクル合体機関。
【請求項１６５３】
前記各種エネルギ保存サイクル合体機関の霧吹きの原理（１１１ｂ）は、燃焼ガス噴射ノズル（６Ｃ）を具備して筒形外箱（７７ｂ）内に複数具備することを特徴とするエネルギ保存サイクル合体機関。
【請求項１６５４】
前記各種エネルギ保存サイクル合体機関の霧吹きの原理（１１１ｂ）は、燃焼ガス噴射ノズル（６Ｃ）を具備して筒形外箱（７７ｂ）内に（１１１ａ）と共に複数具備することを特徴とするエネルギ保存サイクル合体機関。
【請求項１６５５】
前記各種エネルギ保存サイクル合体機関の霧吹きの原理（１１１ｂ）は、燃焼ガス噴射ノズル（６Ｃ）を具備して筒形外箱（７７ｂ）内に複数の（１１１ａ）と共に複数具備することを特徴とするエネルギ保存サイクル合体機関。
【請求項１６５６】
前記各種エネルギ保存サイクル合体機関の霧吹きの原理（１１１ｅ）は、過熱蒸気噴射ノズル（６Ｂ）を具備して筒形外箱（７７ｂ）内に具備することを特徴とするエネルギ保存サイクル合体機関。
【請求項１６５７】
前記各種エネルギ保存サイクル合体機関の霧吹きの原理（１１１ｅ）は、過熱蒸気噴射ノズル（６Ｂ）を具備して筒形外箱（７７ｂ）内に複数具備することを特徴とするエネルギ保存サイクル合体機関。
【請求項１６５８】
前記各種エネルギ保存サイクル合体機関の霧吹きの原理（１１１ｅ）は、過熱蒸気噴射ノズル（６Ｂ）を具備して筒形外箱（７７ｂ）内に（１１１ｆ）と共に複数具備することを特徴とするエネルギ保存サイクル合体機関。
【請求項１６５９】
前記各種エネルギ保存サイクル合体機関の霧吹きの原理（１１１ｅ）は、過熱蒸気噴射ノズル（６Ｂ）を具備して筒形外箱（７７ｂ）内に複数の（１１１ｆ）と共に複数具備することを特徴とするエネルギ保存サイクル合体機関。
【請求項１６６０】
前記各種エネルギ保存サイクル合体機関の霧吹きの原理（１１１ｆ）は、燃焼ガス噴射ノズル（６Ｄ）を具備して筒形外箱（７７ｂ）内に具備することを特徴とするエネルギ保存サイクル合体機関。
【請求項１６６１】
前記各種エネルギ保存サイクル合体機関の霧吹きの原理（１１１ｆ）は、燃焼ガス噴射ノズル（６Ｄ）を具備して筒形外箱（７７ｂ）内に複数具備することを特徴とするエネルギ保存サイクル合体機関。
【請求項１６６２】
前記各種エネルギ保存サイクル合体機関の霧吹きの原理（１１１ｆ）は、燃焼ガス噴射ノズル（６Ｄ）を具備して筒形外箱（７７ｂ）内に（１１１ｅ）と共に複数具備することを特徴とするエネルギ保存サイクル合体機関。
【請求項１６６３】
前記各種エネルギ保存サイクル合体機関の霧吹きの原理（１１１ｆ）は、燃焼ガス噴射ノズル（６Ｄ）を具備して筒形外箱（７７ｂ）内に複数の（１１１ｅ）と共に複数具備することを特徴とするエネルギ保存サイクル合体機関。
【請求項１６６４】
前記各種エネルギ保存サイクル合体機関の霧吹きの原理（１１１ａ）は、過熱蒸気噴射ノズル（６Ａ）を具備して筒形外箱（７７ｂ）内に具備して９０°以上回転して垂直噴射垂直上昇垂直降下にすることを特徴とするエネルギ保存サイクル合体機関。
【請求項１６６５】
前記各種エネルギ保存サイクル合体機関の霧吹きの原理（１１１ａ）は、過熱蒸気噴射ノズル（６Ａ）を具備して筒形外箱（７７ｂ）内に複数具備して９０°以上回転して垂直噴射垂直上昇垂直降下にすることを特徴とするエネルギ保存サイクル合体機関。
【請求項１６６６】
前記各種エネルギ保存サイクル合体機関の霧吹きの原理（１１１ａ）は、過熱蒸気噴射ノズル（６Ａ）を具備して筒形外箱（７７ｂ）内に（１１１ｂ）と共に複数具備して９０°以上回転して垂直噴射垂直上昇垂直降下にすることを特徴とするエネルギ保存サイクル合体機関。
【請求項１６６７】
前記各種エネルギ保存サイクル合体機関の霧吹きの原理（１１１ａ）は、過熱蒸気噴射ノズル（６Ａ）を具備して筒形外箱（７７ｂ）内に複数の（１１１ｂ）と共に複数具備して９０°以上回転して垂直噴射垂直上昇垂直降下にすることを特徴とするエネルギ保存サイクル合体機関。
【請求項１６６８】
前記各種エネルギ保存サイクル合体機関の霧吹きの原理（１１１ｂ）は、燃焼ガス噴射ノズル（６Ｃ）を具備して筒形外箱（７７ｂ）内に具備して９０°以上回転して垂直噴射垂直上昇垂直降下にすることを特徴とするエネルギ保存サイクル合体機関。
【請求項１６６９】
前記各種エネルギ保存サイクル合体機関の霧吹きの原理（１１１ｂ）は、燃焼ガス噴射ノズル（６Ｃ）を具備して筒形外箱（７７ｂ）内に複数具備して９０°以上回転して垂直噴射垂直上昇垂直降下にすることを特徴とするエネルギ保存サイクル合体機関。
【請求項１６７０】
前記各種エネルギ保存サイクル合体機関の霧吹きの原理（１１１ｂ）は、燃焼ガス噴射ノズル（６Ｃ）を具備して筒形外箱（７７ｂ）内に（１１１ａ）と共に複数具備して９０°以上回転して垂直噴射垂直上昇垂直降下にすることを特徴とするエネルギ保存サイクル合体機関。
【請求項１６７１】
前記各種エネルギ保存サイクル合体機関の霧吹きの原理（１１１ｂ）は、燃焼ガス噴射ノズル（６Ｃ）を具備して筒形外箱（７７ｂ）内に複数の（１１１ａ）と共に複数具備して９０°以上回転して垂直噴射垂直上昇垂直降下にすることを特徴とするエネルギ保存サイクル合体機関。
【請求項１６７２】
前記各種エネルギ保存サイクル合体機関の霧吹きの原理（１１１ｅ）は、過熱蒸気噴射ノズル（６Ｂ）を具備して筒形外箱（７７ｂ）内に具備して９０°以上回転して垂直噴射垂直上昇垂直降下にすることを特徴とするエネルギ保存サイクル合体機関。
【請求項１６７３】
前記各種エネルギ保存サイクル合体機関の霧吹きの原理（１１１ｅ）は、過熱蒸気噴射ノズル（６Ｂ）を具備して筒形外箱（７７ｂ）内に複数具備して９０°以上回転して垂直噴射垂直上昇垂直降下にすることを特徴とするエネルギ保存サイクル合体機関。
【請求項１６７４】
前記各種エネルギ保存サイクル合体機関の霧吹きの原理（１１１ｅ）は、過熱蒸気噴射ノズル（６Ｂ）を具備して筒形外箱（７７ｂ）内に（１１１ｆ）と共に複数具備して９０°以上回転して垂直噴射垂直上昇垂直降下にすることを特徴とするエネルギ保存サイクル合体機関。
【請求項１６７５】
前記各種エネルギ保存サイクル合体機関の霧吹きの原理（１１１ｅ）は、過熱蒸気噴射ノズル（６Ｂ）を具備して筒形外箱（７７ｂ）内に複数の（１１１ｆ）と共に複数具備して９０°以上回転して垂直噴射垂直上昇垂直降下にすることを特徴とするエネルギ保存サイクル合体機関。
【請求項１６７６】
前記各種エネルギ保存サイクル合体機関の霧吹きの原理（１１１ｆ）は、燃焼ガス噴射ノズル（６Ｄ）を具備して筒形外箱（７７ｂ）内に具備して９０°以上回転して垂直噴射垂直上昇垂直降下にすることを特徴とするエネルギ保存サイクル合体機関。
【請求項１６７７】
前記各種エネルギ保存サイクル合体機関の霧吹きの原理（１１１ｆ）は、燃焼ガス噴射ノズル（６Ｄ）を具備して筒形外箱（７７ｂ）内に複数具備して９０°以上回転して垂直噴射垂直上昇垂直降下にすることを特徴とするエネルギ保存サイクル合体機関。
【請求項１６７８】
前記各種エネルギ保存サイクル合体機関の霧吹きの原理（１１１ｆ）は、燃焼ガス噴射ノズル（６Ｄ）を具備して筒形外箱（７７ｂ）内に（１１１ｅ）と共に複数具備して９０°以上回転して垂直噴射垂直上昇垂直降下にすることを特徴とするエネルギ保存サイクル合体機関。
【請求項１６７９】
前記各種エネルギ保存サイクル合体機関の霧吹きの原理（１１１ｆ）は、燃焼ガス噴射ノズル（６Ｄ）を具備して筒形外箱（７７ｂ）内に複数の（１１１ｅ）と共に複数具備して９０°以上回転して垂直噴射垂直上昇垂直降下にすることを特徴とするエネルギ保存サイクル合体機関。
【請求項１６８０】
前記各種エネルギ保存サイクル合体機関の霧吹きの原理（１１１ｃ）は、過熱蒸気噴射ノズル（６Ａ）を具備して筒形外箱（７７ｂ）内に具備することを特徴とするエネルギ保存サイクル合体機関。
【請求項１６８１】
前記各種エネルギ保存サイクル合体機関の霧吹きの原理（１１１ｃ）は、過熱蒸気噴射ノズル（６Ａ）を具備して筒形外箱（７７ｂ）内に複数具備することを特徴とするエネルギ保存サイクル合体機関。
【請求項１６８２】
前記各種エネルギ保存サイクル合体機関の霧吹きの原理（１１１ｃ）は、過熱蒸気噴射ノズル（６Ａ）を具備して筒形外箱（７７ｂ）内に（１１１ｄ）と共に複数具備することを特徴とするエネルギ保存サイクル合体機関。
【請求項１６８３】
前記各種エネルギ保存サイクル合体機関の霧吹きの原理（１１１ｃ）は、過熱蒸気噴射ノズル（６Ａ）を具備して筒形外箱（７７ｂ）内に複数の（１１１ｄ）と共に複数具備することを特徴とするエネルギ保存サイクル合体機関。
【請求項１６８４】
前記各種エネルギ保存サイクル合体機関の霧吹きの原理（１１１ｄ）は、燃焼ガス噴射ノズル（６Ｃ）を具備して筒形外箱（７７ｂ）内に具備することを特徴とするエネルギ保存サイクル合体機関。
【請求項１６８５】
前記各種エネルギ保存サイクル合体機関の霧吹きの原理（１１１ｄ）は、燃焼ガス噴射ノズル（６Ｃ）を具備して筒形外箱（７７ｂ）内に複数具備することを特徴とするエネルギ保存サイクル合体機関。
【請求項１６８６】
前記各種エネルギ保存サイクル合体機関の霧吹きの原理（１１１ｄ）は、燃焼ガス噴射ノズル（６Ｃ）を具備して筒形外箱（７７ｂ）内に（１１１ａ）と共に複数具備することを特徴とするエネルギ保存サイクル合体機関。
【請求項１６８７】
前記各種エネルギ保存サイクル合体機関の霧吹きの原理（１１１ｄ）は、燃焼ガス噴射ノズル（６Ｃ）を具備して筒形外箱（７７ｂ）内に複数の（１１１ｃ）と共に複数具備することを特徴とするエネルギ保存サイクル合体機関。
【請求項１６８８】
前記各種エネルギ保存サイクル合体機関の霧吹きの原理（１１１ｇ）は、過熱蒸気噴射ノズル（６Ｂ）を具備して筒形外箱（７７ｂ）内に具備することを特徴とするエネルギ保存サイクル合体機関。
【請求項１６８９】
前記各種エネルギ保存サイクル合体機関の霧吹きの原理（１１１ｇ）は、過熱蒸気噴射ノズル（６Ｂ）を具備して筒形外箱（７７ｂ）内に複数具備することを特徴とするエネルギ保存サイクル合体機関。
【請求項１６９０】
前記各種エネルギ保存サイクル合体機関の霧吹きの原理（１１１ｇ）は、過熱蒸気噴射ノズル（６Ｂ）を具備して筒形外箱（７７ｂ）内に（１１１ｈ）と共に複数具備することを特徴とするエネルギ保存サイクル合体機関。
【請求項１６９１】
前記各種エネルギ保存サイクル合体機関の霧吹きの原理（１１１ｇ）は、過熱蒸気噴射ノズル（６Ｂ）を具備して筒形外箱（７７ｂ）内に複数の（１１１ｈ）と共に複数具備することを特徴とするエネルギ保存サイクル合体機関。
【請求項１６９２】
前記各種エネルギ保存サイクル合体機関の霧吹きの原理（１１１ｈ）は、燃焼ガス噴射ノズル（６Ｄ）を具備して筒形外箱（７７ｂ）内に具備することを特徴とするエネルギ保存サイクル合体機関。
【請求項１６９３】
前記各種エネルギ保存サイクル合体機関の霧吹きの原理（１１１ｈ）は、燃焼ガス噴射ノズル（６Ｄ）を具備して筒形外箱（７７ｂ）内に複数具備することを特徴とするエネルギ保存サイクル合体機関。
【請求項１６９４】
前記各種エネルギ保存サイクル合体機関の霧吹きの原理（１１１ｈ）は、燃焼ガス噴射ノズル（６Ｄ）を具備して筒形外箱（７７ｂ）内に（１１１ｇ）と共に複数具備することを特徴とするエネルギ保存サイクル合体機関。
【請求項１６９５】
前記各種エネルギ保存サイクル合体機関の霧吹きの原理（１１１ｈ）は、燃焼ガス噴射ノズル（６Ｄ）を具備して筒形外箱（７７ｂ）内に複数の（１１１ｇ）と共に複数具備することを特徴とするエネルギ保存サイクル合体機関。
【請求項１６９６】
前記各種エネルギ保存サイクル合体機関は、該回転力で駆動する装置に蓄電装置を含めたことを特徴とするエネルギ保存サイクル合体機関。
【請求項１６９７】
前記各種エネルギ保存サイクル合体機関は、該回転力で駆動する装置に蓄電装置及び該蓄電装置で駆動する装置を含めたことを特徴とするエネルギ保存サイクル合体機関。
【請求項１６９８】
前記各種エネルギ保存サイクル合体機関は、該回転力で駆動する装置を各種大中小型の温熱と電気と冷熱の供給設備としたことを特徴とするエネルギ保存サイクル合体機関。
【請求項１６９９】
前記各種エネルギ保存サイクル合体機関は、該回転力で駆動する装置を各種大中小型の温熱と電気の供給設備としたことを特徴とするエネルギ保存サイクル合体機関。
【請求項１７００】
前記各種エネルギ保存サイクル合体機関は、該回転力で駆動する装置を各種大中小型の電気供給設備としたことを特徴とするエネルギ保存サイクル合体機関。
【請求項１７０１】
前記各種エネルギ保存サイクル合体機関は、該回転力や噴射推進力で駆動する装置を各種大中小型船舶としたことを特徴とするエネルギ保存サイクル合体機関。
【請求項１７０２】
前記各種エネルギ保存サイクル合体機関は、該回転力や噴射推進力で駆動する装置を各種大中小型高速船舶としたことを特徴とするエネルギ保存サイクル合体機関。
【請求項１７０３】
前記各種エネルギ保存サイクル合体機関は、該回転力や噴射推進力で駆動する装置を各種大中小型超高速船舶としたことを特徴とするエネルギ保存サイクル合体機関。
【請求項１７０４】
前記各種エネルギ保存サイクル合体機関は、該回転力で駆動する装置を各種大中小型自動車としたことを特徴とするエネルギ保存サイクル合体機関。
【請求項１７０５】
前記各種エネルギ保存サイクル合体機関は、該回転力で駆動する装置を各種大中小型陸上輸送移動機器としたことを特徴とするエネルギ保存サイクル合体機関。
【請求項１７０６】
前記各種エネルギ保存サイクル合体機関は、該回転力や噴射推進力で駆動する装置を各種大中小型各種超音速飛行機としたことを特徴とするエネルギ保存サイクル合体機関。
【請求項１７０７】
前記各種エネルギ保存サイクル合体機関は、該回転力や噴射推進力で駆動する装置を各種大中小型各種超音速ジェット飛行機としたことを特徴とするエネルギ保存サイクル合体機関。
【請求項１７０８】
前記各種エネルギ保存サイクル合体機関は、該回転力や噴射推進力で駆動する装置を各種大中小型各種飛行機としたことを特徴とするエネルギ保存サイクル合体機関。
【請求項１７０９】
前記各種エネルギ保存サイクル合体機関は、該回転力や噴射推進力で駆動する装置を各種大中小型各種空中輸送移動機器としたことを特徴とするエネルギ保存サイクル合体機関。
【請求項１７１０】
前記各種エネルギ保存サイクル合体機関は、該回転力で駆動する装置を各種大中小型各種汎用機関としたことを特徴とするエネルギ保存サイクル合体機関。
【請求項１７１１】
前記各種エネルギ保存サイクル合体機関は、該回転力で駆動する装置を各種大中小型各種機械類としたことを特徴とするエネルギ保存サイクル合体機関。
【請求項１７１２】
前記各種エネルギ保存サイクル合体機関は、該回転力や噴射推進力で駆動する装置を各種大中小型各種艦艇類としたことを特徴とするエネルギ保存サイクル合体機関。
【請求項１７１３】
前記各種エネルギ保存サイクル合体機関は、該回転力や噴射推進力で駆動する装置を各種大中小型各種戦闘飛行機類としたことを特徴とするエネルギ保存サイクル合体機関。
【請求項１７１４】
前記各種エネルギ保存サイクル合体機関は、該回転力で駆動する装置を各種大中小型各種戦闘車両類としたことを特徴とするエネルギ保存サイクル合体機関。
【請求項１７１５】
前記各種エネルギ保存サイクル合体機関は、該回転力や噴射推進力で駆動する装置を各種大中小型各種宇宙往還機としたことを特徴とするエネルギ保存サイクル合体機関。
【請求項１７１６】
前記各種エネルギ保存サイクル合体機関は、該回転力や噴射推進力で駆動する装置を各種大中小型各種宇宙往還親飛行機としたことを特徴とするエネルギ保存サイクル合体機関。
【請求項１７１７】
前記各種エネルギ保存サイクル合体機関は、該回転力や噴射推進力で駆動する装置を各種大中小型各種飛行船舶類としたことを特徴とするエネルギ保存サイクル合体機関。
【請求項１７１８】
前記各種エネルギ保存サイクル合体機関は、該回転力や噴射推進力で駆動する装置を各種大中小型各種飛行自動車類としたことを特徴とするエネルギ保存サイクル合体機関。
【請求項１７１９】
前記各種エネルギ保存サイクル合体機関は、該回転力や噴射推進力で駆動する装置を各種大中小型各種垂直上昇降下飛行機類としたことを特徴とするエネルギ保存サイクル合体機関。
【請求項１７２０】
前記各種エネルギ保存サイクル合体機関は、該回転力や噴射推進力で駆動する装置を各種大中小型各種駆動可能なもの全部としたことを特徴とするエネルギ保存サイクル合体機関。
【請求項１７２１】
前記各種エネルギ保存サイクル合体機関は、該回転力で駆動する装置を、燃料無しで短時間使用可能とした各種大中小型の温熱と電気と冷熱の供給設備としたことを特徴とするエネルギ保存サイクル合体機関。
【請求項１７２２】
前記各種エネルギ保存サイクル合体機関は、該回転力で駆動する装置を、燃料無しで短時間使用可能とした各種大中小型の温熱と電気の供給設備としたことを特徴とするエネルギ保存サイクル合体機関。
【請求項１７２３】
前記各種エネルギ保存サイクル合体機関は、該回転力で駆動する装置を、燃料無しで短時間使用可能とした各種大中小型の電気供給設備としたことを特徴とするエネルギ保存サイクル合体機関。
【請求項１７２４】
前記各種エネルギ保存サイクル合体機関は、該回転力や噴射推進力で駆動する装置を、燃料無しで短時間使用可能とした各種大中小型船舶としたことを特徴とするエネルギ保存サイクル合体機関。
【請求項１７２５】
前記各種エネルギ保存サイクル合体機関は、該回転力や噴射推進力で駆動する装置を、燃料無しで短時間使用可能とした各種大中小型高速船舶としたことを特徴とするエネルギ保存サイクル合体機関。
【請求項１７２６】
前記各種エネルギ保存サイクル合体機関は、該回転力や噴射推進力で駆動する装置を、燃料無しで短時間使用可能とした各種大中小型超高速船舶としたことを特徴とするエネルギ保存サイクル合体機関。
【請求項１７２７】
前記各種エネルギ保存サイクル合体機関は、該回転力で駆動する装置を、燃料無しで短時間使用可能とした各種大中小型自動車としたことを特徴とするエネルギ保存サイクル合体機関。
【請求項１７２８】
前記各種エネルギ保存サイクル合体機関は、該回転力で駆動する装置を、燃料無しで短時間使用可能とした各種大中小型陸上輸送移動機器としたことを特徴とするエネルギ保存サイクル合体機関。
【請求項１７２９】
前記各種エネルギ保存サイクル合体機関は、該回転力や噴射推進力で駆動する装置を、燃料無しで短時間使用可能とした各種大中小型各種超音速飛行機としたことを特徴とするエネルギ保存サイクル合体機関。
【請求項１７３０】
前記各種エネルギ保存サイクル合体機関は、該回転力や噴射推進力で駆動する装置を、燃料無しで短時間使用可能とした各種大中小型各種超音速ジェット飛行機としたことを特徴とするエネルギ保存サイクル合体機関。
【請求項１７３１】
前記各種エネルギ保存サイクル合体機関は、該回転力や噴射推進力で駆動する装置を、燃料無しで短時間使用可能とした各種大中小型各種飛行機としたことを特徴とするエネルギ保存サイクル合体機関。
【請求項１７３２】
前記各種エネルギ保存サイクル合体機関は、該回転力や噴射推進力で駆動する装置を、燃料無しで短時間使用可能とした各種大中小型各種空中輸送移動機器としたことを特徴とするエネルギ保存サイクル合体機関。
【請求項１７３３】
前記各種エネルギ保存サイクル合体機関は、該回転力で駆動する装置を、燃料無しで短時間使用可能とした各種大中小型各種汎用機関としたことを特徴とするエネルギ保存サイクル合体機関。
【請求項１７３４】
前記各種エネルギ保存サイクル合体機関は、該回転力で駆動する装置を、燃料無しで短時間使用可能とした各種大中小型各種機械類としたことを特徴とするエネルギ保存サイクル合体機関。
【請求項１７３５】
前記各種エネルギ保存サイクル合体機関は、該回転力や噴射推進力で駆動する装置を、燃料無しで短時間使用可能とした各種大中小型各種艦艇類としたことを特徴とするエネルギ保存サイクル合体機関。
【請求項１７３６】
前記各種エネルギ保存サイクル合体機関は、該回転力や噴射推進力で駆動する装置を、燃料無しで短時間使用可能とした各種大中小型各種戦闘飛行機類としたことを特徴とするエネルギ保存サイクル合体機関。
【請求項１７３７】
前記各種エネルギ保存サイクル合体機関は、該回転力で駆動する装置を、燃料無しで短時間使用可能とした各種大中小型各種戦闘車両類としたことを特徴とするエネルギ保存サイクル合体機関。
【請求項１７３８】
前記各種エネルギ保存サイクル合体機関は、該回転力や噴射推進力で駆動する装置を、燃料無しで短時間使用可能とした各種大中小型各種宇宙往還機としたことを特徴とするエネルギ保存サイクル合体機関。
【請求項１７３９】
前記各種エネルギ保存サイクル合体機関は、該回転力や噴射推進力で駆動する装置を、燃料無しで短時間使用可能とした各種大中小型各種宇宙往還親飛行機としたことを特徴とするエネルギ保存サイクル合体機関。
【請求項１７４０】
前記各種エネルギ保存サイクル合体機関は、該回転力や噴射推進力で駆動する装置を、燃料無しで短時間使用可能とした各種大中小型各種飛行船舶類としたことを特徴とするエネルギ保存サイクル合体機関。
【請求項１７４１】
前記各種エネルギ保存サイクル合体機関は、該回転力や噴射推進力で駆動する装置を、燃料無しで短時間使用可能とした各種大中小型各種飛行自動車類としたことを特徴とするエネルギ保存サイクル合体機関。
【請求項１７４２】
前記各種エネルギ保存サイクル合体機関は、該回転力や噴射推進力で駆動する装置を、燃料無しで短時間使用可能とした各種大中小型各種垂直上昇降下飛行機類としたことを特徴とするエネルギ保存サイクル合体機関。
【請求項１７４３】
前記各種エネルギ保存サイクル合体機関は、該回転力や噴射推進力で駆動する装置を、燃料無しで短時間使用可能とした各種大中小型各種駆動可能なもの全部としたことを特徴とするエネルギ保存サイクル合体機関。
【請求項１７４４】
前記各種エネルギ保存サイクル合体機関は、該回転力で駆動する装置は、その種類を問わないことを特徴とするエネルギ保存サイクル合体機関。
【請求項１７４５】
前記各種エネルギ保存サイクル合体機関で燃焼させる燃料は、重油・軽油・水素・メタノール・メタン・ガソリン・天然ガス・プロパンガス・アルコールの何れかにしたことを特徴とするエネルギ保存サイクル合体機関。
【請求項１７４６】
前記各種エネルギ保存サイクル合体機関で燃焼させる燃料は、重油・軽油・水素・メタノール・メタン・ガソリン・天然ガス・プロパンガス・アルコールの何れか１以上にしたことを特徴とするエネルギ保存サイクル合体機関。
【請求項１７４７】
前記各種エネルギ保存サイクル合体機関で燃焼させる燃料は種類を問わないことを特徴とするエネルギ保存サイクル合体機関。
【発明の詳細な説明】
【技術分野】
【０００１】
本発明は既存往復機関技術が、熱変換も重力も重力加速度も利用しない容積利用で、仮説発電量や出力を１／６００等に低減して、燃料電池や風力発電と競合する理由を明快に説明するため、アイディアを仮説数字で説明するが、正解は実験数値として仮説数字に限定しません。そこで熱回収量を最大にする各種エネルギ保存サイクル合体機関とし、例えば縮径主燃焼室兼熱交換器１を分離してその内径を拡径圧縮室の１／７に縮径して、拡径ピストン２１の行程容積の１／４９容積等限り無く長大とした、縮径主燃焼室兼熱交換器内長時間分離燃焼とし、最高燃焼圧力や空気圧縮圧力を限り無く上昇して、熱回収量を最大にし、燃焼ガス熱量＋燃焼ガス質量に分離して、燃焼ガス爆発速度×単位容積質量を最大とし、高温水５２ｂ速度を燃焼ガス爆発速度に近付けて、大気圧重力仕事能力を燃焼ガスの１０００倍に近付け、はずみ車ガスタービン８ａを小型大出力にする技術に関する。
【０００２】
そして燃焼ガス質量を単位容積質量最大の燃焼ガス爆発速度に変換し、その排気温度を−２７３℃に近付けて、冷熱の回収量を最大にして水道水冷熱５２ｅに変換します。燃焼ガス熱量出力は超臨界圧力過熱蒸気や超臨界圧力高温水５２ｂに変換し、超臨界圧力爆発力により、ペットボトルロケットを遥かに超える大量の高温水５２ｂを加速して、高温水５２ｂ速度を超臨界圧力爆発速度に近付け、大気圧重力仕事能力が燃焼ガスの１０００倍の高温水５２ｂ容積を５０倍に増大して、重力仕事能力を５００００倍に増大し、燃焼ガス熱量出力＋燃焼ガス質量出力を、既存ガソリン機関の６００倍仮説発電量や出力に増大して、供給熱量全部を１００℃以下の水道水温熱５２ｄとして需要家に供給し、燃焼ガス排気全部を、０℃以上の水道水冷熱５２ｅとして需要家に供給する技術に関する。
【０００３】
既存技術始動電動機兼発電機によりクランク軸１６を回転して、拡径ビストン２１を往復させて吸気弁２８より空気を吸入し、圧縮行程では一方向空気流路９より独立した縮径主燃焼室兼熱交換器１に空気噴射の過程で、燃料噴射電磁弁７ｃや既存技術により燃料噴射して、既存技術着火装置１０２により着火燃焼して、縮径主燃焼室兼熱交換器１の燃焼圧力を限り無く上昇すると共に、限り無く熱交換冷却燃焼して燃焼ガス熱量出力＋燃焼ガス質量出力に分離し、超臨界圧力過熱蒸気爆発速度＋燃焼ガス爆発速度に変換して、過熱蒸気噴射ノズル＋過熱蒸気噴射ノズルにより、１００℃前後の高温水５２ｂ速度や水５２ａ速度を、過熱蒸気爆発速度や燃焼ガス爆発速度に変換する技術に関する。
【０００４】
燃焼ガス４９質量出力の圧力上昇時に、図１の燃焼ガス加減弁２４を開放制御して、図２の燃焼ガス溜９５ａに供給し、燃焼ガス噴射ノズル６Ｃ６Ｄ６Ｊ等の燃焼ガス爆発力と霧吹きの原理で、１以上の冷水噴射ノズル６Ｇの水を混合噴射加速し、加熱高温手段１０１や撥水鍍金３ａにより加熱高温や撥水鍍金として、水との間に気化膜や撥水作用を用途に合わせて設けて摩擦損失を低減し、燃焼ガス噴射ノズル内では火薬爆発機関銃の弾丸や吹雪のように水を加速して、垂直噴射により重力慣性力や重力加速度の利用を最大にすると共に、大気圧重力仕事能力が燃焼ガスの１０００倍の水質量を、１０倍容積以上に増大し、はずみ車ガスタービン８ａに噴射して回転出力を発生する技術に関する。
【０００５】
燃焼ガス熱量出力の超臨界圧力等過熱蒸気５０の増大時に、図１の水蒸気加減弁２５を開放制御して、水蒸気溜９５ｃに過熱蒸気５０を供給し、過熱蒸気噴射ノズル６Ａ６Ｂ６Ｉ等の過熱蒸気爆発力と霧吹きの原理により、１以上の水噴射ノズル６Ｅの１００℃前後高温水５２ｂを混合噴射加速して、加熱高温手段１０１や撥水鍍金３ａにより、加熱高温や撥水鍍金として、水との間に気化膜や撥水作用を設けて摩擦損失を低減し、過熱蒸気噴射ノズル内では火薬爆発機関銃の弾丸や吹雪のように高温水５２ｂを加速して、垂直噴射により重力慣性力や重力加速度を利用して高温水５２ｂ速度を、超臨界圧力過熱蒸気爆発速度に近付ける技術に関する。
【０００６】
大気圧重力仕事能力が燃焼ガスの１０００倍の水質量を５０倍容積に増大し、はずみ車蒸気タービン８ｂに噴射して回転出力を発生して（燃焼ガス熱量出力）＋（燃焼ガス質量出力を）＝（既存ガソリン機関の大気圧重力仕事能力１０００倍×５０倍容積水質量×１／１００減少率）＋（１０００×１０倍容積水質量×１／１００減少率）＝（５００）＋（１００）＝既存ガソリン機関の６００倍仮説出力乃至発電量を狙う技術に関する。
【０００７】
回転出力発生排気の過程では、燃焼ガス熱量出力の排気と燃焼ガス質量出力の排気を分離して、燃焼ガス熱量出力の過熱蒸気５０高温水５２ｂ排気は、図１の気化熱回収器２ｂの空気抽出器５１により、真空度を調整して凝縮水量を増減し、１００℃前後の高温水５２ｂ乃至水道水温熱５２ｄと凝縮水５２ｆに分離して、凝縮水を縮径主燃焼室熱交換器２に供給し、超臨界圧力等の過熱蒸気５０爆発力に変換して、気化熱回収器２ｂの冷却水に水道水５２ｃを使用して、供給熱量略全部の凝縮熱から１００℃前後の水道水温熱５２ｄを回収貯蔵し、製造原価略０で需要家に供給して地球温暖化防止に協力すると共に、水道水温熱５２ｄを利用して電力消費１／１０を狙う業務用や家庭用の、暖房設備機器や調理設備機器や洗濯乾燥機等を製造供給する技術に関する。
【０００８】
燃焼ガス質量出力発生排気の過程では、燃焼ガス４９爆発速度と霧吹きの原理により、１以上の冷水噴射ノズル６Ｇの冷水５２ｈを混合噴射加速して、冷水５２ｈ速度を燃焼ガス爆発速度に近付け、大気圧重力仕事能力を燃焼ガスの１０００倍に近付けて、既存ガソリン機関の１００倍出力を狙い、その排気温度を−２７３℃に近付けます。図２のガス抽出器５１ａにより、ガス排気室５ｃの燃焼ガス４９排気温度を用途に合せて−２７３℃に近付け、冷熱回収器１０３・１０３により燃焼ガス質量全部を、０℃以上の水道水冷熱５２ｅに変換して貯蔵しておき、製造原価略０で需要家に供給すると共に、水道水冷熱により圧縮空気を冷却して利用し、電気料金１／１０を狙う脱フロンの業務用や家庭用の、冷凍設備機器や冷蔵設備機器や冷房設備機器等を製造供給する技術に関する。
【０００９】
燃焼ガス質量出力発生水道水冷熱５２ｅ回収の過程で、燃焼ガスを１００倍質量等の出力発生水５２ａや冷水５２ｈに溶解して、燃焼ガス排気を０に近付け、水道水冷熱５２ｅ回収後は、燃焼ガス溶解水５２ｇを増大して燃焼ガス排気０を狙い、燃焼ガス溶解水５２ｇを泥土や植物片や残飯等に固定して肥料にし、農作物の増産を図ると共に、膨大過ぎる燃焼ガス溶解水５２ｇは海水に供給して冷却する過程で、酸素等の空気も吸引して海水を冷却して、ＣＯ２や酸素や窒素等を必要として分解合成吸収等する、プランクトン等の微生物や海藻類を先ず増殖し、魚介類や海草類等の食料増産等を図る技術に関する。
【００１０】
燃焼ガス質量出力発生水道水冷熱５２ｅ回収の過程で、図３のガス抽出器５１ａにより真空まで膨張を可能にし、水道水冷熱５２ｅにより洗浄冷却した燃焼ガス４９と、水道水冷熱により冷却した燃焼ガス４９に２分して、水道水冷熱５２ｅにより冷却した燃焼ガス４９を、はずみ車ガスタービン８ａの燃焼ガス噴射ノズル６Ｄの燃焼ガス溜９５ａに供給し、燃焼ガス爆発速度×単位容積質量最大として、燃焼ガス爆発速度と霧吹きの原理により、不用燃焼ガス噴射ノズル６Ｆの不用液化燃焼ガス１０７を、底部より回収して繰返し混合噴射加速して増大し、はずみ車ガスタービン８ａを回転駆動する技術に関する。
【００１１】
水道水冷熱５２ｅで洗浄冷却した燃焼ガス４９を、燃焼ガス液化分離装置１０４で排気燃焼ガス４９により冷却して、液化二酸化炭素１０５や液体窒素１０６や特定液化燃焼ガス１０８等として分離回収し、不用な不用液化燃焼ガス１０７を不用燃焼ガス溜９５ｄに供給して、燃焼ガス噴射ノズル６Ｄの燃焼ガス溜９５ａの爆発力と霧吹きの原理で、１以上の不用燃焼ガス噴射ノズル６Ｆの不用液化燃焼ガス１０７を混合噴射加速し、垂直方向に噴射して重力慣性力や重力加速度を増大して、はずみ車ガスタービン８ａの回転出力を発生増大します。排気の過程で−２７３℃に近付く燃焼ガス４９により、燃焼ガス液化分離装置１０４を駆動して、洗浄燃焼ガス４９ｂを冷却してガス抽出器５１ａより排出し、その後部の冷熱回収器１０３を駆動して０℃に近い水道水冷熱５２ｅを回収して、−２７３℃に近付く排気燃焼ガス４９により冷却した洗浄燃焼ガス４９ｂを、液化二酸化炭素１０５や液体窒素１０６や特定液化燃焼ガス１０８等として分離回収する技術に関する。
【００１２】
回転出力専用の各種エネルギ保存サイクル合体機関は、独立した縮径主燃焼室兼熱交換器１により、限り無く高圧燃焼熱交換冷却燃焼し、燃焼温度と容積の障害を最低として、用途に合せた燃焼ガス熱量出力＋燃焼ガス質量出力に分離し、燃焼ガス熱量出力を超臨界圧力等の過熱蒸気５０爆発力に変換して、過熱蒸気噴射ノズル６Ａ６Ｂ６Ｉ等の過熱蒸気爆発力と霧吹きの原理により、１以上の水噴射ノズル６Ｅの水を混合噴射加速し、燃焼ガスの６０倍容積等の高温水５２ｂ速度を、超臨界圧力過熱蒸気爆発速度に近付け、はずみ車蒸気タービン８ｂに噴射して、回転出力を発生する技術に関する。
【００１３】
そして回転出力専用の燃焼ガス質量出力では、爆発速度最大×単位容積質量最大の燃焼ガス爆発力に変換し、１００℃前後の高温水５２ｂが膨大で供給熱量全部になるため、過熱蒸気噴射ノズルと略同様の図に無い、燃焼ガス噴射ノズル６Ｃ６Ｄ６Ｊ等の燃焼ガス４９爆発速度と霧吹きの原理により、１以上の水噴射ノズル６Ｅの１００℃前後高温水５２ｂを混合噴射加速して、大気圧重力仕事能力を（燃焼ガスの１０００倍×１０倍容積水質量＝燃焼ガスの１００００倍大気圧重力仕事能力）等とし、はずみ車ガスタービン８ａに噴射して回転出力を発生して、燃焼ガス熱量出力を含めて既存ガスタービンの６００倍仮説出力に増大し、回転出力駆動の各種自動車等の各種陸上輸送移動機器や各種プロペラ飛行機や、各種プロペラ船舶や各種機械機器を駆動する技術に関する。
【００１４】
空気吸引噴射推進出力の各種エネルギ保存サイクル合体機関は、独立した縮径主燃焼室兼熱交換器１により、限り無く高圧燃焼熱交換冷却燃焼し、燃焼温度と容積の障害を最低として、用途に合せた燃焼ガス熱量出力＋燃焼ガス質量出力に分離し、燃焼ガス熱量出力を超臨界圧力過熱蒸気５０爆発力に変換して、夫々の過熱蒸気噴射ノズル６Ａの過熱蒸気爆発力と霧吹きの原理により、夫々１以上の水噴射ノズル６Ｅの水５２ａを混合噴射加速し、はずみ車蒸気タービン８ｂ（又ははずみ車ガスタービン８ａのみ）を駆動して、各種エネルギ保存サイクル合体機関を駆動し、霧吹きの原理１１１ａを駆動して、前方の空気を吸引噴射して噴射推進出力を発生する技術に関する。
【００１５】
そして燃焼ガス質量出力を爆発速度最大×単位容積質量最大の燃焼ガス爆発力に変換し、夫々の燃焼ガス噴射ノズル６Ｃの燃焼ガス爆発力と霧吹きの原理により、夫々１以上の水噴射ノズル６Ｅの水５２ａを混合噴射加速して、はずみ車ガスタービン８ａ（又ははずみ車蒸気タービン８ｂのみ）を駆動し、各種エネルギ保存サイクル合体機関を駆動して、霧吹きの原理１１１ｂを駆動し、前方の空気を吸引噴射して噴射推進出力を発生して、既存ガスタービンの６００倍仮説出力に増大して、空気吸引噴射推進出力駆動の各種空中輸送移動機器や各種噴射推進飛行機や、各種噴射推進超高速船舶や各種水上輸送移動機器を駆動する技術に関する。
【００１６】
水吸引噴射推進出力の各種エネルギ保存サイクル合体機関は、独立した縮径主燃焼室兼熱交換器１により、限り無く高圧燃焼熱交換冷却燃焼して、燃焼温度と容積の障害を最低として、用途に合せた燃焼ガス熱量出力＋燃焼ガス質量出力に分離し、燃焼ガス熱量出力を超臨界圧力等の過熱蒸気５０爆発力に変換して、夫々の過熱蒸気噴射ノズル６Ｂの過熱蒸気爆発力と霧吹きの原理により、夫々１以上の水噴射ノズル６Ｅの水５２ａを混合噴射加速し、はずみ車蒸気タービン８ｂ（又ははずみ車ガスタービン８ａのみ）を駆動して、各種エネルギ保存サイクル合体機関を駆動し、霧吹きの原理１１１ｃを駆動して、前方の水を吸引噴射して噴射推進出力を発生する技術に関する。
【００１７】
そして燃焼ガス質量出力を爆発速度最大×単位容積質量最大の燃焼ガス爆発力に変換し、夫々の燃焼ガス噴射ノズル６Ｄの燃焼ガス爆発力と霧吹きの原理により、夫々１以上の水噴射ノズル６Ｅの水５２ａを混合噴射加速して、はずみ車ガスタービン８ａ（又ははずみ車蒸気タービン８ｂのみ）を駆動し、各種エネルギ保存サイクル合体機関を駆動して、霧吹きの原理１１１ｄを駆動し、前方の水を吸引噴射して噴射推進出力を発生して、既存ガスタービンの６００倍仮説出力に増大して、水吸引噴射推進出力駆動の各種水上輸送移動機器や各種噴射推進船舶等を駆動する技術に関する。
【背景技術】
【００１８】
既存ガソリン機関やディーゼル機関やロータリー機関は、熱を全く利用しない容積利用のため、略断熱膨張排気のため排気温度も５００℃前後と非常に高く、燃焼ガスの単位容積大気圧重力仕事能力が水の１／１０００前後と非常に僅少で、仕事をする能力＝最適速度×大質量の内、速度も質量も利用しない容積利用で、殆ど回転出力を発生しない公害増大・地球温暖化加速のため、性能が燃料電池や風力発電に近付くのです。そこでＣＯ２等の燃焼ガス排気を０や０に近付けた、同一燃料量既存ガソリン機関やガスタービンの６００倍仮説出力や、燃焼の改善・地球温暖化防止・公害の低減が急務となっております。
【００１９】
既存往復機関やガスタービンや蒸気タービン駆動の、各種自動車や各種船舶や各種飛行機や各種機械や各種発電機や各種小型機械等から、京都議定書とは逆に膨大なＣＯ２等の排出増大が、中国等地球人口の大部分を占める途上国で急加速しており、此の儘ではＣＯ２等の排出が５倍前後に爆発的に増大し、地球温暖化も爆発的に加速してバランスが崩壊し、メタンハイドレートの大分解やＣＯ２濃度の急上昇等、予想を遥かに超える現象により、灼熱地球・人類滅亡を招きます。人類は集団自殺の末路に向かって急加速しており、仮説出力を１／６００等に低減した無茶苦茶過ぎる既存往復機関やガスタービンや、火力発電所から排出されるＣＯ２等の燃焼ガス排気を０や０に近付けるため、一刻も早くペットボトルロケット理論を実用化した、地球温暖化防止の行動開始が急がれます。
【００２０】
先行技術が皆無で先の出願として、往復機関の燃焼室を１／７等に縮径した２段燃焼の、縮径主燃焼室兼熱交換器を設けたエネルギ保存サイクル機関があります。
【特許文献１】特願２０００−３３８７２５号、特願２０００−３４７６６３号、特願２００１−１０２９６４号、特願２００１−３３６１３９号、特願２００２−１９６０７号、特願２００２−１１８８７３号、特願２００２−２１６２２９号、特願２００２−２５７４３５号、特願２００２−３０２６５１号、特願２００２−３２６２４５号、特願２００３−１０６０９２号、があります。ところが以上の発明では膨大な都市部の冷熱需要に対応不可のため、先の出願の各種全動翼蒸気ガスタービン合体機関と合体して、各種エネルギ保存サイクル合体機関とし、噴射推進の各種飛行機や各種船舶を可能にして、都市部の膨大な冷熱需要に対応すると共に、仮説出力や仮説発電量の増大を図り、脱フロンにより地球温暖化防止します。
【発明の開示】
【発明が解決しようとする課題】
【００２１】
小学校理科の作用と反作用でも明白なように（同じ容積の燃焼ガスと水を噴射して同じ大きさの反動力を得るためには、水速度の１０００倍の燃焼ガス速度が必要です）即ち既存技術は１００余年発明皆無で、余にも愚か過ぎます。既存ディーゼル機関やガソリン機関は、熱変換も重力慣性力も重力加速度も全く利用しない容積利用のため、「速度（落差）×質量（重力仕事率）＝仕事能力（出力源）」の、最も基本的な思考が完璧に阻止されており、思考を復活することでペットボトルロケット理論を極め、大気圧重力仕事能力を５００００〜１０００００倍水出力に近付け、ＣＯ２等の燃焼ガス排気も、水出力とすることで止めて燃焼ガス溶解水の排水とし、仮説出力や仮説発電量を６００倍等に大幅に増大するのが急務となっております。
【００２２】
そこで限り無く高圧燃焼熱交換冷却燃焼を限り無く継続して、燃焼ガス熱量出力＋燃焼ガス質量出力に分離し、燃焼ガス熱量出力を超臨界圧力等の過熱蒸気爆発力に変換して、超臨界圧力過熱蒸気爆発速度を利用し、大気圧重力仕事能力が燃焼ガスの１０００倍の水質量を、５０〜１００倍容積等ペットボトルロケットより遥かに大増大することで、各種温度の水速度を最適速度に減速して、大気圧重力仕事能力を５００００〜１０００００倍に近付け、全仮説発電量や仮説出力を６００倍等に増大することを目的とします。
【００２３】
限り無い高圧燃焼熱交換冷却燃焼を限り無く継続して、燃焼ガス熱量出力＋燃焼ガス質量出力に分離し、燃焼ガス質量出力の燃焼ガス爆発速度×単位容積質量最大に変換して、燃焼ガス温度と容積の障害を最低とし、更に燃焼ガス爆発速度を水の速度に変換して、大気圧重力仕事能力が燃焼ガスの１０００倍の水質量を、１０倍容積１００００倍容積水質量等に増大し、最適速度に減速して出力を発生して、燃焼ガス熱量出力＋燃焼ガス質量出力を（同一燃料量既存ガスタービンの１０００倍重力仕事率×５０倍質量×１／１００減少率）＋（１０００倍重力仕事率×１０倍質量×１／１００減少率）＝（既存ガスタービンの６００倍仮説発電量乃至出力）に増大することを目的とします。
【００２４】
燃焼ガス熱量出力を発生して排気の過程では、気化熱回収器２ｂにより排気水蒸気を冷却して１００℃に近い凝縮水５２ｆ全部を、限り無く縮径主燃焼室熱交換器２に供給して、超臨界圧力等の過熱蒸気５０爆発力に変換し、熱回収した供給熱量略全部の１００℃に近い水道水温熱５２ｄを、製造原価略０で需要家に供給すると共に、電力消費１／１０を狙う水道水温熱利用の、各種暖房設備機器や各種調理設備機器や各種厨房設備機器や、各種洗濯乾燥機等を製造供給して、既存蒸気タービンが使用熱量全部で海水温度を上昇する現状を逆転し、電気料金を１／１０等に低減することを目的にします。
【００２５】
燃焼ガス質量出力を発生して排気の過程では用途に合せて、燃焼ガス排気温度を−２７３℃に近付け、液化二酸化炭素１０５等の製造では燃焼ガス液化分離装置１０４を設けて、液化二酸化炭素１０５や液体窒素１０６等の製造を可能にします。発電用等では冷熱回収器１０３を設けて、出力発生冷熱回収排気の過程では、燃焼ガスを１００００倍質量等の水５２ａ又は冷水５２ｈに溶解し、燃焼ガス溶解水５２ｇとして、冷熱回収後のＣＯ２等燃焼ガス排気は０乃至０に近付け、０℃に近い水道水冷熱５２ｅを回収して貯蔵しておき、発電の副産物として製造原価略０で需要家に供給すると共に、電力消費１／１０を狙う水道水冷熱５２ｅ利用の、各種冷凍設備機器や各種冷蔵設備機器や各種冷房設備機器を製造供給し、圧縮空気を安価水道水冷熱５２ｅで冷却する脱フロンを含めて、地球温暖化防止することを目的としす。
【００２６】
自動車等の各種回転出力発生は、最も小型簡単大出力とするため、用途に合せた各種エネルギ保存サイクル合体機関の縮径主燃焼室兼熱交換器１として、限り無く高圧燃焼熱交換冷却燃焼し、燃焼ガス熱量出力＋燃焼ガス質量出力に分離します。そして燃焼ガス熱量出力＋燃焼ガス質量出力を、過熱蒸気爆発力＋燃焼ガス爆発力に変換して、過熱蒸気爆発速度及び燃焼ガス爆発速度を夫々水の速度に変換し、夫々はずみ車蒸気タービン８ｂ及びはずみ車ガスタービン８ａを駆動して、燃焼ガスの１０００倍重力仕事率×６０倍容積水質量等で回転出力を発生し、既存ガソリン機関の６００倍仮説回転出力として、各種自動車や各種ヘリコプターや各種プロペラ飛行機や各種プロペラ船舶や、各種機械類等を回転駆動することを目的としす。
【００２７】
ジェット機等の各種空気吸引噴射推進出力の発生は、最も小型簡単大出力とするため、用途に合せた各種エネルギ保存サイクル合体機関の縮径主燃焼室兼熱交換器１として、限り無く高圧燃焼熱交換冷却燃焼し、燃焼ガス熱量出力＋燃焼ガス質量出力に分離します。そして燃焼ガス熱量出力＋燃焼ガス質量出力を、超臨界圧力等の過熱蒸気５０爆発力＋燃焼ガス４９爆発力に変換して、過熱蒸気爆発速度及び燃焼ガス爆発速度を、夫々水の速度に変換し、その一部によりはずみ車タービン８を駆動して、用途に合せたエネルギ保存サイクル圧縮機を駆動し、限り無く高圧燃焼熱交換冷却燃焼して、燃焼ガス熱量出力＋燃焼ガス質量出力に分離して出力を発生することで、桁違いの大出力発生を目的にします。
【００２８】
夫々大部分の燃焼ガス熱量出力＋燃焼ガス質量出力は、夫々過熱蒸気噴射ノズル及び燃焼ガス噴射ノズルの爆発速度と霧吹きの原理により、水５２ａを混合噴射加速して水５２ａ速度を爆発速度に近付け、最適速度の水５２ａを霧吹きの原理１１１ａ及び１１１ｂ、又は１１１ｅ及び１１１ｆより噴射して、燃焼ガスの１０００倍重力仕事率×６０倍容積水質量等で空気を吸引噴射して出力を発生し、既存ガソリン機関の６００倍仮説空気吸引噴射出力として、既存技術の１０倍速度を狙う、各種超音速ジェット機や各種宇宙往還機や各種宇宙往還親飛行機や、各種超高速船舶等を噴射推進駆動することを目的としす。
【００２９】
水を吸引噴射して噴射推進出力の水上輸送移動機器の出力発生は、最も小型簡単大出力とするため、用途に合せた各種エネルギ保存サイクル合体機関の、縮径主燃焼室兼熱交換器１として、限り無く高圧燃焼熱交換冷却燃焼し、燃焼ガス熱量出力＋燃焼ガス質量出力に分離します。そして燃焼ガス熱量出力＋燃焼ガス質量出力を、過熱蒸気爆発力＋燃焼ガス爆発力に変換して、過熱蒸気爆発速度及び燃焼ガス爆発速度を、夫々の過熱蒸気噴射ノズルや燃焼ガス噴射ノズルにより水５２ａの速度に変換し、大気圧単位容積の質量が燃焼ガスの１０００倍の水質量を増大して出力を発生して、桁違いの大出力にすることを目的にします。
【００３０】
水５２ａ速度の一部によりはずみ車タービン８を駆動して、用途に合せたエネルギ保存サイクル圧縮機を駆動し、限り無く高圧燃焼熱交換冷却燃焼して、燃焼ガス熱量出力＋燃焼ガス質量出力に分離し、夫々の水５２ａ速度の大部分を霧吹きの原理１１１ｃ及び１１１ｄ、又は１１１ｇ及び１１１ｈより噴射して、燃焼ガスの１０００倍重力仕事率×６０倍容積水質量等で水吸引噴射出力を発生し、既存ガソリン機関の６００倍仮説水吸引噴射出力として、既存技術の１０倍速度を狙う、各種超高速船舶や各種超高速小型船舶や各種超高速戦艦や、各種高速水上輸送移動機器等を噴射推進駆動することを目的としす。
【課題を解決するための手段】
【００３１】
ペットボトルロケット理論の極限を目指し、大気圧重力仕事能力を５００００〜１０００００倍に近付けます。発電用等の回転出力発生は、例えば（実施例１）（実施例２）熱回収量及び熱利用を最大にする、Ａ型エネルギ保存サイクル合体機関として、通常のガソリン機関やディーゼル機関を空気圧縮機として使用し、Ａ型エネルギ保存サイクル圧縮機として、Ｂ型・Ｃ型・Ｄ型・Ｅ型・Ｆ型・Ｇ型・Ｈ型エネルギ保存サイクル合体機関を、Ｂ型・Ｃ型・Ｄ型・Ｅ型・Ｆ型・Ｇ型・Ｈ型エネルギ保存サイクル圧縮機とし、用途に合せて使用します。
【００３２】
Ａ型エネルギ保存サイクル合体機関を通常の始動装置により始動して、既存の往復機関と同様に吸気弁２８より空気を吸入し、既存の往復機関と同様に空気圧縮しますが、拡径圧縮室１０ａとして使用することで燃焼空間を不用とし、圧縮空気全量を一方向空気流路９より、分離独立した縮径主燃焼室兼熱交換器１に供給し、既存技術燃料噴射弁又は燃料噴射電磁弁７ｃより燃料噴射して、空気と攪拌混合して公知の着火装置１０２により着火燃焼し、限り無く高圧燃焼熱交換冷却燃焼して、燃焼ガス熱量出力＋燃焼ガス質量出力に分離します。
【００３３】
縮径主燃焼室兼熱交換器１の内径を、例えば拡径圧縮室１０ａの１／７に縮径して分離独立し、行程容積が１／４９の縮径主燃焼室兼熱交換器１を限りなく長大として、圧縮行程では逆止弁９７を具備した一方向空気流路９の空気と、燃料噴射電磁弁７ｃの噴射燃料と攪拌混合し、着火装置１０２により着火燃焼して、燃焼ガス攪拌板４９ａで攪拌燃焼し、１圧縮毎に限り無く燃焼圧力を増大して、限り無く高圧燃焼熱交換冷却燃焼し、燃焼ガス熱量出力＋燃焼ガス質量出力に分離して、過熱蒸気噴射ノズル６Ａ＋燃焼ガス噴射ノズル６Ｃにより、過熱蒸気爆発速度＋燃焼ガス爆発速度に変換し、霧吹きの原理により１００℃に近い高温水５２ｂを混合噴射加速して、夫々の爆発速度を高温水５２ｂ速度に変換して最適減速し、高温水５２ｂ容積を燃焼ガスの６０倍等に増大します。
【００３４】
燃焼ガス熱量出力発生増大時に過熱蒸気加減弁２５を開放制御して、適量の過熱蒸気５０を過熱蒸気溜９５ｃに供給して順次増大し、過熱蒸気噴射ノズル６Ａの過熱蒸気爆発力と霧吹きの原理により、１以上の水噴射ノズル６Ｅの１００℃に近い高温水５２ｂを混合噴射加速して、加熱高温手段１０１により加熱高温として高温水５２ｂとの間に気化膜を設けて、摩擦損失を最少とした過熱蒸気噴射ノズル６Ａ内では、高温水５２ｂを火薬爆発機関銃の弾丸や吹雪のように加速し、過熱蒸気爆発速度を高温水５２ｂの速度に変換して最適減速して、大気圧重力仕事能力×水質量＝大気圧重力仕事能力を（燃焼ガスの１０００倍×５０倍容積水質量×減少率？）に増大し、はずみ車蒸気タービン８ｂに垂直噴射して、重力慣性力や重力加速度を最大限活用した回転出力とします。
【００３５】
燃焼ガス質量出力発生増大時に燃焼ガス加減弁２４を開放制御して、適量の燃焼ガス４９を（実施例２）燃焼ガス溜９５ａの１つに供給して順次増大し、燃焼ガス噴射ノズル６Ｃ又は６Ｄの燃焼ガス爆発力と霧吹きの原理により、１以上の冷水噴射ノズル６Ｇの水５２ａ又は冷水５２ｈを、用途に合せて水溜９５ｂに供給して混合噴射加速して、加熱高温手段１０１により加熱高温として又は撥水鍍金３ａとし、水５２ａ又は冷水５２ｈとの間に気化膜又は撥水作用を設けて、摩擦損失を最少とします。
【００３６】
摩擦損失を最少とした燃焼ガス噴射ノズル６Ｃ内では、水５２ａを火薬爆発機関銃の弾丸や吹雪のように加速し、燃焼ガス爆発速度を水５２ａの速度に変換して最適減速して、大気圧重力仕事能力×質量を（燃焼ガスの１０００倍×１０倍容積水質量×減少率？）に増大して、はずみ車ガスタービン８ａに垂直噴射し、重力慣性力や重力加速度を最大限活用した回転出力とし、全仮説回転出力を（同一燃料量既存ガスタービンの１０００倍重力仕事率×５０倍質量×１／１００減少率）＋（１０００倍重力仕事率×１０倍容積水質量×１／１００減少率）＝（既存ガスタービンの６００倍仮説発電量乃至出力）に増大します。
【００３７】
発電出力や回転出力を発生して排気の過程では、燃焼ガス熱量出力の排気と燃焼ガス質量出力の排気を分離して、燃焼ガス熱量出力のはずみ車蒸気タービン８ｂ排気は、隔壁９０ａを設けて１００℃に近い高温水５２ｂ側と凝縮水５２ｆ側に分割し、凝縮水５２ｆ側に気化熱回収器２ｂと空気抽出器５１を具備して、水蒸気を真空吸引して気化熱回収器２ｂの水道水で熱回収して、１００℃に近い水道水温熱５２ｄを回収利用します。
【００３８】
気化熱回収器２ｂを駆動して水道水温熱５２ｄを回収し、１００℃に近い凝縮水５２ｆを縮径主燃焼室熱交換器２に循環供給して、１００℃に近い高温水５２ｂを過熱蒸気噴射ノズル６Ａの水溜９５ｂに循環供給します。高温水５２ｂ温度や凝縮水５２ｆ温度や水道水温熱温度を、大気圧まで使用して夫々１００℃に近付けて、供給熱量を気化熱の最低に近付け、供給熱量全部で海水温度を上昇して環境破壊している、既存技術蒸気タービンの現状を逆転し、供給熱量全部を発電の副産物の１００℃に近い水道水温熱５２ｄとして、製造原価略０で需要家に供給すると共に、１００℃に近い水道水温熱５２ｄを利用して電力消費１／１０を狙う、業務用や家庭用の各種暖房設備機器や各種調理設備機器や各種厨房設備機器や、各種洗濯乾燥機等を製造供給します。
【００３９】
（実施例２）燃焼ガス噴射ノズル６Ｃ又は６Ｄの燃焼ガス溜９５ａの、燃焼ガス４９質量出力の、はずみ車ガスタービン８ａ排気温度は、ガス抽出器５１ａによる真空の上昇を含め用途に合せて−２７３℃に近付け、水道水で冷熱回収する冷熱回収器１０３を具備して、燃焼ガス質量全部から０℃以上の水道水冷熱５２ｅを回収する過程で、０℃に近い水道水冷熱５２ｅの一部を水５２ａに換えて、用途に合わせて冷水５２ｈとして、燃焼ガス噴射ノズル６Ｃに換えて６Ｄの水溜９５ｂに供給し、水道水冷熱５２ｅを増大します。０℃に近い水道水冷熱５２ｅを発電の副産物として、製造原価略０で需要家に供給すると共に、０℃に近い水道水冷熱５２ｅにより圧縮空気や空気を冷却して利用し、電力消費１／１０を狙う脱フロンの、業務用や家庭用の各種冷凍設備機器や各種冷蔵設備機器や各種冷房設備機器等を製造供給します。
【００４０】
（実施例３）燃焼ガス噴射ノズル６Ｄの燃焼ガス溜９５ａの、燃焼ガス４９質量出力の、はずみ車ガスタービン８ａの排気温度は、ガス抽出器５１ａによる真空の上昇を含めて−２７３℃に近付け、液化二酸化炭素１０５や液体窒素１０６や特定液化燃焼ガス１０８を回収する、燃焼ガス液化分離装置１０４を排気部に具備して、水道水冷熱５２ｅにより洗浄冷却した、洗浄燃焼ガス４９ｂを供給冷却して、液化二酸化炭素１０５や液体窒素１０６や特定液化燃焼ガス１０８を回収します。
【００４１】
排気燃焼ガス４９の内不用液化燃焼ガス１０７はポンプにより昇圧して、不用燃焼ガス噴射ノズル６Ｆの不用燃焼ガス溜９５ｄに供給し、排気燃焼ガスはガス抽出器５１ａにより冷熱回収器１０３ａを駆動して、大量の水５２ａに溶解して燃焼ガス溶解水５２ｇとし、０℃以上の水道水冷熱５２ｅを回収して発電の副産物として、製造原価略０で需要家に供給すると共に、０℃に近い水道水冷熱５２ｅにより圧縮空気や空気を冷却利用し、電力消費１／１０を狙う脱フロンの、業務用や家庭用の各種冷凍設備機器や各種冷蔵設備機器や各種冷房設備機器等を製造供給します。
【００４２】
（実施例２）燃焼ガス４９質量出力発生排気の過程で、燃焼ガス４９を１００００倍質量等の水５２ａに溶解して、燃焼ガス溶解水５２ｇとしてＣＯ２等の燃焼ガス排気を０や０に近付け、冷熱回収器１０３により水道水冷熱５２ｅを回収して、冷熱回収後は燃焼ガス溶解水５２ｇを増大して燃焼ガス排気０を狙い、燃焼ガス溶解水５２ｇを泥土や植物片や残飯等に固定して肥料にし、農作物の増産を図ると共に、膨大過ぎる燃焼ガス溶解水５２ｇ冷熱は海水を冷却する過程で、霧吹きの原理により酸素等の空気も吸引して海水等に供給して、ＣＯ２等を必要として分解合成吸収等する、プランクトン等の微生物や海藻類を先ず増殖し、魚介類や海草類等の食料増産等を図り、既存技術蒸気タービンを逆転して海水を冷却します。
【００４３】
自動車やプロペラ飛行機やプロペラ船舶等の各種回転出力発生は、発電用の回転出力発生と同様にして回転出力を発生して、同一燃料量既存ガソリン機関の６００倍仮説回転出力とし、最も軽量化が進んだ既存往復機関を、Ｅ型・Ｆ型・Ｇ型エネルギ保存サイクル圧縮機２０Ｅ・２０Ｆ・２０Ｇ等として、更に軽量大出力簡単な空気圧縮機として使用し、Ｄ型・Ｈ型エネルギ保存サイクル圧縮機２０Ｄ・２０Ｈ等として、小型軽量大出力簡単な用途に対応し、Ｂ型・Ｃ型エネルギ保存サイクル圧縮機２０Ｂ・２０Ｃ等として、最も簡単に高圧の圧縮空気を得る用途に対応します。
【００４４】
過熱蒸気爆発速度を水速度に変換して使用することで、超臨界圧力過熱蒸気圧力の限り無い上昇と、噴射水質量の限り無い増大を可能にして、はずみ車タービンを燃焼ガスの１０００倍重力仕事率×６０倍容積水質量等で駆動し、極限まで小型簡単軽量大出力とします。そして排気の過程では副産物の温熱や冷熱が膨大過ぎるため、適宜に工夫して冷暖房を行ひ、燃焼ガス質量の１００００倍容積水質量等にＣＯ２等燃焼ガスの溶解となるため、ＣＯ２等燃焼ガス排気を０や０に近付けて公害低減・地球温暖化防止する、各種自動車や各種プロペラ飛行機や各種プロペラ船舶や、各種回転力駆動の機械機器類等とします。
【００４５】
ジェット機や超高速船舶等各種空気吸引噴射出力発生は、燃焼ガス熱量出力＋燃焼ガス質量出力に分離し、過熱蒸気爆発力＋燃焼ガス爆発力に変換して、その一部によりはずみ車タービン８を駆動し、用途に合せたエネルギ保存サイクル合体機関を駆動して、燃焼ガス熱量出力＋燃焼ガス質量出力に分離し、過熱蒸気爆発力＋燃焼ガス爆発力に変換して、その一部を過熱蒸気噴射ノズル６Ａ又は６Ｂ及び燃焼ガス噴射ノズル６Ｃ又は６Ｄにより、夫々水５２ａの速度に変換して垂直噴射し、重力加速度等により水５２ａ速度を増大して、はずみ車タービン８を駆動します。
【００４６】
大部分の過熱蒸気爆発速度及び燃焼ガス爆発速度を、過熱蒸気噴射ノズル６Ａ又は６Ｂ及び燃焼ガス噴射ノズル６Ｃ又は６Ｄにより、夫々水５２ａの速度に変換し、霧吹きの原理１１１ａ及び１１１ｂ、又は１１１ｅ及び１１１ｆより噴射して（燃焼ガスの１０００倍大気圧重力仕事能力×６０倍容積水質量×減少率？等）で空気を吸引して噴射推進出力を発生し、既存ガソリン機関の６００倍仮説空気吸引噴射推進出力として、既存技術の１０倍速度を狙う、各種超音速ジェット機や各種宇宙往還機や各種宇宙往還親飛行機や、各種超高速船舶等を空気吸引噴射して噴射推進駆動します。
【００４７】
各種高速船舶や各種高速小型船舶等の、水を吸引噴射して噴射推進出力の水上輸送移動機器の出力発生は、燃焼ガス熱量出力＋燃焼ガス質量出力に分離し、過熱蒸気爆発力＋燃焼ガス爆発力に変換して、その一部を過熱蒸気噴射ノズル６Ａ又は６Ｂ及び燃焼ガス噴射ノズル６Ｃ又は６Ｄにより、夫々水５２ａの速度に変換して垂直噴射し、重力加速度等により水５２ａ速度を増大して、はずみ車タービン８を駆動し、用途に合せたエネルギ保存サイクル合体機関を駆動します。
【００４８】
大部分の過熱蒸気爆発速度及び燃焼ガス爆発速度を、過熱蒸気噴射ノズル６Ａ又は６Ｂ及び燃焼ガス噴射ノズル６Ｃ又は６Ｄにより、夫々水の速度に変換し、夫々大部分を霧吹きの原理１１１ｃ及び１１１ｄ、又は１１１ｇ及び１１１ｈより噴射して、燃焼ガスの１０００倍重力仕事率×６０倍容積水質量等で水を吸引して噴射推進出力を発生し、既存ガソリン機関の６００倍仮説水吸引噴射推進出力として、既存技術の１０倍速度を狙う、各種高速船舶や各種高速小型船舶や各種高速軍艦や、各種高速水上輸送移動機器等を噴射推進駆動します。
【発明の効果】
【００４９】
過熱蒸気爆発速度を水速度に変換して使用することで、超臨界圧力過熱蒸気圧力の限り無い上昇と、噴射水質量の限り無い増大を可能にして、既存ガソリン機関の６００倍仮説発電量乃至出力にする大きな効果があります。
【００５０】
最適速度×大質量＝仕事能力が大のうち、過熱蒸気爆発速度や燃焼ガス爆発速度は大きい程大量の最適速度水質量に変換可能なため、大気圧燃焼ガスの１０００倍重力仕事率×６０倍容積水質量等に変換して、既存ガソリン機関の６００倍仮説発電量乃至出力にする大きな効果があります。
【００５１】
大気圧燃焼ガスの１０００倍重力仕事率×６０倍容積水質量等に変換して、回転出力を発生させるため、回転出力の増大が最高に良くなる効果があります。
【００５２】
大気圧燃焼ガスの１０００倍重力仕事率×６０倍容積水質量等に変換して、空気吸引噴射出力を発生させるため、空気吸引噴射出力の増大が最高に良くなる効果があります。
【００５３】
大気圧燃焼ガスの１０００倍重力仕事率×６０倍容積水質量等に変換して、水吸引噴射出力を発生させるため、水吸引噴射出力の増大が最高に良くなる効果があります。
【００５４】
既存往復機関の燃焼室を拡径圧縮室として、既存往復機関を空気圧縮機として使用するため、小型軽量として出力を増大出来る大きな効果がある。
【００５５】
燃料の６０倍質量等の高圧水蒸気や水を常時積載して、何時でも噴射して火災消火が可能に加えて、燃料切れ時にも短時間高速蒸気機関として使用可能なため、非常に安全な飛行機や飛行物体等に出来る効果がある。
【００５６】
大気圧燃焼ガスの１０００倍重力仕事率×６０倍容積水質量等に変換して、はずみ車タービン８を駆動して回転出力を発生させるため、各種エネルギ保存サイクル合体機関の出力を大幅に上昇する効果があります。
【００５７】
大気圧燃焼ガスの１０００倍重力仕事率×６０倍容積水質量等に変換して、はずみ車タービン８を駆動して回転出力を発生させるため、各種大中小型船舶・各種大中小型プロペラ飛行機・各種大中小型車両・各種大中小型機械・各種大中小型自動車・各種大中小型汎用機関・大中小型水道水温熱と電気と水道水冷熱の併給用機関を駆動し、大中小型の各種エネルギ保存サイクル合体機関の性能を向上する効果があります。
【００５８】
大気圧燃焼ガスの１０００倍重力仕事率×６０倍容積水質量等に変換して、はずみ車タービン８を駆動して回転出力や噴射推進出力を発生させるため、各種大中小型高速船舶・各種大中小型ジェット機・各種宇宙往還機・各種大中小型超音速ジェット機・各種大中小型超高速船舶・各種大中小型空中輸送移動機器を駆動し、大中小型の各種エネルギ保存サイクル合体機関の性能を向上する効果があります。
【００５９】
大気圧燃焼ガスの１０００倍重力仕事率×６０倍容積水質量等に変換して、はずみ車タービン８を駆動して回転出力や噴射推進出力を発生させるため、重油や軽油やガソリンや天然ガスやメタノールや水素やプロパンやアルコール等各種燃料の、燃焼制御や保守が安全容易になる効果がある。
【発明を実施するための最良の形態】
【００６０】
発明の実施の形態や実施例を、図面参照して説明するが、実施形態や実施例と既説明と、その構成が略同じ部分には、同一の名称又は符号を付して、重複説明はできるだけ省略し、特徴的な部分や説明不足部分は、順次追加重複説明する。又発明の意図する所及び予想を具体的に明快に説明するため、アイディアを仮説数字で説明するが、正解は実験数字として仮説数字に限定しません。最良と思われる実施例で説明しますが、用途により千変万化する部分がありますので、請求項では多用途を考えて変化します。過熱蒸気爆発速度を水速度に変換して使用することで、超臨界圧力過熱蒸気圧力の限り無い上昇と、噴射水質量の限り無い増大を可能にして、各種中核技術として各種出力を発生します。
【実施例１】
【００６１】
概略を最適速度×大質量＝仕事能力最大と考え、既存ガソリン機関やディーゼル機関の燃焼室を、圧縮専用の拡径圧縮室１０ａとして、限り無い高圧圧縮を容易にし、既存排気弁に換えて逆止弁９７や一方向空気流路９や、縮径主燃焼室兼熱交換器１を独立して設け、限り無く高圧燃焼熱交換冷却長時間燃焼して、燃焼ガス熱量＋燃焼ガス質量に分離し、用途に合せて熱回収量を最大にして、燃焼ガス４９質量の排気温度を用途に合せて−２７３℃に近付けます。（実施例１）（実施例２）熱回収量及び熱利用を最大にする、各種エネルギ保存サイクル合体機関の内、Ａ型エネルギ保存サイクル合体機関とし、既存ガソリン機関やディーゼル機関の全部を、Ａ型エネルギ保存サイクル圧縮機として使用します。
【００６２】
通常の始動装置により始動して、既存の往復機関と同様に吸気弁２８より空気を吸入して空気圧縮しますが、燃焼室として使用すると燃焼時間が限定短縮されるため、拡径圧縮室１０ａとして使用することで燃焼空間を不用として、圧縮空気全量を一方向空気流路９や縮径主燃焼室兼熱交換器１に供給し、限り無く高圧燃焼熱交換冷却長時間燃焼にして、熱回収量を既存ボイラの２倍前後に増大し、超臨界圧力等限りなく高圧の過熱蒸気５０爆発力に変換して、過熱蒸気５０爆発速度を１００℃に近い高温水５２ｂの速度に変換することで、高温水５２ｂ噴射量を増大し、大気圧重力仕事能力を水蒸気の１７００倍に増大して、はずみ車蒸気タービン８ｂの接線方向＋垂直方向に噴射し、重力慣性力や重力加速度を＋した（大気圧重力仕事能力燃焼ガスの１０００倍×５０倍容積水質量×減少率？）のはずみ車蒸気タービン８ｂの回転出力にします。
【００６３】
回転出力や噴射推進出力の発生は先ず、縮径主燃焼室兼熱交換器１を独立させて、例えばその内径を拡径圧縮室１０ａの１／７に縮径し、行程容積が１／４９の縮径主燃焼室兼熱交換器１を限りなく長大として、圧縮行程では１以上の逆止弁９７を具備した一方向空気流路９の空気と、燃料噴射電磁弁７ｃ又は公知の燃料噴射弁の噴射燃料と攪拌混合し、ＮＯｘ低減燃焼では、燃料蒸気噴射電磁弁７又は燃料水噴射電磁弁７Ｄの噴射燃料と攪拌混合します。
【００６４】
そして公知の着火装置１０２により着火燃焼して、燃焼ガス攪拌板４９ａで一方向燃焼流を攪拌して燃焼し、限り無く高圧燃焼熱交換冷却燃焼時間を延長して、燃焼温度と容積の障害を最低にし、１圧縮毎に限り無く燃焼圧力を増大して、超臨界圧力等の燃焼ガス熱量出力＋燃焼ガス質量出力に分離し、超臨界圧力過熱蒸気５０爆発速度＋燃焼ガス４９爆発速度に変換して、燃焼ガス熱量出力を圧縮空気保有熱量−２７３℃以上略全部を含めて、既存ボイラの２倍前後の回収熱量に増大し、燃焼ガス質量出力は最大圧縮圧力爆発力×単位容積質量最大で使用して、排気温度を−２７３℃に近付けます。
【００６５】
燃焼ガス熱量出力発生増大時に過熱蒸気加減弁２５を開放制御して、適量の過熱蒸気５０を過熱蒸気溜９５ｃに供給して順次増大し、過熱蒸気噴射ノズル６Ａの過熱蒸気爆発速度と霧吹きの原理により、１以上の水噴射ノズル６Ｅの高温水５２ｂを混合噴射加速して、加熱高温手段１０１により加熱高温として高温水５２ｂとの間に気化膜を設けて、摩擦損失を最少とした１以上の過熱蒸気噴射ノズル６Ａ内では、高温水５２ｂを火薬爆発機関銃の弾丸や吹雪のように加速します。
【００６６】
過熱蒸気噴射ノズル６Ａと霧吹きの原理により、超臨界圧力等の過熱蒸気５０爆発速度を、高温水５２ｂの速度に変換して最適減速し、大気圧重力仕事能力×質量＝仕事能力を、燃焼ガスの１０００倍×５０倍容積水質量に増大して、仕事能力を燃焼ガスの５００００倍に近付け、電磁加熱乃至電気抵抗加熱高温として気化膜を設けて摩擦損失を低減し、又は撥水鍍金により摩擦損失を低減した、はずみ車蒸気タービン８ｂに接線方向噴射乃至垂直方向噴射し、はずみ車蒸気タービン８ｂを回転駆動して、クランク軸１６を直接駆動又は減速駆動し、拡径ピストン２１を往復させて空気を吸入圧縮して、逆止弁９７及び一方向空気流路９を介し、縮径主燃焼室兼熱交換器１に空気を供給して、燃料と攪拌混合して着火燃焼駆動します。
【００６７】
複数を含むはずみ車蒸気タービン８ｂに垂直方向又は接線方向に複数を含めて噴射し、用途に合せて重力慣性力や重力加速度を最大限活用した回転出力とし、発電用等の回転出力発生では、排気の過程に蒸気排気室５ａや排気庇５ｂを具備して、隔壁９０ａで高温水５２ｂ側と凝縮水５２ｆ側に分離し、凝縮水側に空気抽出器５１を設けて気化熱回収器２ｂを駆動して、１００℃に近い凝縮水５２ｆを、縮径主燃焼室熱交換器２に限り無く循環供給し、超臨界圧力等の過熱蒸気５０に変換します。
【実施例２】
【００６８】
（実施例１・２）１００℃に近い高温水５２ｂを水噴射ノズル６Ｅに限り無く循環供給して、供給熱量略全部の膨大な気化熱を、１００℃に近い水道水温熱５２ｄに変換して回収し、発電の副産物等として製造原価略０で需要家に供給すると共に、水道水温熱５２ｄを利用して電力消費１／１０を狙う、業務用や家庭用の各種暖房設備機器や各種調理設備機器や各種厨房設備機器や、各種洗濯乾燥機等を製造供給して、電気料金１／１０を狙います。用途により水道水温熱５２ｄを１００℃に近い高温水５２ｂに変換して、燃焼ガス噴射ノズル６Ｃの水５２ａや６Ｄの冷水５２ｈに換えて、膨大過ぎる高温水５２ｂを使用し、はずみ車ガスタービンや霧吹きの原理１１１ｂ・１１１ｄ・１１１ｆ・１１１ｈを駆動します。
【００６９】
（実施例１・２）燃焼ガス質量出力発生増大時に燃焼ガス加減弁２４を開放制御して、適量の燃焼ガス４９を燃焼ガス溜９５ａの１つに供給して順次増大し、燃焼ガス噴射ノズル６Ｃの燃焼ガス爆発速度と霧吹きの原理により、１以上の水噴射ノズル６Ｅの水５２ａを混合噴射加速して、加熱高温手段１０１により加熱高温として水５２ａとの間に気化膜を設けて、摩擦損失を最少とした１以上の燃焼ガス噴射ノズル６Ｃ内では、水５２ａを火薬爆発機関銃の弾丸や吹雪のように加速し、燃焼ガス爆発速度を水５２ａの速度に変換して最適減速して（大気圧重力仕事能力×質量＝燃焼ガスの１０００倍×１０倍容積水質量×減少率？）に増大して、仕事能力を１００００倍に近付けます。
【００７０】
電磁加熱乃至電気抵抗加熱高温として気化膜を設けて摩擦損失を低減し、又は撥水鍍金により摩擦損失を低減した、複数を含むはずみ車ガスタービン８ａに垂直方向又は接線方向に複数を含めて噴射し、用途に合せて重力慣性力や重力加速度を最大限活用した回転出力として、燃焼ガス熱量出力＋燃焼ガス質量出力＝全仮説回転出力を（同一燃料量既存ガスタービンの１０００倍大気圧重力仕事能力×５０倍容積水質量×１／１００減少率）＋（１０００倍大気圧重力仕事能力×１０倍容積水質量×１／１００減少率）＝（既存ガスタービンの６００倍仮説発電量乃至回転出力）に増大します。
【００７１】
発電出力を発生して排気の過程では、燃焼ガス熱量出力の排気と燃焼ガス質量出力の排気を分離して、燃焼ガス質量出力の（図２の６Ｃ又は６Ｄ）は、用途に合せて６Ｃ・６Ｃ又は６Ｄ・６Ｄとして使用し、はずみ車ガスタービン８ａの排気温度は、空気抽出器５１又はガス抽出器５１ａによる真空の上昇を含めて−２７３℃に近付け、水道水で冷熱回収する冷熱回収器１０３・１０３を具備して、−２７３℃に近付く燃焼ガス４９質量排気略全部から、０℃以上の水道水冷熱５２ｅや冷水５２ｈを回収します。
【００７２】
外部の冷熱回収器１０３を、空気抽出器５１又はガス抽出器５１ａの燃焼ガス４９と燃焼ガス溶解水５２ｇで冷却し、熱交換して得た水道水冷熱５２ｅの温度を、水道水流量制御して０℃以上の水道水冷熱５２ｅとして、内部の冷熱回収器１０３も、水道水冷熱５２ｅを凍結前の０℃近くで流量制御温度制御し、その一部を冷水５２ｈとして燃焼ガス噴射ノズル６Ｄ・６Ｄの水溜９５ｂに供給して、燃焼ガス噴射ノズル６Ｄと霧吹きの原理により、少量の冷水５２ｈを高速噴射してはずみ車ガスタービンを駆動し、水道水冷熱５２ｅの増大を図ります。
【００７３】
発電の場合、寒冷地や冬場等水道水冷熱５２ｅ需要が０や僅少の場合や、供給熱量全部が１００℃に近い水道水温熱５２ｄや高温水５２ｂになるため、用途により燃焼ガス噴射ノズル６Ｃ・６Ｃの水溜９５ｂに、水５２ａや高温水５２ｂを供給して、燃焼ガス噴射ノズル６Ｃと霧吹きの原理により、大量の水５２ａ又は高温水５２ｂを低速大量噴射し、仕事能力を増大してはずみ車ガスタービンを駆動して、回転出力の増大を図ります。何れの場合も水道水冷熱５２ｅを発電の副産物として、製造原価略０で需要家に供給すると共に、０℃に近い水道水冷熱５２ｅにより圧縮空気や空気を冷却して利用し、電力消費１／１０を狙う脱フロンの、業務用や家庭用の各種冷凍設備機器や各種冷蔵設備機器や各種冷房設備機器等を製造供給します。
【００７４】
燃焼ガス質量出力発生の過程で、燃焼ガス４９を１００００倍質量等の水に溶解して燃焼ガス溶解水５２ｇとし、ＣＯ２等の燃焼ガス排気を０や０に近付け、冷熱回収器１０３による冷熱回収後は、燃焼ガス溶解水５２ｇを泥土や植物片や残飯等に固定して肥料にして、農作物の増産を図ると共に、膨大過ぎる燃焼ガス溶解水５２ｇ冷熱は海水を冷却する過程で、霧吹きの原理により酸素や窒素等の空気も吸引して海水等に供給し、ＣＯ２等を必要として分解合成吸収等する、プランクトン等の微生物や海藻類を先ず増殖し、魚介類や海草類等の食料増産等を図ります。
【００７５】
自動車やプロペラ飛行機やプロペラ船舶等の各種回転出力発生は、図１図２の発電用回転出力発生と同様にして回転出力を発生して、同一燃料量既存ガソリン機関の６００倍仮説回転出力とし、最も軽量化が進んだ既存往復機関を空気圧縮機として使用して、はずみ車タービンを燃焼ガスの１０００倍重力仕事率×６０倍容積水質量で駆動し、極限まで小型簡単軽量大出力とします。そして排気の過程では副産物の温熱や冷熱が膨大で冷暖房容易に加えて、燃焼ガス４９質量の１００００倍容積水質量等にＣＯ２等を溶解する、燃焼ガス溶解水５２ｄとし、ＣＯ２等燃焼ガス排気を０や０に近付けて、公害低減・地球温暖化防止し、各種自動車や各種プロペラ飛行機や各種プロペラ船舶や、各種回転力駆動の機械機器類等を回転駆動します。
【実施例３】
【００７６】
（図３の６Ｄ）液化二酸化炭素１０５や液体窒素１０６等を製造供給の場合は、燃焼ガス４９質量出力の排気を、水道水冷熱５２ｅで洗浄して不用冷却燃焼ガス１０７ａ又は、不用液化燃焼ガス１０７で冷却した高圧燃焼ガス４９ｂと、不用冷却燃焼ガス１０７ａ又は、不用液化燃焼ガス１０７で冷却した高圧燃焼ガス４９に２分して、不用冷却燃焼ガス１０７ａで冷却した高圧燃焼ガス４９を、燃焼ガス噴射ノズル６Ｄの燃焼ガス溜９５ａに供給し、水道水冷熱５２ｅで洗浄して不用冷却燃焼ガス１０７ａで冷却した高圧燃焼ガス４９ｂを、ガス排気室５ｃの燃焼ガス液化分離装置１０４に供給して、−２７３℃に近付く排気燃焼ガス４９で冷却して液化分離します。
【００７７】
回収不用の不用液化燃焼ガス１０７を、燃焼ガス噴射ノズル６Ｄの１以上の不用燃焼ガス噴射ノズル６Ｆに供給し、燃焼ガス噴射ノズル６Ｄの燃焼ガス４９爆発力と霧吹きの原理により、不用液化燃焼ガス１０７を混合噴射加速して、はずみ車ガスタービン８ａを回転駆動する過程で、不用液化燃焼ガス１０７を限り無く増大噴射増大し、燃焼ガス噴射ノズル６Ｄ内では、不用液化燃焼ガス１０７を火薬爆発機関銃の弾丸や吹雪のように加速して、高圧燃焼ガス４９の爆発速度に近付け、重力仕事率を燃焼ガスの１０００倍に近付けて、はずみ車ガスタービン８ａを回転駆動します。
【００７８】
はずみ車ガスタービン８ａの排気温度は、ガス抽出器５１ａによる真空の上昇を含めて−２７３℃に近付け、液化二酸化炭素１０５や液体窒素１０６や特定液化燃焼ガス１０８を回収する、燃焼ガス液化分離装置１０４を具備して、水道水冷熱５２ｅで洗浄して冷熱回収器１０３ａの、不用冷却燃焼ガス１０７ａで冷却した高圧燃焼ガス４９ｂを、ガス排気室５ｃの燃焼ガス液化分離装置１０４に供給し、−２７３℃に近付く排気燃焼ガス４９で冷却して、液化二酸化炭素１０５や液体窒素１０６や、特定液化燃焼ガス１０８を回収します。
【００７９】
排気燃焼ガス４９の不用液化燃焼ガス１０７や、燃焼ガス液化分離装置１０４の不用液化燃焼ガス１０７はポンプにより昇圧して、不用燃焼ガス溜９５ｄの不用燃焼ガス噴射ノズル６Ｆに循環供給し、燃焼ガス噴射ノズル６Ｄの燃焼ガス４９爆発力と霧吹きの原理により、不用液化燃焼ガス１０７を混合噴射加速して、はずみ車ガスタービン８ａの回転出力発生の過程で、不用液化燃焼ガス１０７を限り無く増大して、はずみ車ガスタービン８ａの回転出力を増大し、余りの不用液化燃焼ガス１０７を冷熱回収器１０３ａの、不用冷却燃焼ガス１０７ａに合流します。
【００８０】
燃焼ガス液化分離装置１０４やガス抽出器５１ａにより抽出した、不用冷却燃焼ガス１０７ａは、冷熱回収器１０３ａで、先ず高圧燃焼ガス４９・４９ｂの熱交換冷却に使用して、低温高圧燃焼ガス４９を燃焼ガス噴射ノズル６Ｄの燃焼ガス溜９５ａに供給し、低温高圧洗浄燃焼ガス４９ｂを燃焼ガス液化分離装置１０４に供給して、液化二酸化炭素１０５や液体窒素１０６や、特定液化燃焼ガス１０８を回収し、残りの不用冷却燃焼ガス１０７ａで水道水冷熱５２ｅを回収して、燃焼ガス溶解水５２ｇに移行します。
【００８１】
不用冷却燃焼ガス１０７ａは外部の冷熱回収器１０３ａで熱交換後、水道水冷熱５２ｅを回収して燃焼ガス溶解水５２ｇに移行の過程で、不用冷却燃焼ガス１０７ａを水道水の中に噴射して大量の水道水に溶解して、水道水５２ｃを燃焼ガス溶解水５２ｇに移行し、燃焼ガス溶解水５２ｇとして各種用途に使用し、ＣＯ２等の排気燃焼ガスを０とします。熱交換水道水冷熱５２ｅを回収の過程では、流量温度制御して０℃以上の水道水冷熱５２ｅを回収して、発電の副産物として製造原価略０で需要家に供給すると共に、０℃に近い水道水冷熱５２ｅにより圧縮空気や空気を冷却して利用し、電力消費１／１０を狙う脱フロンの、業務用や家庭用の各種冷凍設備機器や各種冷蔵設備機器や、各種冷房設備機器や各種冷却設備機器等を製造供給します。
【実施例４】
【００８２】
（図４）ジェット機や超高速船舶等各種空気吸引噴射出力発生は、Ａ型等各種エネルギ保存サイクル合体機関の、縮径主燃焼室兼熱交換器１により限り無く高圧燃焼熱交換冷却長時間燃焼して、燃焼ガス熱量出力＋燃焼ガス質量出力に分割し、超臨界圧力等の過熱蒸気爆発力＋燃焼ガス爆発力に変換して、その一部により前記同様にはずみ車タービン８を駆動し、用途に合せたエネルギ保存サイクル合体機関のクランク軸１６を、直接又は減速して回転して、大部分の超臨界圧力等の過熱蒸気爆発力＋燃焼ガス爆発力により、霧吹きの原理１１１ａ・１１１ｂを駆動します。
【００８３】
そしてペットボトルロケットのように、大気圧重力仕事能力を燃焼ガスの１０００倍の水出力とし、大部分の過熱蒸気爆発速度を利用する、過熱蒸気噴射ノズル６Ａの過熱蒸気爆発速度と霧吹きの原理により、１以上の水噴射ノズル６Ｅの水５２ａを混合噴射加速して、大気圧重力仕事能力×質量×１／１００速度を（燃焼ガスの１０００倍×５０倍容積水質量×１／１００減少率）とし、仕事能力を５００００倍に近付け、霧吹きの原理１１１ａより垂直方向から順次進行方向下流に噴射して、前方の空気を吸引して最大の慣性力や重力加速度で噴射推進出力を発生します。
【００８４】
そして大部分の燃焼ガス爆発速度を利用する、燃焼ガス噴射ノズル６Ｃの燃焼ガス爆発速度と霧吹きの原理により、１以上の水噴射ノズル６Ｅの水５２ａを混合噴射加速して、燃焼ガス爆発速度を水５２ａ速度に変換して最適減速し、仮説噴射推進出力を（燃焼ガスの１０００倍×１０倍容積水質量×１／１００減少率）として、仕事能力を１００００倍に近付け、霧吹きの原理１１１ｂより垂直方向から順次進行方向下流に噴射し（燃焼ガス熱量出力＋燃焼ガス質量出力＝既存ガスタービンの６００倍仮説噴射推進出力）等に増大して、前方の空気を吸引して最大の慣性力や重力加速度で噴射推進出力を発生します。
【００８５】
噴射推進出力を発生の過程では、過熱蒸気噴射ノズル６Ａを含む霧吹きの原理１１１ａに筒形外箱７７ｂを重複して設けて、１以上の霧吹きの原理１１１ａや１１１ｂを収納し、９０°以上回転可能に既存技術で飛行機等に１以上設けて、重力慣性力や重力加速度を最大限利用可能に、垂直方向から順次進行方向下流に噴射し、飛行機等を垂直上昇垂直降下可能にします。そして（燃焼ガスの１０００倍重力仕事率×６０倍容積水質量×１／１００減少率）等で空気を吸引して噴射推進出力を発生し、既存ガスタービンの６００倍仮説空気吸引噴射推進出力として、既存技術の１０倍速度を狙う、各種超音速ジェット機や各種ジェット機や各種宇宙往還機や各種宇宙往還親飛行機や、各種超高速船舶や各種空中輸送移動機器等を、空気吸引噴射して噴射推進駆動します。
【実施例５】
【００８６】
（図５）ジェット機や超高速船舶等各種空気吸引噴射出力発生は、Ａ型等各種エネルギ保存サイクル合体機関の、縮径主燃焼室兼熱交換器１により限り無く高圧燃焼熱交換冷却長時間燃焼して、燃焼ガス熱量出力＋燃焼ガス質量出力に分割し、超臨界圧力等の過熱蒸気爆発力＋燃焼ガス爆発力に変換して、その一部により前記同様にはずみ車タービン８を駆動し、用途に合せたエネルギ保存サイクル合体機関のクランク軸１６を、直接又は減速して回転して、大部分の超臨界圧力等の過熱蒸気爆発力＋燃焼ガス爆発力により、霧吹きの原理１１１ｅ・１１１ｆを駆動します。
【００８７】
そしてペットボトルロケットのように、大気圧重力仕事能力を燃焼ガスの１０００倍の水出力とし、大部分の過熱蒸気爆発速度を利用する、過熱蒸気噴射ノズル６Ｂの過熱蒸気爆発速度と霧吹きの原理により、１以上の水噴射ノズル６Ｅの水５２ａを混合噴射加速して、大気圧重力仕事能力×質量×１／１００速度を（燃焼ガスの１０００倍×５０倍容積水質量×１／１００減少率）とし、仕事能力を５００００倍に近付け、霧吹きの原理１１１ｅより垂直方向から順次進行方向下流に噴射して、前方の空気を吸引して最大の慣性力や重力加速度で噴射推進出力を発生します。
【００８８】
そして大部分の燃焼ガス爆発速度を利用する、燃焼ガス噴射ノズル６Ｄの燃焼ガス爆発速度と霧吹きの原理により、１以上の水噴射ノズル６Ｅの水５２ａを混合噴射加速して、燃焼ガス爆発速度を水５２ａ速度に変換して最適減速し、仮説噴射推進出力を（燃焼ガスの１０００倍×１０倍容積水質量×１／１００減少率）として、仕事能力を１００００倍に近付け、霧吹きの原理１１１ｆより垂直方向から順次進行方向下流に噴射し（燃焼ガス熱量出力＋燃焼ガス質量出力＝既存ガスタービンの６００倍仮説噴射推進出力）等に増大して、前方の空気を吸引して最大の慣性力や重力加速度で噴射推進出力を発生します。
【００８９】
噴射推進出力を発生の過程では、過熱蒸気噴射ノズル６Ｂを含む霧吹きの原理１１１ａに筒形外箱７７ｂを重複して設けて、１以上の霧吹きの原理１１１ｅや１１１ｆを収納し、９０°以上回転可能に既存技術で飛行機等に１以上設けて、重力慣性力や重力加速度を最大限利用可能に、垂直方向から順次進行方向下流に噴射し、飛行機等を垂直上昇垂直降下可能にします。そして（燃焼ガスの１０００倍重力仕事率×６０倍容積水質量×１／１００減少率）等で空気を吸引して噴射推進出力を発生し、既存ガスタービンの６００倍仮説空気吸引噴射推進出力として、既存技術の１０倍速度を狙う、各種超音速ジェット機や各種ジェット機や各種宇宙往還機や各種宇宙往還親飛行機や、各種超高速船舶や各種空中輸送移動機器等を、空気吸引噴射して噴射推進駆動します。
【実施例６】
【００９０】
（図６）各種大中小高速船舶や各種水上輸送移動機器等の、水を吸引して噴射する噴射推進出力の発生は、Ａ型等各種エネルギ保存サイクル合体機関の、縮径主燃焼室兼熱交換器１により限り無く高圧燃焼熱交換冷却長時間燃焼して、燃焼ガス熱量出力＋燃焼ガス質量出力に分割し、超臨界圧力等の過熱蒸気爆発力＋燃焼ガス爆発力に変換して、その一部により前記同様にはずみ車タービン８を駆動し、用途に合せたエネルギ保存サイクル合体機関のクランク軸１６を、直接又は減速して回転して、大部分の超臨界圧力等の過熱蒸気爆発力＋燃焼ガス爆発力により、霧吹きの原理１１１ｃ・１１１ｄを駆動します。
【００９１】
そしてペットボトルロケットのように、大気圧重力仕事能力を燃焼ガスの１０００倍の水出力とし、大部分の過熱蒸気爆発速度を利用する、過熱蒸気噴射ノズル６Ａの過熱蒸気爆発速度と霧吹きの原理により、１以上の水噴射ノズル６Ｅの水５２ａを混合噴射加速して、大気圧重力仕事能力×質量×１／１００速度を（燃焼ガスの１０００倍×５０倍容積水質量×１／１００減少率）とし、仕事能力を５００００倍に近付け、霧吹きの原理１１１ｃより垂直方向乃至進行方向下流に噴射して、前方の水を吸引して最大の慣性力や重力加速度で噴射推進出力を発生します。
【００９２】
そして大部分の燃焼ガス爆発速度を利用する、燃焼ガス噴射ノズル６Ｃの燃焼ガス爆発速度と霧吹きの原理により、１以上の水噴射ノズル６Ｅの水５２ａを混合噴射加速して、燃焼ガス爆発速度を水５２ａ速度に変換して最適減速し、仮説噴射推進出力を（燃焼ガスの１０００倍×１０倍容積水質量×１／１００減少率）として、仕事能力を１００００倍に近付け、霧吹きの原理１１１ｄより垂直方向乃至進行方向下流に噴射し（燃焼ガス熱量出力＋燃焼ガス質量出力＝既存ガスタービンの６００倍仮説噴射推進出力）等に増大して、前方の水を吸引して最大の慣性力や重力加速度で噴射推進出力を発生します。
【００９３】
噴射推進出力を発生の過程では、過熱蒸気噴射ノズル６Ａを含む霧吹きの原理１１１ｃに、筒形外箱７７ｂを単独又は重複して設けて、１以上の霧吹きの原理１１１ｃや１１１ｄを収納し、重力慣性力や重力加速度を最大限利用可能に、垂直方向乃至進行方向下流に噴射します。そして（燃焼ガスの１０００倍重力仕事率×６０倍容積水質量×１／１００減少率）等で水を吸引して噴射推進出力を発生し、既存ガスタービンの６００倍仮説水吸引噴射推進出力として、既存技術の１０倍速度を狙う、各種大中小高速船舶や各種大中小高速艦船や各種大中小高速水上輸送移動機器等を、水吸引噴射して噴射推進駆動します。
【実施例７】
【００９４】
（図７）各種大中小高速船舶や各種水上輸送移動機器等の、水を吸引して噴射する噴射推進出力の発生は、Ａ型等各種エネルギ保存サイクル合体機関の、縮径主燃焼室兼熱交換器１により限り無く高圧燃焼熱交換冷却長時間燃焼して、燃焼ガス熱量出力＋燃焼ガス質量出力に分割し、超臨界圧力等の過熱蒸気爆発力＋燃焼ガス爆発力に変換して、その一部により前記同様にはずみ車タービン８を駆動し、用途に合せたエネルギ保存サイクル合体機関のクランク軸１６を、直接又は減速して回転して、大部分の超臨界圧力等の過熱蒸気爆発力＋燃焼ガス爆発力により、霧吹きの原理１１１ｇ・１１１ｈを駆動します。
【００９５】
そしてペットボトルロケットのように、大気圧重力仕事能力を燃焼ガスの１０００倍の水出力とし、大部分の過熱蒸気爆発速度を利用する、過熱蒸気噴射ノズル６Ｂの過熱蒸気爆発速度と霧吹きの原理により、１以上の水噴射ノズル６Ｅの水５２ａを混合噴射加速して、大気圧重力仕事能力×質量×１／１００速度を（燃焼ガスの１０００倍大気圧重力仕事能力×５０倍容積水質量×１／１００減少率）とし、仕事能力を５００００倍に近付け、霧吹きの原理１１１ｇより垂直方向乃至進行方向下流に噴射して、前方の水を吸引して最大の慣性力や重力加速度で噴射推進出力を発生します。
【００９６】
そして大部分の燃焼ガス爆発速度を利用する、燃焼ガス噴射ノズル６Ｄの燃焼ガス爆発速度と霧吹きの原理により、１以上の水噴射ノズル６Ｅの水５２ａを混合噴射加速して、燃焼ガス爆発速度を水５２ａ速度に変換して最適減速し、仮説噴射推進出力を（燃焼ガスの１０００倍×１０倍容積水質量×１／１００減少率）として、仕事能力を１００００倍に近付け、霧吹きの原理１１１ｈより垂直方向乃至進行方向下流に噴射し（燃焼ガス熱量出力＋燃焼ガス質量出力＝既存ガスタービンの６００倍仮説噴射推進出力）等に増大して、前方の水を吸引して最大の慣性力や重力加速度で噴射推進出力を発生します。
【００９７】
噴射推進出力を発生の過程では、過熱蒸気噴射ノズル６Ｂを含む霧吹きの原理１１１ｇに、筒形外箱７７ｂを単独又は重複して設けて、１以上の霧吹きの原理１１１ｇや１１１ｈを収納し、重力慣性力や重力加速度を最大限利用可能に、垂直方向乃至進行方向下流に噴射します。そして（燃焼ガスの１０００倍重力仕事率×６０倍容積水質量×１／１００減少率）等で水を吸引して噴射推進出力を発生し、既存ガスタービンの６００倍仮説水吸引噴射推進出力として、既存技術の１０倍速度を狙う、各種大中小型高速船舶や各種大中小型高速艦船や各種大中小型高速水上輸送移動機器等を、水吸引噴射して噴射推進駆動します。
【実施例８】
【００９８】
図８ａの着磁摩擦車６１ａは、環筒状の強磁性材料の径方向左右に、磁極のＮ極及びＳ極を着磁して、その両側を環板状のヨーク７４で挟んで、外径方向動力伝達面５６に延長して固着します。該動力伝達面５６の外周面に低凹凸６９のハスバ凹凸７１を設けて、着磁摩擦車６１ａとします。そして各要素を互いに互換してかみ合う、着磁摩擦車６１ａと磁着摩擦車６３や、転がり接触の着磁摩擦車装置６５とします。
【００９９】
図８ｂの内着磁摩擦車６２ａは、環筒状の強磁性材料の径方向左右に、磁極のＮ極及びＳ極を着磁して、その両側を環板状のヨーク７４で挟んで、内径方向動力伝達面５６に延長して固着します。該動力伝達面５６の内周面に低凹凸６９の内平凹凸７０ａ等を設けて、内着磁摩擦車６２ａとします。そして各要素を互いに互換してかみ合う、内着磁摩擦車６２ａと磁着摩擦車６３や、図に無い転がり接触の内着磁摩擦車装置６６等として使用します。
【０１００】
図８ｃの着磁摩擦車６１ｂは、環筒状の強磁性材料の内径側と外径側に磁極のＮ極及びＳ極を着磁して、ヨーク７４を磁石の内周側から左右外径動力伝達面５６に延長します。該動力伝達面近傍のヨークと磁石の間に、摩擦増大手段８０を環状に設けて固着し、その外周面に低凹凸６９のヤマバ凹凸７２を設けて、夫々着磁摩擦車６１ｂ・６１ｂ等とします。そして各要素を互いに互換した噛み合いとしては、磁着摩擦車６３と着磁摩擦車６１ｂ等として使用します。
【０１０１】
図８ｄの内着磁摩擦車６２ｂは、環筒状の強磁性材料の内径側と外径側に磁極のＮ極及びＳ極を着磁して、ヨーク７４を磁石の外周側から左右内径動力伝達面５６に延長します。該動力伝達面近傍のヨークと磁石の間に、摩擦増大手段８０を環状に設けて固着し、その内周面に低凹凸６９のハスバ凹凸７１ａを設けて、内着磁摩擦車６２ｂとします。そして各要素を互いに互換した噛み合いとしては、内磁着摩擦車６４と着磁摩擦車６１ｂ等として使用します。
【０１０２】
図８ｅの磁着摩擦車６３の実施例は、環筒状の強磁性材料乃至磁石に吸着材料の、外径面の動力伝達面５６に、低凹凸６９の平凹凸７０を設けて、各種磁着摩擦車６３等とします。夫々各要素を互いに互換した噛み合いとして、図９図１０図１１と略同様に各種磁着摩擦車装置６７を構成し、外箱７７や吸水路７８や送水路７９を設けて、回転方向上流側及び下流側に棒磁石５７乃至電磁石５８を設けて、磁石の強い吸引力を利用した、送水ポンプ兼用の各種磁気摩擦動力伝達装置５５とします。
【０１０３】
図８ｆの内磁着摩擦車６４は、環筒状の強磁性材料乃至磁石に吸着材料の、内径面の動力伝達面５６に、低凹凸６９のヤマバ凹凸７２ａを設けて、各種内磁着摩擦車６４等とします。夫々各要素を互いに互換した噛み合いとして、図９図１０図１１と略同様に各種磁着摩擦車装置６７を構成し、外箱７７や吸水路７８や送水路７９を設けて、回転方向上流側及び下流側に棒磁石５７乃至電磁石５８を設けて、磁石の強い吸引力を利用した、送水ポンプ兼用の各種磁気摩擦動力伝達装置５５とします。
【実施例９】
【０１０４】
図９の既存技術の２〜１０倍回転数を狙う、送水ポンプ兼磁気摩擦動力伝達装置５５は、着磁摩擦車６１ａ・６１ａで着磁摩擦車装置６５を構成し、既存歯車ポンプと同様に外箱７７を設け、回転方向下流側に吸水路７８を、回転方向上流側に送水路７９を設けて、回転方向上流側及び下流側に棒磁石５７乃至電磁石５８を設け、磁石の強い吸引力により、各種送水ポンプ７５及び各種磁気摩擦動力伝達装置７６を構成し、支軸８１ａをクランク軸１６に結合して、支軸８１をはずみ車タービンに結合して最適減速し、クランク軸１６を最適回転して、拡径ピストン２１の往復運動により空気圧縮します。
【０１０５】
例えばＡ型等各種エネルギ保存サイクル圧縮機を最適駆動する過程で、吸水路７８より給水５２を供給して、多種多数の送水ポンプ兼各種磁気摩擦動力伝達装置５５で発生する熱を回収し、超高速大動力の伝達を可能にすると共に、超高圧少量送水を可能にして、図１の縮径主燃焼室熱交換器２に送水し、１以上多数の送水路７９や吸水路７８を最適制御して、多段に昇圧して超高圧少量送水し、限り無く高圧の超臨界圧力等の過熱蒸気爆発力に変換します。
【実施例１０】
【０１０６】
図１０の既存技術の２〜１０倍回転数を狙う、送水ポンプ兼磁気摩擦動力伝達装置５５は、着磁摩擦車６１ｂ・６１ｂで着磁摩擦車装置６５を構成し、既存歯車ポンプと同様に外箱７７を設け、回転方向下流側に吸水路７８を、回転方向上流側に送水路７９を設けて、回転方向上流側及び下流側に棒磁石５７乃至電磁石５８を設け、磁石の強い吸引力により、各種送水ポンプ７５及び各種磁気摩擦動力伝達装置７６を構成し、支軸８１ａをクランク軸１６に結合して、支軸８１をはずみ車タービンに結合して最適減速し、クランク軸１６を最適回転して、拡径ピストン２１の往復運動により空気圧縮します。
【０１０７】
例えばＡ型等各種エネルギ保存サイクル圧縮機を最適駆動する過程で、吸水路７８より給水５２を供給して、多種多数の送水ポンプ兼各種磁気摩擦動力伝達装置５５で発生する熱を回収し、超高速大動力の伝達を可能にすると共に、超高圧少量送水を可能にして、図１の縮径主燃焼室熱交換器２に送水し、１以上多数の送水路７９や吸水路７８を最適制御して、多段に昇圧して超高圧少量送水し、限り無く高圧の超臨界圧力過熱蒸気爆発力等に変換します。
【実施例１１】
【０１０８】
図１１（ａ）（ｂ）（ｃ）を参照して説明する、（ｂ）（ｃ）は夫々（ａ）のｃ−ｃ及びｄ−ｄ視図であり、互いに反対方向に回転する２軸を最適回転比で結合する、送水ポンプ兼二重反転磁気摩擦動力伝達装置８４は、多数の送水ポンプ７５により摩擦熱を多段に回収して自己水冷却し、互いに反対方向に回転する２軸の超高速大動力を、最適回転比で二重反転動力伝達する、例えば各種ヘリコプターや各種船舶や各種飛行機のプロペラを、超高速二重反転させて大動力を超高速伝達する、送水ポンプ兼二重反転磁気摩擦動力伝達装置８４とし、既存技術の２〜１０倍回転数を狙います。
【０１０９】
外側軸装置に固着された第一主動内着磁摩擦車６２ａの回転により、機関本体２９に固着された外箱７７に軸支された、支軸８１の左端に固着した、複数の第一従動着磁摩擦車６１ａが回転し、その回転により支軸８１の右端に固着した、複数の第二主動着磁摩擦車６１ａが回転して、その回転により内側軸装置に固着された、第二従動着磁摩擦車６１ａが回転し、互いに反対方向に回転する外側軸装置の回転力と、内側軸装置の回転力を結合して、内側軸装置又は外側軸装置より全回転出力を取り出し可能にし、又は両方より夫々回転出力を取出し可能にします。
【０１１０】
超高速大動力の伝達と超高圧少量送水する、送水ポンプ兼二重反転磁気摩擦動力伝達装置８４として使用の過程で、既存歯車ポンプと同様に外箱７７を設け、着磁摩擦車６１ａの回転方向下流側に吸水路７８を、回転方向上流側に送水路７９を設けて、複数の送水ポンプ兼磁気摩擦動力伝達装置５５を構成します。回転方向上流側及び下流側又は上流側又は下流側に、棒磁石５７又は電磁石５８を設けることで、磁着摩擦車６３や内磁着摩擦車６４や着磁摩擦車６１ｂ等、全ての組合せを磁石の強い吸引力により、互いに互換して使用を可能にします。
【０１１１】
送水ポンプ兼二重反転磁気摩擦動力伝達装置８４により、大中小型船舶や大中小型高速船や、大中小型飛行機や大中小型ヘリコプター等のプロペラを、最も効率良く二重反転させることで、推進速度を２倍に近付けると共に、過熱蒸気爆発力を適宜に貯蔵して使用することで、短時間は蒸気タービンとして使用可能とし、燃料無しでも短時間使用可能とし、積載燃料を水や水蒸気の１／６０等として非常に安全な飛行物体や、消火容易な火災皆無の各種輸送移動機器とします。
【実施例１２】
【０１１２】
図１２により本発明による地球温暖化防止を説明する。世界の火力発電所や原子力発電所では、ボイラや原子力等で加熱した超臨界圧力過熱蒸気は、蒸気タービンにより断熱膨張させて、容積のみ利用して熱量を全く利用しないで、利用不可能な大速度や大気圧水の１／１７００重力仕事率の水蒸気で回転出力を発生させるため、仮説出力が１／６００等に低減して大損失に加えて、加熱した熱量全部で海水温度を上昇して環境破壊し、ボイラからＣＯ２等の燃焼ガスを排気して地球温暖化を加速しております。
【０１１３】
そこで各種エネルギ保存サイクル合体機関と全動翼蒸気ガスタービン合体機関を合体して、各種エネルギ保存サイクル合体機関とし、各種エネルギ保存サイクル機関を各種エネルギ保存サイクル圧縮機として、各種エネルギ保存サイクル合体機関の縮径主燃焼室兼熱交換器１を独立させることで、限り無く高圧燃焼熱交換冷却燃焼時間の、限り無い増大を可能にし、燃焼ガス熱量出力＋燃焼ガス質量出力に分離して、超臨界圧力過熱蒸気爆発速度＋燃焼ガス爆発速度に変換し、温度と容積の障害最低の爆発速度×単位質量を最大とした、燃焼ガス爆発速度の排気温度を−２７３℃に近付けます。
【０１１４】
回転出力発生の過程では、過熱蒸気噴射ノズルの過熱蒸気爆発力と霧吹きの原理により、水を混合噴射加速して過熱蒸気爆発速度を水の速度に変換して、大気圧重力仕事能力を５００００倍に近付けます。そして燃焼ガス噴射ノズルの燃焼ガス爆発力と霧吹きの原理により、水を混合噴射加速して燃焼ガス爆発速度を水の速度に変換して、仕事能力を１００００倍に近付け、夫々はずみ車蒸気タービンやはずみ車ガスタービンに噴射して回転出力を発生し、同一燃料量既存ガスタービンの６００倍仮説発電量等として、１／１０電気料金を狙います。
【０１１５】
はずみ車蒸気タービン排気の過程では供給熱量略全部を、気化熱回収器により１００℃に近い水道水温熱として回収して、製造原価略０で需要家に供給して、既存蒸気タービンの海水温度の上昇を全廃します。はずみ車ガスタービン排気の過程では−２７３℃に近付く燃焼ガス全部を、冷熱回収器により０℃以上の水道水冷熱として貯蔵して、製造原価略０で需要家に供給し、冷熱回収後のＣＯ２等燃焼ガス溶解水冷熱は有効利用を図り、ＣＯ２等の排気を０や０に近付けて、既存発電設備の無茶苦茶を完璧に逆転します。
【０１１６】
空気を吸引して噴射する噴射推進出力発生の過程では、上記同様にして仕事能力を６００００倍に近付け、夫々霧吹きの原理１１１ａや１１１ｂに噴射して、空気を吸引して噴射する噴射推進出力を発生し、既存技術の１０倍速度を狙う各種超音速飛行機や各種宇宙往還機や、各種空中輸送移動機器や各種垂直上昇降下飛行機等とします。水を吸引して噴射する噴射推進出力発生の過程では、上記同様にして仕事能力を６００００倍に近付け、夫々霧吹きの原理１１１ｃや１１１ｄに噴射して水を吸引して噴射する噴射推進出力を発生し、既存技術の１０倍速度を狙う各種高速船舶や各種小型高速船舶や、各種水上輸送移動機器や各種艦艇類等とします。
【実施例１３】
【０１１７】
図１３の用途に合せた、各種エネルギ保存サイクル合体機関の出力発生の過程では、既存技術制御装置により、各種エネルギ保存サイクル合体機関や、既存技術の１０倍回転数を狙う送水ポンプ兼磁気摩擦動力伝達装置や、送水ポンプ兼二重反転磁気摩擦動力伝達装置を最適制御して、回転出力や噴射推進出力を発生します。
【０１１８】
回転出力や噴射推進出力で駆動する装置を、各種大中小温熱と電気と冷熱の供給設備、各種大中小自動車、各種大中小陸上輸送移動機器、各種大中小超音速飛行機、各種大中小空中輸送移動機器、各種大中小汎用機関、各種大中小機械類、各種大中小艦艇類、各種大中小戦闘飛行機類、各種大中小戦闘車両類、各種大中小宇宙往還機、各種大中小宇宙往還親飛行機、各種大中小飛行船舶類、各種大中小飛行自動車類、各種大中小垂直上昇降下飛行機類、各種大中小超高速船舶、各種大中小高速船舶、各種大中小水上輸送移動機器類、各種大中小船舶、各種大中小駆動可能なもの全部を駆動します。
【実施例１４】
【０１１９】
図１４のＢ型エネルギ保存サイクル合体機関２９Ｂは、Ａ型エネルギ保存サイクル合体機関２９Ａのシリンダヘッド１６と、逆止弁９７や一方向空気流路９を含む、縮径主燃焼室兼熱交換器１を同様に外部に設けて、限り無く高圧燃焼熱交換冷却限り無く長時間熱交換冷却燃焼として、燃焼ガス熱量＋燃焼ガス質量に分割し、超臨界圧力等の過熱蒸気爆発力＋燃焼ガス爆発力に変換して、Ａ型・Ｂ型・Ｃ型・Ｄ型・Ｅ型・Ｆ型・Ｇ型・Ｈ型の、各種エネルギ保存サイクル合体機関で共通使用し、各種エネルギ保存サイクル圧縮機２０Ａ・２０Ｂ・２０Ｃ・２０Ｄ・２０Ｅ・２０Ｆ・２０Ｇ・２０Ｈにより、各種用途に最適対応します。
【０１２０】
従ってＢ型エネルギ保存サイクル合体機関２９Ｂは、縮径主燃焼室兼熱交換器１を左右に夫々１以上具備し、Ａ型エネルギ保存サイクル圧縮機２０Ａに換えて、Ｂ型エネルギ保存サイクル圧縮機２０Ｂを使用し、クランク軸１６の回転運動による両頭拡径ピストン２１の往復運動を、振り子腕４０ａにより運動エネルギの減少損失最少で拡大増幅して、両頭拡径ピストン２１のピストン行程を拡大し、圧縮比を用途に合せて最も簡単に増大して、空気圧縮の過程でピストンの側圧を最低にし、はずみ車タービン８を振り子腕４０ａの支点又はクランク軸１６に設けて、直接又は減速してクランク軸１６を駆動し、多気筒にする場合は、クランク軸１６の増設により、２気筒＋２気筒と増設して多気筒にします。
【実施例１５】
【０１２１】
図１５のＣ型エネルギ保存サイクル合体機関２９Ｃは、縮径主燃焼室兼熱交換器１を左右と中央に夫々１以上具備し、Ｂ型エネルギ保存サイクル圧縮機２０Ｂを対向に設けて、振動を相殺して両頭拡径ピストン２１径を１０ｍ等の大径に近付け、構造を極限まで簡単にするものです。従って両頭拡径ビストン２１・２１の対向往復運動を完璧に同期させる、図に無い中央の同期軸１６ａ（図１７・１８）と、送水ポンプ兼磁気摩擦動力伝達装置５５（図９・１０）により、適宜に減速した同期軸１６ａ又は、図１５のようにクランク軸１６に直接はずみ車タービン８を具備して、クランク軸１６を減速又は直接回転駆動して同期軸１６ａを回転し、多気筒にする場合は、クランク軸１６・１６の増設により、４気筒＋４気筒と増設して多気筒にします。
【実施例１６】
【０１２２】
図１６のＤ型エネルギ保存サイクル合体機関２９Ｄは、縮径主燃焼室兼熱交換器１を左右に夫々１以上具備し、Ａ型エネルギ保存サイクル圧縮機２０Ａに換えて、Ｄ型エネルギ保存サイクル圧縮機２０Ｄを使用し、クランク軸１６の回転運動により直接両頭拡径ピストン２１を往復運動させて、構造が最も簡単な空気圧縮機として、圧縮比を用途に合せて最も簡単に増大し、ピストンの側圧を低減して、はずみ車タービン８をクランク軸１６に設けて、直接又は減速してクランク軸１６を回転駆動し、多気筒にする場合は、クランク軸１６の増設により、２気筒＋２気筒と増設して多気筒にします。
【実施例１７】
【０１２３】
図１７のＥ型エネルギ保存サイクル合体機関２９Ｅは、縮径主燃焼室兼熱交換器１を左右と中央に夫々１以上具備し、Ｄ型エネルギ保存サイクル圧縮機２０Ｄを対向に設けて、振動を相殺して両頭拡径ピストン２１径を１０ｍ等の大径に近付け、構造を極限まで簡単にするものです。従って両頭拡径ビストン２１・２１の対向往復運動を完璧に同期させる、中央の同期軸１６ａと送水ポンプ兼磁気摩擦動力伝達装置５５（図９・１０）により、適宜に減速する同期軸１６ａに、はずみ車タービン８を具備してクランク軸を減速駆動し、クランク軸１６により直接両頭拡径ビストン２１を往復駆動することで、図１７のように構造が非常に簡単な対向往復運動空気圧縮機として、はずみ車タービン８の回転を最適回転数に制定し、多気筒にする場合は、クランク軸１６・１６の増設により、４気筒＋４気筒と増設して多気筒にします。
【実施例１８】
【０１２４】
図１８のＦ型エネルギ保存サイクル合体機関２９Ｆは、縮径主燃焼室兼熱交換器１を左右に夫々１以上具備し、中央の一方向空気流路９から左右の縮径主燃焼室兼熱交換器１に空気を供給する構成として、Ｄ型エネルギ保存サイクル圧縮機２０Ｄを対向に設けて、Ｆ型エネルギ保存サイクル圧縮機２０Ｆとし、振動を相殺して両頭拡径ピストン２１径を１０ｍ等の大径に近付け、構造を極限まで簡単にするものです。従って両頭拡径ビストン２１・２１の対向往復運動を完璧に同期させる、中央の同期軸１６ａと送水ポンプ兼磁気摩擦動力伝達装置５５（図９・１０）により、適宜に減速する同期軸１６ａに、はずみ車タービン８を具備してクランク軸を減速駆動し、クランク軸１６により直接両頭拡径ビストン２１を往復駆動することで、図１８のように構造が非常に簡単な対向往復運動空気圧縮機として、はずみ車タービン８の回転を最適回転数に制定し、多気筒にする場合は、クランク軸１６・１６の増設により、４気筒＋４気筒と増設して多気筒にします。
【実施例１９】
【０１２５】
図１９のＧ型エネルギ保存サイクル合体機関２９Ｇは、縮径主燃焼室兼熱交換器１を中央に１以上具備し、左右の一方向空気流路９から中央の縮径主燃焼室兼熱交換器１に空気を供給する構成として、Ｄ型エネルギ保存サイクル圧縮機２０Ｄを対向に設けて、Ｇ型エネルギ保存サイクル圧縮機２０Ｇとし、振動を相殺して両頭拡径ピストン２１径を１０ｍ等の大径に近付け、構造を極限まで簡単にするものです。従って両頭拡径ビストン２１・２１の対向往復運動を完璧に同期させる、中央の同期軸１６ａと送水ポンプ兼磁気摩擦動力伝達装置５５（図９・１０）により、適宜に減速する同期軸１６ａに、はずみ車タービン８を具備してクランク軸を減速駆動し、クランク軸１６の回転運動により直接両頭拡径ビストン２１を往復駆動することで、図１９のように構造が非常に簡単な対向往復運動空気圧縮機として、はずみ車タービン８の回転を最適回転数に制定し、多気筒にする場合は、クランク軸１６・１６の増設により、４気筒＋４気筒と増設して多気筒にします。
【実施例２０】
【０１２６】
図２０のＨ型エネルギ保存サイクル合体機関２９Ｈは、縮径主燃焼室兼熱交換器１を左側に１以上具備し、右側の一方向空気流路９から左側の縮径主燃焼室兼熱交換器１に空気を供給する構成として、Ｄ型エネルギ保存サイクル圧縮機２０Ｄを設けて、Ｈ型エネルギ保存サイクル圧縮機２０Ｈとし、クランク軸１６の回転運動により直接両頭拡径ビストン２１を往復運動させて、図２０のように構造が最も簡単な往復運動空気圧縮機として、圧縮比を用途に合せて最も簡単に増大し、ピストンの側圧を簡単に低減して、はずみ車タービン８をクランク軸１６に設けて、直接又は減速してクランク軸１６を回転駆動し、多気筒にする場合は、クランク軸１６の増設により、２気筒＋２気筒と増設して多気筒にします。
【産業上の利用可能性】
【０１２７】
仮説発電量が既存ガスタービンの６００倍仮説発電量に増大し、供給熱量全部＋圧縮空気保有熱量が１００℃に近い水道水温熱となり、−２７３℃に近付く燃焼ガス排気全部が０℃に近い水道水冷熱となるため、熱と電気と冷熱の供給設備となる可能性がある。
【０１２８】
仮説発電量が既存ガスタービンの６００倍仮説発電量に増大し、供給熱量全部＋圧縮空気保有熱量が１００℃に近い水道水温熱となるため、１００℃に近い水道水温熱として製造原価略０で需要家に供給すると共に、水道水温熱を利用して電力消費１／１０を狙う、業務用や家庭用の各種暖房設備機器や各種調理設備機器や各種厨房設備機器や、各種洗濯乾燥機等を製造供給する可能性がある。
【０１２９】
仮説発電量が既存ガスタービンの６００倍仮説発電量に増大し、−２７３℃に近付く燃焼ガス排気全部が０℃に近い水道水冷熱となるため、０℃に近い水道水冷熱として製造原価略０で需要家に供給すると共に、水道水冷熱を利用して電力消費１／１０と脱フロンを狙う、業務用や家庭用の各種冷凍設備機器や各種冷蔵設備機器や各種冷房設備機器等を製造供給する可能性がある。
【０１３０】
仮説回転出力が既存ガスタービンの６００倍仮説回転出力に増大し、ＣＯ２等の燃焼ガスを排気しない公害低減のため、各種自動車や各種プロペラ飛行機や各種プロペラ船舶や各種回転力駆動の機械機器類等を、製造供給する可能性がある。
【０１３１】
仮説空気噴射推進出力が既存ガスタービンの６００倍仮説空気噴射推進出力に増大し、ＣＯ２等の燃焼ガスを排気しない公害低減のため、各種超音速ジェット機や各種ジェット機や各種超高速船舶や各種宇宙往還機や各種宇宙往還親飛行機や各種空中輸送移動機器等を、製造供給する可能性がある。
【０１３２】
仮説水噴射推進出力が既存ガスタービンの６００倍仮説水噴射推進出力に増大し、ＣＯ２等の燃焼ガスを排気しない公害低減のため、各種大中小高速船舶や各種大中小高速艦船や各種大中小高速水上輸送移動機器等を、製造供給する可能性がある。
【図面の簡単な説明】
【０１３３】
【図１】Ａ型エネルギ保存サイクル合体機関を示す断面図（実施例１）
【図２】はずみ車タービンを示す断面図（実施例２）
【図３】はずみ車タービンを示す断面図（実施例３）
【図４】霧吹きの原理１１１ａ・１１１ｂを示す断面図（実施例４）
【図５】霧吹きの原理１１１ｅ・１１１ｆを示す断面図（実施例５）
【図６】霧吹きの原理１１１ｃ・１１１ｄを示す断面図（実施例６）
【図７】霧吹きの原理１１１ｇ・１１１ｈを示す断面図（実施例７）
【図８】着磁摩擦車・磁着摩擦車を示す一部断面図（実施例８）
【図９】送水ポンプ兼磁気摩擦動力伝達装置の断面図（実施例９）
【図１０】送水ポンプ兼磁気摩擦動力伝達装置の断面図（実施例１０）
【図１１】送水ポンプ兼二重反転磁気摩擦動力伝達装置の断面図（実施例１１）
【図１２】エネルギ保存サイクル合体機関の説明図（実施例１２）
【図１３】エネルギ保存サイクル合体機関で駆動の説明図（実施例１３）
【図１４】Ｂ型エネルギ保存サイクル合体機関を示す断面図（実施例１４）
【図１５】Ｃ型エネルギ保存サイクル合体機関を示す断面図（実施例１５）
【図１６】Ｄ型エネルギ保存サイクル合体機関を示す断面図（実施例１６）
【図１７】Ｅ型エネルギ保存サイクル合体機関を示す断面図（実施例１７）
【図１８】Ｆ型エネルギ保存サイクル合体機関を示す断面図（実施例１８）
【図１９】Ｇ型エネルギ保存サイクル合体機関を示す断面図（実施例１９）
【図２０】Ｈ型エネルギ保存サイクル合体機関を示す断面図（実施例２０）
【符号の説明】
【０１３４】
１：縮径主燃焼室兼熱交換器、  １ａ：燃焼部、  ２：縮径主燃焼室熱交換器、  ２ａ：廃熱回収熱交換器、  ２ｂ：気化熱回収器、  ３：導水管、  ３ａ：撥水鍍金、  ４：給気穴、  ５：排気穴、  ５ａ：蒸気排気室、  ５ｂ：排気庇、  ５ｃ：ガス排気室、  ６Ａ：過熱蒸気噴射ノズル（加熱高温で摩擦低減し過熱蒸気爆発力と霧吹きの原理で水を混合噴射加速）    ６Ｂ：過熱蒸気噴射ノズル（撥水鍍金で摩擦低減し過熱蒸気爆発力と霧吹きの原理で水を混合噴射加速）    ６Ｃ：燃焼ガス噴射ノズル（加熱高温で摩擦低減し燃焼ガス爆発力と霧吹きの原理で水を混合噴射加速）    ６Ｄ：燃焼ガス噴射ノズル（撥水鍍金で摩擦低減し燃焼ガス爆発力と霧吹きの原理で水を混合噴射加速）    ６Ｅ：水噴射ノズル、  ６Ｆ：不用燃焼ガス噴射ノズル、  ６Ｇ：冷水噴射ノズル、  ６Ｈ：過熱蒸気燃焼ガス噴射ノズル（６Ａ＋６Ｂ＋６Ｃ＋６Ｄ）  ６Ｉ：過熱蒸気噴射ノズル（６Ａ＋６Ｂ）  ６Ｊ：燃焼ガス噴射ノズル（６Ｃ＋６Ｄ）  ７：燃料蒸気噴射電磁弁、  ７Ｃ：燃料噴射電磁弁、  ７Ｄ：燃料水噴射電磁弁、  ７Ｅ：水噴射電磁弁、  ８：はずみ車タービン  ８ａ：はずみ車ガスタービン、  ８ｂ：はずみ車蒸気タービン、  ８ｃ：タービン翼、  ８ｄ：側板、  ９：一方向空気流路、  １０：拡径燃焼室、  １０ａ：拡径圧縮室、  １１：排気ダクト、  １２：ターボ過給機、  １３：給気ダクト、  １４：機械式過給機、  １５：シリンダヘッド、  １６：クランク軸、  １６ａ：同期軸、  １６ｂ：クランク穴、  １７：始動電動機兼発電機、  １８：入力軸、  １９：出力軸、  ２０：エネルギ保存サイクル総括制御装置、  ２０Ａ：Ａ型エネルギ保存サイクル圧縮機、  ２０Ｂ：Ｂ型エネルギ保存サイクル圧縮機、  ２０Ｃ：Ｃ型エネルギ保存サイクル圧縮機、  ２０Ｄ：Ｄ型エネルギ保存サイクル圧縮機、  ２０Ｅ：Ｅ型エネルギ保存サイクル圧縮機、  ２０Ｆ：Ｆ型エネルギ保存サイクル圧縮機、  ２０Ｇ：Ｇ型エネルギ保存サイクル圧縮機、  ２０Ｈ：Ｈ型エネルギ保存サイクル圧縮機、    ２１：拡径ピストン、  ２２：電磁加熱縮径ピストン、  ２３：弁棒、  ２４：燃焼ガス加減弁、  ２５：過熱蒸気加減弁、  ２６：掃気弁、  ２７：過給ピストン、  ２８：吸気弁、  ２８ａ：空気、  ２９：機関本体、  ２９Ａ：Ａ型エネルギ保存サイクル合体機関（既存往復機関をエネルギ保存サイクルとして、はずみ車タービン駆動）    ２９Ｂ：Ｂ型エネルギ保存サイクル合体機関（ビストン側圧最低のエネルギ保存サイクルとして、はずみ車タービン駆動）    ２９Ｃ：Ｃ型エネルギ保存サイクル合体機関（対向ビストン側圧最低のエネルギ保存サイクルとして、はずみ車タービン駆動）    ２９Ｄ：Ｄ型エネルギ保存サイクル合体機関（ビストン直接クランク駆動エネルギ保存サイクルとして、はずみ車タービン駆動）    ２９Ｅ：Ｅ型エネルギ保存サイクル合体機関（対向ビストン直接クランク駆動エネルギ保存サイクルとして、はずみ車タービン駆動）    ２９Ｆ：Ｆ型エネルギ保存サイクル合体機関（対向ビストン直接クランク駆動外側エネルギ保存サイクルとして、はずみ車タービン駆動）    ２９Ｇ：Ｇ型エネルギ保存サイクル合体機関（対向ビストン直接クランク駆動内側エネルギ保存サイクルとして、はずみ車タービン駆動）    ２９Ｈ��Ｈ型エネルギ保存サイクル合体機関（ビストン直接クランク駆動片側エネルギ保存サイクルとして、はずみ車タービン駆動）    ３０：断熱材、  ３１：多段減圧漏洩面、  ３２：減圧溜、  ３４：クランク軸受、  ３５：水平継手、  ３６：拡径燃焼室シリンダ、  ３７：両頭拡径ピストン、  ３８：案内具、  ３９：固定用溝、  ４０：駆動具、  ４０ａ：振り子腕、  ４１：案内溝、  ４１ａ：案内溝、  ４２：案内穴、  ４３：クランク穴、  ４４：凹凸、  ４５：過給室、  ４６：Ｈ型エネルギ保存サイクル合体機関、  ４７：過給室蓋、  ４８：過給室シリンダ、  ４９：燃焼ガス、  ４９ａ：燃焼ガス攪拌板、  ４９ｂ：洗浄燃焼ガス、  ５０：過熱蒸気、  ５１：空気抽出器、  ５１ａ：ガス抽出器、  ５２：給水、  ５２ａ：水、  ５２ｂ：高温水（超臨界温度等複数温度の高温水）    ５２ｃ：水道水、  ５２ｄ：水道水温熱、  ５２ｅ：水道水冷熱、  ５２ｆ：凝縮水、  ５２ｇ：燃焼ガス溶解水、  ５２ｈ：冷水、  ５３：公知物質、  ５４：安全弁、  ５５：送水ポンプ兼磁気摩擦動力伝達装置、  ５６：動力伝達面、  ５７：棒磁石、  ５８：電磁石、  ５９：回転方向、  ６０：磁極、  ６１：着磁摩擦車、  ６２：内着磁摩擦車、  ６３：磁着摩擦車、  ６４：内磁着摩擦車、  ６５：着磁摩擦車装置、  ６６：内着磁摩擦車装置、  ６７：磁着摩擦車装置、  ６８：内磁着摩擦車装置、  ６９：低凹凸、  ７０：平凹凸、  ７１：ハスバ凹凸、  ７２：ヤマバ凹凸、  ７３：磁石部、  ７４：ヨーク、  ７５：送水ポンプ、  ７６：磁気摩擦動力伝達装置、  ７７：外箱、  ７７ａ：タービン外箱、  ７７ｂ：筒形外箱、  ７８：吸水路、  ７９：送水路、  ８０：摩擦増大手段、  ８１：支軸、  ８１ａ：支点、  ８２：コイル、  ８３：磁力線、  ８４：送水ポンプ兼二重反転磁気摩擦動力伝達装置、  ８５：二重反転磁気摩擦動力伝達装置  ８６：嵌入用凹部  ８７：電磁弁  ８７Ａａ：高温水噴射電磁弁  ８７Ｂａ：高温水噴射電磁弁  ８７Ａｂ：高温水噴射電磁弁  ８７Ｂｂ：高温水噴射電磁弁  ８７Ｃｃ：高温水噴射電磁弁（超臨界温度等複数温度の高温水５２ｂを主燃焼室噴射）  ８７Ｄｃ：高温水噴射電磁弁（超臨界温度等複数温度の高温水５２ｂを主燃焼室噴射）  ８７Ｃｄ：高温水噴射電磁弁（超臨界温度等複数温度の高温水５２ｂを拡径燃焼室噴射）  ８７Ｄｄ：高温水噴射電磁弁（超臨界温度等複数温度の高温水５２ｂを拡径燃焼室噴射）  ８８：公知の燃料噴射弁、  ８９：磁石室、  ９０：断熱壁、  ９０ａ：隔壁、  ９１：冷却室、  ９２：閉弁装置、  ９３：電磁弁装着部、  ９３ａ：電磁弁装着部、  ９４：ノズル噴口部、  ９４ａ：末広ノズル噴口部、  ９５：高温水溜、  ９５ａ：燃焼ガス溜、  ９５ｂ：水溜、  ９５ｃ：過熱蒸気溜、  ９５ｄ：不用燃焼ガス溜、  ９６：発条、  ９７：逆止弁、  ９８：弁座、  ９９：弁体、  １００：公知の各種流用噴射弁、  １０１：加熱高温手段、  １０２：着火装置、  １０３：冷熱回収器、  １０３ａ：冷熱回収器、  １０４：燃焼ガス液化分離装置、  １０５：液化二酸化炭素、  １０６：液体窒素、  １０７：不用液化燃焼ガス、  １０７ａ：不用冷却燃焼ガス、  １０８：特定液化燃焼ガス、  １１１ａ：霧吹きの原理（加熱高温過熱蒸気噴射ノズル６Ａで仕事能力を５万倍に近付��空気吸引噴射）    １１１ｂ：霧吹きの原理（加熱高温燃焼ガス噴射ノズル６Ｃで仕事能力を１万倍に近付け空気吸引噴射）  １１１ｃ：霧吹きの原理（加熱高温過熱蒸気噴射ノズル６Ａで仕事能力を５万倍に近付け水を吸引噴射）  １１１ｄ：霧吹きの原理（加熱高温燃焼ガス噴射ノズル６Ｃで仕事能力を１万倍に近付け水を吸引噴射）  １１１ｅ：霧吹きの原理（撥水鍍金過熱蒸気噴射ノズル６Ｂで仕事能力を５万倍に近付け空気吸引噴射）  １１１ｆ：霧吹きの原理（撥水鍍金燃焼ガス噴射ノズル６Ｄで仕事能力を１万倍に近付け空気吸引噴射）  １１１ｇ：霧吹きの原理（撥水鍍金過熱蒸気噴射ノズル６Ｂで仕事能力を５万倍に近付け水を吸引噴射）  １１１ｈ：霧吹きの原理（撥水鍍金燃焼ガス噴射ノズル６Ｄで仕事能力を１万倍に近付け水を吸引噴射）
【図１】
2005146851.tif 000003
【図２】
2005146851.tif 000004
【図３】
2005146851.tif 000005
【図４】
2005146851.tif 000006
【図５】
2005146851.tif 000007
【図６】
2005146851.tif 000008
【図７】
2005146851.tif 000009
【図８】
2005146851.tif 000010
【図９】
2005146851.tif 000011
【図１０】
2005146851.tif 000012
【図１１】
2005146851.tif 000013
【図１２】
2005146851.tif 000014
【図１３】
2005146851.tif 000015
【図１４】
2005146851.tif 000016
【図１５】
2005146851.tif 000017
【図１６】
2005146851.tif 000018
【図１７】
2005146851.tif 000019
【図１８】
2005146851.tif 000020
【図１９】
2005146851.tif 000021
【図２０】
2005146851.tif 000022